(57)【要約】【課題】代金決済を迅速に行うことができる代金決済精算装置、代金決済精算方法、精算機、精算方法、貨幣識別装置、代金決済装置、貨幣識別方法、代金決済方法、買物かごロック装置、買物かごロック方法、買物かご、代金決済システム、レジゲート群、レジゲートシステム、預り釣銭管理装置および売上管理装置を提供することを目的とする。【解決手段】会員顧客ゲート１００には、バーコードリーダ部１０３と通信可能に接続され、購入商品に対する金額や商品数などを集計し、会員顧客が会員カード１６０および貨幣を挿入し商品購入に対する決済を行う代金決済装置１０５が設置されている。通常顧客ゲート２００には、バーコードリーダ部２０２と通信可能に接続され、購入商品に対する金額や商品数などを集計し、店員と通常顧客が金銭の授受を行う機能を有したレジスタ装置（ＰＯＳ）２０３が設置されている。【選択図】図１
2005157986.tif 000002
【特許請求の範囲】
【請求項１】
預り釣銭情報を特定可能な預り釣銭特定情報が記憶された記憶媒体を受け入れる第１の記憶媒体受入手段と、
前記第１の記憶媒体受入手段で受け入れられた記憶媒体の預り釣銭特定情報を読み取る記憶媒体読取手段と、
少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、
貨幣を受け入れる貨幣受入手段と、
前記貨幣受入手段で受け入れられた貨幣を識別する貨幣識別手段と、
前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する第１の預り釣銭情報更新手段と
を備える代金決済装置と、
預り釣銭情報を特定可能な預り釣銭特定情報が記憶された記憶媒体を受け入れる第２の記憶媒体受入手段と、
前記第２の記憶媒体受入手段で受け入れられた記憶媒体の預り釣銭特定情報を読み取る第２の記憶媒体読取手段と、
前記第２の記憶媒体読取手段で読み取られた預り釣銭特定情報で特定される預り釣銭情報に基づいて、預り釣銭を支払う預り釣銭支払手段と、
前記預り釣銭の支払に対応して、前記預り釣銭情報を更新する第２の預り釣銭情報更新手段と
を備え、前記代金決済装置とは別個に設けられた精算機と
を具備することを特徴とする代金決済精算装置。
【請求項２】
前記預り釣銭支払手段で支払う金種が所定金種以上であり、前記第２の預り釣銭情報更新手段で更新する預り釣銭情報が所定金種未満であることを特徴とする請求項１、１１１、１１２のいずれか１項記載の代金決済精算装置。
【請求項３】
前記第２の記憶媒体読取手段で読み取られた預り釣銭情報が所定の金額に満たない場合に、精算を行わずに前記記憶媒体を返却することを特徴とする請求項１、１１１、１１２のいずれか１項記載の代金決済精算装置。
【請求項４】
前記預り釣銭支払手段が、前記第２の記憶媒体読取手段で読み取られた預り釣銭情報に基づいて、預り釣銭を全額支払うことを特徴とする請求項１、１１１、１１２のいずれか１項記載の代金決済精算装置。
【請求項５】
預り釣銭情報を特定可能な預り釣銭特定情報が記憶された記憶媒体を受け入れる第１の記憶媒体受入手段と、
前記第１の記憶媒体受入手段で受け入れられた記憶媒体の預り釣銭特定情報を読み取る記憶媒体読取手段と、
少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、
貨幣を受け入れる第１の貨幣受入手段と、
前記第１の貨幣受入手段で受け入れられた貨幣を識別する第１の貨幣識別手段と、
前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する第１の預り釣銭情報更新手段と
を備える代金決済装置と、
預り釣銭情報を特定可能な預り釣銭特定情報が記憶された記憶媒体を受け入れる第２の記憶媒体受入手段と、
前記第２の記憶媒体受入手段で受け入れられた記憶媒体の預り釣銭特定情報を読み取る第２の記憶媒体読取手段と、
貨幣を受け入れる第２の貨幣受入手段と、
前記第２の貨幣受入手段で受け入れられた貨幣を識別する第２の貨幣識別手段と、
前記第２の記憶媒体読取手段で読み取られた預り釣銭特定情報で特定される預り釣銭情報に前記第２の貨幣識別手段で識別された金額情報を加え、預り釣銭情報を更新する第２の預り釣銭情報更新手段と、
前記第２の預り釣銭情報更新手段によって更新された預り釣銭情報に基づいて、預り釣銭を支払う預り釣銭支払手段と、
前記預り釣銭の支払に対応して、前記第２の預り釣銭情報更新手段によって更新された預り釣銭情報を更新する第３の預り釣銭情報更新手段と
を備え、前記代金決済装置とは別個に設けられた精算機と
を具備することを特徴とする代金決済精算装置。
【請求項６】
前記預り釣銭支払手段で支払う金種が所定金種以上であり、前記第３の預り釣銭情報更新手段で更新する預り釣銭情報が所定金種未満であることを特徴とする請求項５、１１３、１１４のいずれか１項記載の代金決済精算装置。
【請求項７】
前記代金決済精算装置における第１の預り釣銭情報更新手段で預けられる釣銭は、釣銭全額であることを特徴とする請求項１乃至６、１１１乃至１１４のいずれか１項記載の代金決済精算装置。
【請求項８】
前記記憶媒体を発行可能な発行機をさらに具備することを特徴とする請求項１乃至７のいずれか１項記載の代金決済精算装置。
【請求項９】
前記記憶媒体を初期化し、前記代金決済装置、前記精算機にて使用不可とする解約装置をさらに具備することを特徴とする請求項１乃至８、１１１乃至１１４のいずれか１項記載の代金決済精算装置。
【請求項１０】
預り釣銭情報を特定可能な預り釣銭特定情報が記憶された記憶媒体を受け入れる第１の記憶媒体受入ステップと、
前記第１の記憶媒体受入ステップで受け入れられた記憶媒体の預り釣銭特定情報を読み取る記憶媒体読取ステップと、
少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得ステップと、
貨幣を受け入れる貨幣受入ステップと、
前記貨幣受入ステップで受け入れられた貨幣を識別する貨幣識別ステップと、
前記売上情報収得ステップからの売上情報、前記貨幣識別ステップで識別された金額情報および前記記憶媒体読取ステップで読み取られた前記預り釣銭情報のうち少なくとも該売上情報および該金額情報に基づいて、前記預り釣銭情報を更新する第１の預り釣銭情報更新ステップと
を備える代金決済方法と、    
預り釣銭情報を特定可能な預り釣銭特定情報が記憶された記憶媒体を受け入れる第２の記憶媒体受入ステップと、
前記第２の記憶媒体受入ステップで受け入れられた記憶媒体の預り釣銭特定情報を読み取る第２の記憶媒体読取ステップと、
前記第２の記憶媒体読取ステップで読み取られた預り釣銭特定情報で特定される預り釣銭情報に基づいて、預り釣銭を支払う預り釣銭支払ステップと、
前記預り釣銭の支払に対応して、預り釣銭情報を更新する第２の預り釣銭情報更新ステップと
を備え、前記代金決済方法の所定の工程完了後に別途行われる精算方法と
を具備することを特徴とする代金決済精算方法。
【請求項１１】
前記預り釣銭支払ステップで支払う金種が所定金種以上であり、前記第２の預り釣銭情報更新ステップで更新する預り釣銭情報が所定金種未満であることを特徴とする請求項１０、１２６、１２７のいずれか１項記載の代金決済精算方法。
【請求項１２】
前記第２の記憶媒体読取ステップで読み取られた預り釣銭情報が所定の金額に満たない場合に、精算を行わずに前記記憶媒体を返却することを特徴とする請求項１０、１２６、１２７のいずれか１項記載の代金決済精算方法。
【請求項１３】
前記預り釣銭支払ステップが、前記第２の記憶媒体読取ステップで読み取られた預り釣銭情報に基づいて、預り釣銭を全額支払うことを特徴とする請求項１０、１２６、１２７のいずれか１項記載の代金決済精算方法。
【請求項１４】
預り釣銭情報を特定可能な預り釣銭特定情報が記憶された記憶媒体を受け入れる第１の記憶媒体受入ステップと、
前記第１の記憶媒体受入ステップで受け入れられた記憶媒体の預り釣銭特定情報を読み取る記憶媒体読取ステップと、
少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得ステップと、
貨幣を受け入れる第１の貨幣受入ステップと、
前記第１の貨幣受入ステップで受け入れられた貨幣を識別する第１の貨幣識別ステップと、
前記売上情報収得ステップからの売上情報、前記貨幣識別ステップで識別された金額情報および前記記憶媒体読取ステップで読み取られた前記預り釣銭情報のうち少なくとも該売上情報および該金額情報に基づいて、前記預り釣銭情報を更新する第１の預り釣銭情報更新ステップと
を備える代金決済方法と、    
前記代金決済方法で預り釣銭情報が更新された記憶媒体を受け入れる第２の記憶媒体受入ステップと、
前記第２の記憶媒体受入ステップで受け入れられた記憶媒体の預り釣銭特定情報を読み取る第２の記憶媒体読取ステップと、
貨幣を受け入れる第２の貨幣受入ステップと、
前記第２の貨幣受入ステップで受け入れられた貨幣を識別する第２の貨幣識別ステップと、
前記第２の記憶媒体読取ステップで読み取られた預り釣銭特定情報で特定される預り釣銭情報に前記第２の貨幣識別ステップで識別された金額情報を加え、預り釣銭情報を更新する第２の預り釣銭情報更新ステップと、
前記第２の預り釣銭情報更新ステップによって更新された預り釣銭情報に基づいて、預り釣銭を支払う預り釣銭支払ステップと、
前記預り釣銭の支払に対応して、前記第２の預り釣銭情報更新ステップによって更新された預り釣銭情報を更新する第３の預り釣銭情報更新ステップと
を備え、前記代金決済方法の所定の工程完了後に別途行われる精算方法と
を具備することを特徴とする代金決済精算方法。
【請求項１５】
前記預り釣銭支払ステップで支払う金種が所定金種以上であり、前記第３の預り釣銭情報更新ステップで更新する預り釣銭情報が所定金種未満であることを特徴とする請求項１４、１２８、１２９のいずれか１項記載の代金決済精算方法。
【請求項１６】
前記代金決済精算システムにおける第１の預り釣銭情報更新ステップで預けられる釣銭は、釣銭全額であることを特徴とする請求項１０乃至１５、１２６乃至１２９のいずれか１項記載の代金決済精算方法。
【請求項１７】
前記記憶媒体を発行可能な発行ステップを有する発行方法をさらに具備することを特徴とする請求項１０乃至１６いずれか１項記載の代金決済精算方法。
【請求項１８】
前記記憶媒体を初期化し、使用不可とする解約ステップを有する解約方法をさらに具備することを特徴とする請求項１０乃至１７、１２６乃至１２９のいずれか１項いずれか１項記載の代金決済精算方法。
【請求項１９】
預り釣銭情報を特定可能な預り釣銭特定情報が記憶された記憶媒体を受け入れる記憶媒体受入手段と、
前記記憶媒体受入手段で受け入れられた記憶媒体の預り釣銭特定情報を読み取る記憶媒体読取手段と、
前記記憶媒体読取手段で読み取られた預り釣銭特定情報で特定される預り釣銭情報に基づいて、預り釣銭を支払う預り釣銭支払手段と、
前記預り釣銭の支払に対応して、預り釣銭情報を更新する預り釣銭情報更新手段と
を備えることを特徴とする精算機。
【請求項２０】
前記預り釣銭支払手段で支払う金種が所定金種以上であり、前記預り釣銭情報更新手段で更新する預り釣銭情報が所定金種未満であることを特徴とする請求項１９、１４１、１４２のいずれか１項記載の精算機。
【請求項２１】
前記記憶媒体読取手段で読み取られた預り釣銭情報が所定の金額に満たない場合に、精算を行わずに前記記憶媒体を返却することを特徴とする請求項１９、１４１、１４２のいずれか１項記載の精算機。
【請求項２２】
前記記憶媒体読取手段で読み取られた預り釣銭情報が所定の金額に満たない場合に、精算を行わずに前記記憶媒体を返却し、所定条件が成立する場合に、前記記憶媒体読取手段で読み取られた預り釣銭特定情報で特定される預り釣銭情報に基づいて、預り釣銭を全額支払うことを特徴とする請求項２１記載の精算機。
【請求項２３】
前記預り釣銭支払手段が、前記記憶媒体読取手段で読み取られた預り釣銭情報に基づいて、預り釣銭を全額支払うことを特徴とする請求項１９、１４１、１４２のいずれか１項記載の精算機。
【請求項２４】
前記記憶媒体読取手段で読み取られた預り釣銭情報が所定の金額に満たない場合に、精算を行わずに前記記憶媒体を返却する精算不可モードと、
前記預り釣銭支払手段が、前記記憶媒体読取手段で読み取られた預り釣銭情報に基づいて、預り釣銭を全額支払う全額精算モードと
を有し、
前記精算不可モードまたは前記全額精算モードを選択する精算モード選択手段をさらに具備したことを特徴とする請求項１９、１４１、１４２のいずれか１項記載の精算機。
【請求項２５】
前記精算不可モードおよび前記全額精算モードは、顧客毎に設定可能なことを特徴とする請求項２４記載の精算機。
【請求項２６】
貨幣を受け入れる貨幣受入手段と、
前記貨幣受入手段で受け入れられた貨幣を識別する貨幣識別手段と、
前記記憶媒体読取手段で読み取られた預り釣銭特定情報で特定される預り釣銭情報に前記貨幣識別手段で識別された金額情報を加え、預り釣銭情報を更新する第２の預り釣銭情報更新手段と
をさらに具備することを特徴とする請求項１９乃至２５いずれか記載の精算機。
【請求項２７】
前記第２の預り釣銭情報更新手段によって更新された預り釣銭情報に基づいて、預り釣銭を支払う預り釣銭支払手段と、
前記預り釣銭の支払に対応して、前記第２の預り釣銭情報更新手段によって更新された預り釣銭情報を更新する第３の預り釣銭情報更新手段と
をさらに具備することを特徴とする請求項２６記載の精算機。
【請求項２８】
預り釣銭情報を特定可能な預り釣銭特定情報が記憶された記憶媒体を受け入れる記憶媒体受入ステップと、
前記記憶媒体受入ステップで受け入れられた記憶媒体の預り釣銭特定情報を読み取る記憶媒体読取ステップと、
前記記憶媒体読取ステップで読み取られた預り釣銭特定情報で特定される預り釣銭情報に基づいて、預り釣銭を支払う預り釣銭支払ステップと、
前記預り釣銭の支払に対応して、預り釣銭情報を更新する預り釣銭情報更新ステップと
を備えることを特徴とする精算方法。
【請求項２９】
前記預り釣銭支払ステップで支払う金種が所定金種以上であり、前記預り釣銭情報更新ステップで更新する預り釣銭情報が所定金種未満であることを特徴とする請求項２８、１５０、１５１のいずれか１項記載の精算方法。
【請求項３０】
前記記憶媒体読取ステップで読み取られた預り釣銭情報が所定の金額に満たない場合に、精算を行わずに前記記憶媒体を返却することを特徴とする請求項２８、１５０、１５１のいずれか１項記載の精算方法。
【請求項３１】
前記記憶媒体読取ステップで読み取られた預り釣銭情報が所定の金額に満たない場合に、精算を行わずに前記記憶媒体を返却し、所定条件が成立する場合に、前記記憶媒体読取ステップで読み取られた預り釣銭特定情報で特定される預り釣銭情報に基づいて、預り釣銭を全額支払うことを特徴とする請求項３０記載の精算方法。
【請求項３２】
前記預り釣銭支払ステップが、前記記憶媒体読取ステップで読み取られた預り釣銭情報に基づいて、預り釣銭を全額支払うことを特徴とする請求項２８、１５０、１５１のいずれか１項記載の精算方法。
【請求項３３】
前記記憶媒体読取ステップで読み取られた預り釣銭情報が所定の金額に満たない場合に、精算を行わずに前記記憶媒体を返却する精算不可モードと、
前記預り釣銭支払ステップが、前記記憶媒体読取ステップで読み取られた預り釣銭情報に基づいて、預り釣銭を全額支払う全額精算モードと
を有し、
前記精算不可モードまたは前記全額精算モードを選択する精算モード選択ステップをさらに具備したことを特徴とする請求項２８、１５０、１５１のいずれか１項記載の精算方法。
【請求項３４】
前記精算不可モードおよび前記全額精算モードは、顧客毎に設定可能なことを特徴とする請求項３３記載の精算方法。
【請求項３５】
貨幣を受け入れる貨幣受入ステップと、
前記貨幣受入ステップで受け入れられた貨幣を識別する貨幣識別ステップと、
前記記憶媒体読取ステップで読み取られた預り釣銭特定情報で特定される預り釣銭情報に前記貨幣識別ステップで識別された金額情報を加え、預り釣銭情報を更新する第２の預り釣銭情報更新ステップと
をさらに具備することを特徴とする請求項２７乃至３４いずれか記載の精算方法。
【請求項３６】
前記第２の預り釣銭情報更新ステップによって更新された預り釣銭情報に基づいて、預り釣銭を支払う預り釣銭支払ステップと、
前記預り釣銭の支払に対応して、前記第２の預り釣銭情報更新ステップによって更新された預り釣銭情報を更新する第３の預り釣銭情報更新ステップと
をさらに具備することを特徴とする請求項３５記載の精算方法。
【請求項３７】
貨幣を受け入れる貨幣受入手段と、
前記貨幣受入手段で受け入れられた貨幣を識別する貨幣識別手段と、
前記貨幣識別手段で識別された貨幣を搬送する貨幣搬送手段と、
所定の位置に情報を記録する記録部が設けられ、前記貨幣搬送手段によって搬送された貨幣を収納する着脱可能に取り付けられた貨幣収納手段と、
前記貨幣収納手段に設けられた記録部からの情報の読み取りおよび／または該記録部への情報の書き込みが可能な情報読取書込手段と
を具備することを特徴とする貨幣識別装置。
【請求項３８】
前記貨幣収納手段が、所定の照合情報に基づいて取り外し可能となることを特徴とする請求項３７記載の貨幣識別装置。
【請求項３９】
前記記録部が、少なくとも前記貨幣収納手段に収納された貨幣情報を記録することを特徴とする請求項３７または３８記載の貨幣識別装置。
【請求項４０】
前記記録部が、少なくとも貨幣識別装置を取り扱う担当者に対応する担当者情報を記録することを特徴とする請求項３７乃至３９のいずれか１項記載の貨幣識別装置。
【請求項４１】
前記記録部が、少なくとも記録する情報を日時情報とともに記録することを特徴とする請求項３７乃至４０のいずれか１項記載の貨幣識別装置。
【請求項４２】
前記記録部が、少なくとも貨幣識別装置になされた貨幣識別装置取扱情報を記録することを特徴とする請求項３７乃至４１のいずれか１項記載の貨幣識別装置。
【請求項４３】
前記記録部に記録可能な情報を印字または表示により出力可能な情報出力手段をさらに具備することを特徴とする請求項３７乃至４３のいずれか１項記載の貨幣識別装置。
【請求項４４】
前記記録部が、少なくとも前記貨幣収納手段に収納すべき貨幣の金種に対応する貨幣金種情報を有していることを特徴とする請求項３７乃至４３のいずれか１項記載の貨幣識別装置。
【請求項４５】
前記記録部が、少なくとも前記記録部が設けられた貨幣収納手段および前記貨幣収納手段が配置された貨幣識別装置を特定可能な設置装置特定情報を有していることを特徴とする請求項３７乃至４４のいずれか１項記載の貨幣識別装置。
【請求項４６】
預り釣銭情報を特定可能な預り釣銭特定情報が記憶された記憶媒体を受け入れる記憶媒体受入手段と、
前記記憶媒体受入手段で受け入れられた記憶媒体の預り釣銭特定情報を読み取る記憶媒体読取手段と、
少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、
貨幣を受け入れる貨幣受入手段と、
前記貨幣受入手段で受け入れられた貨幣を識別する貨幣識別手段と、
前記貨幣識別手段で識別された貨幣を搬送する貨幣搬送手段と、
所定の位置に情報を記録する記録部が設けられ、前記貨幣搬送手段によって搬送された貨幣を収納する着脱可能に取り付けられた貨幣収納手段と、
前記貨幣収納手段に設けられた記録部からの情報の読み取りおよび／または該記録部への情報の書き込みが可能な情報読取書込手段と、
前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する預り釣銭情報更新手段と
を具備することを特徴とする代金決済装置。
【請求項４７】
前記貨幣収納手段が、所定の照合情報に基づいて取り外し可能となることを特徴とする請求項４６、１５９、１６１のいずれか１項記載の代金決済装置。
【請求項４８】
前記代金決済装置が、
前記記憶媒体受入手段で受け入れられた記憶媒体のポイント特定情報を読み取るポイント読取手段と、
所定のポイント付与情報および前記ポイント読取手段で読み取られたポイント特定情報から特定されるポイント情報に基づいて、前記ポイント情報を更新するポイント情報更新手段と
をさらに具備することを特徴とする請求項４６、４７、１５９、１６１のいずれか１項記載の代金決済装置。
【請求項４９】
前記記録部が、少なくとも前記貨幣収納手段に収納された貨幣情報を記録することを特徴とする請求項４６乃至４８、１５９、１６１のいずれか１項記載の代金決済装置。
【請求項５０】
前記記録部が、少なくとも代金決済装置を取り扱う担当者に対応する担当者情報を記録することを特徴とする請求項４６乃至４９、１５９、１６１のいずれか１項記載の代金決済装置。
【請求項５１】
前記記録部が、少なくとも記録する情報を日時情報とともに記録することを特徴とする請求項４６乃至５０、１５９、１６１のいずれか１項記載の代金決済装置。
【請求項５２】
前記記録部が、少なくとも代金決済装置になされた代金決済装置取扱情報を記録することを特徴とする請求項４６乃至５１、１５９、１６１のいずれか１項記載の代金決済装置。
【請求項５３】
前記記録部に記録可能な情報を印字または表示により出力可能な情報出力手段をさらに具備することを特徴とする請求項４６乃至５２、１５９、１６１のいずれか１項記載の代金決済装置。
【請求項５４】
前記記録部が、少なくとも前記貨幣収納手段に収納すべき貨幣の金種に対応する貨幣金種情報を有していることを特徴とする請求項４６乃至５３、１５９、１６１のいずれか１項記載の代金決済装置。
【請求項５５】
前記記録部が、前記記録部が設けられた貨幣収納手段および前記貨幣収納手段が配置された代金決済装置を特定可能な設置装置特定情報を有していることを特徴とする請求項４６乃至５４、１５９、１６１のいずれか１項記載の代金決済装置。
【請求項５６】
買物かごが所定位置に配置されたことを検知すると該買物かごをロックし、所定のロック解除情報に基づいてロックを解除することを特徴とする買物かごロック装置。
【請求項５７】
前記買物かごロック装置が、代金決済処理を行う代金決済装置と通信可能に接続され、前記所定のロック解除情報が、該代金決済装置から出力された売上情報の集計を完了したことに基づく集計完了情報であることを特徴とする請求項５６記載の買物かごロック装置。
【請求項５８】
前記買物かごロック装置が、代金決済処理を行う代金決済装置と通信可能に接続され、該代金決済装置に、買物かごをロックしたことに基づく、ロック完了情報を出力することを特徴とする請求項５６または５７記載の買物かごロック装置。
【請求項５９】
前記買物かごロック装置が、買物かごの所定の位置に設けられた記憶媒体からの情報の読み取りおよび／または該記憶媒体への情報の書き込みが可能な情報読取書込手段をさらに具備することを特徴とする請求項５６乃至５８のいずれか１項記載の買物かごロック装置。
【請求項６０】
前記情報読取書込手段が、前記買物かごに設けられた記憶媒体に、外部への持出しを許可する許可情報を特定する許可特定情報を書き込むことを特徴とする請求項５９記載の買物かごロック装置。
【請求項６１】
前記情報読取書込手段が、前記買物かごに設けられた記憶媒体から読み出した情報に基づいて、外部への持出しを許可する許可特定情報を記録することを特徴とする請求項５９または６０記載の買物かごロック装置。
【請求項６２】
前記許可特定情報が、代金決済処理を行う代金決済装置から出力された売上情報の集計を完了したことに基づく集計完了情報に対応して記録されることを特徴とする請求項６０または６１記載の買物かごロック装置。
【請求項６３】
前記情報読取書込手段が、買物かごを新たに貸し出す際に、該買物かごの貸し出しに対応する情報を、代金決済処理を行う代金決済装に出力することを特徴とする請求項５９乃至６２のいずれか１項記載の買物かごロック装置。
【請求項６４】
貨幣を受け入れる貨幣受入ステップと、
前記貨幣受入ステップで受け入れられた貨幣を識別する貨幣識別ステップと、
前記貨幣識別ステップで識別された貨幣を搬送する貨幣搬送ステップと、
前記貨幣搬送ステップによって搬送された貨幣を貨幣収納部に収納する貨幣収納ステップと、
前記貨幣収納部に設けられた情報を記録する記録部に、少なくとも前記貨幣収納部に収納された貨幣に基づく情報を記録する貨幣情報記録ステップと
を具備することを特徴とする貨幣識別方法。
【請求項６５】
所定の照合情報に基づいて前記貨幣収納部の取り出しを可能とすべく、前記貨幣収納部の固定機構を解除する固定機構解除ステップをさらに具備することを特徴とする請求項６４記載の貨幣識別方法。
【請求項６６】
少なくとも貨幣識別装置を取り扱う担当者に対応する担当者情報を前記記録部に記録する担当者情報記録ステップをさらに具備することを特徴とする請求項６４または６５記載の貨幣識別方法。
【請求項６７】
少なくとも記録する情報を日時情報とともに前記記録部に記録する日時情報記録ステップをさらに具備することを特徴とする請求項６４乃至６６のいずれか１項記載の貨幣識別方法。
【請求項６８】
少なくとも貨幣識別装置になされた貨幣識別装置取扱情報を前記記録部に記録する取扱情報記録ステップをさらに具備することを特徴とする請求項６４乃至６７のいずれか１項記載の貨幣識別方法。
【請求項６９】
前記記録部に記録可能な情報を印字または表示により出力可能な情報出力ステップをさらに具備することを特徴とする請求項６４乃至６８のいずれか１項記載の貨幣識別方法。
【請求項７０】
前記貨幣収納ステップで収納すべき貨幣金種情報の情報を予め前記記録部に記録する貨幣金種情報記録ステップをさらに具備することを特徴とする請求項６４乃至６９のいずれか１項記載の貨幣識別方法。
【請求項７１】
前記記録部が設けられた貨幣収納部および前記貨幣収納部が配置された貨幣識別装置を特定可能な設置装置特定情報を予め前記記録部に記録する設置装置特定情報記録ステップをさらに具備することを特徴とする請求項６４乃至６９のいずれか１項記載の貨幣識別方法。
【請求項７２】
預り釣銭情報を特定可能な預り釣銭特定情報が記憶された記憶媒体を受け入れる記憶媒体受入ステップと、
前記記憶媒体受入ステップで受け入れられた記憶媒体の預り釣銭特定情報を読み取る記憶媒体読取ステップと、
少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得ステップと、
貨幣を受け入れる貨幣受入ステップと、
前記貨幣受入ステップで受け入れられた貨幣を識別する貨幣識別ステップと、
前記貨幣識別ステップで識別された貨幣を搬送する貨幣搬送ステップと、
所定の位置に情報を記録する記録部が設けられ、前記貨幣搬送ステップによって搬送された貨幣を収納する着脱可能に取り付けられた貨幣収納ステップと、
前記貨幣収納部に設けられた情報を記録する記録部に、少なくとも前記貨幣収納部に収納された貨幣に基づく情報を記録する貨幣情報記録ステップと、
前記売上情報収得ステップからの売上情報、前記貨幣識別ステップで識別された金額情報および前記記憶媒体読取ステップで読み取られた前記預り釣銭情報のうち少なくとも該売上情報および該金額情報に基づいて、前記預り釣銭情報を更新する預り釣銭情報更新ステップと
を具備することを特徴とする代金決済方法。
【請求項７３】
所定の照合情報に基づいて前記貨幣収納部の取り出しを可能とすべく、前記貨幣収納部の固定機構を解除する固定機構解除ステップをさらに具備することを特徴とする請求項７２、１６９、１７１のいずれか１項記載の代金決済方法。
【請求項７４】
前記代金決済方法が、
前記記憶媒体受入ステップで受け入れられた記憶媒体のポイント特定情報を読み取るポイント読取ステップと、
所定のポイント付与情報および前記ポイント読取ステップで読み取られたポイント特定情報から特定されるポイント情報に基づいて、前記ポイント情報を更新するポイント情報更新ステップと
をさらに具備することを特徴とする請求項７２、７３、１６９、１７１のいずれか１項記載の代金決済方法。
【請求項７５】
少なくとも貨幣識別装置を取り扱う担当者に対応する担当者情報を前記記録部に記録する担当者情報記録ステップをさらに具備することを特徴とする請求項７２乃至７４、１６９、１７１のいずれか１項記載の代金決済方法。
【請求項７６】
少なくとも記録する情報を日時情報とともに前記記録部に記録する日時情報記録ステップをさらに具備することを特徴とする請求項７２乃至７５、１６９、１７１のいずれか１項記載の代金決済方法。
【請求項７７】
少なくとも代金決済装置になされた代金決済装置取扱情報を前記記録部に記録する取扱情報記録ステップをさらに具備することを特徴とする請求項７２乃至７６、１６９、１７１のいずれか１項記載の代金決済方法。
【請求項７８】
前記記録部に記録可能な情報を印字により出力可能な情報出力ステップをさらに具備することを特徴とする請求項７２乃至７７、１６９、１７１のいずれか１項記載の代金決済方法。
【請求項７９】
前記貨幣収納ステップで収納すべき貨幣金種情報の情報を予め前記記録部に記録する貨幣金種情報記録ステップをさらに具備することを特徴とする請求項７２乃至７８、１６９、１７１のいずれか１項記載の代金決済方法。
【請求項８０】
前記記録部が設けられた貨幣収納部および前記貨幣収納部が配置された代金決済装置を特定可能な設置装置特定情報を予め前記記録部に記録する設置装置特定情報記録ステップをさらに具備することを特徴とする請求項７２乃至７９、１６９、１７１のいずれか１項記載の代金決済方法。
【請求項８１】
買物かごが所定位置に配置されたことを検知する配置検知ステップと、
前記検知されたことに対応する検知情報に基づいて、前記買物かごをロックする買物かごロックステップと、
所定のロック解除情報に基づいて、前記ロックされた買物かごのロックを解除するロック解除ステップと
を具備することを特徴とする買物かごロック方法。
【請求項８２】
代金決済処理を行う代金決済装置と通信可能に接続され、前記所定のロック解除情報が、該代金決済装置から出力された売上情報の集計を完了したことに基づく集計完了情報であることを特徴とする請求項８１記載の買物かごロック方法。
【請求項８３】
代金決済処理を行う代金決済装置と通信可能に接続され、該代金決済装置に、買物かごをロックしたことに基づく、ロック完了情報を出力することを特徴とする請求項８１または８２記載の買物かごロック方法。
【請求項８４】
買物かごを新たに貸し出す際に、該買物かごの貸し出しに対応する情報を、代金決済処理を行う代金決済装置に出力する貸出情報出力ステップをさらに具備したことを特徴とする請求項８１乃至８３のいずれか１項記載の買物かごロック方法。
【請求項８５】
買物かごの所定の位置に設けられた記憶媒体に所定のＩＤ情報を書き込むＩＤ情報書込ステップをさらに具備したことを特徴とする請求項８１乃至８４のいずれか１項記載の買物かごロック方法。
【請求項８６】
前記買物かごに設けられた記憶媒体に、外部への持出しを許可する許可情報を特定する許可特定情報を書き込む許可情報書込ステップをさらに具備したことを特徴とする請求項８１乃至８５のいずれか１項記載の買物かごロック方法。
【請求項８７】
前記買物かごに設けられた記憶媒体より読み出した情報に基づいて、外部への持出しを許可する許可特定情報を記録することを特徴とする請求項８１乃至８６のいずれか１項記載の買物かごロック方法。
【請求項８８】
前記許可特定情報が、代金決済処理を行う代金決済装置から出力された売上情報の集計を完了したことに基づく集計完了情報に対応して記録されることを特徴とする請求項８１乃至８７のいずれか１項記載の買物かごロック方法。
【請求項８９】
所定の位置に記憶媒体が配置され、該記憶媒体に、外部への持出しを許可する許可情報を特定する許可特定情報が記録可能なことを特徴とする買物かご。
【請求項９０】
所定の位置に記憶媒体が配置され、該記憶媒体から読み出した情報に基づいて、外部への持ち出しを許可する許可特定情報を記録可能なことを特徴とする買物かご。
【請求項９１】
前記許可特定情報が、代金決済処理を行う代金決済装置から出力された売上情報の集計を完了したことに基づく集計完了情報に対応して記録されることを特徴とする請求項８９または９０記載の買物かご。
【請求項９２】
預り釣銭情報を特定可能な預り釣銭特定情報が記憶された記憶媒体を受け入れる記憶媒体受入手段と、
前記記憶媒体受入手段で受け入れられた記憶媒体の預り釣銭特定情報を読み取る記憶媒体読取手段と、
少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、
貨幣を受け入れる貨幣受入手段と、
前記貨幣受入手段で受け入れられた貨幣を識別する貨幣識別手段と、
前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する預り釣銭情報更新手段と
を備える代金決済装置と、
情報を管理する手段を備える管理装置と
を具備し、前記代金決済装置と、前記管理装置とが通信可能に接続された代金決済システムであって、
前記商品情報入力装置は、読み取った少なくとも商品価格特定情報を前記代金決済装置または前記売上情報集計装置に通信回線を介して出力し、
前記代金決済装置は、受け入れた記憶媒体から預り釣銭特定情報を読み取り、該読み取られた預り釣銭特定情報によって特定される預り釣銭情報、入金された貨幣の金額情報および該商品価格特定情報に基づいて集計した売上情報に基づいて、または、受け入れた記憶媒体から預り釣銭特定情報を読み取り、該読み取られた預り釣銭特定情報によって特定される預り釣銭情報、入金された貨幣の金額情報および前記売上情報集計装置からの売上情報に基づいて、該預り釣銭情報を自動的に更新し、前記売上情報および該預り釣銭情報が更新された預り釣銭特定情報を通信回線を介して前記管理装置に出力し、
前記管理装置は、前記売上情報および該預り釣銭特定情報に基づく預り釣銭情報を記録することを特徴とする代金決済システム。
【請求項９３】
買物かごが所定位置に配置されたことを検知すると該買物かごをロックし、所定のロック解除情報に基づいてロックを解除する手段を備える買物かごロック装置と、
預り釣銭情報を特定可能な預り釣銭特定情報が記憶された記憶媒体を受け入れる記憶媒体受入手段と、
前記記憶媒体受入手段で受け入れられた記憶媒体の預り釣銭特定情報を読み取る記憶媒体読取手段と、
少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、
貨幣を受け入れる貨幣受入手段と、
前記貨幣受入手段で受け入れられた貨幣を識別する貨幣識別手段と、
前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する預り釣銭情報更新手段と
を備える代金決済装置と、
情報を管理する手段を備える管理装置と
を具備し、前記買物かごロック装置と前記代金決済装置とが通信可能に接続され、かつ前記代金決済装置と前記管理装置とが通信可能に接続された代金決済システムであって、
前記買物かごロック装置は、買物かごが所定の位置に設置されたことを検知して該買物かごをロックし、ロック完了情報を通信回線を介して前記代金決済装置に出力し、
前記商品情報入力装置は、読み取った少なくとも商品価格特定情報を前記代金決済装置または前記売上情報集計装置に通信回線を介して出力し、
前記代金決済装置は、前記買物かごロック装置からのロック完了情報を検知し、受け入れた記憶媒体から預り釣銭特定情報を読み取り、該読み取られた預り釣銭特定情報によって特定される預り釣銭情報、入金された貨幣の金額情報および該商品価格特定情報に基づいて集計した売上情報に基づいて、または、受け入れた記憶媒体から預り釣銭特定情報を読み取り、該読み取られた預り釣銭特定情報によって特定される預り釣銭情報、入金された貨幣の金額情報および前記売上情報集計装置からの売上情報に基づいて、該預り釣銭情報を自動的に更新し、前記売上情報および該預り釣銭情報が更新された預り釣銭特定情報を通信回線を介して前記管理装置に出力し、
前記管理装置は、前記売上情報および該預り釣銭特定情報に基づく預り釣銭情報を記録することを特徴とする代金決済システム。
【請求項９４】
預り釣銭情報を特定可能な預り釣銭特定情報が記憶された記憶媒体を受け入れる第２の記憶媒体受入手段と、
前記第２の記憶媒体受入手段で受け入れられた記憶媒体の預り釣銭特定情報を読み取る第２の記憶媒体読取手段と、
前記第２の記憶媒体読取手段で読み取られた預り釣銭特定情報で特定される預り釣銭情報に基づいて、預り釣銭を支払う預り釣銭支払手段と、
前記預り釣銭の支払に対応して、前記預り釣銭を更新する第２の預り釣銭情報更新手段と
を備え、前記代金決済装置とは別個に設けられた精算機をさらに具備し、
前記精算機と前記管理装置とが通信可能に接続され、
前記精算機は、預り釣銭情報を特定可能な預り釣銭特定情報が記憶された記憶媒体を受け入れ、該記憶媒体の預り釣銭特定情報を読み取り、読み取った該預り釣銭特定情報で特定される預り釣銭情報に基づいて、預り釣銭を支払い、該預り釣銭の支払に対応して、該預り釣銭情報を自動的に更新し、預り釣銭情報が更新された預り釣銭特定情報を通信回線を介して前記管理装置に出力し、
前記管理装置は、該預り釣銭特定情報に基づいて預り釣銭情報を記録することを特徴とする請求項９２または９３記載の代金決済システム。
【請求項９５】
記憶媒体を発行可能な手段を備える発行機をさらに具備し、
前記発行機が前記管理装置と通信可能に接続され、
前記発行機は、預り釣銭情報を特定可能な預り釣銭特定情報を記録した記憶媒体を発行するとともに、該預り釣銭特定情報を通信回線を介して前記管理装置に出力し、
前記管理装置は、該預り釣銭特定情報を記録することを特徴とする請求項９２乃至９４いずれか１項記載の代金決済システム。
【請求項９６】
前記記憶媒体に記憶された情報を読み出し、少なくとも前記代金決済装置にて前記記憶媒体を使用不可とする手段を備える解約装置をさらに具備し、
前記解約装置と前記管理装置とが通信可能に接続され、
前記解約装置は、解約に基づく情報を特定可能な解約特定情報を通信回線を介して前記管理装置に出力し、
前記管理装置は、該解約特定情報に基づいて、少なくとも前記代金決済装置に前記記憶媒体が使用不可とするよう処理することを特徴とする請求項９２乃至９４いずれか１項記載の代金決済システム。
【請求項９７】
記憶媒体を発行可能な手段を備える発行機と、
買物かごが所定位置に配置されたことを検知すると該買物かごをロックし、所定のロック解除情報に基づいてロックを解除する手段を備える買物かごロック装置と、
預り釣銭情報を特定可能な預り釣銭特定情報が記憶された記憶媒体を受け入れる記憶媒体受入手段と、
前記記憶媒体受入手段で受け入れられた記憶媒体の預り釣銭特定情報を読み取る記憶媒体読取手段と、
少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、
貨幣を受け入れる貨幣受入手段と、
前記貨幣受入手段で受け入れられた貨幣を識別する貨幣識別手段と、
前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する預り釣銭情報更新手段と
を備える代金決済装置と、
預り釣銭情報を特定可能な預り釣銭特定情報が記憶された記憶媒体を受け入れる第２の記憶媒体受入手段と、
前記第２の記憶媒体受入手段で受け入れられた記憶媒体の預り釣銭特定情報を読み取る第２の記憶媒体読取手段と、
前記第２の記憶媒体読取手段で読み取られた預り釣銭特定情報で特定される預り釣銭情報に基づいて、預り釣銭を支払う預り釣銭支払手段と、
前記預り釣銭の支払に対応して、前記預り釣銭を更新する第２の預り釣銭情報更新手段と
を備え、前記代金決済装置とは別個に設けられた精算機と、
情報を管理する手段を備える管理装置と
を具備し、前記買物かごロック装置と前記代金決済装置とが通信可能に接続され、かつ前記代金決済装置と、前記発行機と、前記精算機とがそれぞれ前記管理装置に通信可能に接続された代金決済システムであって、
前記発行機は、預り釣銭情報を特定可能な預り釣銭特定情報を記録した記憶媒体を発行するとともに、該預り釣銭特定情報を通信回線を介して前記管理装置に出力し、
前記買物かごロック装置は、買物かごが所定の位置に設置されたことを検知して該買物かごをロックし、ロック完了情報を通信回線を介して前記代金決済装置に出力し、
前記商品情報入力装置は、読み取った少なくとも商品価格特定情報を前記代金決済装置または前記売上情報集計装置に通信回線を介して出力し、
前記代金決済装置は、前記買物かごロック装置からのロック完了情報を検知し、受け入れた記憶媒体から預り釣銭特定情報を読み取り、該読み取られた預り釣銭特定情報によって特定される預り釣銭情報、入金された貨幣の金額情報および該商品価格特定情報に基づいて集計した売上情報に基づいて、または、受け入れた記憶媒体から預り釣銭特定情報を読み取り、該読み取られた預り釣銭特定情報によって特定される預り釣銭情報、入金された貨幣の金額情報および前記売上情報集計装置からの売上情報に基づいて、該預り釣銭情報を自動的に更新し、前記売上情報および該預り釣銭情報が更新された預り釣銭特定情報を通信回線を介して前記管理装置に出力し、
前記精算機は、預り釣銭情報を特定可能な預り釣銭特定情報が記憶された記憶媒体を受け入れ、該記憶媒体の預り釣銭特定情報を読み取り、読み取った該預り釣銭特定情報で特定される預り釣銭情報に基づいて、預り釣銭を支払い、該預り釣銭の支払に対応して、該預り釣銭情報を自動的に更新し、預り釣銭情報が更新された預り釣銭特定情報を通信回線を介して前記管理装置に出力し、
前記管理装置は、前記発行機、前記代金決済装置および前記精算機からの前記売上情報および該預り釣銭特定情報に基づく預り釣銭情報を記録することを特徴とする代金決済システム。
【請求項９８】
前記代金決済システムが、少なくとも１つの前記管理装置と通信可能に接続された総合管理装置をさらに具備し、
前記総合管理装置が、前記管理装置から出力された所定の情報を記録し、集計する管理装置情報管理手段を備えることを特徴とする請求項９２乃至９７いずれか記載の代金決済システム。
【請求項９９】
代金決済装置を備え、店員と金銭授受を行わない少なくとも１つの会員用レジゲートと、非会員用レジスタ装置を備え、店員と金銭授受を行う少なくとも１つの非会員用レジゲートとを具備するレジゲート群であって、
前記代金決済装置が、
預り釣銭情報を特定可能な預り釣銭特定情報が記憶された記憶媒体を受け入れる記憶媒体受入手段と、
前記記憶媒体受入手段で受け入れられた記憶媒体の預り釣銭特定情報を読み取る記憶媒体読取手段と、
少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、
貨幣を受け入れる貨幣受入手段と、
前記貨幣受入手段で受け入れられた貨幣を識別する貨幣識別手段と、
前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する預り釣銭情報更新手段と
を備え、
前記非会員用レジスタ装置が、
少なくとも商品価格特定情報を読み取る第２の商品情報入力手段と、
前記第２の商品情報入力手段によって読み取られた商品価格特定情報に基づいて売上情報を集計する売上情報集計手段と
を備えることを特徴とするレジゲート群。
【請求項１００】
預り釣銭情報を特定可能な預り釣銭特定情報が記憶された記憶媒体を受け入れる記憶媒体受入手段と、
前記記憶媒体受入手段で受け入れられた記憶媒体の預り釣銭特定情報を読み取る記憶媒体読取手段と、
少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、
貨幣を受け入れる貨幣受入手段と、
前記貨幣受入手段で受け入れられた貨幣を識別する貨幣識別手段と、
前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する預り釣銭情報更新手段と
を備える代金決済装置と、
を具備し、店員と金銭授受を行わない少なくとも１つの会員用レジゲートと、
少なくとも商品価格特定情報を読み取る第２の商品情報入力手段と、
前記第２の商品情報入力手段によって読み取られた商品価格特定情報に基づいて売上情報を集計する売上情報集計手段と
を備える非会員用レジスタ装置を具備し、店員と金銭授受を行なう少なくとも１つの非会員用レジゲートと、
前記代金決済装置および前記非会員用レジスタ装置から出力された情報を管理し集計する情報管理手段を具備し、少なくとも前記代金決済装置および前記非会員用レジスタ装置と通信回線を介して通信可能に接続される管理装置と
を有するレジゲートシステムであって、
前記会員用レジゲートにおいて、
前記商品情報入力装置は、読み取った少なくとも商品価格特定情報を前記代金決済装置または前記売上情報集計装置に通信回線を介して出力し、
前記代金決済装置は、受け入れた記憶媒体から預り釣銭特定情報を読み取り、該読み取られた預り釣銭特定情報によって特定される預り釣銭情報、入金された貨幣の金額情報および該商品価格特定情報に基づいて集計した売上情報に基づいて、または、受け入れた記憶媒体から預り釣銭特定情報を読み取り、該読み取られた預り釣銭特定情報によって特定される預り釣銭情報、入金された貨幣の金額情報および前記売上情報集計装置からの売上情報に基づいて、該預り釣銭情報を自動的に更新し、前記売上情報および該預り釣銭情報が更新された預り釣銭特定情報を通信回線を介して前記管理装置に出力し、
前記管理装置は、前記売上情報および該預り釣銭特定情報に基づく預り釣銭情報を記録し、
前記非会員用レジゲートにおいて、
前記非会員レジスタ装置は、集計した売上情報を通信回線を介して前記管理装置に出力し、
前記管理装置は、該売上情報を記録することを特徴とするレジゲートシステム。
【請求項１０１】
前記会員用レジゲートが、
預り釣銭情報を特定可能な預り釣銭特定情報が記憶された記憶媒体を受け入れる第２の記憶媒体受入手段と、
前記第２の記憶媒体受入手段で受け入れられた記憶媒体の預り釣銭特定情報を読み取る第２の記憶媒体読取手段と、
前記第２の記憶媒体読取手段で読み取られた預り釣銭特定情報で特定される預り釣銭情報に基づいて、預り釣銭を支払う預り釣銭支払手段と、
前記預り釣銭の支払に対応して、前記預り釣銭を更新する第２の預り釣銭情報更新手段と
を備え、前記代金決済装置とは別個に設けられた会員用精算機をさらに具備し、
前記会員用精算機と前記管理装置とが通信可能に接続され、
前記会員用精算機は、預り釣銭情報を特定可能な預り釣銭特定情報が記憶された記憶媒体を受け入れ、該記憶媒体の預り釣銭特定情報を読み取り、読み取った該預り釣銭特定情報で特定される預り釣銭情報に基づいて、預り釣銭を支払い、該預り釣銭の支払に対応して、該預り釣銭情報を自動的に更新し、預り釣銭情報が更新された預り釣銭特定情報を通信回線を介して前記管理装置に出力し、
前記管理装置は、該預り釣銭特定情報に基づいて預り釣銭情報を前記会員情報管理手段に記録することを特徴とする請求項１００記載のレジゲートシステム。
【請求項１０２】
前記会員用レジゲートが、記憶媒体を発行可能な手段を備える会員用発行機をさらに具備し、
前記会員用発行機が前記管理装置と通信可能に接続され、
前記会員用発行機は、預り釣銭情報を特定可能な預り釣銭特定情報を記録した記憶媒体を発行するとともに、該預り釣銭特定情報を通信回線を介して前記管理装置に出力し、
前記管理装置は、該預り釣銭特定情報を前記会員情報管理手段に記録することを特徴とする請求項１００または１０１記載のレジゲートシステム。
【請求項１０３】
前記会員用レジゲートが、前記記憶媒体に記憶された情報を読み出し、少なくとも前記代金決済装置にて前記記憶媒体を使用不可とする手段を備える会員用解約装置をさらに具備し、
前記会員用解約装置と前記管理装置とが通信可能に接続され、
前記会員用解約装置は、解約に基づく情報を特定可能な解約特定情報を通信回線を介して前記管理装置に出力し、
前記管理装置は、該解約特定情報に基づいて、少なくとも前記代金決済装置に前記記憶媒体が使用不可とするよう処理することを特徴とする請求項１００乃至１０２のいずれか１項記載のレジゲートシステム。
【請求項１０４】
記憶媒体を発行可能な手段を備える会員用発行機と、
預り釣銭情報を特定可能な預り釣銭特定情報が記憶された記憶媒体を受け入れる記憶媒体受入手段と、
前記記憶媒体受入手段で受け入れられた記憶媒体の預り釣銭特定情報を読み取る記憶媒体読取手段と、
少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、
貨幣を受け入れる貨幣受入手段と、
前記貨幣受入手段で受け入れられた貨幣を識別する貨幣識別手段と、
前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する預り釣銭情報更新手段と
を備える代金決済装置と、
預り釣銭情報を特定可能な預り釣銭特定情報が記憶された記憶媒体を受け入れる第２の記憶媒体受入手段と、
前記第２の記憶媒体受入手段で受け入れられた記憶媒体の預り釣銭特定情報を読み取る第２の記憶媒体読取手段と、
前記第２の記憶媒体読取手段で読み取られた預り釣銭特定情報で特定される預り釣銭情報に基づいて、預り釣銭を支払う預り釣銭支払手段と、
前記預り釣銭の支払に対応して、前記預り釣銭を更新する第２の預り釣銭情報更新手段と
を備え、前記代金決済装置とは別個に設けられた会員用精算機と
を具備し、前記商品情報入力装置と前記代金決済装置とが通信可能に接続され、店員と金銭授受を行わない少なくとも１つの会員用レジゲートと、
少なくとも商品価格特定情報を読み取る第２の商品情報入力手段と、
前記第２の商品情報入力手段によって読み取られた商品価格特定情報に基づいて売上情報を集計する売上情報集計手段と
を備える非会員用レジスタ装置を具備し、店員と金銭授受を行なう少なくとも１つの非会員用レジゲートと、
前記会員用発行機、前記代金決済装置、前記会員用精算機および非会員用レジスタ装置から出力された情報を管理し集計する管理手段を具備し、少なくとも前記会員用発行機、前記代金決済装置、前記会員用精算機および前記非会員用レジスタ装置のそれぞれと通信回線を介して通信可能に接続される管理装置と
を有するレジゲートシステムであって、
前記会員用レジゲートにおいて、
前記会員用発行機は、預り釣銭情報を特定可能な預り釣銭特定情報を記録した記憶媒体を発行するとともに、該預り釣銭特定情報を通信回線を介して前記管理装置に出力し、
前記商品情報入力装置は、読み取った少なくとも商品価格特定情報を前記代金決済装置または前記売上情報集計装置に通信回線を介して出力し、
前記代金決済装置は、受け入れた記憶媒体から預り釣銭特定情報を読み取り、該読み取られた預り釣銭特定情報によって特定される預り釣銭情報、入金された貨幣の金額情報および該商品価格特定情報に基づいて集計した売上情報に基づいて、または、受け入れた記憶媒体から預り釣銭特定情報を読み取り、該読み取られた預り釣銭特定情報によって特定される預り釣銭情報、入金された貨幣の金額情報および前記売上情報集計装置からの売上情報に基づいて、該預り釣銭情報を自動的に更新し、前記売上情報および該預り釣銭情報が更新された預り釣銭特定情報を通信回線を介して前記管理装置に出力し、
前記管理装置は、前記売上情報および該預り釣銭特定情報に基づく預り釣銭情報を記録し、
前記会員用精算機は、預り釣銭情報を特定可能な預り釣銭特定情報が記憶された記憶媒体を受け入れ、該記憶媒体の預り釣銭特定情報を読み取り、読み取った該預り釣銭特定情報で特定される預り釣銭情報に基づいて、預り釣銭を支払い、該預り釣銭の支払に対応して、該預り釣銭情報を自動的に更新し、預り釣銭情報が更新された預り釣銭特定情報を通信回線を介して前記管理装置に出力し、
前記管理装置は、前記会員用発行機、前記代金決済装置および前記会員用精算機からの預り釣銭特定情報および売上情報を記録し、
前記非会員用レジゲートにおいて、
前記非会員レジスタ装置は、集計した売上情報を通信回線を介して前記管理装置に出力し、
前記管理装置は、該売上情報を記録することを特徴とするレジゲートシステム。
【請求項１０５】
前記レジゲートシステムが、少なくとも１つの前記管理装置と通信可能に接続された総合管理装置をさらに具備し、
前記総合管理装置が、前記管理装置から出力された所定の情報を記録し、集計する管理装置情報管理手段を備えることを特徴とする請求項１００乃至１０４いずれか記載のレジゲートシステム。
【請求項１０６】
預り釣銭情報を特定可能な預り釣銭特定情報が記憶された記憶媒体を受け入れる記憶媒体受入手段と、
前記記憶媒体受入手段で受け入れられた記憶媒体の預り釣銭特定情報を読み取る記憶媒体読取手段と、
少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、
貨幣を受け入れる貨幣受入手段と、
前記貨幣受入手段で受け入れられた貨幣を識別する貨幣識別手段と、
前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する預り釣銭情報更新手段と
を備える代金決済装置と通信回線を介して通信可能に接続される預り釣銭管理装置であって、
前記代金決済装置は、受け入れた記憶媒体から預り釣銭特定情報を読み取り、該読み取られた預り釣銭特定情報によって特定される預り釣銭情報、入金された貨幣の金額情報および該商品価格特定情報に基づいて集計した売上情報に基づいて、または、受け入れた記憶媒体から預り釣銭特定情報を読み取り、該読み取られた預り釣銭特定情報によって特定される預り釣銭情報、入金された貨幣の金額情報および前記売上情報集計装置からの売上情報に基づいて、該預り釣銭情報を自動的に更新し、前記売上情報および該預り釣銭情報が更新された預り釣銭特定情報を通信回線を介して前記預り釣銭管理装置に出力し、
前記預り釣銭管理装置は、前記売上情報および該預り釣銭特定情報に基づく預り釣銭情報を記録することを特徴とする預り釣銭管理装置。
【請求項１０７】
前記預り釣銭管理装置が、
預り釣銭情報を特定可能な預り釣銭特定情報が記憶された記憶媒体を受け入れる第２の記憶媒体受入手段と、
前記第２の記憶媒体受入手段で受け入れられた記憶媒体の預り釣銭特定情報を読み取る第２の記憶媒体読取手段と、
前記第２の記憶媒体読取手段で読み取られた預り釣銭特定情報で特定される預り釣銭情報に基づいて、預り釣銭を支払う預り釣銭支払手段と、
前記預り釣銭の支払に対応して、前記預り釣銭を更新する第２の預り釣銭情報更新手段とを備えた精算機とさらに通信回線を介して通信可能に接続され、
前記精算機は、預り釣銭情報を特定可能な預り釣銭特定情報が記憶された記憶媒体を受け入れ、該記憶媒体の預り釣銭特定情報を読み取り、読み取った該預り釣銭特定情報で特定される預り釣銭情報に基づいて、預り釣銭を支払い、該預り釣銭の支払に対応して、該預り釣銭情報を自動的に更新し、預り釣銭情報が更新された預り釣銭特定情報を通信回線を介して前記預り釣銭管理装置に出力し、
前記預り釣銭管理装置は、該預り釣銭特定情報に基づいて預り釣銭情報を記録することを特徴とする請求項１０６記載の預り釣銭管理装置。
【請求項１０８】
前記預り釣銭管理装置が、預り釣銭総合管理装置とさらに通信可能に接続され、
前記預り釣銭総合管理装置が、前記預り釣銭管理装置から出力された所定の情報を記録し、集計する管理装置情報管理手段を備えることを特徴とする請求項１０６または１０７記載の預り釣銭管理装置。
【請求項１０９】
預り釣銭情報を特定可能な預り釣銭特定情報が記憶された記憶媒体を受け入れる記憶媒体受入手段と、
前記記憶媒体受入手段で受け入れられた記憶媒体の預り釣銭特定情報を読み取る記憶媒体読取手段と、
少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された第１の売上情報を受け入れる売上情報収得手段と、
貨幣を受け入れる貨幣受入手段と、
前記貨幣受入手段で受け入れられた貨幣を識別する貨幣識別手段と、
前記売上情報収得手段からの第１の売上情報、前記貨幣識別手段で識別された金額情報および前記記憶媒体読取手段で読み取られた前記預り釣銭情報のうち少なくとも該第１の売上情報および該金額情報に基づいて、前記預り釣銭情報を更新する預り釣銭情報更新手段と
を備え、店員と金銭授受を行わない少なくとも１つの会員用レジゲートに設置された代金決済装置、および
少なくとも商品価格特定情報を読み取る第２の商品情報入力手段と、
前記第２の商品情報入力手段によって読み取られた商品価格特定情報に基づいて第２の売上情報を集計する第２の売上情報集計手段と
を備え、店員と金銭授受を行なう少なくとも１つの非会員用レジゲートに設置された非会員用レジスタ装置と通信可能に接続される売上管理装置であって、
前記代金決済装置は、前記第１の売上情報を通信回線を介して前記売上管理装置に出力し、
前記売上管理装置は、受信した前記第１の売上情報を記録し、  
前記非会員用レジスタ装置は、前記第２の売上情報を通信回線を介して前記売上管理装置に出力し、
前記売上管理装置は、受信した前記第２の売上情報を記録することを特徴とする売上管理装置。
【請求項１１０】
前記売上管理装置が、売上総合管理装置とさらに通信可能に接続され、
前記売上総合管理装置が、前記売上管理装置から出力された所定の情報を記録し、集計する管理装置情報管理手段を備えることを特徴とする売上管理装置。
【請求項１１１】
預り釣銭情報を特定可能な預り釣銭特定情報が記憶された第１の記憶媒体を受け入れる第１の記憶媒体受入手段と、
前記第１の記憶媒体受入手段で受け入れられた第１の記憶媒体の預り釣銭特定情報を読み取る第１の記憶媒体読取手段と、
貨幣を受け入れる貨幣受入手段と、
前記貨幣受入手段で受け入れられた貨幣を識別する貨幣識別手段と、
前記第１の記憶媒体読取手段で読み取られた預り釣銭特定情報および／または前記貨幣識別手段で識別された貨幣情報を出力する情報出力手段と、
前記情報出力手段から出力された情報および商品価格特定情報から得られた預り釣銭情報を入力する預り釣銭情報入力手段と、
前記預り釣銭情報入力手段に入力された預り釣銭情報に基づいて、前記預り釣銭情報を更新する第１の預り釣銭情報更新手段と
を備える代金決済装置と、
預り釣銭情報を特定可能な預り釣銭特定情報が記憶された前記第１の記憶媒体を受け入れる第２の記憶媒体受入手段と、
前記第２の記憶媒体受入手段で受け入れられた前記第１の記憶媒体の預り釣銭情報を読み取る第２の記憶媒体読取手段と、
前記第２の記憶媒体読取手段で読み取られた預り釣銭特定情報で特定される預り釣銭情報に基づいて、預り釣銭を支払う預り釣銭支払手段と、
前記預り釣銭の支払に対応して、前記預り釣銭情報を更新する第２の預り釣銭情報更新手段と
を備え、前記代金決済装置とは別個に設けられた精算機と
を具備することを特徴とする代金決済精算装置。
【請求項１１２】
預り釣銭情報を特定可能な預り釣銭特定情報が記憶された第１の記憶媒体を受け入れる第１の記憶媒体受入手段と、
前記第１の記憶媒体受入手段で受け入れられた第１の記憶媒体の預り釣銭特定情報を読み取る第１の記憶媒体読取手段と、
前記第１の記憶媒体読取手段で読み取られた預り釣銭特定情報を出力する預り釣銭特定情報出力手段と
を備える記憶媒体処理装置と、
前記預り釣銭特定情報出力手段から出力された預り釣銭特定情報を入力する預り釣銭情報入力手段と、
入金された金額情報を入力する入金額情報入力手段と、
読み取られた商品価格特定情報に基づいて集計された売上情報を入力する売上情報入力手段と、
前記売上情報入力手段で入力された売上情報、前記入金額情報入力手段で入力された金額情報および前記預り釣銭情報入力手段で入力された預り釣銭特定情報のうち少なくとも該売上情報および該金額情報に基づいて、前記預り釣銭情報を更新する第１の預り釣銭情報更新手段と
を備え、前記記憶媒体処理装置と通信可能である代金決済装置と、
預り釣銭情報を特定可能な預り釣銭特定情報が記憶された前記第１の記憶媒体を受け入れる第２の記憶媒体受入手段と、
前記第２の記憶媒体受入手段で受け入れられた前記第１の記憶媒体の預り釣銭情報を読み取る第２の記憶媒体読取手段と、
前記第２の記憶媒体読取手段で読み取られた預り釣銭特定情報で特定される預り釣銭情報に基づいて、預り釣銭を支払う預り釣銭支払手段と、
前記預り釣銭の支払に対応して、前記預り釣銭情報を更新する第２の預り釣銭情報更新手段と
を備え、前記代金決済装置とは別個に設けられた精算機と
を具備することを特徴とする代金決済精算装置。
【請求項１１３】
預り釣銭情報を特定可能な預り釣銭特定情報が記憶された第１の記憶媒体を受け入れる第１の記憶媒体受入手段と、
前記第１の記憶媒体受入手段で受け入れられた第１の記憶媒体の預り釣銭特定情報を読み取る第１の記憶媒体読取手段と、
貨幣を受け入れる第１の貨幣受入手段と、
前記第１の貨幣受入手段で受け入れられた貨幣を識別する第１の貨幣識別手段と、
前記第１の記憶媒体読取手段で読み取られた預り釣銭特定情報および／または前記貨幣識別手段で識別された貨幣情報を出力する情報出力手段と、
前記情報出力手段から出力された情報および商品価格特定情報から得られた預り釣銭情報を入力する預り釣銭情報入力手段と、
前記預り釣銭情報入力手段に入力された預り釣銭情報に基づいて、前記預り釣銭情報を更新する第１の預り釣銭情報更新手段と
を備える代金決済装置と、
預り釣銭情報を特定可能な預り釣銭特定情報が記憶された前記第１の記憶媒体を受け入れる第２の記憶媒体受入手段と、
前記第２の記憶媒体受入手段で受け入れられた前記第１の記憶媒体の預り釣銭情報を読み取る第２の記憶媒体読取手段と、
貨幣を受け入れる第２の貨幣受入手段と、
前記第２の貨幣受入手段で受け入れられた貨幣を識別する第２の貨幣識別手段と、
前記第２の記憶媒体読取手段で読み取られた預り釣銭情報に前記第２の貨幣識別手段で識別された金額情報を加え、預り釣銭情報を更新する第２の預り釣銭情報更新手段と、
前記第２の預り釣銭情報更新手段によって更新された預り釣銭情報に基づいて、預り釣銭を支払う預り釣銭支払手段と、
前記預り釣銭の支払に対応して、前記第２の預り釣銭情報更新手段によって更新された預り釣銭情報を更新する第３の預り釣銭情報更新手段と
を備え、前記代金決済装置とは別個に設けられた精算機と
を具備することを特徴とする代金決済精算装置。
【請求項１１４】
預り釣銭情報を特定可能な預り釣銭特定情報が記憶された第１の記憶媒体を受け入れる第１の記憶媒体受入手段と、
前記第１の記憶媒体受入手段で受け入れられた第１の記憶媒体の預り釣銭特定情報を読み取る第１の記憶媒体読取手段と、
前記第１の記憶媒体読取手段で読み取られた預り釣銭特定情報を出力する預り釣銭特定情報出力手段と
を備える記憶媒体処理装置と、
前記預り釣銭特定情報出力手段から出力された預り釣銭特定情報を入力する預り釣銭情報入力手段と、
入金された金額情報を入力する入金額情報入力手段と、
読み取られた商品価格特定情報に基づいて集計された売上情報を入力する売上情報入力手段と、
前記売上情報入力手段で入力された売上情報、前記入金額情報入力手段で入力された金額情報および前記預り釣銭情報入力手段で入力された預り釣銭特定情報のうち少なくとも該売上情報および該金額情報に基づいて、前記預り釣銭情報を更新する第１の預り釣銭情報更新手段と
を備え、前記記憶媒体処理装置と通信可能である代金決済装置と、
預り釣銭情報を特定可能な預り釣銭特定情報が記憶された前記第１の記憶媒体を受け入れる第２の記憶媒体受入手段と、
前記第２の記憶媒体受入手段で受け入れられた前記第１の記憶媒体の預り釣銭情報を読み取る第２の記憶媒体読取手段と、
貨幣を受け入れる第２の貨幣受入手段と、
前記第２の貨幣受入手段で受け入れられた貨幣を識別する第２の貨幣識別手段と、
前記第２の記憶媒体読取手段で読み取られた預り釣銭情報に前記第２の貨幣識別手段で識別された金額情報を加え、預り釣銭情報を更新する第２の預り釣銭情報更新手段と、
前記第２の預り釣銭情報更新手段によって更新された預り釣銭情報に基づいて、預り釣銭を支払う預り釣銭支払手段と、
前記預り釣銭の支払に対応して、前記第２の預り釣銭情報更新手段によって更新された預り釣銭情報を更新する第３の預り釣銭情報更新手段と
を備え、前記代金決済装置とは別個に設けられた精算機と
を具備することを特徴とする代金決済精算装置。
【請求項１１５】
前記代金決済精算装置において、  
前記代金決済装置は、
前記第１の預り釣銭情報更新手段によって更新された預り釣銭情報に基づいて、該預り釣銭情報を記憶した第２の記憶媒体を発行可能な記憶媒体発行手段をさらに備え、
前記精算機は、
預り釣銭情報を特定可能な預り釣銭特定情報が記憶された前記第２の記憶媒体を受け入れる第３の記憶媒体受入手段と、
前記第３の記憶媒体受入手段で受け入れられた前記第２の記憶媒体の預り釣銭情報を読み取る第３の記憶媒体読取手段と、
前記第３の記憶媒体読取手段によって読み取られた預り釣銭情報に基づいて、預り釣銭を支払う第２の預り釣銭支払手段と、
前記預り釣銭の支払に対応して、前記第２の記憶媒体の預り釣銭情報を更新する第４の預り釣銭情報更新手段と
をさらに備えることを特徴とする請求項１、５、１１１乃至１１４のいずれか１項記載の代金決済精算装置。
【請求項１１６】
前記精算機が、
少なくとも精算または両替の処理を判定する処理判定手段と、
前記処理判定手段において両替処理が選択された場合に機能し、前記第２の貨幣識別手段で識別された貨幣に対応する両替処理を行い、該処理に基づく貨幣を支払う両替支払手段と
を更に備えることを特徴とする請求項１、５、１１１乃至１１５のいずれか１項記載の代金決済精算装置。
【請求項１１７】
前記第２の記憶媒体が、レシートであることを特徴とする請求項１１５記載の代金決済精算装置。
【請求項１１８】
前記レシートには、預り釣銭情報がバーコードにて記録されていることを特徴とする請求項１１７記載の代金決済精算装置。
【請求項１１９】
前記第１の記憶媒体が、カード形状記憶媒体であることを特徴とする請求項１１１乃至１１４のいずれか１項記載の代金決済精算装置。
【請求項１２０】
前記カード形状記憶媒体が、表示部を備えることを特徴とする請求項１１９記載の代金決済精算装置。
【請求項１２１】
前記第１の記憶媒体が、コイン形状記憶媒体であることを特徴とする請求項１１１乃至１１４のいずれか１項記載の代金決済精算装置。
【請求項１２２】
前記代金決済装置または／および前記精算機は、購入した商品購入情報が記録されたレシートを発行可能なレシート発行手段をさらに具備することを特徴とする請求項１１５記載の代金決済精算装置。
【請求項１２３】
前記第２の記憶媒体には、少なくとも購入した商品購入情報を記録することを特徴とする請求項１１５または１２１記載の代金決済精算装置。
【請求項１２４】
前記第２の貨幣受入手段における入金は、所定の条件を満たした場合に可能となることを特徴とする請求項５、１１３、１１４のいずれか１項記載の代金決済精算装置。
【請求項１２５】
前記所定の条件を満たさない場合には、該所定の条件を満たさない理由を表示することを特徴とする請求項１２４記載の代金決済精算装置。
【請求項１２６】
預り釣銭情報を特定可能な預り釣銭特定情報が記憶された第１の記憶媒体を受け入れる第１の記憶媒体受入ステップと、
前記第１の記憶媒体受入ステップで受け入れられた第１の記憶媒体の預り釣銭特定情報を読み取る第１の記憶媒体読取ステップと、
貨幣を受け入れる貨幣受入ステップと、
前記貨幣受入ステップで受け入れられた貨幣を識別する貨幣識別ステップと、
前記第１の記憶媒体読取ステップで読み取られた預り釣銭特定情報および／または前記貨幣識別ステップで識別された貨幣情報を出力する情報出力ステップと、
前記情報出力ステップから出力された情報および商品価格特定情報から得られた預り釣銭情報を入力する預り釣銭情報入力ステップと、
前記預り釣銭情報入力ステップで入力された預り釣銭情報に基づいて、前記預り釣銭情報を更新する第１の預り釣銭情報更新ステップと
を備える代金決済方法と、
預り釣銭情報を特定可能な預り釣銭特定情報が記憶された前記第１の記憶媒体を受け入れる第２の記憶媒体受入ステップと、
前記第２の記憶媒体受入ステップで受け入れられた前記第１の記憶媒体の預り釣銭情報を読み取る第２の記憶媒体読取ステップと、
前記第２の記憶媒体読取ステップで読み取られた預り釣銭特定情報で特定される預り釣銭情報に基づいて、預り釣銭を支払う預り釣銭支払ステップと、
前記預り釣銭の支払に対応して、前記預り釣銭情報を更新する第２の預り釣銭情報更新ステップと
を備え、前記代金決済方法の所定の工程完了後に別途行われる精算方法と
を具備することを特徴とする代金決済精算方法。
【請求項１２７】
預り釣銭情報を特定可能な預り釣銭特定情報が記憶された第１の記憶媒体を受け入れる第１の記憶媒体受入ステップと、
前記第１の記憶媒体受入ステップで受け入れられた第１の記憶媒体の預り釣銭特定情報を読み取る第１の記憶媒体読取ステップと、
前記第１の記憶媒体読取ステップで読み取られた預り釣銭特定情報を出力する預り釣銭特定情報出力ステップと
を備える記憶媒体処理方法と、
前記預り釣銭特定情報出力ステップから出力された預り釣銭特定情報を入力する預り釣銭情報入力ステップと、
入金された金額情報を入力する入金額情報入力ステップと、
読み取られた商品価格特定情報に基づいて集計された売上情報を入力する売上情報入力ステップと、
前記売上情報入力ステップで入力された売上情報、前記入金額情報入力ステップで入力された金額情報および前記預り釣銭情報入力ステップで入力された預り釣銭特定情報のうち少なくとも該売上情報および該金額情報に基づいて、前記預り釣銭情報を更新する第１の預り釣銭情報更新ステップと
を備える代金決済方法と、
預り釣銭情報を特定可能な預り釣銭特定情報が記憶された前記第１の記憶媒体を受け入れる第２の記憶媒体受入ステップと、
前記第２の記憶媒体受入ステップで受け入れられた前記第１の記憶媒体の預り釣銭情報を読み取る第２の記憶媒体読取ステップと、
前記第２の記憶媒体読取ステップで読み取られた預り釣銭特定情報で特定される預り釣銭情報に基づいて、預り釣銭を支払う預り釣銭支払ステップと、
前記預り釣銭の支払に対応して、前記預り釣銭情報を更新する第２の預り釣銭情報更新ステップと
を備え、前記代金決済方法の所定の工程完了後に別途行われる精算方法と
を具備することを特徴とする代金決済精算方法。
【請求項１２８】
預り釣銭情報を特定可能な預り釣銭特定情報が記憶された第１の記憶媒体を受け入れる第１の記憶媒体受入ステップと、
前記第１の記憶媒体受入ステップで受け入れられた第１の記憶媒体の預り釣銭特定情報を読み取る第１の記憶媒体読取ステップと、
貨幣を受け入れる第１の貨幣受入ステップと、
前記第１の貨幣受入ステップで受け入れられた貨幣を識別する第１の貨幣識別ステップと、
前記第１の記憶媒体読取ステップで読み取られた預り釣銭特定情報および／または前記貨幣識別ステップで識別された貨幣情報を出力する情報出力ステップと、
前記情報出力ステップで出力された情報および商品価格特定情報から得られた預り釣銭情報を入力する預り釣銭情報入力ステップと、
前記預り釣銭情報入力ステップで入力された預り釣銭情報に基づいて、前記預り釣銭情報を更新する第１の預り釣銭情報更新ステップと
を備える代金決済方法と、
預り釣銭情報を特定可能な預り釣銭特定情報が記憶された前記第１の記憶媒体を受け入れる第２の記憶媒体受入ステップと、
前記第２の記憶媒体受入ステップで受け入れられた前記第１の記憶媒体の預り釣銭情報を読み取る第２の記憶媒体読取ステップと、
貨幣を受け入れる第２の貨幣受入ステップと、
前記第２の貨幣受入ステップで受け入れられた貨幣を識別する第２の貨幣識別ステップと、
前記第２の記憶媒体読取ステップで読み取られた預り釣銭情報に前記第２の貨幣識別ステップで識別された金額情報を加え、預り釣銭情報を更新する第２の預り釣銭情報更新ステップと、
前記第２の預り釣銭情報更新ステップによって更新された預り釣銭情報に基づいて、預り釣銭を支払う預り釣銭支払手段と、
前記預り釣銭の支払に対応して、前記第２の預り釣銭情報更新ステップによって更新された預り釣銭情報を更新する第３の預り釣銭情報更新ステップと
を備え、前記代金決済方法の所定の工程完了後に別途行われる精算方法と
を具備することを特徴とする代金決済精算方法。
【請求項１２９】
預り釣銭情報を特定可能な預り釣銭特定情報が記憶された第１の記憶媒体を受け入れる第１の記憶媒体受入ステップと、
前記第１の記憶媒体受入ステップで受け入れられた第１の記憶媒体の預り釣銭特定情報を読み取る第１の記憶媒体読取ステップと、
前記第１の記憶媒体読取ステップで読み取られた預り釣銭特定情報を出力する預り釣銭特定情報出力ステップと
を備える記憶媒体処理方法と、
前記預り釣銭特定情報出力ステップから出力された預り釣銭特定情報を入力する預り釣銭情報入力ステップと、
入金された金額情報を入力する入金額情報入力ステップと、
読み取られた商品価格特定情報に基づいて集計された売上情報を入力する売上情報入力ステップと、
前記売上情報入力ステップで入力された売上情報、前記入金額情報入力ステップで入力された金額情報および前記預り釣銭情報入力ステップで入力された預り釣銭特定情報のうち少なくとも該売上情報および該金額情報に基づいて、前記預り釣銭情報を更新する第１の預り釣銭情報更新ステップと
を備える代金決済方法と、
預り釣銭情報を特定可能な預り釣銭特定情報が記憶された前記第１の記憶媒体を受け入れる第２の記憶媒体受入ステップと、
前記第２の記憶媒体受入ステップで受け入れられた前記第１の記憶媒体の預り釣銭情報を読み取る第２の記憶媒体読取ステップと、
貨幣を受け入れる第２の貨幣受入ステップと、
前記第２の貨幣受入ステップで受け入れられた貨幣を識別する第２の貨幣識別ステップと、
前記第２の記憶媒体読取ステップで読み取られた預り釣銭情報に前記第２の貨幣識別ステップで識別された金額情報を加え、預り釣銭情報を更新する第２の預り釣銭情報更新ステップと、
前記第２の預り釣銭情報更新ステップによって更新された預り釣銭情報に基づいて、預り釣銭を支払う預り釣銭支払ステップと、
前記預り釣銭の支払に対応して、前記第２の預り釣銭情報更新ステップによって更新された預り釣銭情報を更新する第３の預り釣銭情報更新ステップと
を備え、前記代金決済方法の所定の工程完了後に別途行われる精算方法と
を具備することを特徴とする代金決済精算方法。
【請求項１３０】
前記代金決済精算方法において、  
前記代金決済方法は、
前記第１の預り釣銭情報更新ステップによって更新された預り釣銭情報に基づいて、該預り釣銭情報を記憶した第２の記憶媒体を発行可能な記憶媒体発行ステップをさらに備え、
前記精算方法は、
預り釣銭情報を特定可能な預り釣銭特定情報が記憶された前記第２の記憶媒体を受け入れる第３の記憶媒体受入ステップと、
前記第３の記憶媒体受入ステップで受け入れられた前記第２の記憶媒体の預り釣銭情報を読み取る第３の記憶媒体読取ステップと、
前記第３の記憶媒体読取ステップによって読み取られた預り釣銭情報に基づいて、預り釣銭を支払う第２の預り釣銭支払ステップと、
前記預り釣銭の支払に対応して、前記第２の記憶媒体の預り釣銭情報を更新する第４の預り釣銭情報更新ステップと
をさらに備えることを特徴とする請求項１０、１４、１２６乃至１２９のいずれか１項記載の代金決済精算方法。
【請求項１３１】
前記精算方法が、
少なくとも精算または両替の処理を判定する処理判定ステップと、
前記処理判定ステップにおいて両替処理が選択された場合に機能し、前記第２の貨幣識別ステップで識別された貨幣に対応する両替処理を行い、該処理に基づく貨幣を支払う両替支払ステップと
を更に備えることを特徴とする請求項１０、１４、１２６乃至１３０のいずれか１項記載の代金決済精算方法。
【請求項１３２】
前記第２の記憶媒体が、レシートであることを特徴とする請求項１３０記載の代金決済精算方法。
【請求項１３３】
前記レシートには、預り釣銭情報がバーコードにて記録されていることを特徴とする請求項１３２記載の代金決済精算方法。
【請求項１３４】
前記第１の記憶媒体が、カード形状記憶媒体であることを特徴とする請求項１２６乃至１２９のいずれか１項記載の代金決済精算方法。
【請求項１３５】
前記カード形状記憶媒体が、表示部を備えることを特徴とする請求項１３４記載の代金決済精算方法。
【請求項１３６】
前記第１の記憶媒体が、コイン形状記憶媒体であることを特徴とする請求項１２６乃至１２９のいずれか１項記載の代金決済精算方法。
【請求項１３７】
前記代金決済方法または／および前記精算方法が、購入した商品購入情報が記録されたレシートを発行可能なレシート発行ステップをさらに具備することを特徴とする請求項１３０記載の代金決済精算方法。
【請求項１３８】
前記第２の記憶媒体には、少なくとも購入した商品購入情報を記録することを特徴とする請求項１３０乃至１３６のいずれか１項記載の代金決済精算方法。
【請求項１３９】
前記第２の貨幣受入ステップにおける入金は、所定の条件を満たした場合に可能となることを特徴とする請求項１４、１２８、１２９のいずれか１項記載の代金決済精算方法。
【請求項１４０】
前記所定の条件を満たさない場合には、該所定の条件を満たさない理由を表示することを特徴とする請求項１３９記載の代金決済精算方法。
【請求項１４１】
預り釣銭情報を特定可能な預り釣銭特定情報が記憶された記憶媒体を受け入れる記憶媒体受入手段と、
前記記憶媒体受入手段で受け入れられた記憶媒体の預り釣銭特定情報を読み取る記憶媒体読取手段と、
貨幣を受け入れる貨幣受入手段と、
前記貨幣受入手段で受け入れられた貨幣を識別する貨幣識別手段と、
少なくとも精算または両替の処理を判定する処理判定手段と、
前記処理判定手段において精算処理が選択された場合に機能し、前記記憶媒体読取手段で読み取られた預り釣銭情報に前記貨幣識別手段で識別された金額情報を加え、預り釣銭情報を更新する預り釣銭情報更新手段と、
前記預り釣銭情報更新手段によって更新された預り釣銭情報に基づいて、預り釣銭を支払う預り釣銭支払手段と、
前記預り釣銭の支払に対応して、前記預り釣銭情報更新手段によって更新された預り釣銭情報を更新する第２の預り釣銭情報更新手段と
前記処理判定手段において両替処理が選択された場合に機能し、前記貨幣識別手段で識別された貨幣に対応する両替処理を行い、該処理に基づく貨幣を支払う両替支払手段と
を具備することを特徴とする精算機。
【請求項１４２】
預り釣銭情報を特定可能な預り釣銭特定情報が記憶された第１の記憶媒体または第２の記録媒体を受け入れる記憶媒体受入手段と、
前記記憶媒体受入手段で受け入れられた前記第１または前記第２の記憶媒体の預り釣銭特定情報を読み取る記憶媒体読取手段と、
前記記憶媒体読取手段で読み取られた預り釣銭特定情報で特定される預り釣銭情報に基づいて、預り釣銭を支払う預り釣銭支払手段と、
前記預り釣銭の支払に対応して、預り釣銭情報を更新する預り釣銭情報更新手段と
を具備することを特徴とする精算機。
【請求項１４３】
前記精算機において、前記第２の記憶媒体が受け入れられ、精算処理後、預り釣銭情報を有する場合に、該情報を記憶した第３の記憶媒体を発行可能な記憶媒体発行手段をさらに具備することを特徴とする請求項１４２記載の精算機。
【請求項１４４】
前記第２の記憶媒体が、レシートであることを特徴とする請求項１４２記載の精算機。
【請求項１４５】
前記レシートには、預り釣銭情報がバーコードにて記録されていることを特徴とする請求項１４３記載の精算機。
【請求項１４６】
前記第１の記憶媒体が、カード形状記憶媒体であることを特徴とする請求項１４２記載の精算機。
【請求項１４７】
前記カード形状記憶媒体が、表示部を備えることを特徴とする請求項１４６記載の精算機。
【請求項１４８】
前記第１の記憶媒体が、コイン形状記憶媒体であることを特徴とする請求項１４２記載の精算機。
【請求項１４９】
前記第３の記憶媒体が、コイン形状記憶媒体であることを特徴とする請求項１４３記載の精算機。
【請求項１５０】
預り釣銭情報を特定可能な預り釣銭特定情報が記憶された記憶媒体を受け入れる記憶媒体受入ステップと、
前記記憶媒体受入ステップで受け入れられた記憶媒体の預り釣銭特定情報を読み取る記憶媒体読取ステップと、
貨幣を受け入れる貨幣受入ステップと、
前記貨幣受入ステップで受け入れられた貨幣を識別する貨幣識別ステップと、
少なくとも精算または両替の処理を判定する処理判定ステップと、
前記処理判定ステップにおいて精算処理が選択された場合に機能し、前記記憶媒体読取ステップで読み取られた預り釣銭情報に前記貨幣識別ステップで識別された金額情報を加え、預り釣銭情報を更新する預り釣銭情報更新ステップと、
前記預り釣銭情報更新ステップによって更新された預り釣銭情報に基づいて、預り釣銭を支払う預り釣銭支払ステップと、
前記預り釣銭の支払に対応して、前記預り釣銭情報更新ステップによって更新された預り釣銭情報を更新する第２の預り釣銭情報更新ステップと
前記処理判定ステップにおいて両替処理が選択された場合に機能し、前記貨幣識別ステップで識別された貨幣に対応する両替処理を行い、該処理に基づく貨幣を支払う両替支払ステップと
を具備することを特徴とする精算方法。
【請求項１５１】
預り釣銭情報を特定可能な預り釣銭特定情報が記憶された第１の記憶媒体または第２の記録媒体を受け入れる記憶媒体受入ステップと、
前記記憶媒体受入ステップで受け入れられた前記第１または前記第２の記憶媒体の預り釣銭特定情報を読み取る記憶媒体読取ステップと、
前記記憶媒体読取ステップで読み取られた預り釣銭特定情報で特定される預り釣銭情報に基づいて、預り釣銭を支払う預り釣銭支払ステップと、
前記預り釣銭の支払に対応して、預り釣銭情報を更新する預り釣銭情報更新ステップと
を具備することを特徴とする精算方法。
【請求項１５２】
前記精算方法において、前記第２の記憶媒体が受け入れられ、精算処理後、預り釣銭情報を有する場合に、該情報を記憶した第３の記憶媒体を発行可能な記憶媒体発行ステップをさらに具備することを特徴とする請求項１５１記載の精算方法。
【請求項１５３】
前記第２の記憶媒体が、レシートであることを特徴とする請求項１５１記載の精算方法。
【請求項１５４】
前記レシートには、預り釣銭情報がバーコードにて記録されていることを特徴とする請求項１５３記載の精算方法。
【請求項１５５】
前記第１の記憶媒体が、カード形状記憶媒体であることを特徴とする請求項１５１記載の精算方法。
【請求項１５６】
前記カード形状記憶媒体が、表示部を備えることを特徴とする請求項１５５記載の精算方法。
【請求項１５７】
前記第１の記憶媒体が、コイン形状記憶媒体であることを特徴とする請求項１５１記載の精算方法。
【請求項１５８】
前記第３の記憶媒体が、コイン形状記憶媒体であることを特徴とする請求項１５２記載の精算方法。
【請求項１５９】
預り釣銭情報を特定可能な預り釣銭特定情報が記憶された第１の記憶媒体を受け入れる記憶媒体受入手段と、
前記記憶媒体受入手段で受け入れられた第１の記憶媒体の預り釣銭特定情報を読み取る記憶媒体読取手段と、
貨幣を受け入れる貨幣受入手段と、
前記貨幣受入手段で受け入れられた貨幣を識別する貨幣識別手段と、
前記貨幣識別手段で識別された貨幣を搬送する貨幣搬送手段と、
所定の位置に情報を記録する記録部が設けられ、前記貨幣搬送手段によって搬送された貨幣を収納する着脱可能に取り付けられた貨幣収納手段と、
前記貨幣収納手段に設けられた記録部からの情報の読み取りおよび／または該記録部への情報の書き込みが可能な情報読取書込手段と、
前記記憶媒体読取手段で読み取られた預り釣銭特定情報および／または前記貨幣識別手段で識別された貨幣情報を出力する情報出力手段と、
前記情報出力手段から出力された情報および商品価格特定情報から得られた預り釣銭情報を入力する預り釣銭情報入力手段と、
前記預り釣銭情報入力手段に入力された預り釣銭情報に基づいて、前記預り釣銭情報を更新する預り釣銭情報更新手段と、
前記預り釣銭情報入力手段に入力された預り釣銭情報に基づいて、該預り釣銭情報を記憶した第２の記憶媒体を発行可能な記憶媒体発行手段と
を具備することを特徴とする代金決済装置。
【請求項１６０】
預り釣銭情報を特定可能な預り釣銭特定情報が記憶された第１の記憶媒体を受け入れる第１の記憶媒体受入手段と、
前記第１の記憶媒体受入手段で受け入れられた第１の記憶媒体の預り釣銭特定情報を読み取る第１の記憶媒体読取手段と、
前記第１の記憶媒体読取手段で読み取られた預り釣銭特定情報を出力する預り釣銭特定情報出力手段と
を備える記憶媒体処理装置と通信可能な代金決済装置であって、
前記預り釣銭特定情報出力手段から出力された預り釣銭特定情報を入力する預り釣銭情報入力手段と、
入金された金額情報を入力する入金額情報入力手段と、
読み取られた商品価格特定情報に基づいて集計された売上情報を入力する売上情報入力手段と、
前記売上情報入力手段で入力された売上情報、前記入金額情報入力手段で入力された金額情報および前記預り釣銭情報入力手段で入力された預り釣銭特定情報のうち少なくとも該売上情報および該金額情報に基づいて、前記預り釣銭情報を更新する預り釣銭情報更新手段と、
前記預り釣銭情報更新手段によって更新された預り釣銭情報に基づいて、該預り釣銭情報を記憶した第２の記憶媒体を発行可能な記憶媒体発行手段と
を備えることを特徴とする代金決済装置。
【請求項１６１】
預り釣銭情報を特定可能な預り釣銭特定情報が記憶された第１の記憶媒体を受け入れる記憶媒体受入手段と、
前記記憶媒体受入手段で受け入れられた前記第１の記憶媒体の預り釣銭特定情報を読み取る記憶媒体読取手段と、
少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、
貨幣を受け入れる貨幣受入手段と、
前記貨幣受入手段で受け入れられた貨幣を識別する貨幣識別手段と、
前記貨幣識別手段で識別された貨幣を搬送する貨幣搬送手段と、
所定の位置に情報を記録する記録部が設けられ、前記貨幣搬送手段によって搬送された貨幣を収納する着脱可能に取り付けられた貨幣収納手段と、
前記貨幣収納手段に設けられた記録部からの情報の読み取りおよび／または該記録部への情報の書き込みが可能な情報読取書込手段と、
前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する預り釣銭情報更新手段と、
前記預り釣銭情報更新手段によって更新された預り釣銭情報に基づいて、該預り釣銭情報を記憶した第２の記憶媒体を発行可能な記憶媒体発行手段と
を具備することを特徴とする代金決済装置。
【請求項１６２】
前記第２の記憶媒体が、レシートであることを特徴とする請求項１５９乃至１６１のいずれか１項記載の代金決済装置。
【請求項１６３】
前記レシートには、預り釣銭情報がバーコードにて記録されていることを特徴とする請求項１６２記載の代金決済装置。
【請求項１６４】
前記第１の記憶媒体が、カード形状記憶媒体であることを特徴とする請求項１５９乃至１６１のいずれか１項記載の代金決済装置。
【請求項１６５】
前記カード形状記憶媒体が、表示部を備えることを特徴とする請求項１６４記載の代金決済装置。
【請求項１６６】
前記第１の記憶媒体が、コイン形状記憶媒体であることを特徴とする請求項１５９乃至１６１のいずれか１項記載の代金決済装置。
【請求項１６７】
前記記憶媒体発行手段が、購入した商品購入情報が記録されたレシートを発行可能であることを特徴とする請求項１５９乃至１６６のいずれか１項記載の代金決済装置。
【請求項１６８】
前記第２の記憶媒体には、少なくとも購入した商品購入情報を記録することを特徴とする請求項１５９乃至１６６のいずれか１項記載の代金決済装置。
【請求項１６９】
預り釣銭情報を特定可能な預り釣銭特定情報が記憶された第１の記憶媒体を受け入れる記憶媒体受入ステップと、
前記記憶媒体受入ステップで受け入れられた第１の記憶媒体の預り釣銭特定情報を読み取る記憶媒体読取ステップと、
貨幣を受け入れる貨幣受入ステップと、
前記貨幣受入ステップで受け入れられた貨幣を識別する貨幣識別ステップと、
前記貨幣識別ステップで識別された貨幣を搬送する貨幣搬送ステップと、
所定の位置に情報を記録する記録部が設けられ、前記貨幣搬送ステップによって搬送された貨幣を収納する着脱可能に取り付けられた貨幣収納ステップと、
前記貨幣収納ステップに設けられた記録部からの情報の読み取りおよび／または該記録部への情報の書き込みが可能な情報読取書込ステップと、
前記記憶媒体読取ステップで読み取られた預り釣銭特定情報および／または前記貨幣識別ステップで識別された貨幣情報を出力する情報出力ステップと、
前記情報出力ステップから出力された情報および商品価格特定情報から得られた預り釣銭情報を入力する預り釣銭情報入力ステップと、
前記預り釣銭情報入力ステップに入力された預り釣銭情報に基づいて、前記預り釣銭情報を更新する預り釣銭情報更新ステップと、
前記預り釣銭情報入力ステップに入力された預り釣銭情報に基づいて、該預り釣銭情報を記憶した第２の記憶媒体を発行可能な記憶媒体発行ステップと
を具備することを特徴とする代金決済方法。
【請求項１７０】
預り釣銭情報を特定可能な預り釣銭特定情報が記憶された第１の記憶媒体を受け入れる第１の記憶媒体受入ステップと、
前記第１の記憶媒体受入ステップで受け入れられた第１の記憶媒体の預り釣銭特定情報を読み取る第１の記憶媒体読取ステップと、
前記第１の記憶媒体読取ステップで読み取られた預り釣銭特定情報を出力する預り釣銭特定情報出力ステップと
を備える記憶媒体処理方法の所定の工程完了後に別途行われる代金決済方法であって、
前記預り釣銭特定情報出力ステップから出力された預り釣銭特定情報を入力する預り釣銭情報入力ステップと、
入金された金額情報を入力する入金額情報入力ステップと、
読み取られた商品価格特定情報に基づいて集計された売上情報を入力する売上情報入力ステップと、
前記売上情報入力ステップで入力された売上情報、前記入金額情報入力ステップで入力された金額情報および前記預り釣銭情報入力ステップで入力された預り釣銭特定情報のうち少なくとも該売上情報および該金額情報に基づいて、前記預り釣銭情報を更新する預り釣銭情報更新ステップと、
前記預り釣銭情報更新ステップによって更新された預り釣銭情報に基づいて、該預り釣銭情報を記憶した第２の記憶媒体を発行可能な記憶媒体発行ステップと
を備えることを特徴とする代金決済方法。
【請求項１７１】
預り釣銭情報を特定可能な預り釣銭特定情報が記憶された第１の記憶媒体を受け入れる記憶媒体受入ステップと、
前記記憶媒体受入ステップで受け入れられた前記第１の記憶媒体の預り釣銭特定情報を読み取る記憶媒体読取ステップと、
少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得ステップと、
貨幣を受け入れる貨幣受入ステップと、
前記貨幣受入ステップで受け入れられた貨幣を識別する貨幣識別ステップと、
前記貨幣識別ステップで識別された貨幣を搬送する貨幣搬送ステップと、
所定の位置に情報を記録する記録部が設けられ、前記貨幣搬送ステップによって搬送された貨幣を収納する着脱可能に取り付けられた貨幣収納ステップと、
前記貨幣収納ステップに設けられた記録部からの情報の読み取りおよび／または該記録部への情報の書き込みが可能な情報読取書込ステップと、
前記売上情報収得ステップからの売上情報、前記貨幣識別ステップで識別された金額情報および前記記憶媒体読取ステップで読み取られた前記預り釣銭情報のうち少なくとも該売上情報および該金額情報に基づいて、前記預り釣銭情報を更新する預り釣銭情報更新ステップと、
前記預り釣銭情報更新ステップによって更新された預り釣銭情報に基づいて、該預り釣銭情報を記憶した第２の記憶媒体を発行可能な記憶媒体発行ステップと
を具備することを特徴とする代金決済方法。
【請求項１７２】
前記第２の記憶媒体が、レシートであることを特徴とする請求項１６９乃至１７１のいずれか１項記載の代金決済方法。
【請求項１７３】
前記レシートには、預り釣銭情報がバーコードにて記録されていることを特徴とする請求項１７２記載の代金決済方法。
【請求項１７４】
前記第１の記憶媒体が、カード形状記憶媒体であることを特徴とする請求項１６９乃至１７１のいずれか１項記載の代金決済方法。
【請求項１７５】
前記カード形状記憶媒体が、表示部を備えることを特徴とする請求項１７４記載の代金決済方法。
【請求項１７６】
前記第１の記憶媒体が、コイン形状記憶媒体であることを特徴とする請求項１６９乃至１７１のいずれか１項記載の代金決済方法。
【請求項１７７】
前記記憶媒体発行ステップにおいて、購入した商品購入情報が記録されたレシートを発行可能であることを特徴とする請求項１６９乃至１７６のいずれか１項記載の代金決済方法。
【請求項１７８】
前記第２の記憶媒体には、少なくとも購入した商品購入情報を記録することを特徴とする請求項１６９乃至１７６のいずれか１項記載の代金決済方法。
【発明の詳細な説明】
【技術分野】
【０００１】
本発明は、商品等を購入する際の代金の支払いおよび釣銭の受け取りを処理する係る代金決済精算装置、代金決済精算方法、精算機、精算方法、貨幣識別装置、代金決済装置、貨幣識別方法、代金決済方法、買物かごロック装置、買物かごロック方法、買物かご、代金決済システム、レジゲート群、レジゲートシステム、預り釣銭管理装置および売上管理装置に関する。
【背景技術】
【０００２】
従来の代金決済装置を用いた代金決済システムでは、購入商品等の種別、個数などをレジスタ装置で読み込み、その読み込んだ情報を代金決済装置に出力し、代金決済装置に挿入されたコイン型ＩＣ記憶媒体から読み取られた金額情報および代金決済装置に挿入された貨幣情報から購入商品の代金分を減じ、その結果得られる釣銭情報をコイン型ＩＣ記憶媒体に釣銭を記録して支払っていた。また、コイン型ＩＣ記憶媒体を有しない場合であっても、コイン型ＩＣ記憶媒体を有する場合と同じ会計ゲートにおいて代金決済処理を行い、そのコイン型ＩＣ記憶媒体を有しない顧客に、釣銭情報を記録したコイン型ＩＣ記憶媒体を発行していた（例えば、特許文献１参照。）。
【０００３】
また、従来の代金決済装置では、挿入された貨幣が貯留される貨幣収納部から店員が貨幣を取り出し、取り出した貨幣を、例えば、事務所などの売上金を集計する場所まで店員が運んでいた。
【０００４】
さらに、この貨幣を集計する際に、貨幣収納部に貯留された貨幣総額を特定する情報として、その店員が取り出した貨幣を集計することでしか情報を得ることができなかった。
【特許文献１】特開２００３−４４９３６号公報
【発明の開示】
【発明が解決しようとする課題】
【０００５】
上記した従来の代金決済装置を用いた代金決済システムでは、代金決済装置において、コイン型ＩＣ記憶媒体を有しない場合であっても、コイン型ＩＣ記憶媒体を有する場合と同じ会計ゲートにおいて代金決済処理を行い、そのコイン型ＩＣ記憶媒体を有しない顧客に、釣銭情報を記録したコイン型ＩＣ記憶媒体を発行していたので、代金決済処理に多くの時間を費やすことがあり、特に、混雑時には、代金決済処理が渋滞するという問題があった。
【０００６】
また、従来の代金決済システムでは、店員が代金決済装置の貨幣収納部から貨幣を取り出し、事務所などの売上金を集計する場所まで店員が運んでいたので、現金の損失や店員の横領などの不正行為に対処することができないという問題があった。
【０００７】
さらに、従来の代金決済システムでは、店員によって代金決済装置の貨幣収納部から搬送された貨幣を集計する際に、貨幣収納部に貯留された貨幣総額を特定する情報として、その店員が取り出した貨幣を集計することでしか情報を得ることができず、例えば、集計結果が合わない場合に、その原因を突き止める手段がなかった。
【０００８】
そこで本願では、上記した課題を解決するためになされたものであり、代金決済を迅速に行うことができ、代金決済装置に収納された売上金の情報を適確に得ることができる代金決済精算装置、代金決済精算方法、精算機、精算方法、貨幣識別装置、代金決済装置、貨幣識別方法、代金決済方法、買物かごロック装置、買物かごロック方法、買物かご、代金決済システム、レジゲート群、レジゲートシステム、預り釣銭管理装置および売上管理装置を提供することを目的とする。
【課題を解決するための手段】
【０００９】
上記目的を達成するために、請求項１記載の発明は、預り釣銭情報を特定可能な預り釣銭特定情報が記憶された記憶媒体を受け入れる第１の記憶媒体受入手段と、前記第１の記憶媒体受入手段で受け入れられた記憶媒体の預り釣銭特定情報を読み取る記憶媒体読取手段と、少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、貨幣を受け入れる貨幣受入手段と、前記貨幣受入手段で受け入れられた貨幣を識別する貨幣識別手段と、前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する第１の預り釣銭情報更新手段とを備える代金決済装置と、預り釣銭情報を特定可能な預り釣銭特定情報が記憶された記憶媒体を受け入れる第２の記憶媒体受入手段と、前記第２の記憶媒体受入手段で受け入れられた記憶媒体の預り釣銭特定情報を読み取る第２の記憶媒体読取手段と、前記第２の記憶媒体読取手段で読み取られた預り釣銭特定情報で特定される預り釣銭情報に基づいて、預り釣銭を支払う預り釣銭支払手段と、前記預り釣銭の支払に対応して、前記預り釣銭情報を更新する第２の預り釣銭情報更新手段とを備え、前記代金決済装置とは別個に設けられた精算機とを具備することを特徴とする代金決済精算装置である。
【００１０】
請求項１記載の代金決済精算装置によれば、代金決済装置から釣銭機の機能を削除し、別体の精算機を別の場所に設けて釣銭を返却することで、代金決済装置を小型にでき、会計処理台上の比較的狭いスペースにも設置することができる。また、代金決済装置と精算機とを別体とし、それぞれを別の場所に設けることで、代金決済処理を迅速に行うことができ、例えば、量販店などのレジゲートにおける渋滞を解消することができる。
【００１１】
ここで、記憶媒体として、例えば、非接触型の記憶媒体としての機能と、磁気カードとしての機能を兼ね備えたカード形状の記憶媒体などが用いられる。また、商品情報入力装置は、例えば、バーコードリーダなどで構成される。また、商品情報入力装置は、商品の数量や価格の商品情報をテンキーや商品名のシールを貼ったキー群などを有するキーボードなどの入力手段で構成することもできる。さらに、商品情報入力装置は、バーコードリーダなどに、商品の数量や価格の商品情報をテンキーや商品名のシールを貼ったキー群などを有するキーボードなどの入力手段を併設して構成することもできる。この商品情報入力装置は、代金決済装置と通信回線を介して別体として備えられても、また、代金決済装置に組み込んで一体的に設けられてもよい。
【００１２】
また、商品情報入力装置からの商品価格特定情報は、通信回線を介して直接、代金決済装置に入力しても、レジスタとしての機能を備えるレジスタ装置（ＰＯＳ）などで構成される売上情報集計装置を通し、売上情報集計装置で集計された売上情報を代金決済装置に入力してもよい。商品情報入力装置からの商品価格特定情報を直接、代金決済装置に入力する場合には、代金決済装置の売上情報収得手段は、その商品価格特定情報に基づいて売上情報を集計するレジスタとしての機能を備える。
【００１３】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【００１４】
同様に、商品価格特定情報として、例えば、商品価格情報そのものや、商品にとりつけられた記憶媒体や商品に貼付されるか印刷されたバーコードを読み込んで得られた商品を識別するためのＩＤが例示できる。ＩＤとすれば、ネットワーク上の商品価格情報を記録したいずれかの装置とこの装置の商品価格情報の記録エリアを特定するポインターをこのＩＤと対応付けて指定し、この記録エリアから商品価格情報を読み出すこともできる。商品価格特定情報は単一の情報形態とは限定できないため、この発明では商品価格特定情報が特定できればよい。
【００１５】
請求項２記載の発明は、前記預り釣銭支払手段で支払う金種が所定金種以上であり、前記第２の預り釣銭情報更新手段で更新する預り釣銭情報が所定金種未満であることを特徴とする請求項１、１１１、１１２のいずれか１項記載の代金決済精算装置である。
【００１６】
請求項２記載の代金決済精算装置によれば、所定金種未満、例えば、１０００円未満の預り釣銭を精算せずに、預り釣銭として更新することで、精算機を使用する頻度が減少するため、精算処理を迅速に行うことができ、精算機の台数を少なくできる。また、所定金種未満の預り釣銭を精算せずに貯留することで、店舗の再利用率を向上させることができる。そして、例えば１０００円以上の金種を返却することで、預り釣銭にする顧客の負担感を軽減できる。この所定金種の設定は、顧客毎に設定可能としてもよく、この場合、顧客毎に負担感のない預り釣銭を設定することができる。また、所定金種の設定は、店舗一律としてもよく、この場合、精算機の払出金種を少なくできるので精算機の価格を下げることができる。
【００１７】
また、例えば、所定条件が成立しない場合には、預り釣銭支払手段で支払う金種が所定金種以上であり、前記第２の預り釣銭情報更新手段で更新する預り釣銭情報が所定金種未満とし、所定条件が成立する場合には、読み出された預り釣銭特定情報によって特定される所定金種未満の預り釣銭を返却するようにしてもよい。このようにすることで、例えば、その顧客がタバコを買うための小銭を入用とする場合にその小銭を返却することができる。
【００１８】
なお、所定条件とは、例えば、記憶媒体読取手段で読み取られた預り釣銭情報が所定の金額に満たない場合に、精算を行わずに前記記憶媒体を返却した後、再び前記記憶媒体を前記記憶媒体受入手段に受け入れて前記記憶媒体読取手段によって読み取った結果同じ記憶媒体である場合や、記憶媒体読取手段で読み出した預り釣銭特定情報によって特定される預り釣銭の額が所定金種未満の場合などが例示できる。
【００１９】
請求項３記載の発明は、前記第２の記憶媒体読取手段で読み取られた預り釣銭情報が所定の金額に満たない場合に、精算を行わずに前記記憶媒体を返却することを特徴とする請求項１、１１１、１１２のいずれか１項記載の代金決済精算装置である。
【００２０】
請求項３記載の代金決済精算装置によれば、預り釣銭情報が所定の金額に満たない場合（例えば、１０００円未満の場合）に、預り釣銭の精算を行わずに記憶媒体を返却することで、精算機を使用する頻度が減少するため、精算処理を迅速に行うことができる。また、所定金種未満の預り釣銭を精算せずに貯留することで、店舗の再利用率を向上させることができる。
【００２１】
請求項４記載の発明は、前記預り釣銭支払手段が、前記第２の記憶媒体読取手段で読み取られた預り釣銭情報に基づいて、預り釣銭を全額支払うことを特徴とする請求項１、１１１、１１２のいずれか１項記載の代金決済精算装置である。
【００２２】
請求項４記載の代金決済精算装置によれば、預り釣銭を全額精算することができるので、例えば、顧客が一旦預り釣銭を全額精算したいという要望がある場合には、その要望に対応することができる。また、全額精算することができ、店員などによる人為的な精算処理をすることがないので、店員の作業効率を向上させることができる。さらに、全額精算するか否か、預り釣銭を行うか否かについて顧客毎に設定可能としてもよい。この場合、顧客毎の価値観に合わせることができるので、例えば、預り釣銭を行いたくない顧客であっても対応することができ、そのような顧客の来店意欲を損なわずに済む。
【００２３】
請求項５記載の発明は、預り釣銭情報を特定可能な預り釣銭特定情報が記憶された記憶媒体を受け入れる第１の記憶媒体受入手段と、前記第１の記憶媒体受入手段で受け入れられた記憶媒体の預り釣銭特定情報を読み取る記憶媒体読取手段と、少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、貨幣を受け入れる第１の貨幣受入手段と、前記第１の貨幣受入手段で受け入れられた貨幣を識別する第１の貨幣識別手段と、前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する第１の預り釣銭情報更新手段とを備える代金決済装置と、預り釣銭情報を特定可能な預り釣銭特定情報が記憶された記憶媒体を受け入れる第２の記憶媒体受入手段と、前記第２の記憶媒体受入手段で受け入れられた記憶媒体の預り釣銭特定情報を読み取る第２の記憶媒体読取手段と、貨幣を受け入れる第２の貨幣受入手段と、前記第２の貨幣受入手段で受け入れられた貨幣を識別する第２の貨幣識別手段と、前記第２の記憶媒体読取手段で読み取られた預り釣銭特定情報で特定される預り釣銭情報に前記第２の貨幣識別手段で識別された金額情報を加え、預り釣銭情報を更新する第２の預り釣銭情報更新手段と、前記第２の預り釣銭情報更新手段によって更新された預り釣銭情報に基づいて、預り釣銭を支払う預り釣銭支払手段と、前記預り釣銭の支払に対応して、前記第２の預り釣銭情報更新手段によって更新された預り釣銭情報を更新する第３の預り釣銭情報更新手段とを備え、前記代金決済装置とは別個に設けられた精算機とを具備することを特徴とする代金決済精算装置である。
【００２４】
請求項５記載の代金決済精算装置によれば、代金決済装置から釣銭機の機能を削除し、別体の精算機を別の場所に設けて釣銭を返却することで、代金決済装置を小型にでき、会計処理台上の比較的狭いスペースにも設置することができる。また、代金決済装置と精算機とを別体とし、それぞれを別の場所に設けることで、代金決済処理を迅速に行うことができ、例えば、量販店などのレジゲートにおける渋滞を解消することができる。
【００２５】
ここで、記憶媒体として、例えば、非接触型の記憶媒体としての機能と、磁気カードとしての機能を兼ね備えたカード形状の記憶媒体などが用いられる。また、商品情報入力装置は、例えば、バーコードリーダなどで構成される。また、商品情報入力装置は、商品の数量や価格の商品情報をテンキーや商品名のシールを貼ったキー群などを有するキーボードなどの入力手段で構成することもできる。さらに、商品情報入力装置は、バーコードリーダなどに、商品の数量や価格の商品情報をテンキーや商品名のシールを貼ったキー群などを有するキーボードなどの入力手段を併設して構成することもできる。この商品情報入力装置は、代金決済装置と通信回線を介して別体として備えられても、また、代金決済装置に組み込んで一体的に設けられてもよい。
【００２６】
また、商品情報入力装置からの商品価格特定情報は、通信回線を介して直接、代金決済装置に入力しても、レジスタとしての機能を備えるレジスタ装置（ＰＯＳ）などで構成される売上情報集計装置を通し、売上情報集計装置で集計された売上情報を代金決済装置に入力してもよい。商品情報入力装置からの商品価格特定情報を直接、代金決済装置に入力する場合には、代金決済装置の売上情報収得手段は、その商品価格特定情報に基づいて売上情報を集計するレジスタとしての機能を備える。  
【００２７】
また、精算機に第２の貨幣受入手段を備え、精算機に貨幣を入金することで、預り釣銭額を増加することができる。これによって、例えば、精算の際、１０００円未満の硬貨を受け取ることを拒否したい場合になどに、預り釣銭額がちょうど１０００円単位になるように入金することで、硬貨を受け取ることなく精算を行うことができる。さらに、預り釣銭額を増額しておくことで、次回の買物時に現金の支払いを少なくすることも可能になる。
【００２８】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【００２９】
同様に、商品価格特定情報として、例えば、商品価格情報そのものや、商品にとりつけられた記憶媒体や商品に貼付されるか印刷されたバーコードを読み込んで得られた商品を識別するためのＩＤが例示できる。ＩＤとすれば、ネットワーク上の商品価格情報を記録したいずれかの装置とこの装置の商品価格情報の記録エリアを特定するポインターをこのＩＤと対応付けて指定し、この記録エリアから商品価格情報を読み出すこともできる。商品価格特定情報は単一の情報形態とは限定できないため、この発明では商品価格特定情報が特定できればよい。
【００３０】
請求項６記載の発明は、前記預り釣銭支払手段で支払う金種が所定金種以上であり、前記第３の預り釣銭情報更新手段で更新する預り釣銭情報が所定金種未満であることを特徴とする請求項５、１１３、１１４のいずれか１項記載の代金決済精算装置である。
【００３１】
請求項６記載の代金決済精算装置によれば、所定金種未満、例えば、１０００円未満の預り釣銭を精算せずに、預り釣銭として更新することで、精算機を使用する頻度が減少するため、精算処理を迅速に行うことができ、精算機の台数も少なくできる。また、所定金種未満の預り釣銭を精算せずに貯留することで、店舗の再利用率を向上させることができる。
【００３２】
そして、例えば１０００円以上の金種を返却することで、預り釣銭にする顧客の負担感を軽減できる。この所定金種の設定は、顧客毎に設定可能としてもよく、この場合、顧客毎に負担感のない預り釣銭を設定することができる。また、所定金種の設定は、店舗一律としてもよく、この場合、精算機の払出金種を少なくできるので精算機の価格を下げることができる。
【００３３】
また、例えば、所定条件が成立しない場合には、預り釣銭支払手段で支払う金種が所定金種以上であり、前記第２の預り釣銭情報更新手段で更新する預り釣銭情報が所定金種未満とし、所定条件が成立する場合には、読み出された預り釣銭特定情報によって特定される所定金種未満の預り釣銭を返却するようにしてもよい。このようにすることで、例えば、その顧客がタバコを買うための小銭を入用とする場合にその小銭を返却することができる。
【００３４】
なお、所定条件とは、例えば、記憶媒体読取手段で読み取られた預り釣銭情報が所定の金額に満たない場合に、精算を行わずに前記記憶媒体を返却した後、再び前記記憶媒体を前記記憶媒体受入手段に受け入れて前記記憶媒体読取手段によって読み取った結果同じ記憶媒体である場合や、記憶媒体読取手段で読み出した預り釣銭特定情報によって特定される預り釣銭の額が所定金種未満の場合などが例示できる。
【００３５】
請求項７記載の発明は、前記代金決済精算装置における第１の預り釣銭情報更新手段で預けられる釣銭は、釣銭全額であることを特徴とする請求項１乃至６、１１１乃至１１４のいずれか１項記載の代金決済精算装置である。
【００３６】
請求項７記載の代金決済精算装置によれば、預り釣銭情報更新手段で預けられる釣銭は、釣銭全額であるので、代金決済装置には、釣銭を返却する機能が不要となり、代金決済装置を小型にでき、会計処理台上の比較的狭いスペースにも設置することができる。また、全額精算するか否か、預り釣銭を行うか否かについて顧客毎に設定可能としてもよい。この場合、顧客毎の価値観に合わせることができるので、例えば、預り釣銭を行いたくない顧客であっても対応することができ、そのような顧客の来店意欲を損なわずに済む。
【００３７】
請求項８記載の発明は、前記記憶媒体を発行可能な発行機をさらに具備することを特徴とする請求項１乃至７いずれか１項記載の代金決済精算装置である。
【００３８】
請求項８記載の代金決済精算装置によれば、記憶媒体を発行可能な発行機（例えば、会員カード発行機）をさらに備えることで、会員カードの発行、代金決済、預り釣銭の精算といった一連の代金決済処理を行うことができる。
【００３９】
請求項９記載の発明は、前記記憶媒体を初期化し、前記代金決済装置、前記精算機にて使用不可とする解約装置をさらに具備することを特徴とする請求項１乃至８、１１１乃至１１４のいずれか１項記載の代金決済精算装置である。
【００４０】
請求項９記載の代金決済精算装置によれば、解約装置をさらに備え、解約された記憶媒体を使用できないように処理することができ、解約後に精算機などで精算処理を行うことを防止することができる。ここで、初期化とは、全情報を削除して所定の値にする場合、所定の情報のみを使用不可能な所定の値とする場合が例示できる。この所定の情報のみを使用不可能な所定の値とする場合には、例えば、その使用させない情報のＦＬＧを書き換え、利用不可能とすることができる。初期化として何らかの情報を書き込むことで後程その情報を読み出した際に代金決済精算装置にて使用不可能であれば本発明に含まれる。
【００４１】
請求項１０記載の発明は、預り釣銭情報を特定可能な預り釣銭特定情報が記憶された記憶媒体を受け入れる第１の記憶媒体受入ステップと、前記第１の記憶媒体受入ステップで受け入れられた記憶媒体の預り釣銭特定情報を読み取る記憶媒体読取ステップと、少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得ステップと、貨幣を受け入れる貨幣受入ステップと、前記貨幣受入ステップで受け入れられた貨幣を識別する貨幣識別ステップと、前記売上情報収得ステップからの売上情報、前記貨幣識別ステップで識別された金額情報および前記記憶媒体読取ステップで読み取られた前記預り釣銭情報のうち少なくとも該売上情報および該金額情報に基づいて、前記預り釣銭情報を更新する第１の預り釣銭情報更新ステップとを備える代金決済方法と、預り釣銭情報を特定可能な預り釣銭特定情報が記憶された記憶媒体を受け入れる第２の記憶媒体受入ステップと、前記第２の記憶媒体受入ステップで受け入れられた記憶媒体の預り釣銭特定情報を読み取る第２の記憶媒体読取ステップと、前記第２の記憶媒体読取ステップで読み取られた預り釣銭特定情報で特定される預り釣銭情報に基づいて、預り釣銭を支払う預り釣銭支払ステップと、前記預り釣銭の支払に対応して、預り釣銭情報を更新する第２の預り釣銭情報更新ステップとを備え、前記代金決済方法の所定の工程完了後に別途行われる精算方法とを具備することを特徴とする代金決済精算方法である。
【００４２】
請求項１０記載の代金決済精算方法によれば、代金決済処理と精算処理を別個に行うことができるので、代金決済処理を迅速に行うことができる。これによって、例えば、量販店などのレジゲートにおける渋滞を解消することができる。
【００４３】
ここで、記憶媒体として、例えば、非接触型の記憶媒体としての機能と、磁気カードとしての機能を兼ね備えたカード形状の記憶媒体などが用いられる。また、商品情報入力装置は、例えば、バーコードリーダなどで構成される。また、商品情報入力装置は、商品の数量や価格の商品情報をテンキーや商品名のシールを貼ったキー群などを有するキーボードなどの入力手段で構成することもできる。さらに、商品情報入力装置は、バーコードリーダなどに、商品の数量や価格の商品情報をテンキーや商品名のシールを貼ったキー群などを有するキーボードなどの入力手段を併設して構成することもできる。この商品情報入力装置で行われる処理は、代金決済処理と別個に処理されても、また、代金決済処理に組み込んで一体的に処理されてもよい。
【００４４】
また、商品情報入力装置からの商品価格特定情報は、通信回線を介して直接、入力しても、レジスタとしての機能を備えるレジスタ装置（ＰＯＳ）などで構成される売上情報集計装置を通し、売上情報集計装置で集計された売上情報を入力してもよい。商品情報入力装置からの商品価格特定情報を直接、代金決済装置に入力する場合には、代金決済処理の売上情報収得ステップは、その商品価格特定情報に基づいて売上情報を集計するレジスタとしての機能を備える。
【００４５】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【００４６】
同様に、商品価格特定情報として、例えば、商品価格情報そのものや、商品にとりつけられた記憶媒体や商品に貼付されるか印刷されたバーコードを読み込んで得られた商品を識別するためのＩＤが例示できる。ＩＤとすれば、ネットワーク上の商品価格情報を記録したいずれかの装置とこの装置の商品価格情報の記録エリアを特定するポインターをこのＩＤと対応付けて指定し、この記録エリアから商品価格情報を読み出すこともできる。商品価格特定情報は単一の情報形態とは限定できないため、この発明では商品価格特定情報が特定できればよい。
【００４７】
請求項１１記載の発明は、前記預り釣銭支払ステップで支払う金種が所定金種以上であり、前記第２の預り釣銭情報更新ステップで更新する預り釣銭情報が所定金種未満であることを特徴とする請求項１０、１２６、１２７のいずれか１項記載の代金決済精算方法である。
【００４８】
請求項１１記載の代金決済精算方法によれば、所定金種未満、所定金種未満、例えば、１０００円未満の預り釣銭を精算せずに、預り釣銭として更新することで、精算処理を使用する頻度が減少するため、精算処理を迅速に行うことができる。また、所定金種未満の預り釣銭を精算せずに貯留することで、店舗の再利用率を向上させることができる。そして、例えば１０００円以上の金種を返却することで、預り釣銭にする顧客の負担感を軽減できる。この所定金種の設定は、顧客毎に設定可能としてもよく、この場合、顧客毎に負担感のない預り釣銭を設定することができる。また、所定金種の設定は、店舗一律としてもよく、この場合、精算処理の払出金種を少なくできる。
【００４９】
また、例えば、所定条件が成立しない場合には、預り釣銭支払ステップで支払う金種が所定金種以上であり、前記第２の預り釣銭情報更新ステップで更新する預り釣銭情報が所定金種未満とし、所定条件が成立する場合には、読み出された預り釣銭特定情報によって特定される所定金種未満の預り釣銭を返却するようにしてもよい。このようにすることで、例えば、その顧客がタバコを買うための小銭を入用とする場合にその小銭を返却することができる。
【００５０】
なお、所定条件とは、例えば、記憶媒体読取ステップで読み取られた預り釣銭情報が所定の金額に満たない場合に、精算を行わずに前記記憶媒体を返却した後、再び前記記憶媒体を前記記憶媒体受入ステップに受け入れて前記記憶媒体読取ステップによって読み取った結果同じ記憶媒体である場合や、記憶媒体読取ステップで読み出した預り釣銭特定情報によって特定される預り釣銭の額が所定金種未満の場合などが例示できる。
【００５１】
請求項１２記載の発明は、前記第２の記憶媒体読取ステップで読み取られた預り釣銭情報が所定の金額に満たない場合に、精算を行わずに前記記憶媒体を返却することを特徴とする請求項１０、１２６、１２７のいずれか１項記載の代金決済精算方法である。
【００５２】
請求項１２記載の代金決済精算方法によれば、預り釣銭情報が所定の金額に満たない場合（例えば、１０００円未満の場合）に、預り釣銭の精算を行わずに記憶媒体を返却することで、精算処理を迅速に行うことができる。また、所定金種未満の預り釣銭を精算せずに貯留することで、店舗の再利用率を向上させることができる。
【００５３】
請求項１３記載の発明は、前記預り釣銭支払ステップが、前記第２の記憶媒体読取ステップで読み取られた預り釣銭情報に基づいて、預り釣銭を全額支払うことを特徴とする請求項１０、１２６、１２７のいずれか１項記載の代金決済精算方法である。
【００５４】
請求項１３記載の代金決済精算方法によれば、預り釣銭を全額精算することができるので、例えば、顧客が一旦預り釣銭を全額精算したいという要望がある場合には、その要望に対応することができる。また、全額精算することができ、店員などによる人為的な精算処理をすることがないので、店員の作業効率を向上させることができる。さらに、全額精算するか否か、預り釣銭を行うか否かについて顧客毎に設定可能としてもよい。この場合、顧客毎の価値観に合わせることができるので、例えば、預り釣銭を行いたくない顧客であっても対応することができ、そのような顧客の来店意欲を損なわずに済む。
【００５５】
請求項１４記載の発明は、預り釣銭情報を特定可能な預り釣銭特定情報が記憶された記憶媒体を受け入れる第１の記憶媒体受入ステップと、前記第１の記憶媒体受入ステップで受け入れられた記憶媒体の預り釣銭特定情報を読み取る記憶媒体読取ステップと、少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得ステップと、貨幣を受け入れる第１の貨幣受入ステップと、前記第１の貨幣受入ステップで受け入れられた貨幣を識別する第１の貨幣識別ステップと、前記売上情報収得ステップからの売上情報、前記貨幣識別ステップで識別された金額情報および前記記憶媒体読取ステップで読み取られた前記預り釣銭情報のうち少なくとも該売上情報および該金額情報に基づいて、前記預り釣銭情報を更新する第１の預り釣銭情報更新ステップとを備える代金決済方法と、前記代金決済方法で預り釣銭情報が更新された記憶媒体を受け入れる第２の記憶媒体受入ステップと、前記第２の記憶媒体受入ステップで受け入れられた記憶媒体の預り釣銭特定情報を読み取る第２の記憶媒体読取ステップと、貨幣を受け入れる第２の貨幣受入ステップと、前記第２の貨幣受入ステップで受け入れられた貨幣を識別する第２の貨幣識別ステップと、前記第２の記憶媒体読取ステップで読み取られた預り釣銭特定情報で特定される預り釣銭情報に前記第２の貨幣識別ステップで識別された金額情報を加え、預り釣銭情報を更新する第２の預り釣銭情報更新ステップと、前記第２の預り釣銭情報更新ステップによって更新された預り釣銭情報に基づいて、預り釣銭を支払う預り釣銭支払ステップと、前記預り釣銭の支払に対応して、前記第２の預り釣銭情報更新ステップによって更新された預り釣銭情報を更新する第３の預り釣銭情報更新ステップとを備え、前記代金決済方法の所定の工程完了後に別途行われる精算方法とを具備することを特徴とする代金決済精算方法である。
【００５６】
請求項１４記載の代金決済精算方法によれば、代金決済処理と精算処理を別個に行うことができるので、代金決済処理を迅速に行うことができる。これによって、例えば、量販店などのレジゲートにおける渋滞を解消することができる。
【００５７】
ここで、記憶媒体として、例えば、非接触型の記憶媒体としての機能と、磁気カードとしての機能を兼ね備えたカード形状の記憶媒体などが用いられる。また、商品情報入力装置は、例えば、バーコードリーダなどで構成される。また、商品情報入力装置は、商品の数量や価格の商品情報をテンキーや商品名のシールを貼ったキー群などを有するキーボードなどの入力手段で構成することもできる。さらに、商品情報入力装置は、バーコードリーダなどに、商品の数量や価格の商品情報をテンキーや商品名のシールを貼ったキー群などを有するキーボードなどの入力手段を併設して構成することもできる。この商品情報入力装置で行われる処理は、代金決済処理と別個に処理されても、また、代金決済処理に組み込んで一体的に処理されてもよい。
【００５８】
また、商品情報入力装置からの商品価格特定情報は、通信回線を介して直接、入力しても、レジスタとしての機能を備えるレジスタ装置（ＰＯＳ）などで構成される売上情報集計装置を通し、売上情報集計装置で集計された売上情報を入力してもよい。商品情報入力装置からの商品価格特定情報を直接、代金決済装置に入力する場合には、代金決済処理の売上情報収得ステップは、その商品価格特定情報に基づいて売上情報を集計するレジスタとしての機能を備える。
【００５９】
また、精算処理に第２の貨幣受入ステップを備え、貨幣を入金することで、預り釣銭額を増加することができる。これによって、例えば、精算の際、１０００円未満の硬貨を受け取ることを拒否したい場合になどに、預り釣銭額がちょうど１０００円単位になるように入金することで、硬貨を受け取ることなく精算を行うことができる。さらに、預り釣銭額を増額しておくことで、次回の買物時に現金の支払いを少なくすることも可能になる。
【００６０】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【００６１】
同様に、商品価格特定情報として、例えば、商品価格情報そのものや、商品にとりつけられた記憶媒体や商品に貼付されるか印刷されたバーコードを読み込んで得られた商品を識別するためのＩＤが例示できる。ＩＤとすれば、ネットワーク上の商品価格情報を記録したいずれかの装置とこの装置の商品価格情報の記録エリアを特定するポインターをこのＩＤと対応付けて指定し、この記録エリアから商品価格情報を読み出すこともできる。商品価格特定情報は単一の情報形態とは限定できないため、この発明では商品価格特定情報が特定できればよい。
【００６２】
請求項１５記載の発明は、前記預り釣銭支払ステップで支払う金種が所定金種以上であり、前記第３の預り釣銭情報更新ステップで更新する預り釣銭情報が所定金種未満であることを特徴とする請求項１４、１２７、１２８、１２９のいずれか１項記載の代金決済精算方法である。
請求項１５記載の代金決済精算方法によれば、所定金種未満、例えば、１０００円未満の預り釣銭を精算せずに、預り釣銭として更新することで、精算処理を使用する頻度が減少するため、精算処理を迅速に行うことができる。また、所定金種未満の預り釣銭を精算せずに貯留することで、店舗の再利用率を向上させることができる。
【００６３】
そして、例えば１０００円以上の金種を返却することで、預り釣銭にする顧客の負担感を軽減できる。この所定金種の設定は、顧客毎に設定可能としてもよく、この場合、顧客毎に負担感のない預り釣銭を設定することができる。また、所定金種の設定は、店舗一律としてもよく、この場合、精算処理の払出金種を少なくできる。
【００６４】
また、例えば、所定条件が成立しない場合には、預り釣銭支払ステップで支払う金種が所定金種以上であり、前記第２の預り釣銭情報更新ステップで更新する預り釣銭情報が所定金種未満とし、所定条件が成立する場合には、読み出された預り釣銭特定情報によって特定される所定金種未満の預り釣銭を返却するようにしてもよい。このようにすることで、例えば、その顧客がタバコを買うための小銭を入用とする場合にその小銭を返却することができる。
【００６５】
なお、所定条件とは、例えば、記憶媒体読取ステップで読み取られた預り釣銭情報が所定の金額に満たない場合に、精算を行わずに前記記憶媒体を返却した後、再び前記記憶媒体を前記記憶媒体受入ステップに受け入れて前記記憶媒体読取ステップによって読み取った結果同じ記憶媒体である場合や、記憶媒体読取ステップで読み出した預り釣銭特定情報によって特定される預り釣銭の額が所定金種未満の場合などが例示できる。
【００６６】
請求項１６記載の発明は、前記代金決済精算システムにおける第１の預り釣銭情報更新ステップで預けられる釣銭は、釣銭全額であることを特徴とする請求項１０乃至１５、１２６乃至１２９のいずれか１項記載の代金決済精算方法である。
【００６７】
請求項１６記載の代金決済精算方法によれば、預り釣銭情報更新ステップで預けられる釣銭は、釣銭全額であるので、代金決済処理では、釣銭を返却する機能が不要となる。また、全額精算するか否か、預り釣銭を行うか否かについて顧客毎に設定可能としてもよい。この場合、顧客毎の価値観に合わせることができるので、例えば、預り釣銭を行いたくない顧客であっても対応することができ、そのような顧客の来店意欲を損なわずに済む。
【００６８】
請求項１７記載の発明は、前記記憶媒体を発行可能な発行ステップを有する発行方法をさらに具備することを特徴とする請求項１０乃至１６いずれか１項記載の代金決済精算方法である。
【００６９】
請求項１７記載の代金決済精算方法によれば、記憶媒体を発行可能な発行処理をさらに備えることで、会員カードの発行、代金決済、預り釣銭の精算といった一連の代金決済処理を行うことができる。
【００７０】
請求項１８記載の発明は、前記記憶媒体を初期化し、使用不可とする解約ステップを有する解約方法をさらに具備することを特徴とする請求項１０乃至１７、１２６乃至１２９のいずれか１項いずれか１項記載の代金決済精算方法である。
【００７１】
請求項１８記載の代金決済精算方法によれば、解約処理をさらに備え、解約された記憶媒体を使用できないように処理することができ、解約後に精算処理を行うことを防止することができる。ここで、初期化とは、全情報を削除して所定の値にする場合、所定の情報のみを使用不可能な所定の値とする場合が例示できる。この所定の情報のみを使用不可能な所定の値とする場合には、例えば、その使用させない情報のＦＬＧを書き換え、利用不可能とすることができる。初期化として何らかの情報を書き込むことで後程その情報を読み出した際に代金決済精算処理にて使用不可能であれば本発明に含まれる。
【００７２】
請求項１９記載の発明は、預り釣銭情報を特定可能な預り釣銭特定情報が記憶された記憶媒体を受け入れる記憶媒体受入手段と、前記記憶媒体受入手段で受け入れられた記憶媒体の預り釣銭特定情報を読み取る記憶媒体読取手段と、前記記憶媒体読取手段で読み取られた預り釣銭特定情報で特定される預り釣銭情報に基づいて、預り釣銭を支払う預り釣銭支払手段と、前記預り釣銭の支払に対応して、預り釣銭情報を更新する預り釣銭情報更新手段とを備えることを特徴とする精算機である。
【００７３】
請求項１９記載の精算機によれば、預り釣銭情報を特定可能な預り釣銭特定情報が記憶された記憶媒体を受け入れ、その預り釣銭情報に基づいて、預り釣銭を支払うことができる。ここで、記憶媒体として、例えば、非接触型の記憶媒体としての機能と、磁気カードとしての機能を兼ね備えたカード形状の記憶媒体などが用いられる。
【００７４】
請求項２０記載の発明は、前記預り釣銭支払手段で支払う金種が所定金種以上であり、前記預り釣銭情報更新手段で更新する預り釣銭情報が所定金種未満であることを特徴とする請求項１９、１４１、１４２のいずれか１項記載の精算機である。
【００７５】
請求項２０記載の精算機によれば、所定金種未満、例えば、１０００円未満の預り釣銭を精算せずに、預り釣銭として更新することで、精算機を使用する頻度が減少するため、精算処理を迅速に行うことができ、精算機の台数を少なくできる。また、所定金種未満の預り釣銭を精算せずに貯留することで、店舗の再利用率を向上させることができる。そして、例えば１０００円以上の金種を返却することで、預り釣銭にする顧客の負担感を軽減できる。この所定金種の設定は、顧客毎に設定可能としてもよく、この場合、顧客毎に負担感のない預り釣銭を設定することができる。また、所定金種の設定は、店舗一律としてもよく、この場合、精算機の払出金種を少なくできるので精算機の価格を下げることができる。
【００７６】
また、例えば、所定条件が成立しない場合には、預り釣銭支払手段で支払う金種が所定金種以上であり、前記第２の預り釣銭情報更新手段で更新する預り釣銭情報が所定金種未満とし、所定条件が成立する場合には、読み出された預り釣銭特定情報によって特定される所定金種未満の預り釣銭を返却するようにしてもよい。このようにすることで、例えば、その顧客がタバコを買うための小銭を入用とする場合にその小銭を返却することができる。
【００７７】
なお、所定条件とは、例えば、記憶媒体読取手段で読み取られた預り釣銭情報が所定の金額に満たない場合に、精算を行わずに前記記憶媒体を返却した後、再び前記記憶媒体を前記記憶媒体受入手段に受け入れて前記記憶媒体読取手段によって読み取った結果同じ記憶媒体である場合や、記憶媒体読取手段で読み出した預り釣銭特定情報によって特定される預り釣銭の額が所定金種未満の場合などが例示できる。
【００７８】
請求項２１記載の発明は、前記記憶媒体読取手段で読み取られた預り釣銭情報が所定の金額に満たない場合に、精算を行わずに前記記憶媒体を返却することを特徴とする請求項１９、１４１、１４２のいずれか１項記載の精算機である。
【００７９】
請求項２１記載の精算機によれば、預り釣銭情報が所定の金額に満たない場合（例えば、１０００円未満の場合）に、預り釣銭の精算を行わずに記憶媒体を返却することで、精算機を使用する頻度が減少するため、精算処理を迅速に行うことができる。また、所定金種未満の預り釣銭を精算せずに貯留することで、店舗の再利用率を向上させることができる。
【００８０】
請求項２２記載の発明は、前記記憶媒体読取手段で読み取られた預り釣銭情報が所定の金額に満たない場合に、精算を行わずに前記記憶媒体を返却し、所定条件が成立する場合に、前記記憶媒体読取手段で読み取られた預り釣銭特定情報で特定される預り釣銭情報に基づいて、預り釣銭を全額支払うことを特徴とする請求項２１記載の精算機である。
【００８１】
請求項２２記載の精算機によれば、例えば、預り釣銭が所定の金額以下の場合には精算処理を行わないことが設定されている場合でも、所定条件が成立した場合には、預り釣銭が所定の金額に満たなくても精算処理を行うことができる。これによって、全額精算したいという会員顧客の要求を満たすことができる。
【００８２】
なお、例えば、記憶媒体読取手段で読み取られた預り釣銭情報が所定の金額に満たない場合に、精算を行わずに前記記憶媒体を返却した後、再び前記記憶媒体を前記記憶媒体受入手段に受け入れて前記記憶媒体読取手段によって読み取った結果同じ記憶媒体である場合や、記憶媒体読取手段で読み出した預り釣銭特定情報によって特定される預り釣銭の額が所定金種未満の場合などが例示できる。
【００８３】
請求項２３記載の発明は、前記預り釣銭支払手段が、前記記憶媒体読取手段で読み取られた預り釣銭情報に基づいて、預り釣銭を全額支払うことを特徴とする請求項１９、１４１、１４２のいずれか１項記載の精算機である。
【００８４】
請求項２３記載の精算機によれば、預り釣銭を全額精算することができるので、例えば、顧客が一旦預り釣銭を全額精算したいという要望がある場合には、その要望に対応することができる。また、全額精算することができ、店員などによる人為的な精算処理をすることがないので、店員の作業効率を向上させることができる。さらに、全額精算するか否か、預り釣銭を行うか否かについて顧客毎に設定可能としてもよい。この場合、顧客毎の価値観に合わせることができるので、例えば、預り釣銭を行いたくない顧客であっても対応することができ、そのような顧客の来店意欲を損なわずに済む。
【００８５】
請求項２４記載の発明は、前記記憶媒体読取手段で読み取られた預り釣銭情報が所定の金額に満たない場合に、精算を行わずに前記記憶媒体を返却する精算不可モードと、前記預り釣銭支払手段が、前記記憶媒体読取手段で読み取られた預り釣銭情報に基づいて、預り釣銭を全額支払う全額精算モードとを有し、前記精算不可モードまたは前記全額精算モードを選択する精算モード選択手段をさらに具備したことを特徴とする請求項１９、１４１、１４２のいずれか１項記載の精算機である。
【００８６】
請求項２４記載の精算機によれば、精算モード選択手段を設けることによって、精算不可モードや全額精算モードなどを設定することができるので、顧客の用途に応じたモード設定が可能になる。また、預り釣銭情報が所定の金額に満たない場合に、精算を行わずに前記記憶媒体を返却する精算不可モードとしながらも、今回に限り預り釣銭を返金したい場合に対応する統一再挿入時返済モードや会員毎再挿入時返済モードなどを備えることもできる。
【００８７】
請求項２５記載の発明は、前記精算不可モードおよび前記全額精算モードは、顧客毎に設定可能なことを特徴とする請求項２４記載の精算機である。
【００８８】
請求項２５記載の精算機によれば、精算不可モードおよび全額精算モードの設定は、例えば、記憶媒体として機能する会員カードの発行時に、会員顧客毎に異なる設定とすることができる。
【００８９】
請求項２６記載の発明は、貨幣を受け入れる貨幣受入手段と、前記貨幣受入手段で受け入れられた貨幣を識別する貨幣識別手段と、前記記憶媒体読取手段で読み取られた預り釣銭特定情報で特定される預り釣銭情報に前記貨幣識別手段で識別された金額情報を加え、預り釣銭情報を更新する第２の預り釣銭情報更新手段とをさらに具備することを特徴とする請求項１９乃至２５いずれか記載の精算機である。
【００９０】
請求項２６記載の精算機によれば、精算機に貨幣受入手段を備え、精算機に貨幣を入金することで、預り釣銭額を増加することができる。これによって、例えば、精算の際、１０００円未満の硬貨を受け取ることを拒否したい場合になどに、預り釣銭額がちょうど１０００円単位になるように入金することで、硬貨を受け取ることなく精算を行うことができる。さらに、預り釣銭額を増額しておくことで、次回の買物時に現金の支払いを少なくすることも可能になる。
【００９１】
請求項２７記載の発明は、前記第２の預り釣銭情報更新手段によって更新された預り釣銭情報に基づいて、預り釣銭を支払う預り釣銭支払手段と、前記預り釣銭の支払に対応して、前記第２の預り釣銭情報更新手段によって更新された預り釣銭情報を更新する第３の預り釣銭情報更新手段とをさらに具備することを特徴とする請求項２６記載の精算機である。
【００９２】
請求項２７記載の精算機によれば、第２の預り釣銭情報更新手段によって更新された預り釣銭情報に基づいて、預り釣銭が支払われた後の情報を更新することで、常に最新の預り釣銭情報を管理することができる。
【００９３】
請求項２８記載の発明は、預り釣銭情報を特定可能な預り釣銭特定情報が記憶された記憶媒体を受け入れる記憶媒体受入ステップと、前記記憶媒体受入ステップで受け入れられた記憶媒体の預り釣銭特定情報を読み取る記憶媒体読取ステップと、前記記憶媒体読取ステップで読み取られた預り釣銭特定情報で特定される預り釣銭情報に基づいて、預り釣銭を支払う預り釣銭支払ステップと、前記預り釣銭の支払に対応して、預り釣銭情報を更新する預り釣銭情報更新ステップとを備えることを特徴とする精算方法である。
【００９４】
請求項２８記載の精算方法によれば、預り釣銭情報を特定可能な預り釣銭特定情報が記憶された記憶媒体を受け入れ、その預り釣銭情報に基づいて、預り釣銭を支払うことができる。ここで、記憶媒体として、例えば、非接触型の記憶媒体としての機能と、磁気カードとしての機能を兼ね備えたカード形状の記憶媒体などが用いられる。
【００９５】
請求項２９記載の発明は、前記預り釣銭支払ステップで支払う金種が所定金種以上であり、前記預り釣銭情報更新ステップで更新する預り釣銭情報が所定金種未満であることを特徴とする請求項２８、１５０、１５１のいずれか１項記載の精算方法である。
【００９６】
請求項２９記載の精算方法によれば、所定金種未満、所定金種未満、例えば、１０００円未満の預り釣銭を精算せずに、預り釣銭として更新することで、精算処理を使用する頻度が減少するため、精算処理を迅速に行うことができる。また、所定金種未満の預り釣銭を精算せずに貯留することで、店舗の再利用率を向上させることができる。そして、例えば１０００円以上の金種を返却することで、預り釣銭にする顧客の負担感を軽減できる。この所定金種の設定は、顧客毎に設定可能としてもよく、この場合、顧客毎に負担感のない預り釣銭を設定することができる。また、所定金種の設定は、店舗一律としてもよく、この場合、精算処理の払出金種を少なくできる。
【００９７】
また、例えば、所定条件が成立しない場合には、預り釣銭支払ステップで支払う金種が所定金種以上であり、前記預り釣銭情報更新ステップで更新する預り釣銭情報が所定金種未満とし、所定条件が成立する場合には、読み出された預り釣銭特定情報によって特定される所定金種未満の預り釣銭を返却するようにしてもよい。このようにすることで、例えば、その顧客がタバコを買うための小銭を入用とする場合にその小銭を返却することができる。
【００９８】
なお、所定条件とは、例えば、記憶媒体読取ステップで読み取られた預り釣銭情報が所定の金額に満たない場合に、精算を行わずに前記記憶媒体を返却した後、再び前記記憶媒体を前記記憶媒体受入ステップに受け入れて前記記憶媒体読取ステップによって読み取った結果同じ記憶媒体である場合や、記憶媒体読取ステップで読み出した預り釣銭特定情報によって特定される預り釣銭の額が所定金種未満の場合などが例示できる。
【００９９】
請求項３０記載の発明は、前記記憶媒体読取ステップで読み取られた預り釣銭情報が所定の金額に満たない場合に、精算を行わずに前記記憶媒体を返却することを特徴とする請求項２８、１５０、１５１のいずれか１項記載の精算方法である。
【０１００】
請求項３０記載の精算方法によれば、預り釣銭情報が所定の金額に満たない場合（例えば、１０００円未満の場合）に、預り釣銭の精算を行わずに記憶媒体を返却することで、精算処理を迅速に行うことができる。また、所定金種未満の預り釣銭を精算せずに貯留することで、店舗の再利用率を向上させることができる。
【０１０１】
請求項３１記載の発明は、前記記憶媒体読取ステップで読み取られた預り釣銭情報が所定の金額に満たない場合に、精算を行わずに前記記憶媒体を返却し、所定条件が成立する場合に、前記記憶媒体読取ステップで読み取られた預り釣銭特定情報で特定される預り釣銭情報に基づいて、預り釣銭を全額支払うことを特徴とする請求項３０記載の精算方法である。
【０１０２】
請求項３１記載の精算方法によれば、例えば、預り釣銭が所定の金額以下の場合には精算処理を行わないことが設定されている場合でも、所定条件が成立する場合には、預り釣銭が所定の金額に満たなくても精算処理を行うことができる。これによって、全額精算したいという会員顧客の要求を満たすことができる。
【０１０３】
なお、所定条件とは、例えば、記憶媒体読取ステップで読み取られた預り釣銭情報が所定の金額に満たない場合に、精算を行わずに前記記憶媒体を返却した後、再び前記記憶媒体を前記記憶媒体受入ステップに受け入れて前記記憶媒体読取ステップによって読み取った結果同じ記憶媒体である場合や、記憶媒体読取ステップで読み出した預り釣銭特定情報によって特定される預り釣銭の額が所定金種未満の場合などが例示できる。
【０１０４】
請求項３２記載の発明は、前記預り釣銭支払ステップが、前記記憶媒体読取ステップで読み取られた預り釣銭情報に基づいて、預り釣銭を全額支払うことを特徴とする請求項２８、１５０、１５１のいずれか１項記載の精算方法である。
【０１０５】
請求項３２記載の精算方法によれば、預り釣銭を全額精算することができるので、例えば、顧客が一旦預り釣銭を全額精算したいという要望がある場合には、その要望に対応することができる。また、全額精算することができ、店員などによる人為的な精算処理をすることがないので、店員の作業効率を向上させることができる。さらに、全額精算するか否か、預り釣銭を行うか否かについて顧客毎に設定可能としてもよい。この場合、顧客毎の価値観に合わせることができるので、例えば、預り釣銭を行いたくない顧客であっても対応することができ、そのような顧客の来店意欲を損なわずに済む。
【０１０６】
請求項３３記載の発明は、前記記憶媒体読取ステップで読み取られた預り釣銭情報が所定の金額に満たない場合に、精算を行わずに前記記憶媒体を返却する精算不可モードと、前記預り釣銭支払ステップが、前記記憶媒体読取ステップで読み取られた預り釣銭情報に基づいて、預り釣銭を全額支払う全額精算モードとを有し、前記精算不可モードまたは前記全額精算モードを選択する精算モード選択ステップをさらに具備したことを特徴とする請求項２８、１５０、１５１のいずれか１項記載の精算方法である。
【０１０７】
請求項３３記載の精算方法によれば、精算モード選択手段を設けることによって、精算不可モードや全額精算モードなどを設定することができるので、会員顧客の用途に応じたモード設定が可能になる。また、預り釣銭情報が所定の金額に満たない場合に、精算を行わずに前記記憶媒体を返却する精算不可モードとしながらも、今回に限り預り釣銭を返金したい場合に対応する統一再挿入時返済モードや会員毎再挿入時返済モードなどを備えることもできる。
【０１０８】
請求項３４記載の発明は、前記精算不可モードおよび前記全額精算モードは、顧客毎に設定可能なことを特徴とする請求項３３記載の精算方法である。
【０１０９】
請求項３４記載の精算方法によれば、精算不可モードおよび全額精算モードの設定は、例えば、記憶媒体として機能する会員カードの発行時に、会員顧客毎に異なる設定とすることができる。
【０１１０】
請求項３５記載の発明は、貨幣を受け入れる貨幣受入ステップと、前記貨幣受入ステップで受け入れられた貨幣を識別する貨幣識別ステップと、前記記憶媒体読取ステップで読み取られた預り釣銭特定情報で特定される預り釣銭情報に前記貨幣識別ステップで識別された金額情報を加え、預り釣銭情報を更新する第２の預り釣銭情報更新ステップとをさらに具備することを特徴とする請求項２７乃至３４いずれか記載の精算方法である。
【０１１１】
請求項３５記載の精算方法によれば、精算処理に貨幣受入ステップを備え、貨幣を入金することで、預り釣銭額を増加することができる。これによって、例えば、精算の際、１０００円未満の硬貨を受け取ることを拒否したい場合になどに、預り釣銭額がちょうど１０００円単位になるように入金することで、硬貨を受け取ることなく精算を行うことができる。さらに、預り釣銭額を増額しておくことで、次回の買物時に現金の支払いを少なくすることも可能になる。
【０１１２】
請求項３６記載の発明は、前記第２の預り釣銭情報更新ステップによって更新された預り釣銭情報に基づいて、預り釣銭を支払う預り釣銭支払ステップと、前記預り釣銭の支払に対応して、前記第２の預り釣銭情報更新ステップによって更新された預り釣銭情報を更新する第３の預り釣銭情報更新ステップとをさらに具備することを特徴とする請求項３５記載の精算方法である。
【０１１３】
請求項３６記載の精算方法によれば、第２の預り釣銭情報更新ステップによって更新された預り釣銭情報に基づいて、預り釣銭が支払われた後の情報を更新することで、常に最新の預り釣銭情報を管理することができる。
【０１１４】
請求項３７記載の発明は、貨幣を受け入れる貨幣受入手段と、前記貨幣受入手段で受け入れられた貨幣を識別する貨幣識別手段と、前記貨幣識別手段で識別された貨幣を搬送する貨幣搬送手段と、所定の位置に情報を記録する記録部が設けられ、前記貨幣搬送手段によって搬送された貨幣を収納する着脱可能に取り付けられた貨幣収納手段と、前記貨幣収納手段に設けられた記録部からの情報の読み取りおよび／または該記録部への情報の書き込みが可能な情報読取書込手段とを具備することを特徴とする貨幣識別装置である。
【０１１５】
請求項３７記載の貨幣識別装置によれば、店員が貨幣収納手段内の貨幣に触ることなく、貨幣収納手段ごと回収し、会計責任者に貨幣収納手段を手渡す作業で済むので、貨幣の紛失、店員による不正行為などを防止することができ、現金一元管理が可能になる。また、貨幣収納手段に記録部を配設し、この記録部に、貨幣収納手段に収納された紙幣の種類、数量などを記録することができる。
【０１１６】
なお、記録部としては、電波により非接触で交信可能なＲＦＩＤ（Radio Frequency Identificaion)や、磁気記録媒体が例示できる。ＲＦＩＤを用いる場合には、これを取り付ける貨幣収納手段全体、取り付け部位の周囲、貨幣収納手段が筐体であれば取り付け面は、金属部材ではなく、合成樹脂部材などの透磁率のよい材料であることが好ましい。
【０１１７】
請求項３８記載の発明は、前記貨幣収納手段が、所定の照合情報に基づいて取り外し可能となることを特徴とする請求項３７記載の貨幣識別装置である。
【０１１８】
請求項３８記載の貨幣識別装置によれば、所定の照合情報に基づいて貨幣収納手段を取り外すことができる。ここで、所定の照合情報に基づいて取り外し可能となるとは、貨幣収納手段が貨幣識別装置内に電気的に施錠された錠機能部を介して収納されている場合には、例えば、店員カードのＩＤかつ暗証番号などの情報が適合し施錠が解除され、貨幣収納手段が貨幣識別装置から持ち出し可能になることをいう。また、貨幣収納手段が貨幣識別装置内に鍵よって施錠された錠機能部を介して収納されている場合には、例えば、鍵が適合し施錠が解除され、貨幣収納手段が貨幣識別装置から持ち出し可能になることをいう。
【０１１９】
請求項３９記載の発明は、前記記録部が、少なくとも前記貨幣収納手段に収納された貨幣情報を記録することを特徴とする請求項３７または３８記載の貨幣識別装置である。
【０１２０】
請求項３９記載の貨幣識別装置によれば、貨幣収納手段に収納された貨幣情報を記録することができるので、この貨幣情報を、貨幣収納手段に収納された貨幣を集計する際の予備的情報として参照することができる。
【０１２１】
請求項４０記載の発明は、前記記録部が、少なくとも貨幣識別装置を取り扱う担当者に対応する担当者情報を記録することを特徴とする請求項３７乃至３９のいずれか１項記載の貨幣識別装置である。
【０１２２】
請求項４０記載の貨幣識別装置によれば、貨幣収納手段の記録部には、装置を取り扱う店員の情報などを記録することができ、店員による不正行為などを防止することができる。
【０１２３】
請求項４１記載の発明は、前記記録部が、少なくとも記録する情報を日時情報とともに記録することを特徴とする請求項３７乃至４０のいずれか１項記載の貨幣識別装置である。
【０１２４】
請求項４１記載の貨幣識別装置によれば、記録する情報を日時情報とともに記録することができるので、時系列的に情報を処理することなどができる。
【０１２５】
請求項４２記載の発明は、前記記録部が、少なくとも貨幣識別装置になされた貨幣識別装置取扱情報を記録することを特徴とする請求項３７乃至４１のいずれか１項記載の貨幣識別装置である。
【０１２６】
請求項４２記載の貨幣識別装置によれば、貨幣識別装置取扱情報を記録することができるので、貨幣識別装置が取り扱われた各種履歴情報を把握することができる。なお、貨幣識別装置取扱情報とは、例えば、貨幣識別装置の開閉ドアの施錠を解除した店員のＩＤや施錠した時刻、貨幣識別装置を操作する店員ＩＤ情報、電源ＯＮ−ＯＦＦ情報、貨幣収納手段交換情報、日時情報、店員交代に伴う店員ＩＤ情報などのことであるが、これらに限るものではなく、貨幣識別装置を取り扱うための情報で、必要な情報であればその情報も含むものとする。
【０１２７】
請求項４３記載の発明は、前記記録部に記録可能な情報を印字または表示により出力可能な情報出力手段をさらに具備することを特徴とする請求項３７乃至４３のいずれか１項記載の貨幣識別装置である。
【０１２８】
請求項４３記載の貨幣識別装置によれば、記録部に記録された情報を印字するプリント機能が備えられているので、実際に、貨幣収納手段内の紙幣の種類、数量を計数した計数結果との照合が可能であり、適確な集計を行うことができる。
【０１２９】
請求項４４記載の発明は、前記記録部が、少なくとも前記貨幣収納手段に収納すべき貨幣の金種に対応する貨幣金種情報を有していることを特徴とする請求項３７乃至４３のいずれか１項記載の貨幣識別装置である。
【０１３０】
請求項４４記載の貨幣識別装置によれば、記録部が貨幣収納手段に収納すべき貨幣の金種に対応する貨幣金種情報を有しているので、例えば、貨幣収納手段の設置に伴い、取り扱える金種情報を得ることができるので、取り扱い上の便宜を図ることができる。
【０１３１】
請求項４５記載の発明は、前記記録部が、少なくとも前記記録部が設けられた貨幣収納手段および前記貨幣収納手段が配置された貨幣識別装置を特定可能な設置装置特定情報を有していることを特徴とする請求項３７乃至４４のいずれか１項記載の貨幣識別装置である。
【０１３２】
請求項４５記載の貨幣識別装置によれば、記録部が、記録部が設けられた貨幣収納手段および貨幣収納手段が配置された貨幣識別装置を特定可能な設置装置特定情報を有しているので、複数の貨幣収納手段が混在する中でも、その貨幣収納手段がどの貨幣識別装置に設置されていたものかを的確に判断することができる。
【０１３３】
請求項４６記載の発明は、預り釣銭情報を特定可能な預り釣銭特定情報が記憶された記憶媒体を受け入れる記憶媒体受入手段と、前記記憶媒体受入手段で受け入れられた記憶媒体の預り釣銭特定情報を読み取る記憶媒体読取手段と、少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、貨幣を受け入れる貨幣受入手段と、前記貨幣受入手段で受け入れられた貨幣を識別する貨幣識別手段と、前記貨幣識別手段で識別された貨幣を搬送する貨幣搬送手段と、所定の位置に情報を記録する記録部が設けられ、前記貨幣搬送手段によって搬送された貨幣を収納する着脱可能に取り付けられた貨幣収納手段と、前記貨幣収納手段に設けられた記録部からの情報の読み取りおよび／または該記録部への情報の書き込みが可能な情報読取書込手段と、前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する預り釣銭情報更新手段とを具備することを特徴とする代金決済装置である。
【０１３４】
請求項４６記載の代金決済装置によれば、店員が貨幣収納手段内の紙幣に触ることなく、貨幣収納手段ごと回収し、会計責任者に貨幣収納手段を手渡す作業で済むので、紙幣の紛失、店員による不正行為などを防止することができ、現金一元管理が可能になる。また、貨幣収納手段に記録部を配設し、この記録部に、貨幣収納手段に収納された紙幣の種類、数量などを記録することができる。ここで、記憶媒体として、例えば、非接触型の記憶媒体としての機能と、磁気カードとしての機能を兼ね備えたカード形状の記憶媒体などが用いられる。また、商品情報入力装置は、例えば、バーコードリーダなどで構成される。また、商品情報入力装置は、商品の数量や価格の商品情報をテンキーや商品名のシールを貼ったキー群などを有するキーボードなどの入力手段で構成することもできる。さらに、商品情報入力装置は、バーコードリーダなどに、商品の数量や価格の商品情報をテンキーや商品名のシールを貼ったキー群などを有するキーボードなどの入力手段を併設して構成することもできる。この商品情報入力装置は、代金決済装置と通信回線を介して別体として備えられても、また、代金決済装置に組み込んで一体的に設けられてもよい。
【０１３５】
また、商品情報入力装置からの商品価格特定情報は、通信回線を介して直接、代金決済装置に入力しても、レジスタとしての機能を備えるレジスタ装置（ＰＯＳ）などで構成される売上情報集計装置を通し、売上情報集計装置で集計された売上情報を代金決済装置に入力してもよい。商品情報入力装置からの商品価格特定情報を直接、代金決済装置に入力する場合には、代金決済装置の売上情報収得手段は、その商品価格特定情報に基づいて売上情報を集計するレジスタとしての機能を備える。  
【０１３６】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０１３７】
同様に、商品価格特定情報として、例えば、商品価格情報そのものや、商品にとりつけられた記憶媒体や商品に貼付されるか印刷されたバーコードを読み込んで得られた商品を識別するためのＩＤが例示できる。ＩＤとすれば、ネットワーク上の商品価格情報を記録したいずれかの装置とこの装置の商品価格情報の記録エリアを特定するポインターをこのＩＤと対応付けて指定し、この記録エリアから商品価格情報を読み出すこともできる。商品価格特定情報は単一の情報形態とは限定できないため、この発明では商品価格特定情報が特定できればよい。
【０１３８】
また、記録部としては、電波により非接触で交信可能なＲＦＩＤ（Radio Frequency Identificaion)や、磁気記録媒体が例示できる。ＲＦＩＤを用いる場合には、これを取り付ける貨幣収納手段全体、取り付け部位の周囲、貨幣収納手段が筐体であれば取り付け面は、金属部材ではなく、合成樹脂部材などの透磁率のよい材料であることが好ましい。
【０１３９】
請求項４７記載の発明は、前記貨幣収納手段が、所定の照合情報に基づいて取り外し可能となることを特徴とする請求項４６、１５９、１６１のいずれか１項記載の代金決済装置である。
【０１４０】
請求項４７記載の代金決済装置によれば、所定の照合情報に基づいて貨幣収納手段を取り外すことができる。ここで、所定の照合情報に基づいて取り外し可能となるとは、貨幣収納手段が代金決済装置内に電気的に施錠された錠機能部を介して収納されている場合には、例えば、店員カードのＩＤかつ暗証番号などの情報が適合し施錠が解除され、貨幣収納手段が代金決済装置から持ち出し可能になることをいう。また、貨幣収納手段が代金決済装置内に鍵よって施錠された錠機能部を介して収納されている場合には、例えば、鍵が適合し施錠が解除され、貨幣収納手段が代金決済装置から持ち出し可能になることをいう。
【０１４１】
請求項４８記載の発明は、前記代金決済装置が、前記記憶媒体受入手段で受け入れられた記憶媒体のポイント特定情報を読み取るポイント読取手段と、所定のポイント付与情報および前記ポイント読取手段で読み取られたポイント特定情報から特定されるポイント情報に基づいて、前記ポイント情報を更新するポイント情報更新手段とをさらに具備することを特徴とする請求項４６、４７、１５９、１６１のいずれか１項記載の代金決済装置である。
【０１４２】
請求項４８記載の代金決済装置によれば、店員カードを用いて代金決済処理を行う会員顧客に対して各種ポイントを付与して特典を与えることで、会員顧客数の増加を図ることができる。ここで、所定のポイントとは、例えば、商品購入によって付与されるポイント、来店ポイント、イベントポイント、雨の日ポイント、レディースポイント、時間帯ポイント、曜日ポイントなど様々なポイントが含まれる。そして、これらのポイントは、精算時に現金化することもできる。
【０１４３】
請求項４９記載の発明は、前記記録部が、少なくとも前記貨幣収納手段に収納された貨幣情報を記録することを特徴とする請求項４６乃至４８、１５９、１６１のいずれか１項記載の代金決済装置である。
【０１４４】
請求項４９記載の代金決済装置によれば、貨幣収納手段に収納された貨幣情報を記録することができるので、この貨幣情報を、貨幣収納手段に収納された貨幣を集計する際の予備的情報として参照することができる。
【０１４５】
請求項５０記載の発明は、前記記録部が、少なくとも代金決済装置を取り扱う担当者に対応する担当者情報を記録することを特徴とする請求項４６乃至４９、１５９、１６１のいずれか１項記載の代金決済装置である。
【０１４６】
請求項５０記載の代金決済装置によれば、貨幣収納手段の記録部には、装置を取り扱う店員の情報などを記録することができ、店員による不正行為などを防止することができる。
【０１４７】
請求項５１記載の発明は、前記記録部が、少なくとも記録する情報を日時情報とともに記録することを特徴とする請求項４６乃至５０、１５９、１６１のいずれか１項記載の代金決済装置である。
【０１４８】
請求項５１記載の代金決済装置によれば、記録する情報を日時情報とともに記録することができるので、時系列的に情報を処理することなどができる。
【０１４９】
請求項５２記載の発明は、前記記録部が、少なくとも代金決済装置になされた代金決済装置取扱情報を記録することを特徴とする請求項４６乃至５１、１５９、１６１のいずれか１項記載の代金決済装置である。
【０１５０】
請求項５２記載の代金決済装置によれば、代金決済装置取扱情報を記録することができるので、代金決済装置が取り扱われた各種履歴情報を把握することができる。なお、代金決済装置取扱情報とは、例えば、代金決済装置の開閉ドアの施錠を解除した店員のＩＤや施錠した時刻、代金決済装置を操作する店員ＩＤ情報、電源ＯＮ−ＯＦＦ情報、貨幣収納手段交換情報、日時情報、店員交代に伴う店員ＩＤ情報などのことであるが、これらに限るものではなく、代金決済装置を取り扱うための情報で、必要な情報であればその情報も含むものとする。
【０１５１】
請求項５３記載の発明は、前記記録部に記録可能な情報を印字または表示により出力可能な情報出力手段をさらに具備することを特徴とする請求項４６乃至５２、１５９、１６１のいずれか１項記載の代金決済装置である。
【０１５２】
請求項５３記載の代金決済装置によれば、記録部に記録された情報を印字する情報出力手段として、例えば、プリント機能が備えられているので、実際に、貨幣収納手段内の紙幣の種類、数量を計数した計数結果との照合が可能であり、適確な集計を行うことができる。また、情報出力手段から顧客に対して顧客が購入した商品の明細を印字したレシートを発行することもできる。
【０１５３】
請求項５４記載の発明は、前記記録部が、少なくとも前記貨幣収納手段に収納すべき貨幣の金種に対応する貨幣金種情報を有していることを特徴とする請求項４６乃至５３、１５９、１６１のいずれか１項記載の代金決済装置である。
【０１５４】
請求項５４記載の代金決済装置によれば、記録部が貨幣収納手段に収納すべき貨幣の金種に対応する貨幣金種情報を有しているので、例えば、貨幣収納手段の設置に伴い、取り扱える金種情報を得ることができるので、取り扱い上の便宜を図ることができる。
【０１５５】
請求項５５記載の発明は、前記記録部が、前記記録部が設けられた貨幣収納手段および前記貨幣収納手段が配置された代金決済装置を特定可能な設置装置特定情報を有していることを特徴とする請求項４６乃至５４、１５９、１６１のいずれか１項記載の代金決済装置である。
【０１５６】
請求項５５記載の代金決済装置によれば、記録部が、記録部が設けられた貨幣収納手段および貨幣収納手段が配置された代金決済装置を特定可能な設置装置特定情報を有しているので、複数の貨幣収納手段が混在する中でも、その貨幣収納手段がどの代金決済装置に設置されていたものかを的確に判断することができる。
【０１５７】
請求項５６記載の発明は、買物かごが所定位置に配置されたことを検知すると該買物かごをロックし、所定のロック解除情報に基づいてロックを解除することを特徴とする買物かごロック装置である。
【０１５８】
請求項５６記載の買物かごロック装置によれば、購入商品の代金決済装置による商品情報の読み取り処理が終了しても、代金決済装置に紙幣が挿入され、預り釣銭情報を更新するまでは代金決済処理が終了したことにはならず、その代金決済終了までの間に、購入商品が収容された買物かごが持ち出されるのを防止することができる。このようにすれば、例えば、店員がレジを離れた隙に決済の済んでいない商品を買物かごごと盗まれることがない。また、買物かごを外部に貸し出す場合に、買物かごの貸し出し処理を行う前に買物かごが持ち出され、買物かごの預り保証金を適切に処理できないなどの混乱の発生を防止することができ、代金決済処理を迅速に行うことができる。
【０１５９】
請求項５７記載の発明は、前記買物かごロック装置が、代金決済処理を行う代金決済装置と通信可能に接続され、前記所定のロック解除情報が、該代金決済装置から出力された売上情報の集計を完了したことに基づく集計完了情報であることを特徴とする請求項５６記載の買物かごロック装置である。
【０１６０】
請求項５７記載の買物かごロック装置によれば、代金決済装置から出力された売上情報の集計を完了したことに基づく集計完了情報でロックを解除することができ、買物かごを持ち出し可能に可能にすることができる。
【０１６１】
請求項５８記載の発明は、前記買物かごロック装置が、代金決済処理を行う代金決済装置と通信可能に接続され、該代金決済装置に、買物かごをロックしたことに基づく、ロック完了情報を出力することを特徴とする請求項５６または５７記載の買物かごロック装置である。
【０１６２】
請求項５８記載の買物かごロック装置によれば、買物かごロック装置によって代金決済装置に買物かごをロックしたことに基づく、ロック完了情報を出力することができるので、例えば、代金決済装置の表示部などでロック完了を確認することができ、代金決済処理の円滑化を図ることができる。
【０１６３】
請求項５９記載の発明は、前記買物かごロック装置が、買物かごの所定の位置に設けられた記憶媒体からの情報の読み取りおよび／または該記憶媒体への情報の書き込みが可能な情報読取書込手段をさらに具備することを特徴とする請求項５６乃至５８のいずれか１項記載の買物かごロック装置である。
【０１６４】
請求項５９記載の買物かごロック装置によれば、情報読取書込手段を設けることで、買物かごに設けられた記憶媒体と情報の交信をすることができ、買物かごにも様々な情報を持たせることができる。なお、記憶媒体からの情報の読み取りのみを行う場合には、例えば、買物かごのＩＤ情報を読み取り、そのＩＤ情報に基づいて、買物かごを貸し出すために預り保証金を徴収済みとした情報を管理装置や買物かごロック装置に記録してもよい。また、記憶媒体に情報の書き込みのみを行う場合には、例えば、貸し出すための買物かごの預り保証金を徴収済みとした情報を書き込むようにしてもよい。
【０１６５】
請求項６０記載の発明は、前記情報読取書込手段が、前記買物かごに設けられた記憶媒体に、外部への持出しを許可する許可情報を特定する許可特定情報を書き込むことを特徴とする請求項５９記載の買物かごロック装置である。
【０１６６】
請求項６０記載の買物かごロック装置によれば、記憶媒体に、外部への持出しを許可する許可情報を特定する許可特定情報を書き込むことで、例えば、許可なしに店外へ買物かごが持ち出されるのを防止することができる。
【０１６７】
請求項６１記載の発明は、前記情報読取書込手段が、前記買物かごに設けられた記憶媒体から読み出した情報に基づいて、外部への持出しを許可する許可特定情報を記録することを特徴とする請求項５９または６０記載の買物かごロック装置である。
【０１６８】
請求項６１記載の買物かごロック装置によれば、外部への持出しを許可する許可特定情報が記録された買物かごの情報を、管理装置などで管理し、例えば、店舗の出口などに設けられたリーダライタなどによってＩＤを読み込み、買物かごが店外への持ち出しが許可されているか否かを判定することができる。ここで、例えば、ブザーなどの警報装置を備え、店外への持ち出しが許可されていない買物かごが店舗の出口などに設けられたリーダライタなどを通過した場合には、その警報装置によって周囲の店員などにその情報を知らせることができる。また、店舗の出口などに設けられたリーダライタは、直接買物かご設けられた記憶媒体から許可特定情報を読み込んで、その買物かごが店外への持ち出しが許可されているか否かを判定してもよい。
【０１６９】
請求項６２記載の発明は、前記許可特定情報が、代金決済処理を行う代金決済装置から出力された売上情報の集計を完了したことに基づく集計完了情報に対応して記録されることを特徴とする請求項６０または６１記載の買物かごロック装置である。
【０１７０】
請求項６２記載の買物かごロック装置によれば、許可特定情報が、代金決済処理を行う代金決済装置から出力された売上情報の集計を完了したことに基づく集計完了情報に対応して記録されるので、代金決済処理途中のものなどに許可特定情報が記録されるのを防止することができる。
【０１７１】
請求項６３記載の発明は、前記情報読取書込手段が、買物かごを新たに貸し出す際に、該買物かごの貸し出しに対応する情報を、代金決済処理を行う代金決済装に出力することを特徴とする請求項５９乃至６２のいずれか１項記載の買物かごロック装置である。
【０１７２】
請求項６３記載の買物かごロック装置によれば、買物かごを新たに貸し出す際に、その買物かごの貸し出しに対応する情報を、代金決済処理を行う代金決済装に出力することで、確実に預り保証金を徴収することができる。また、会員顧客に対して貸し出している買物かごの数量を適確に管理することができる。
【０１７３】
請求項６４記載の発明は、貨幣を受け入れる貨幣受入ステップと、前記貨幣受入ステップで受け入れられた貨幣を識別する貨幣識別ステップと、前記貨幣識別ステップで識別された貨幣を搬送する貨幣搬送ステップと、前記貨幣搬送ステップによって搬送された貨幣を貨幣収納部に収納する貨幣収納ステップと、前記貨幣収納部に設けられた情報を記録する記録部に、少なくとも前記貨幣収納部に収納された貨幣に基づく情報を記録する貨幣情報記録ステップとを具備することを特徴とする貨幣識別方法である。
【０１７４】
請求項６４記載の貨幣識別方法によれば、店員が貨幣収納手段内の貨幣に触ることなく、貨幣収納部ごと回収し、会計責任者に貨幣収納部を手渡す作業で済むので、貨幣の紛失、店員による不正行為などを防止することができ、現金一元管理が可能になる。また、貨幣収納部に記録部を配設し、この記録部に、貨幣収納部に収納された紙幣の種類、数量などを記録することができる。
【０１７５】
なお、記録部としては、電波により非接触で交信可能なＲＦＩＤ（Radio Frequency Identificaion)や、磁気記録媒体が例示できる。ＲＦＩＤを用いる場合には、これを取り付ける貨幣収納部全体、取り付け部位の周囲、貨幣収納部が筐体であれば取り付け面は、金属部材ではなく、合成樹脂部材などの透磁率のよい材料であることが好ましい。
【０１７６】
請求項６５記載の発明は、所定の照合情報に基づいて前記貨幣収納部の取り出しを可能とすべく、前記貨幣収納部の固定機構を解除する固定機構解除ステップをさらに具備することを特徴とする請求項６４記載の貨幣識別方法である。
【０１７７】
請求項６５記載の貨幣識別方法によれば、所定の照合情報に基づいて貨幣収納部を取り外すことができる。ここで、所定の照合情報に基づいて取り外し可能となるとは、貨幣収納部が電気的に施錠された錠機能部を介して収納されている場合には、例えば、店員カードのＩＤかつ暗証番号などの情報が適合し施錠が解除され、貨幣収納部が持ち出し可能になることをいう。また、貨幣収納部が鍵よって施錠された錠機能部を介して収納されている場合には、例えば、鍵が適合し施錠が解除され、貨幣収納部が持ち出し可能になることをいう。
【０１７８】
請求項６６記載の発明は、少なくとも貨幣識別装置を取り扱う担当者に対応する担当者情報を前記記録部に記録する担当者情報記録ステップをさらに具備することを特徴とする請求項６４または６５記載の貨幣識別方法である。
【０１７９】
請求項６６記載の貨幣識別方法によれば、貨幣収納部の記録部には、装置を取り扱う店員の情報などを記録することができ、店員による不正行為などを防止することができる。
【０１８０】
請求項６７記載の発明は、少なくとも記録する情報を日時情報とともに前記記録部に記録する日時情報記録ステップをさらに具備することを特徴とする請求項６４乃至６６のいずれか１項記載の貨幣識別方法である。
【０１８１】
請求項６７記載の貨幣識別方法によれば、記録する情報を日時情報とともに記録することができるので、時系列的に情報を処理することなどができる。
【０１８２】
請求項６８記載の発明は、少なくとも貨幣識別装置になされた貨幣識別装置取扱情報を前記記録部に記録する取扱情報記録ステップをさらに具備することを特徴とする請求項６４乃至６７のいずれか１項記載の貨幣識別方法である。
【０１８３】
請求項６８記載の貨幣識別方法によれば、貨幣識別装置取扱情報を記録することができるので、貨幣識別装置が取り扱われた各種履歴情報を把握することができる。なお、貨幣識別装置取扱情報とは、例えば、貨幣識別装置の開閉ドアの施錠を解除した店員のＩＤや施錠した時刻、貨幣識別装置を操作する店員ＩＤ情報、電源ＯＮ−ＯＦＦ情報、貨幣収納部交換情報、日時情報、店員交代に伴う店員ＩＤ情報などのことであるが、これらに限るものではなく、貨幣識別装置を取り扱うための情報で、必要な情報であればその情報も含むものとする。
【０１８４】
請求項６９記載の発明は、前記記録部に記録可能な情報を印字または表示により出力可能な情報出力ステップをさらに具備することを特徴とする請求項６４乃至６８のいずれか１項記載の貨幣識別方法である。
【０１８５】
請求項６９記載の貨幣識別方法によれば、記録部に記録された情報を印字するプリント機能が備えられているので、実際に、貨幣収納部内の紙幣の種類、数量を計数した計数結果との照合が可能であり、適確な集計を行うことができる。
【０１８６】
請求項７０記載の発明は、前記貨幣収納ステップで収納すべき貨幣金種情報の情報を予め前記記録部に記録する貨幣金種情報記録ステップをさらに具備することを特徴とする請求項６４乃至６９のいずれか１項記載の貨幣識別方法である。
【０１８７】
請求項７０記載の貨幣識別方法によれば、記録部が貨幣収納部に収納すべき貨幣の金種に対応する貨幣金種情報を有しているので、例えば、貨幣収納部の設置に伴い、取り扱える金種情報を得ることができるので、取り扱い上の便宜を図ることができる。
【０１８８】
請求項７１記載の発明は、前記記録部が設けられた貨幣収納部および前記貨幣収納部が配置された貨幣識別装置を特定可能な設置装置特定情報を予め前記記録部に記録する設置装置特定情報記録ステップをさらに具備することを特徴とする請求項６４乃至６９のいずれか１項記載の貨幣識別方法である。
【０１８９】
請求項７１記載の貨幣識別方法によれば、記録部が、記録部が設けられた貨幣収納部および貨幣収納部が配置された貨幣識別装置を特定可能な設置装置特定情報を有しているので、複数の貨幣収納部が混在する中でも、その貨幣収納部がどの貨幣識別装置に設置されていたものかを的確に判断することができる。
【０１９０】
請求項７２記載の発明は、預り釣銭情報を特定可能な預り釣銭特定情報が記憶された記憶媒体を受け入れる記憶媒体受入ステップと、前記記憶媒体受入ステップで受け入れられた記憶媒体の預り釣銭特定情報を読み取る記憶媒体読取ステップと、少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得ステップと、貨幣を受け入れる貨幣受入ステップと、前記貨幣受入ステップで受け入れられた貨幣を識別する貨幣識別ステップと、前記貨幣識別ステップで識別された貨幣を搬送する貨幣搬送ステップと、所定の位置に情報を記録する記録部が設けられ、前記貨幣搬送ステップによって搬送された貨幣を収納する着脱可能に取り付けられた貨幣収納ステップと、前記貨幣収納部に設けられた情報を記録する記録部に、少なくとも前記貨幣収納部に収納された貨幣に基づく情報を記録する貨幣情報記録ステップと、前記売上情報収得ステップからの売上情報、前記貨幣識別ステップで識別された金額情報および前記記憶媒体読取ステップで読み取られた前記預り釣銭情報のうち少なくとも該売上情報および該金額情報に基づいて、前記預り釣銭情報を更新する預り釣銭情報更新ステップとを具備することを特徴とする代金決済方法である。
【０１９１】
請求項７２記載の代金決済方法によれば、店員が貨幣収納部内の紙幣に触ることなく、貨幣収納部ごと回収し、会計責任者に貨幣収納部を手渡す作業で済むので、紙幣の紛失、店員による不正行為などを防止することができ、現金一元管理が可能になる。また、貨幣収納部に記録部を配設し、この記録部に、貨幣収納部に収納された紙幣の種類、数量などを記録することができる。
【０１９２】
ここで、記憶媒体として、例えば、非接触型の記憶媒体としての機能と、磁気カードとしての機能を兼ね備えたカード形状の記憶媒体などが用いられる。また、商品情報入力装置は、例えば、バーコードリーダなどで構成される。また、商品情報入力装置は、商品の数量や価格の商品情報をテンキーや商品名のシールを貼ったキー群などを有するキーボードなどの入力手段で構成することもできる。さらに、商品情報入力装置は、バーコードリーダなどに、商品の数量や価格の商品情報をテンキーや商品名のシールを貼ったキー群などを有するキーボードなどの入力手段を併設して構成することもできる。この商品情報入力装置で行われる処理は、代金決済処理と別個に処理されても、また、代金決済処理に組み込んで一体的に処理されてもよい。
【０１９３】
また、商品情報入力装置からの商品価格特定情報は、通信回線を介して直接、入力しても、レジスタとしての機能を備えるレジスタ装置（ＰＯＳ）などで構成される売上情報集計装置を通し、売上情報集計装置で集計された売上情報を入力してもよい。商品情報入力装置からの商品価格特定情報を直接、代金決済装置に入力する場合には、代金決済処理の売上情報収得ステップは、その商品価格特定情報に基づいて売上情報を集計するレジスタとしての機能を備える。
【０１９４】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０１９５】
同様に、商品価格特定情報として、例えば、商品価格情報そのものや、商品にとりつけられた記憶媒体や商品に貼付されるか印刷されたバーコードを読み込んで得られた商品を識別するためのＩＤが例示できる。ＩＤとすれば、ネットワーク上の商品価格情報を記録したいずれかの装置とこの装置の商品価格情報の記録エリアを特定するポインターをこのＩＤと対応付けて指定し、この記録エリアから商品価格情報を読み出すこともできる。商品価格特定情報は単一の情報形態とは限定できないため、この発明では商品価格特定情報が特定できればよい。
【０１９６】
請求項７３記載の発明は、所定の照合情報に基づいて前記貨幣収納部の取り出しを可能とすべく、前記貨幣収納部の固定機構を解除する固定機構解除ステップをさらに具備することを特徴とする請求項７２、１６９、１７１のいずれか１項記載の代金決済方法である。
【０１９７】
請求項７３記載の代金決済方法によれば、所定の照合情報に基づいて貨幣収納部を取り外すことができる。ここで、所定の照合情報に基づいて取り外し可能となるとは、貨幣収納部が電気的に施錠された錠機能部を介して収納されている場合には、例えば、店員カードのＩＤかつ暗証番号などの情報が適合し施錠が解除され、貨幣収納部が持ち出し可能になることをいう。また、貨幣収納部が鍵よって施錠された錠機能部を介して収納されている場合には、例えば、鍵が適合し施錠が解除され、貨幣収納部が持ち出し可能になることをいう。
【０１９８】
請求項７４記載の発明は、前記代金決済方法が、前記記憶媒体受入ステップで受け入れられた記憶媒体のポイント特定情報を読み取るポイント読取ステップと、所定のポイント付与情報および前記ポイント読取ステップで読み取られたポイント特定情報から特定されるポイント情報に基づいて、前記ポイント情報を更新するポイント情報更新ステップとをさらに具備することを特徴とする請求項７２、７３、１６９、１７１のいずれか１項記載の代金決済方法である。
【０１９９】
請求項７４記載の代金決済方法によれば、店員カードを用いて代金決済処理を行う会員顧客に対して各種ポイントを付与して特典を与えることで、会員顧客数の増加を図ることができる。ここで、所定のポイントとは、例えば、商品購入によって付与されるポイント、来店ポイント、イベントポイント、雨の日ポイント、レディースポイント、時間帯ポイント、曜日ポイントなど様々なポイントが含まれる。そして、これらのポイントは、精算時に現金化することもできる。
【０２００】
請求項７５記載の発明は、少なくとも貨幣識別装置を取り扱う担当者に対応する担当者情報を前記記録部に記録する担当者情報記録ステップをさらに具備することを特徴とする請求項７２乃至７４、１６９、１７１のいずれか１項記載の代金決済方法である。
【０２０１】
請求項７５記載の代金決済方法によれば、貨幣収納部の記録部には、装置を取り扱う店員の情報などを記録することができ、店員による不正行為などを防止することができる。
【０２０２】
請求項７６記載の発明は、少なくとも記録する情報を日時情報とともに前記記録部に記録する日時情報記録ステップをさらに具備することを特徴とする請求項７２乃至７５、１６９、１７１のいずれか１項記載の代金決済方法である。
【０２０３】
請求項７６記載の代金決済方法によれば、記録する情報を日時情報とともに記録することができるので、時系列的に情報を処理することなどができる。
【０２０４】
請求項７７記載の発明は、少なくとも代金決済装置になされた代金決済装置取扱情報を前記記録部に記録する取扱情報記録ステップをさらに具備することを特徴とする請求項７２乃至７６、１６９、１７１のいずれか１項記載の代金決済方法である。
【０２０５】
請求項７７記載の代金決済方法によれば、代金決済装置取扱情報を記録することができるので、代金決済装置が取り扱われた各種履歴情報を把握することができる。なお、代金決済装置取扱情報とは、例えば、代金決済装置の開閉ドアの施錠を解除した店員のＩＤや施錠した時刻、代金決済装置を操作する店員ＩＤ情報、電源ＯＮ−ＯＦＦ情報、貨幣収納手段交換情報、日時情報、店員交代に伴う店員ＩＤ情報などのことであるが、これらに限るものではなく、代金決済装置を取り扱うための情報で、必要な情報であればその情報も含むものとする。
【０２０６】
請求項７８記載の発明は、前記記録部に記録可能な情報を印字により出力可能な情報出力ステップをさらに具備することを特徴とする請求項７２乃至７７、１６９、１７１のいずれか１項記載の代金決済方法である。
【０２０７】
請求項７８記載の代金決済方法によれば、記録部に記録された情報を印字する情報出力手段として、例えば、プリント機能が備えられているので、実際に、貨幣収納手段内の紙幣の種類、数量を計数した計数結果との照合が可能であり、適確な集計を行うことができる。また、情報出力手段から顧客に対して顧客が購入した商品の明細を印字したレシートを発行することもできる。
【０２０８】
請求項７９記載の発明は、前記貨幣収納ステップで収納すべき貨幣金種情報の情報を予め前記記録部に記録する貨幣金種情報記録ステップをさらに具備することを特徴とする請求項７２乃至７８、１６９、１７１のいずれか１項記載の代金決済方法である。
【０２０９】
請求項７９記載の代金決済方法によれば、記録部が貨幣収納部に収納すべき貨幣の金種に対応する貨幣金種情報を有しているので、例えば、貨幣収納部の設置に伴い、取り扱える金種情報を得ることができるので、取り扱い上の便宜を図ることができる。
【０２１０】
請求項８０記載の発明は、前記記録部が設けられた貨幣収納部および前記貨幣収納部が配置された代金決済装置を特定可能な設置装置特定情報を予め前記記録部に記録する設置装置特定情報記録ステップをさらに具備することを特徴とする請求項７２乃至７９、１６９、１７１のいずれか１項記載の代金決済方法である。
【０２１１】
請求項８０記載の代金決済方法によれば、記録部が、記録部が設けられた貨幣収納部および貨幣収納部が配置された代金決済装置を特定可能な設置装置特定情報を有しているので、複数の貨幣収納手段が混在する中でも、その貨幣収納手段がどの代金決済装置に設置されていたものかを的確に判断することができる。
【０２１２】
請求項８１記載の発明は、買物かごが所定位置に配置されたことを検知する配置検知ステップと、前記検知されたことに対応する検知情報に基づいて、前記買物かごをロックする買物かごロックステップと、所定のロック解除情報に基づいて、前記ロックされた買物かごのロックを解除するロック解除ステップとを具備することを特徴とする買物かごロック方法である。
【０２１３】
請求項８１記載の買物かごロック方法によれば、購入商品の代金決済処理による商品情報の読み取り処理が終了しても、紙幣が挿入され、預り釣銭情報を更新するまでは代金決済処理が終了したことにはならず、その代金決済終了までの間に、購入商品が収容された買物かごが持ち出されるのを防止することができる。このようにすれば、例えば、店員がレジを離れた隙に決済の済んでいない商品を買物かごごと盗まれることがない。また、買物かごを外部に貸し出す場合に、買物かごの貸し出し処理を行う前に買物かごが持ち出され、買物かごの預り保証金を適切に処理できないなどの混乱の発生を防止することができ、代金決済処理を迅速に行うことができる。
【０２１４】
請求項８２記載の発明は、代金決済処理を行う代金決済装置と通信可能に接続され、前記所定のロック解除情報が、該代金決済装置から出力された売上情報の集計を完了したことに基づく集計完了情報であることを特徴とする請求項８１記載の買物かごロック方法である。
【０２１５】
請求項８２記載の買物かごロック方法によれば、代金決済装置から出力された売上情報の集計を完了したことに基づく集計完了情報でロックを解除することができ、買物かごを持ち出し可能に可能にすることができる。
【０２１６】
請求項８３記載の発明は、代金決済処理を行う代金決済装置と通信可能に接続され、該代金決済装置に、買物かごをロックしたことに基づく、ロック完了情報を出力することを特徴とする請求項８１または８２記載の買物かごロック方法である。
【０２１７】
請求項８３記載の買物かごロック方法によれば、買物かごロック装置によって代金決済装置に買物かごをロックしたことに基づく、ロック完了情報を出力することができるので、例えば、代金決済装置の表示部などでロック完了を確認することができ、代金決済処理の円滑化を図ることができる。
【０２１８】
請求項８４記載の発明は、買物かごを新たに貸し出す際に、該買物かごの貸し出しに対応する情報を、代金決済処理を行う代金決済装置に出力する貸出情報出力ステップをさらに具備したことを特徴とする請求項８１乃至８３のいずれか１項記載の買物かごロック方法である。
【０２１９】
請求項８４記載の買物かごロック方法によれば、買物かごの貸し出しに対応する情報を、代金決済処理を行う代金決済装置に出力することができるので、代金決済装置以外にも管理装置などにその情報を記録することができる。
【０２２０】
請求項８５記載の発明は、買物かごの所定の位置に設けられた記憶媒体に所定のＩＤ情報を書き込むＩＤ情報書込ステップをさらに具備したことを特徴とする請求項８１乃至８４のいずれか１項記載の買物かごロック方法である。
【０２２１】
請求項８５記載の買物かごロック方法によれば、買物かごの所定の位置に設けられた記憶媒体に所定のＩＤ情報を書き込むことができるので、買物かごからＩＤに基づいて会員顧客の情報を得ることが可能である。
【０２２２】
請求項８６記載の発明は、前記買物かごに設けられた記憶媒体に、外部への持出しを許可する許可情報を特定する許可特定情報を書き込む許可情報書込ステップをさらに具備したことを特徴とする請求項８１乃至８５のいずれか１項記載の買物かごロック方法である。
【０２２３】
請求項８６記載の買物かごロック方法によれば、記憶媒体に、外部への持出しを許可する許可情報を特定する許可特定情報を書き込むことで、例えば、許可なしに店外へ買物かごが持ち出されるのを防止することができる。
【０２２４】
請求項８７記載の発明は、前記買物かごに設けられた記憶媒体より読み出した情報に基づいて、外部への持出しを許可する許可特定情報を記録することを特徴とする請求項８１乃至８６のいずれか１項記載の買物かごロック方法である。
【０２２５】
請求項８７記載の買物かごロック方法によれば、外部への持出しを許可する許可特定情報が記録された買物かごの情報を、管理装置などで管理し、例えば、店舗の出口などに設けられたリーダライタなどによってＩＤを読み込み、買物かごが店外への持ち出しが許可されているか否かを判定することができる。ここで、例えば、ブザーなどの警報装置を備え、店外への持ち出しが許可されていない買物かごが店舗の出口などに設けられたリーダライタなどを通過した場合には、その警報装置によって周囲の店員などにその情報を知らせることができる。また、店舗の出口などに設けられたリーダライタは、直接買物かご設けられた記憶媒体から許可特定情報を読み込んで、その買物かごが店外への持ち出しが許可されているか否かを判定してもよい。
【０２２６】
請求項８８記載の発明は、前記許可特定情報が、代金決済処理を行う代金決済装置から出力された売上情報の集計を完了したことに基づく集計完了情報に対応して記録されることを特徴とする請求項８１乃至８７のいずれか１項記載の買物かごロック方法である。
【０２２７】
請求項８８記載の買物かごロック方法によれば、許可特定情報が、代金決済処理を行う代金決済装置から出力された売上情報の集計を完了したことに基づく集計完了情報に対応して記録されるので、代金決済処理途中のものなどに許可特定情報が記録されるのを防止することができる。
【０２２８】
請求項８９記載の発明は、所定の位置に記憶媒体が配置され、該記憶媒体に、外部への持出しを許可する許可情報を特定する許可特定情報が記録可能なことを特徴とする買物かごである。
【０２２９】
請求項８９記載の買物かごによれば、記憶媒体に、外部への持出しを許可する許可情報を特定する許可特定情報を書き込むことで、例えば、許可なしに店外へ買物かごが持ち出されるのを防止することができる。
【０２３０】
請求項９０記載の発明は、所定の位置に記憶媒体が配置され、該記憶媒体から読み出した情報に基づいて、外部への持ち出しを許可する許可特定情報を記録可能なことを特徴とする買物かごである。
【０２３１】
請求項９０記載の買物かごによれば、外部への持出しを許可する許可特定情報が記録された買物かごの情報を、管理装置などで管理し、例えば、店舗の出口などに設けられたリーダライタなどによってＩＤを読み込み、買物かごが店外への持ち出しが許可されているか否かを判定することができる。ここで、例えば、ブザーなどの警報装置を備え、店外への持ち出しが許可されていない買物かごが店舗の出口などに設けられたリーダライタなどを通過した場合には、その警報装置によって周囲の店員などにその情報を知らせることができる。また、店舗の出口などに設けられたリーダライタは、直接買物かご設けられた記憶媒体から許可特定情報を読み込んで、その買物かごが店外への持ち出しが許可されているか否かを判定してもよい。
【０２３２】
請求項９１記載の発明は、前記許可特定情報が、代金決済処理を行う代金決済装置から出力された売上情報の集計を完了したことに基づく集計完了情報に対応して記録されることを特徴とする請求項８９または９０記載の買物かごである。
【０２３３】
請求項９１記載の買物かごによれば、許可特定情報が、代金決済処理を行う代金決済装置から出力された売上情報の集計を完了したことに基づく集計完了情報に対応して記録されるので、代金決済処理途中のものなどに許可特定情報が記録されるのを防止することができる。
【０２３４】
請求項９２記載の発明は、預り釣銭情報を特定可能な預り釣銭特定情報が記憶された記憶媒体を受け入れる記憶媒体受入手段と、前記記憶媒体受入手段で受け入れられた記憶媒体の預り釣銭特定情報を読み取る記憶媒体読取手段と、少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、貨幣を受け入れる貨幣受入手段と、前記貨幣受入手段で受け入れられた貨幣を識別する貨幣識別手段と、前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する預り釣銭情報更新手段とを備える代金決済装置と、情報を管理する手段を備える管理装置とを具備し、前記代金決済装置と、前記管理装置とが通信可能に接続された代金決済システムであって、前記商品情報入力装置は、読み取った少なくとも商品価格特定情報を前記代金決済装置または前記売上情報集計装置に通信回線を介して出力し、前記代金決済装置は、受け入れた記憶媒体から預り釣銭特定情報を読み取り、該読み取られた預り釣銭特定情報によって特定される預り釣銭情報、入金された貨幣の金額情報および該商品価格特定情報に基づいて集計した売上情報に基づいて、または、受け入れた記憶媒体から預り釣銭特定情報を読み取り、該読み取られた預り釣銭特定情報によって特定される預り釣銭情報、入金された貨幣の金額情報および前記売上情報集計装置からの売上情報に基づいて、該預り釣銭情報を自動的に更新し、前記売上情報および該預り釣銭情報が更新された預り釣銭特定情報を通信回線を介して前記管理装置に出力し、前記管理装置は、前記売上情報および該預り釣銭特定情報に基づく預り釣銭情報を記録することを特徴とする代金決済システムである。
【０２３５】
請求項９２記載の代金決済システムによれば、代金決済装置で更新された預り釣銭情報を、代金決済装置と通信可能に接続された管理装置に、例えば、ＩＤなどに基づいて管理することができる。このため、代金決済装置が壊れた場合でも顧客の預り釣銭が管理装置に記録されているので、顧客の要求に応じて返金可能である。そして、代金決済装置が複数設置された場合、どの代金決済装置においても預り釣銭を用いて買物代金に充てることができる。なお、この代金決済装置には、請求項４６乃至５５、１５９乃至１６７のいずれか１項に記載したものを用いることができる。
【０２３６】
ここで、記憶媒体として、例えば、非接触型の記憶媒体としての機能と、磁気カードとしての機能を兼ね備えたカード形状の記憶媒体などが用いられる。また、商品情報入力装置は、例えば、バーコードリーダなどで構成される。また、商品情報入力装置は、商品の数量や価格の商品情報をテンキーや商品名のシールを貼ったキー群などを有するキーボードなどの入力手段で構成することもできる。さらに、商品情報入力装置は、バーコードリーダなどに、商品の数量や価格の商品情報をテンキーや商品名のシールを貼ったキー群などを有するキーボードなどの入力手段を併設して構成することもできる。この商品情報入力装置は、代金決済装置と通信回線を介して別体として備えられても、また、代金決済装置に組み込んで一体的に設けられてもよい。
【０２３７】
また、商品情報入力装置からの商品価格特定情報は、通信回線を介して直接、代金決済装置に入力しても、レジスタとしての機能を備えるレジスタ装置（ＰＯＳ）などで構成される売上情報集計装置を通し、売上情報集計装置で集計された売上情報を代金決済装置に入力してもよい。商品情報入力装置からの商品価格特定情報を直接、代金決済装置に入力する場合には、代金決済装置の売上情報収得手段は、その商品価格特定情報に基づいて売上情報を集計するレジスタとしての機能を備える。  
【０２３８】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０２３９】
同様に、商品価格特定情報として、例えば、商品価格情報そのものや、商品にとりつけられた記憶媒体や商品に貼付されるか印刷されたバーコードを読み込んで得られた商品を識別するためのＩＤが例示できる。ＩＤとすれば、ネットワーク上の商品価格情報を記録したいずれかの装置とこの装置の商品価格情報の記録エリアを特定するポインターをこのＩＤと対応付けて指定し、この記録エリアから商品価格情報を読み出すこともできる。商品価格特定情報は単一の情報形態とは限定できないため、この発明では商品価格特定情報が特定できればよい。
【０２４０】
請求項９３記載の発明は、買物かごが所定位置に配置されたことを検知すると該買物かごをロックし、所定のロック解除情報に基づいてロックを解除する手段を備える買物かごロック装置と、預り釣銭情報を特定可能な預り釣銭特定情報が記憶された記憶媒体を受け入れる記憶媒体受入手段と、前記記憶媒体受入手段で受け入れられた記憶媒体の預り釣銭特定情報を読み取る記憶媒体読取手段と、少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、貨幣を受け入れる貨幣受入手段と、前記貨幣受入手段で受け入れられた貨幣を識別する貨幣識別手段と、前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する預り釣銭情報更新手段とを備える代金決済装置と、情報を管理する手段を備える管理装置とを具備し、前記買物かごロック装置と前記代金決済装置とが通信可能に接続され、かつ前記代金決済装置と前記管理装置とが通信可能に接続された代金決済システムであって、前記買物かごロック装置は、買物かごが所定の位置に設置されたことを検知して該買物かごをロックし、ロック完了情報を通信回線を介して前記代金決済装置に出力し、前記商品情報入力装置は、読み取った少なくとも商品価格特定情報を前記代金決済装置または前記売上情報集計装置に通信回線を介して出力し、前記代金決済装置は、前記買物かごロック装置からのロック完了情報を検知し、受け入れた記憶媒体から預り釣銭特定情報を読み取り、該読み取られた預り釣銭特定情報によって特定される預り釣銭情報、入金された貨幣の金額情報および該商品価格特定情報に基づいて集計した売上情報に基づいて、または、受け入れた記憶媒体から預り釣銭特定情報を読み取り、該読み取られた預り釣銭特定情報によって特定される預り釣銭情報、入金された貨幣の金額情報および前記売上情報集計装置からの売上情報に基づいて、該預り釣銭情報を自動的に更新し、前記売上情報および該預り釣銭情報が更新された預り釣銭特定情報を通信回線を介して前記管理装置に出力し、前記管理装置は、前記売上情報および該預り釣銭特定情報に基づく預り釣銭情報を記録することを特徴とする代金決済システムである。
【０２４１】
請求項９３記載の代金決済システムによれば、買物かごロック装置を設けることで、購入商品の代金決済装置による商品情報の読み取り処理が終了しても、代金決済装置に紙幣が挿入され、預り釣銭情報を更新するまでは代金決済処理が終了したことにはならず、その代金決済終了までの間に、購入商品が収容された買物かごが持ち出されるのを防止することができる。なお、この買物かごロック装置には、請求項５６乃至６３のいずれか１項に記載したものを用いることができる。
【０２４２】
また、代金決済装置で更新された預り釣銭情報を、代金決済装置と通信可能に接続された管理装置に、例えば、ＩＤなどに基づいて管理することができる。なお、この代金決済装置には、請求項４６乃至５５、１５９乃至１６８のいずれか１項に記載したものを用いることができる。
【０２４３】
ここで、記憶媒体として、例えば、非接触型の記憶媒体としての機能と、磁気カードとしての機能を兼ね備えたカード形状の記憶媒体などが用いられる。また、商品情報入力装置は、例えば、バーコードリーダなどで構成される。また、商品情報入力装置は、商品の数量や価格の商品情報をテンキーや商品名のシールを貼ったキー群などを有するキーボードなどの入力手段で構成することもできる。さらに、商品情報入力装置は、バーコードリーダなどに、商品の数量や価格の商品情報をテンキーや商品名のシールを貼ったキー群などを有するキーボードなどの入力手段を併設して構成することもできる。この商品情報入力装置は、代金決済装置と通信回線を介して別体として備えられても、また、代金決済装置に組み込んで一体的に設けられてもよい。
【０２４４】
また、商品情報入力装置からの商品価格特定情報は、通信回線を介して直接、代金決済装置に入力しても、レジスタとしての機能を備えるレジスタ装置（ＰＯＳ）などで構成される売上情報集計装置を通し、売上情報集計装置で集計された売上情報を代金決済装置に入力してもよい。商品情報入力装置からの商品価格特定情報を直接、代金決済装置に入力する場合には、代金決済装置の売上情報収得手段は、その商品価格特定情報に基づいて売上情報を集計するレジスタとしての機能を備える。  
【０２４５】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０２４６】
同様に、商品価格特定情報として、例えば、商品価格情報そのものや、商品にとりつけられた記憶媒体や商品に貼付されるか印刷されたバーコードを読み込んで得られた商品を識別するためのＩＤが例示できる。ＩＤとすれば、ネットワーク上の商品価格情報を記録したいずれかの装置とこの装置の商品価格情報の記録エリアを特定するポインターをこのＩＤと対応付けて指定し、この記録エリアから商品価格情報を読み出すこともできる。商品価格特定情報は単一の情報形態とは限定できないため、この発明では商品価格特定情報が特定できればよい。
【０２４７】
請求項９４記載の発明は、預り釣銭情報を特定可能な預り釣銭特定情報が記憶された記憶媒体を受け入れる第２の記憶媒体受入手段と、前記第２の記憶媒体受入手段で受け入れられた記憶媒体の預り釣銭特定情報を読み取る第２の記憶媒体読取手段と、前記第２の記憶媒体読取手段で読み取られた預り釣銭特定情報で特定される預り釣銭情報に基づいて、預り釣銭を支払う預り釣銭支払手段と、前記預り釣銭の支払に対応して、前記預り釣銭を更新する第２の預り釣銭情報更新手段とを備え、前記代金決済装置とは別個に設けられた精算機をさらに具備し、前記精算機と前記管理装置とが通信可能に接続され、前記精算機は、預り釣銭情報を特定可能な預り釣銭特定情報が記憶された記憶媒体を受け入れ、該記憶媒体の預り釣銭特定情報を読み取り、読み取った該預り釣銭特定情報で特定される預り釣銭情報に基づいて、預り釣銭を支払い、該預り釣銭の支払に対応して、該預り釣銭情報を自動的に更新し、預り釣銭情報が更新された預り釣銭特定情報を通信回線を介して前記管理装置に出力し、前記管理装置は、該預り釣銭特定情報に基づいて預り釣銭情報を記録することを特徴とする請求項９２または９３記載の代金決済システムである。
【０２４８】
請求項９４記載の代金決済システムによれば、代金決済装置から釣銭機の機能を削除し、別体の精算機を別の場所に設けて釣銭を返却することで、代金決済装置を小型にでき、会計処理台上の比較的狭いスペースにも設置することができる。また、代金決済装置と精算機とを別体とし、それぞれを別の場所に設けることで、代金決済処理を迅速に行うことができ、例えば、量販店などのレジゲートにおける渋滞を解消することができる。また、精算機で更新された預り釣銭情報を、精算機と通信可能に接続された管理装置に、例えば、ＩＤなどに基づいて管理することができる。さらに、預り釣銭情報を特定可能な預り釣銭特定情報が記憶された記憶媒体を受け入れ、その預り釣銭情報に基づいて、預り釣銭を支払うことができる。ここで、記憶媒体として、例えば、非接触型の記憶媒体としての機能と、磁気カードとしての機能を兼ね備えたカード形状の記憶媒体などが用いられる。また、ここで示した精算機には、請求項１９乃至２７、１４１乃至１４９のいずれか１項に記載したものを用いることができる。
【０２４９】
請求項９５記載の発明は、記憶媒体を発行可能な手段を備える発行機をさらに具備し、前記発行機が前記管理装置と通信可能に接続され、前記発行機は、預り釣銭情報を特定可能な預り釣銭特定情報を記録した記憶媒体を発行するとともに、該預り釣銭特定情報を通信回線を介して前記管理装置に出力し、前記管理装置は、該預り釣銭特定情報を記録することを特徴とする請求項９２乃至９４いずれか１項記載の代金決済システムである。
【０２５０】
請求項９５記載の代金決済システムによれば、記憶媒体を発行可能な発行機（例えば、会員カード発行機）をさらに備えることで、会員カードの発行、代金決済、預り釣銭の精算といった一連の代金決済処理を行うことができる。また、発行機から出力された預り釣銭特定情報を発行機と通信可能に接続された管理装置で管理することができる。
【０２５１】
請求項９６記載の発明は、前記記憶媒体に記憶された情報を読み出し、少なくとも前記代金決済装置にて前記記憶媒体を使用不可とする手段を備える解約装置をさらに具備し、前記解約装置と前記管理装置とが通信可能に接続され、前記解約装置は、解約に基づく情報を特定可能な解約特定情報を通信回線を介して前記管理装置に出力し、前記管理装置は、該解約特定情報に基づいて、少なくとも前記代金決済装置に前記記憶媒体が使用不可とするよう処理することを特徴とする請求項９２乃至９４いずれか１項記載の代金決済システムである。
【０２５２】
請求項９６記載の代金決済システムによれば、解約装置を設け、少なくとも代金決済装置にて記憶媒体を使用不可とすることで、例えば、解約された記憶媒体が代金決済装置に使用されても、代金決済処理が行われることを防止することができる。なお、解約装置で解約処理が行われた記憶媒体は、精算機においても使用不可とすることができる。ここで、記憶媒体が使用不可とするよう処理とは、全情報を削除する場合、所定の情報のみを使用不可能とする場合などを含む。この所定の情報のみを使用不可能とする場合には、例えば、その使用させない情報のＦＬＧを書き換え、利用不可能とすることができる。また、解約装置と通信可能に接続された管理装置では、解約装置から出力された解約特定情報に基づいて記憶媒体が使用不可とするよう処理することができる。
【０２５３】
請求項９７記載の発明は、記憶媒体を発行可能な手段を備える発行機と、買物かごが所定位置に配置されたことを検知すると該買物かごをロックし、所定のロック解除情報に基づいてロックを解除する手段を備える買物かごロック装置と、預り釣銭情報を特定可能な預り釣銭特定情報が記憶された記憶媒体を受け入れる記憶媒体受入手段と、前記記憶媒体受入手段で受け入れられた記憶媒体の預り釣銭特定情報を読み取る記憶媒体読取手段と、少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、貨幣を受け入れる貨幣受入手段と、前記貨幣受入手段で受け入れられた貨幣を識別する貨幣識別手段と、前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する預り釣銭情報更新手段とを備える代金決済装置と、預り釣銭情報を特定可能な預り釣銭特定情報が記憶された記憶媒体を受け入れる第２の記憶媒体受入手段と、前記第２の記憶媒体受入手段で受け入れられた記憶媒体の預り釣銭特定情報を読み取る第２の記憶媒体読取手段と、前記第２の記憶媒体読取手段で読み取られた預り釣銭特定情報で特定される預り釣銭情報に基づいて、預り釣銭を支払う預り釣銭支払手段と、前記預り釣銭の支払に対応して、前記預り釣銭を更新する第２の預り釣銭情報更新手段とを備え、前記代金決済装置とは別個に設けられた精算機と、情報を管理する手段を備える管理装置とを具備し、前記買物かごロック装置と前記代金決済装置とが通信可能に接続され、かつ前記代金決済装置と、前記発行機と、前記精算機とがそれぞれ前記管理装置に通信可能に接続された代金決済システムであって、前記発行機は、預り釣銭情報を特定可能な預り釣銭特定情報を記録した記憶媒体を発行するとともに、該預り釣銭特定情報を通信回線を介して前記管理装置に出力し、前記買物かごロック装置は、買物かごが所定の位置に設置されたことを検知して該買物かごをロックし、ロック完了情報を通信回線を介して前記代金決済装置に出力し、前記商品情報入力装置は、読み取った少なくとも商品価格特定情報を前記代金決済装置または前記売上情報集計装置に通信回線を介して出力し、前記代金決済装置は、前記買物かごロック装置からのロック完了情報を検知し、受け入れた記憶媒体から預り釣銭特定情報を読み取り、該読み取られた預り釣銭特定情報によって特定される預り釣銭情報、入金された貨幣の金額情報および該商品価格特定情報に基づいて集計した売上情報に基づいて、または、受け入れた記憶媒体から預り釣銭特定情報を読み取り、該読み取られた預り釣銭特定情報によって特定される預り釣銭情報、入金された貨幣の金額情報および前記売上情報集計装置からの売上情報に基づいて、該預り釣銭情報を自動的に更新し、前記売上情報および該預り釣銭情報が更新された預り釣銭特定情報を通信回線を介して前記管理装置に出力し、前記精算機は、預り釣銭情報を特定可能な預り釣銭特定情報が記憶された記憶媒体を受け入れ、該記憶媒体の預り釣銭特定情報を読み取り、読み取った該預り釣銭特定情報で特定される預り釣銭情報に基づいて、預り釣銭を支払い、該預り釣銭の支払に対応して、該預り釣銭情報を自動的に更新し、預り釣銭情報が更新された預り釣銭特定情報を通信回線を介して前記管理装置に出力し、前記管理装置は、前記発行機、前記代金決済装置および前記精算機からの前記売上情報および該預り釣銭特定情報に基づく預り釣銭情報を記録することを特徴とする代金決済システムである。
【０２５４】
請求項９７記載の代金決済システムによれば、代金決済装置から釣銭機の機能を削除し、別体の精算機を別の場所に設けて釣銭を返却することで、代金決済装置を小型にでき、会計処理台上の比較的狭いスペースにも設置することができる。また、代金決済装置と精算機とを別体とし、それぞれを別の場所に設けることで、代金決済処理を迅速に行うことができ、例えば、量販店などのレジゲートにおける渋滞を解消することができる。なお、この代金決済装置には、請求項４６乃至５５、１５９乃至１６８のいずれか１項に記載したものを用いることができる。また、精算機で更新された預り釣銭情報を、精算機と通信可能に接続された管理装置に、例えば、ＩＤなどに基づいて管理することができる。また、ここで示した精算機には、請求項１９乃至２７、１４１乃至１４９のいずれか１項に記載したものを用いることができる。
【０２５５】
ここで、記憶媒体として、例えば、非接触型の記憶媒体としての機能と、磁気カードとしての機能を兼ね備えたカード形状の記憶媒体などが用いられる。また、商品情報入力装置は、例えば、バーコードリーダなどで構成される。また、商品情報入力装置は、商品の数量や価格の商品情報をテンキーや商品名のシールを貼ったキー群などを有するキーボードなどの入力手段で構成することもできる。さらに、商品情報入力装置は、バーコードリーダなどに、商品の数量や価格の商品情報をテンキーや商品名のシールを貼ったキー群などを有するキーボードなどの入力手段を併設して構成することもできる。この商品情報入力装置は、代金決済装置と通信回線を介して別体として備えられても、また、代金決済装置に組み込んで一体的に設けられてもよい。
【０２５６】
また、商品情報入力装置からの商品価格特定情報は、通信回線を介して直接、代金決済装置に入力しても、レジスタとしての機能を備えるレジスタ装置（ＰＯＳ）などで構成される売上情報集計装置を通し、売上情報集計装置で集計された売上情報を代金決済装置に入力してもよい。商品情報入力装置からの商品価格特定情報を直接、代金決済装置に入力する場合には、代金決済装置の売上情報収得手段は、その商品価格特定情報に基づいて売上情報を集計するレジスタとしての機能を備える。  
【０２５７】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０２５８】
同様に、商品価格特定情報として、例えば、商品価格情報そのものや、商品にとりつけられた記憶媒体や商品に貼付されるか印刷されたバーコードを読み込んで得られた商品を識別するためのＩＤが例示できる。ＩＤとすれば、ネットワーク上の商品価格情報を記録したいずれかの装置とこの装置の商品価格情報の記録エリアを特定するポインターをこのＩＤと対応付けて指定し、この記録エリアから商品価格情報を読み出すこともできる。商品価格特定情報は単一の情報形態とは限定できないため、この発明では商品価格特定情報が特定できればよい。
【０２５９】
また、記憶媒体を発行可能な発行機（例えば、会員カード発行機）をさらに備えることで、会員カードの発行、代金決済、預り釣銭の精算といった一連の代金決済処理を行うことができる。また、発行機から出力された預り釣銭特定情報を発行機と通信可能に接続された管理装置で管理することができる。
【０２６０】
また、買物かごロック装置を設けることで、購入商品の代金決済装置による商品情報の読み取り処理が終了しても、代金決済装置に紙幣が挿入され、預り釣銭情報を更新するまでは代金決済処理が終了したことにはならず、その代金決済終了までの間に、購入商品が収容された買物かごが持ち出されるのを防止することができる。なお、この買物かごロック装置には、請求項５６乃至６３のいずれか１項に記載したものを用いることができる。
【０２６１】
請求項９８記載の発明は、前記代金決済システムが、少なくとも１つの前記管理装置と通信可能に接続された総合管理装置をさらに具備し、前記総合管理装置が、前記管理装置から出力された所定の情報を記録し、集計する管理装置情報管理手段を備えることを特徴とする請求項９２乃至９７いずれか記載の代金決済システムである。
【０２６２】
請求項９８記載の代金決済システムによれば、管理装置は、例えば、プロトコルコンバータ、モデム、一般通信回線や専用通信回線を介して総合管理装置に集計した各種情報を出力し、総合管理装置でそれらの情報を管理し、さらに集計することができる。また、総合管理装置は、他の店舗の管理装置とも一般通信回線や専用通信回線を介して通信可能に接続することができるので、例えば、同じグループ店舗から出力された情報を集計し、店舗毎の集計情報の一覧などを作成して各店舗の管理装置に出力することなどもできる。
【０２６３】
請求項９９記載の発明は、代金決済装置を備え、店員と金銭授受を行わない少なくとも１つの会員用レジゲートと、非会員用レジスタ装置を備え、店員と金銭授受を行う少なくとも１つの非会員用レジゲートとを具備するレジゲート群であって、前記代金決済装置が、預り釣銭情報を特定可能な預り釣銭特定情報が記憶された記憶媒体を受け入れる記憶媒体受入手段と、前記記憶媒体受入手段で受け入れられた記憶媒体の預り釣銭特定情報を読み取る記憶媒体読取手段と、少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、貨幣を受け入れる貨幣受入手段と、前記貨幣受入手段で受け入れられた貨幣を識別する貨幣識別手段と、前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する預り釣銭情報更新手段とを備え、前記非会員用レジスタ装置が、少なくとも商品価格特定情報を読み取る第２の商品情報入力手段と、前記第２の商品情報入力手段によって読み取られた商品価格特定情報に基づいて売上情報を集計する売上情報集計手段とを備えることを特徴とするレジゲート群である。
【０２６４】
請求項９９記載のレジゲート群によれば、会員カードを有する会員顧客が会計処理を行う会員用レジゲート（会員顧客ゲート）と、会員カードを有しない非会員顧客が会計処理を行う非会員用レジゲート（通常顧客ゲート）とから構成されており、店員と金銭の授受を行う非会員顧客の会計処理と、店員と金銭の授受を行わない会員顧客の会計処理とを区分して行うことができるため、会員用レジゲートにおける会計処理を迅速に行うことができる。また、会員用レジゲートを利用する会員顧客には、代金決済の迅速な処理という利点の他にも、例えば、各種ポイントを付与するなどの利点を与えることができる。また、会員用レジゲートおよび非会員用レジゲートは、複数設けることができる。そして、非会員用レジゲートを設けることで、会員用レジゲートを忌避しがちな、例えば老人や、遠方に住んでいるためめったに来店しない顧客にも対応可能である。
【０２６５】
ここで、記憶媒体として、例えば、非接触型の記憶媒体としての機能と、磁気カードとしての機能を兼ね備えたカード形状の記憶媒体などが用いられる。また、商品情報入力装置は、例えば、バーコードリーダなどで構成される。また、商品情報入力装置は、商品の数量や価格の商品情報をテンキーや商品名のシールを貼ったキー群などを有するキーボードなどの入力手段で構成することもできる。さらに、商品情報入力装置は、バーコードリーダなどに、商品の数量や価格の商品情報をテンキーや商品名のシールを貼ったキー群などを有するキーボードなどの入力手段を併設して構成することもできる。この商品情報入力装置は、代金決済装置と通信回線を介して別体として備えられても、また、代金決済装置に組み込んで一体的に設けられてもよい。
【０２６６】
また、商品情報入力装置からの商品価格特定情報は、通信回線を介して直接、代金決済装置に入力しても、レジスタとしての機能を備えるレジスタ装置（ＰＯＳ）などで構成される売上情報集計装置を通し、売上情報集計装置で集計された売上情報を代金決済装置に入力してもよい。商品情報入力装置からの商品価格特定情報を直接、代金決済装置に入力する場合には、代金決済装置の売上情報収得手段は、その商品価格特定情報に基づいて売上情報を集計するレジスタとしての機能を備える。  
【０２６７】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０２６８】
同様に、商品価格特定情報として、例えば、商品価格情報そのものや、商品にとりつけられた記憶媒体や商品に貼付されるか印刷されたバーコードを読み込んで得られた商品を識別するためのＩＤが例示できる。ＩＤとすれば、ネットワーク上の商品価格情報を記録したいずれかの装置とこの装置の商品価格情報の記録エリアを特定するポインターをこのＩＤと対応付けて指定し、この記録エリアから商品価格情報を読み出すこともできる。商品価格特定情報は単一の情報形態とは限定できないため、この発明では商品価格特定情報が特定できればよい。
【０２６９】
請求項１００記載の発明は、預り釣銭情報を特定可能な預り釣銭特定情報が記憶された記憶媒体を受け入れる記憶媒体受入手段と、前記記憶媒体受入手段で受け入れられた記憶媒体の預り釣銭特定情報を読み取る記憶媒体読取手段と、少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、貨幣を受け入れる貨幣受入手段と、前記貨幣受入手段で受け入れられた貨幣を識別する貨幣識別手段と、前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する預り釣銭情報更新手段とを備える代金決済装置と、を具備し、店員と金銭授受を行わない少なくとも１つの会員用レジゲートと、少なくとも商品価格特定情報を読み取る第２の商品情報入力手段と、前記第２の商品情報入力手段によって読み取られた商品価格特定情報に基づいて売上情報を集計する売上情報集計手段とを備える非会員用レジスタ装置を具備し、店員と金銭授受を行なう少なくとも１つの非会員用レジゲートと、前記代金決済装置および前記非会員用レジスタ装置から出力された情報を管理し集計する情報管理手段を具備し、少なくとも前記代金決済装置および前記非会員用レジスタ装置と通信回線を介して通信可能に接続される管理装置とを有するレジゲートシステムであって、前記会員用レジゲートにおいて、前記商品情報入力装置は、読み取った少なくとも商品価格特定情報を前記代金決済装置または前記売上情報集計装置に通信回線を介して出力し、前記代金決済装置は、受け入れた記憶媒体から預り釣銭特定情報を読み取り、該読み取られた預り釣銭特定情報によって特定される預り釣銭情報、入金された貨幣の金額情報および該商品価格特定情報に基づいて集計した売上情報に基づいて、または、受け入れた記憶媒体から預り釣銭特定情報を読み取り、該読み取られた預り釣銭特定情報によって特定される預り釣銭情報、入金された貨幣の金額情報および前記売上情報集計装置からの売上情報に基づいて、該預り釣銭情報を自動的に更新し、前記売上情報および該預り釣銭情報が更新された預り釣銭特定情報を通信回線を介して前記管理装置に出力し、前記管理装置は、前記売上情報および該預り釣銭特定情報に基づく預り釣銭情報を記録し、前記非会員用レジゲートにおいて、前記非会員レジスタ装置は、集計した売上情報を通信回線を介して前記管理装置に出力し、前記管理装置は、該売上情報を記録することを特徴とするレジゲートシステムである。
【０２７０】
請求項１００記載のレジゲートシステムによれば、会員用レジゲートと非会員用レジゲートの売上情報を管理装置にて記録するので、それぞれの売上情報、売上情報に基づいて算出した利益情報、売上の上がった時刻や時間間隔より稼動率情報などを算出可能となる。また、これらの情報を出力して表示すれば、会員用レジゲートと非会員用レジゲートの比較ができ、この比較結果に基づき会員用レジゲートと非会員用レジゲートの設置割合を検討できる。
【０２７１】
ここで、記憶媒体として、例えば、非接触型の記憶媒体としての機能と、磁気カードとしての機能を兼ね備えたカード形状の記憶媒体などが用いられる。また、商品情報入力装置は、例えば、バーコードリーダなどで構成される。また、商品情報入力装置は、商品の数量や価格の商品情報をテンキーや商品名のシールを貼ったキー群などを有するキーボードなどの入力手段で構成することもできる。さらに、商品情報入力装置は、バーコードリーダなどに、商品の数量や価格の商品情報をテンキーや商品名のシールを貼ったキー群などを有するキーボードなどの入力手段を併設して構成することもできる。この商品情報入力装置は、代金決済装置と通信回線を介して別体として備えられても、また、代金決済装置に組み込んで一体的に設けられてもよい。
【０２７２】
また、商品情報入力装置からの商品価格特定情報は、通信回線を介して直接、代金決済装置に入力しても、レジスタとしての機能を備えるレジスタ装置（ＰＯＳ）などで構成される売上情報集計装置を通し、売上情報集計装置で集計された売上情報を代金決済装置に入力してもよい。商品情報入力装置からの商品価格特定情報を直接、代金決済装置に入力する場合には、代金決済装置の売上情報収得手段は、その商品価格特定情報に基づいて売上情報を集計するレジスタとしての機能を備える。
【０２７３】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０２７４】
同様に、商品価格特定情報として、例えば、商品価格情報そのものや、商品にとりつけられた記憶媒体や商品に貼付されるか印刷されたバーコードを読み込んで得られた商品を識別するためのＩＤが例示できる。ＩＤとすれば、ネットワーク上の商品価格情報を記録したいずれかの装置とこの装置の商品価格情報の記録エリアを特定するポインターをこのＩＤと対応付けて指定し、この記録エリアから商品価格情報を読み出すこともできる。商品価格特定情報は単一の情報形態とは限定できないため、この発明では商品価格特定情報が特定できればよい。
【０２７５】
また、会員用レジゲートでは、代金決済装置で更新された預り釣銭情報を、代金決済装置と通信可能に接続された管理装置に、例えば、ＩＤなどに基づいて管理することができる。なお、この代金決済装置には、請求項４６乃至５５、１５９乃至１６８のいずれか１項に記載したものを用いることができる。
【０２７６】
一方、非会員用レジゲートでは、非会員レジスタ装置は、集計した売上情報を通信回線を介して管理装置に出力し、管理装置はその情報を管理することができる。また、非会員レジスタ装置に、自動釣銭払出機能を設けることもできる。
【０２７７】
請求項１０１記載の発明は、前記会員用レジゲートが、預り釣銭情報を特定可能な預り釣銭特定情報が記憶された記憶媒体を受け入れる第２の記憶媒体受入手段と、前記第２の記憶媒体受入手段で受け入れられた記憶媒体の預り釣銭特定情報を読み取る第２の記憶媒体読取手段と、前記第２の記憶媒体読取手段で読み取られた預り釣銭特定情報で特定される預り釣銭情報に基づいて、預り釣銭を支払う預り釣銭支払手段と、前記預り釣銭の支払に対応して、前記預り釣銭を更新する第２の預り釣銭情報更新手段とを備え、前記代金決済装置とは別個に設けられた会員用精算機をさらに具備し、前記会員用精算機と前記管理装置とが通信可能に接続され、前記会員用精算機は、預り釣銭情報を特定可能な預り釣銭特定情報が記憶された記憶媒体を受け入れ、該記憶媒体の預り釣銭特定情報を読み取り、読み取った該預り釣銭特定情報で特定される預り釣銭情報に基づいて、預り釣銭を支払い、該預り釣銭の支払に対応して、該預り釣銭情報を自動的に更新し、預り釣銭情報が更新された預り釣銭特定情報を通信回線を介して前記管理装置に出力し、前記管理装置は、該預り釣銭特定情報に基づいて預り釣銭情報を前記会員情報管理手段に記録することを特徴とする請求項１００記載のレジゲートシステムである。
【０２７８】
請求項１０１記載のレジゲートシステムによれば、会員用レジゲートにおいて、代金決済装置から釣銭機の機能を削除し、別体の精算機を別の場所に設けて釣銭を返却することで、代金決済装置を小型にでき、会計処理台上の比較的狭いスペースにも設置することができる。また、代金決済装置と精算機とを別体とし、それぞれを別の場所に設けることで、代金決済処理を迅速に行うことができ、例えば、量販店などのレジゲートにおける渋滞を解消することができる。また、精算機で更新された預り釣銭情報を、精算機と通信可能に接続された管理装置に、例えば、ＩＤなどに基づいて管理することができる。また、ここで示した会員用精算機には、請求項１９乃至２７、１４１乃至１４９のいずれか１項に記載したものを用いることができる。
【０２７９】
請求項１０２記載の発明は、前記会員用レジゲートが、記憶媒体を発行可能な手段を備える会員用発行機をさらに具備し、前記会員用発行機が前記管理装置と通信可能に接続され、前記会員用発行機は、預り釣銭情報を特定可能な預り釣銭特定情報を記録した記憶媒体を発行するとともに、該預り釣銭特定情報を通信回線を介して前記管理装置に出力し、前記管理装置は、該預り釣銭特定情報を前記会員情報管理手段に記録することを特徴とする請求項１００または１０１記載のレジゲートシステムである。
【０２８０】
請求項１０２記載のレジゲートシステムによれば、記憶媒体を発行可能な発行機（例えば、会員カード発行機）をさらに備えることで、会員カードの発行、代金決済、預り釣銭の精算といった一連の代金決済処理を行うことができる。また、発行機から出力された預り釣銭特定情報を発行機と通信可能に接続された管理装置で管理することができる。
【０２８１】
請求項１０３記載の発明は、前記会員用レジゲートが、前記記憶媒体に記憶された情報を読み出し、少なくとも前記代金決済装置にて前記記憶媒体を使用不可とする手段を備える会員用解約装置をさらに具備し、前記会員用解約装置と前記管理装置とが通信可能に接続され、前記会員用解約装置は、解約に基づく情報を特定可能な解約特定情報を通信回線を介して前記管理装置に出力し、前記管理装置は、該解約特定情報に基づいて、少なくとも前記代金決済装置に前記記憶媒体が使用不可とするよう処理することを特徴とする請求項１００乃至１０２のいずれか１項記載のレジゲートシステムである。
【０２８２】
請求項１０３記載のレジゲートシステムによれば、会員用解約装置を設け、少なくとも代金決済装置にて記憶媒体を使用不可とすることで、例えば、解約された記憶媒体が代金決済装置に使用されても、代金決済処理が行われることを防止することができる。なお、会員用解約装置で解約処理が行われた記憶媒体は、精算機においても使用不可とすることができる。ここで、記憶媒体が使用不可とするよう処理とは、全情報を削除する場合、所定の情報のみを使用不可能とする場合などを含む。この所定の情報のみを使用不可能とする場合には、例えば、その使用させない情報のＦＬＧを書き換え、利用不可能とすることができる。また、会員用解約装置と通信可能に接続された管理装置では、会員用解約装置から出力された解約特定情報に基づいて記憶媒体が使用不可とするよう処理することができる。
【０２８３】
請求項１０４記載の発明は、記憶媒体を発行可能な手段を備える会員用発行機と、預り釣銭情報を特定可能な預り釣銭特定情報が記憶された記憶媒体を受け入れる記憶媒体受入手段と、前記記憶媒体受入手段で受け入れられた記憶媒体の預り釣銭特定情報を読み取る記憶媒体読取手段と、少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、貨幣を受け入れる貨幣受入手段と、前記貨幣受入手段で受け入れられた貨幣を識別する貨幣識別手段と、前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する預り釣銭情報更新手段とを備える代金決済装置と、預り釣銭情報を特定可能な預り釣銭特定情報が記憶された記憶媒体を受け入れる第２の記憶媒体受入手段と、前記第２の記憶媒体受入手段で受け入れられた記憶媒体の預り釣銭特定情報を読み取る第２の記憶媒体読取手段と、前記第２の記憶媒体読取手段で読み取られた預り釣銭特定情報で特定される預り釣銭情報に基づいて、預り釣銭を支払う預り釣銭支払手段と、前記預り釣銭の支払に対応して、前記預り釣銭を更新する第２の預り釣銭情報更新手段とを備え、前記代金決済装置とは別個に設けられた会員用精算機とを具備し、前記商品情報入力装置と前記代金決済装置とが通信可能に接続され、店員と金銭授受を行わない少なくとも１つの会員用レジゲートと、少なくとも商品価格特定情報を読み取る第２の商品情報入力手段と、前記第２の商品情報入力手段によって読み取られた商品価格特定情報に基づいて売上情報を集計する売上情報集計手段とを備える非会員用レジスタ装置を具備し、店員と金銭授受を行なう少なくとも１つの非会員用レジゲートと、前記会員用発行機、前記代金決済装置、前記会員用精算機および非会員用レジスタ装置から出力された情報を管理し集計する管理手段を具備し、少なくとも前記会員用発行機、前記代金決済装置、前記会員用精算機および前記非会員用レジスタ装置のそれぞれと通信回線を介して通信可能に接続される管理装置とを有するレジゲートシステムであって、前記会員用レジゲートにおいて、前記会員用発行機は、預り釣銭情報を特定可能な預り釣銭特定情報を記録した記憶媒体を発行するとともに、該預り釣銭特定情報を通信回線を介して前記管理装置に出力し、前記商品情報入力装置は、読み取った少なくとも商品価格特定情報を前記代金決済装置または前記売上情報集計装置に通信回線を介して出力し、前記代金決済装置は、受け入れた記憶媒体から預り釣銭特定情報を読み取り、該読み取られた預り釣銭特定情報によって特定される預り釣銭情報、入金された貨幣の金額情報および該商品価格特定情報に基づいて集計した売上情報に基づいて、または、受け入れた記憶媒体から預り釣銭特定情報を読み取り、該読み取られた預り釣銭特定情報によって特定される預り釣銭情報、入金された貨幣の金額情報および前記売上情報集計装置からの売上情報に基づいて、該預り釣銭情報を自動的に更新し、前記売上情報および該預り釣銭情報が更新された預り釣銭特定情報を通信回線を介して前記管理装置に出力し、前記管理装置は、前記売上情報および該預り釣銭特定情報に基づく預り釣銭情報を記録し、前記会員用精算機は、預り釣銭情報を特定可能な預り釣銭特定情報が記憶された記憶媒体を受け入れ、該記憶媒体の預り釣銭特定情報を読み取り、読み取った該預り釣銭特定情報で特定される預り釣銭情報に基づいて、預り釣銭を支払い、該預り釣銭の支払に対応して、該預り釣銭情報を自動的に更新し、預り釣銭情報が更新された預り釣銭特定情報を通信回線を介して前記管理装置に出力し、前記管理装置は、前記会員用発行機、前記代金決済装置および前記会員用精算機からの預り釣銭特定情報および売上情報を記録し、前記非会員用レジゲートにおいて、前記非会員レジスタ装置は、集計した売上情報を通信回線を介して前記管理装置に出力し、前記管理装置は、該売上情報を記録することを特徴とするレジゲートシステムである。
【０２８４】
請求項１０４記載のレジゲートシステムによれば、代金決済装置から釣銭機の機能を削除し、別体の会員用精算機を別の場所に設けて釣銭を返却することで、代金決済装置を小型にでき、会計処理台上の比較的狭いスペースにも設置することができる。また、代金決済装置と会員用精算機とを別体とし、それぞれを別の場所に設けることで、代金決済処理を迅速に行うことができ、例えば、量販店などのレジゲートにおける渋滞を解消することができる。なお、この代金決済装置には、請求項４６乃至５５、１５９乃至１６８のいずれか１項に記載したものを用いることができる。また、会員用精算機で更新された預り釣銭情報を、会員用精算機と通信可能に接続された管理装置に、例えば、ＩＤなどに基づいて管理することができる。また、ここで示した精算機には、請求項１９乃至２７、１４１乃至１４９のいずれか１項に記載したものを用いることができる。
【０２８５】
ここで、記憶媒体として、例えば、非接触型の記憶媒体としての機能と、磁気カードとしての機能を兼ね備えたカード形状の記憶媒体などが用いられる。また、商品情報入力装置は、例えば、バーコードリーダなどで構成される。また、商品情報入力装置は、商品の数量や価格の商品情報をテンキーや商品名のシールを貼ったキー群などを有するキーボードなどの入力手段で構成することもできる。さらに、商品情報入力装置は、バーコードリーダなどに、商品の数量や価格の商品情報をテンキーや商品名のシールを貼ったキー群などを有するキーボードなどの入力手段を併設して構成することもできる。この商品情報入力装置は、代金決済装置と通信回線を介して別体として備えられても、また、代金決済装置に組み込んで一体的に設けられてもよい。
【０２８６】
また、商品情報入力装置からの商品価格特定情報は、通信回線を介して直接、代金決済装置に入力しても、レジスタとしての機能を備えるレジスタ装置（ＰＯＳ）などで構成される売上情報集計装置を通し、売上情報集計装置で集計された売上情報を代金決済装置に入力してもよい。商品情報入力装置からの商品価格特定情報を直接、代金決済装置に入力する場合には、代金決済装置の売上情報収得手段は、その商品価格特定情報に基づいて売上情報を集計するレジスタとしての機能を備える。  
【０２８７】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０２８８】
同様に、商品価格特定情報として、例えば、商品価格情報そのものや、商品にとりつけられた記憶媒体や商品に貼付されるか印刷されたバーコードを読み込んで得られた商品を識別するためのＩＤが例示できる。ＩＤとすれば、ネットワーク上の商品価格情報を記録したいずれかの装置とこの装置の商品価格情報の記録エリアを特定するポインターをこのＩＤと対応付けて指定し、この記録エリアから商品価格情報を読み出すこともできる。商品価格特定情報は単一の情報形態とは限定できないため、この発明では商品価格特定情報が特定できればよい。
【０２８９】
また、記憶媒体を発行可能な会員用発行機（例えば、会員カード発行機）をさらに備えることで、会員カードの発行、代金決済、預り釣銭の精算といった一連の代金決済処理を行うことができる。また、会員用発行機から出力された預り釣銭特定情報を会員用発行機と通信可能に接続された管理装置で管理することができる。
【０２９０】
請求項１０５記載の発明は、前記レジゲートシステムが、少なくとも１つの前記管理装置と通信可能に接続された総合管理装置をさらに具備し、前記総合管理装置が、前記管理装置から出力された所定の情報を記録し、集計する管理装置情報管理手段を備えることを特徴とする請求項１００乃至１０４いずれか記載のレジゲートシステムである。
【０２９１】
請求項１０５記載のレジゲートシステムによれば、管理装置は、例えば、プロトコルコンバータ、モデム、一般通信回線や専用通信回線を介して総合管理装置に集計した各種情報を出力し、総合管理装置でそれらの情報を管理し、さらに集計することができる。また、総合管理装置は、他の店舗の管理装置とも一般通信回線や専用通信回線を介して通信可能に接続することができるので、例えば、同じグループ店舗から出力された情報を集計し、店舗毎の集計情報の一覧などを作成して各店舗の管理装置に出力することなどもできる。
【０２９２】
請求項１０６記載の発明は、預り釣銭情報を特定可能な預り釣銭特定情報が記憶された記憶媒体を受け入れる記憶媒体受入手段と、前記記憶媒体受入手段で受け入れられた記憶媒体の預り釣銭特定情報を読み取る記憶媒体読取手段と、少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、貨幣を受け入れる貨幣受入手段と、前記貨幣受入手段で受け入れられた貨幣を識別する貨幣識別手段と、前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する預り釣銭情報更新手段とを備える代金決済装置と通信回線を介して通信可能に接続される預り釣銭管理装置であって、前記代金決済装置は、受け入れた記憶媒体から預り釣銭特定情報を読み取り、該読み取られた預り釣銭特定情報によって特定される預り釣銭情報、入金された貨幣の金額情報および該商品価格特定情報に基づいて集計した売上情報に基づいて、または、受け入れた記憶媒体から預り釣銭特定情報を読み取り、該読み取られた預り釣銭特定情報によって特定される預り釣銭情報、入金された貨幣の金額情報および前記売上情報集計装置からの売上情報に基づいて、該預り釣銭情報を自動的に更新し、前記売上情報および該預り釣銭情報が更新された預り釣銭特定情報を通信回線を介して前記預り釣銭管理装置に出力し、前記預り釣銭管理装置は、前記売上情報および該預り釣銭特定情報に基づく預り釣銭情報を記録することを特徴とする預り釣銭管理装置である。
【０２９３】
請求項１０６記載の預り釣銭管理装置によれば、代金決済装置で更新された預り釣銭情報を、代金決済装置と通信可能に接続された管理装置に、例えば、ＩＤなどに基づいて管理することができる。このため、代金決済装置が壊れた場合でもお客の預り釣銭が管理装置に記録されているので顧客の要求に応じて返金可能である。そして、代金決済装置が複数設置された場合、どの代金決済装置においても預り釣銭を用いて買物代金に充てることができる。ここで、預り釣銭管理装置は、代金決済装置と通信可能に接続可能であり、上記預り釣銭特定情報を受信すれば、例え代金決済装置と異なるメーカがこの預り釣銭管理装置単体を販売しても本発明に含まれる。
【０２９４】
ここで、記憶媒体として、例えば、非接触型の記憶媒体としての機能と、磁気カードとしての機能を兼ね備えたカード形状の記憶媒体などが用いられる。また、商品情報入力装置は、例えば、バーコードリーダなどで構成される。また、商品情報入力装置は、商品の数量や価格の商品情報をテンキーや商品名のシールを貼ったキー群などを有するキーボードなどの入力手段で構成することもできる。さらに、商品情報入力装置は、バーコードリーダなどに、商品の数量や価格の商品情報をテンキーや商品名のシールを貼ったキー群などを有するキーボードなどの入力手段を併設して構成することもできる。この商品情報入力装置は、代金決済装置と通信回線を介して別体として備えられても、また、代金決済装置に組み込んで一体的に設けられてもよい。
【０２９５】
また、商品情報入力装置からの商品価格特定情報は、通信回線を介して直接、代金決済装置に入力しても、レジスタとしての機能を備えるレジスタ装置（ＰＯＳ）などで構成される売上情報集計装置を通し、売上情報集計装置で集計された売上情報を代金決済装置に入力してもよい。商品情報入力装置からの商品価格特定情報を直接、代金決済装置に入力する場合には、代金決済装置の売上情報収得手段は、その商品価格特定情報に基づいて売上情報を集計するレジスタとしての機能を備える。  
【０２９６】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０２９７】
同様に、商品価格特定情報として、例えば、商品価格情報そのものや、商品にとりつけられた記憶媒体や商品に貼付されるか印刷されたバーコードを読み込んで得られた商品を識別するためのＩＤが例示できる。ＩＤとすれば、ネットワーク上の商品価格情報を記録したいずれかの装置とこの装置の商品価格情報の記録エリアを特定するポインターをこのＩＤと対応付けて指定し、この記録エリアから商品価格情報を読み出すこともできる。商品価格特定情報は単一の情報形態とは限定できないため、この発明では商品価格特定情報が特定できればよい。
【０２９８】
請求項１０７記載の発明は、前記預り釣銭管理装置が、預り釣銭情報を特定可能な預り釣銭特定情報が記憶された記憶媒体を受け入れる第２の記憶媒体受入手段と、前記第２の記憶媒体受入手段で受け入れられた記憶媒体の預り釣銭特定情報を読み取る第２の記憶媒体読取手段と、前記第２の記憶媒体読取手段で読み取られた預り釣銭特定情報で特定される預り釣銭情報に基づいて、預り釣銭を支払う預り釣銭支払手段と、前記預り釣銭の支払に対応して、前記預り釣銭を更新する第２の預り釣銭情報更新手段とを備えた精算機とさらに通信回線を介して通信可能に接続され、前記精算機は、預り釣銭情報を特定可能な預り釣銭特定情報が記憶された記憶媒体を受け入れ、該記憶媒体の預り釣銭特定情報を読み取り、読み取った該預り釣銭特定情報で特定される預り釣銭情報に基づいて、預り釣銭を支払い、該預り釣銭の支払に対応して、該預り釣銭情報を自動的に更新し、預り釣銭情報が更新された預り釣銭特定情報を通信回線を介して前記預り釣銭管理装置に出力し、前記預り釣銭管理装置は、該預り釣銭特定情報に基づいて預り釣銭情報を記録することを特徴とする請求項１０６記載の預り釣銭管理装置である。
【０２９９】
請求項１０７記載の預り釣銭管理装置によれば、精算機と通信可能に接続され、この精算機より受信した預り釣銭特定情報を記録するので、精算機によって預り釣銭を支払われた後の預り釣銭を把握できる。ここで、預り釣銭管理装置は、代金決済装置と通信可能に接続可能であり、上記預り釣銭特定情報を受信し、精算機と通信可能に接続され、上記預り釣銭特定情報を受信すれば、例え代金決済装置や精算機と異なるメーカがこの預り釣銭管理装置単体を販売しても本発明に含まれる。
【０３００】
請求項１０８記載の発明は、前記預り釣銭管理装置が、預り釣銭総合管理装置とさらに通信可能に接続され、前記預り釣銭総合管理装置が、前記預り釣銭管理装置から出力された所定の情報を記録し、集計する管理装置情報管理手段を備えることを特徴とする請求項１０６または１０７記載の預り釣銭管理装置である。
【０３０１】
請求項１０８記載の預り釣銭管理装置によれば、預り釣銭管理装置は、例えば、プロトコルコンバータ、モデム、一般通信回線や専用通信回線を介して預り釣銭総合管理装置に集計した各種情報を出力し、預り釣銭総合管理装置でそれらの情報を管理し、さらに集計することができる。また、預り釣銭総合管理装置は、他の店舗の預り釣銭管理装置とも一般通信回線や専用通信回線を介して通信可能に接続することができるので、例えば、同じグループ店舗から出力された情報を集計し、店舗毎の集計情報の一覧などを作成して各店舗の預り釣銭管理装置に出力することなどもできる。
【０３０２】
請求項１０９記載の発明は、預り釣銭情報を特定可能な預り釣銭特定情報が記憶された記憶媒体を受け入れる記憶媒体受入手段と、前記記憶媒体受入手段で受け入れられた記憶媒体の預り釣銭特定情報を読み取る記憶媒体読取手段と、少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された第１の売上情報を受け入れる売上情報収得手段と、貨幣を受け入れる貨幣受入手段と、前記貨幣受入手段で受け入れられた貨幣を識別する貨幣識別手段と、前記売上情報収得手段からの第１の売上情報、前記貨幣識別手段で識別された金額情報および前記記憶媒体読取手段で読み取られた前記預り釣銭情報のうち少なくとも該第１の売上情報および該金額情報に基づいて、前記預り釣銭情報を更新する預り釣銭情報更新手段とを備え、店員と金銭授受を行わない少なくとも１つの会員用レジゲートに設置された代金決済装置、および少なくとも商品価格特定情報を読み取る第２の商品情報入力手段と、前記第２の商品情報入力手段によって読み取られた商品価格特定情報に基づいて第２の売上情報を集計する第２の売上情報集計手段とを備え、店員と金銭授受を行なう少なくとも１つの非会員用レジゲートに設置された非会員用レジスタ装置と通信可能に接続される売上管理装置であって、前記代金決済装置は、前記第１の売上情報を通信回線を介して前記売上管理装置に出力し、前記売上管理装置は、受信した前記第１の売上情報を記録し、前記非会員用レジスタ装置は、前記第２の売上情報を通信回線を介して前記売上管理装置に出力し、前記売上管理装置は、受信した前記第２の売上情報を記録することを特徴とする売上管理装置である。
請求項１０９記載の売上管理装置によれば、代金決済装置および非会員用レジスタ装置より受信した第１の売上情報と第２の売上情報を記録するので、それぞれの売上情報、売上情報に基づいて算出した利益情報、売上の上がった時刻や時間間隔より稼動率情報などを算出可能となる。また、これらの情報を出力して表示すれば、会員用レジゲートと非会員用レジゲートの比較ができ、この比較結果に基づき会員用レジゲートと非会員用レジゲートの設置割合を検討できる。
【０３０３】
ここで、記憶媒体として、例えば、非接触型の記憶媒体としての機能と、磁気カードとしての機能を兼ね備えたカード形状の記憶媒体などが用いられる。また、商品情報入力装置は、例えば、バーコードリーダなどで構成される。また、商品情報入力装置は、商品の数量や価格の商品情報をテンキーや商品名のシールを貼ったキー群などを有するキーボードなどの入力手段で構成することもできる。さらに、商品情報入力装置は、バーコードリーダなどに、商品の数量や価格の商品情報をテンキーや商品名のシールを貼ったキー群などを有するキーボードなどの入力手段を併設して構成することもできる。この商品情報入力装置は、代金決済装置と通信回線を介して別体として備えられても、また、代金決済装置に組み込んで一体的に設けられてもよい。
【０３０４】
また、商品情報入力装置からの商品価格特定情報は、通信回線を介して直接、代金決済装置に入力しても、レジスタとしての機能を備えるレジスタ装置（ＰＯＳ）などで構成される売上情報集計装置を通し、売上情報集計装置で集計された売上情報を代金決済装置に入力してもよい。商品情報入力装置からの商品価格特定情報を直接、代金決済装置に入力する場合には、代金決済装置の売上情報収得手段は、その商品価格特定情報に基づいて売上情報を集計するレジスタとしての機能を備える。  
【０３０５】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０３０６】
同様に、商品価格特定情報として、例えば、商品価格情報そのものや、商品にとりつけられた記憶媒体や商品に貼付されるか印刷されたバーコードを読み込んで得られた商品を識別するためのＩＤが例示できる。ＩＤとすれば、ネットワーク上の商品価格情報を記録したいずれかの装置とこの装置の商品価格情報の記録エリアを特定するポインターをこのＩＤと対応付けて指定し、この記録エリアから商品価格情報を読み出すこともできる。商品価格特定情報は単一の情報形態とは限定できないため、この発明では商品価格特定情報が特定できればよい。
【０３０７】
請求項１１０記載の発明は、前記売上管理装置が、売上総合管理装置とさらに通信可能に接続され、前記売上総合管理装置が、前記売上管理装置から出力された所定の情報を記録し、集計する管理装置情報管理手段を備えることを特徴とする売上管理装置である。
【０３０８】
請求項１１０記載の売上管理装置によれば、売上管理装置は、例えば、プロトコルコンバータ、モデム、一般通信回線や専用通信回線を介して売上総合管理装置に集計した各種情報を出力し、売上総合管理装置でそれらの情報を管理し、さらに集計することができる。また、売上総合管理装置は、他の店舗の売上管理装置とも一般通信回線や専用通信回線を介して通信可能に接続することができるので、例えば、同じグループ店舗から出力された情報を集計し、店舗毎の集計情報の一覧などを作成して各店舗の売上管理装置に出力することなどもできる。
【０３０９】
請求項１１１記載の発明は、預り釣銭情報を特定可能な預り釣銭特定情報が記憶された第１の記憶媒体を受け入れる第１の記憶媒体受入手段と、前記第１の記憶媒体受入手段で受け入れられた第１の記憶媒体の預り釣銭特定情報を読み取る第１の記憶媒体読取手段と、貨幣を受け入れる貨幣受入手段と、前記貨幣受入手段で受け入れられた貨幣を識別する貨幣識別手段と、前記第１の記憶媒体読取手段で読み取られた預り釣銭特定情報および／または前記貨幣識別手段で識別された貨幣情報を出力する情報出力手段と、前記情報出力手段から出力された情報および商品価格特定情報から得られた預り釣銭情報を入力する預り釣銭情報入力手段と、前記預り釣銭情報入力手段に入力された預り釣銭情報に基づいて、前記預り釣銭情報を更新する第１の預り釣銭情報更新手段とを備える代金決済装置と、預り釣銭情報を特定可能な預り釣銭特定情報が記憶された前記第１の記憶媒体を受け入れる第２の記憶媒体受入手段と、前記第２の記憶媒体受入手段で受け入れられた前記第１の記憶媒体の預り釣銭情報を読み取る第２の記憶媒体読取手段と、前記第２の記憶媒体読取手段で読み取られた預り釣銭特定情報で特定される預り釣銭情報に基づいて、預り釣銭を支払う預り釣銭支払手段と、前記預り釣銭の支払に対応して、前記預り釣銭情報を更新する第２の預り釣銭情報更新手段とを備え、前記代金決済装置とは別個に設けられた精算機とを具備することを特徴とする代金決済精算装置である。
【０３１０】
請求項１１１記載の代金決済精算装置によれば、代金決済装置から釣銭の支払釣銭機の機能を削除し、別体の精算機を別の場所に設けて預り釣銭を返却することで、代金決済装置を小型にでき、会計処理台上の比較的狭いスペースにも設置することができる。また、代金決済装置と精算機とを別体とし、それぞれを別の場所に設けることで、代金決済処理を迅速に行うことができ、例えば、量販店などのレジゲートにおける渋滞を解消することができる。
【０３１１】
ここで、記憶媒体として、例えば、非接触型の記憶媒体としての機能と、磁気カードとしての機能を兼ね備えたカード形状の記憶媒体などが用いられる。また、情報出力手段において、例えば、代金決済装置とは別体として備えられたレジスタ装置（ＰＯＳ）に、預り釣銭情報、貨幣情報などを出力し、レジスタ装置（ＰＯＳ）において、その情報出力手段から出力された情報と、レジスタ装置（ＰＯＳ）で集計された商品価格特定情報とに基づいて、預り釣銭情報を算出する。そして、その算出した預り釣銭情報を代金決済装置の預り釣銭情報入力手段によって入力する。この預り釣銭情報入力手段では、預り釣銭情報以外に、商品価格特定情報、購入商品の情報などを入力してもよい。
【０３１２】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０３１３】
請求項１１２記載の発明は、預り釣銭情報を特定可能な預り釣銭特定情報が記憶された第１の記憶媒体を受け入れる第１の記憶媒体受入手段と、前記第１の記憶媒体受入手段で受け入れられた第１の記憶媒体の預り釣銭特定情報を読み取る第１の記憶媒体読取手段と、前記第１の記憶媒体読取手段で読み取られた預り釣銭特定情報を出力する預り釣銭特定情報出力手段とを備える記憶媒体処理装置と、前記預り釣銭特定情報出力手段から出力された預り釣銭特定情報を入力する預り釣銭情報入力手段と、入金された金額情報を入力する入金額情報入力手段と、読み取られた商品価格特定情報に基づいて集計された売上情報を入力する売上情報入力手段と、前記売上情報入力手段で入力された売上情報、前記入金額情報入力手段で入力された金額情報および前記預り釣銭情報入力手段で入力された預り釣銭特定情報のうち少なくとも該売上情報および該金額情報に基づいて、前記預り釣銭情報を更新する第１の預り釣銭情報更新手段とを備え、前記記憶媒体処理装置と通信可能である代金決済装置と、預り釣銭情報を特定可能な預り釣銭特定情報が記憶された前記第１の記憶媒体を受け入れる第２の記憶媒体受入手段と、前記第２の記憶媒体受入手段で受け入れられた前記第１の記憶媒体の預り釣銭情報を読み取る第２の記憶媒体読取手段と、前記第２の記憶媒体読取手段で読み取られた預り釣銭特定情報で特定される預り釣銭情報に基づいて、預り釣銭を支払う預り釣銭支払手段と、前記預り釣銭の支払に対応して、前記預り釣銭情報を更新する第２の預り釣銭情報更新手段とを備え、前記代金決済装置とは別個に設けられた精算機とを具備することを特徴とする代金決済精算装置である。
【０３１４】
請求項１１２記載の代金決済精算装置によれば、代金決済装置から釣銭の支払い機能を削除し、別体の精算機を別の場所に設けて預り釣銭を返却することで、代金決済装置を小型にでき、会計処理台上の比較的狭いスペースにも設置することができる。また、代金決済装置と精算機とを別体とし、それぞれを別の場所に設けることで、代金決済処理を迅速に行うことができ、例えば、量販店などのレジゲートにおける渋滞を解消することができる。
【０３１５】
また、記憶媒体処理装置と、記憶媒体処理装置と通信可能である代金決済装置と、精算機とから構成され、代金決済装置は、紙幣や硬貨の受入口や、不良硬貨の返却口、記憶媒体である会員カードの挿入口やＩＣコインの投入口を一切設けず、主に、売上情報入力手段で入力された売上情報、入金額情報入力手段で入力された金額情報および預り釣銭情報入力手段で入力された預り釣銭特定情報のうち少なくとも該売上情報および該金額情報に基づいて、預り釣銭情報を更新するものとして機能させることができる。そして、記憶媒体処理装置は、従来の手入力で商品の値段や受け取った入金額を入力するためのキーと、受け取った現金を収容し、釣銭を取り出すドロワーと、購入商品の値段と合計代金を印刷したレシートを発行するレシート発行機能と、合計代金の表示部などを最小限に設けたレジスタ装置（ＰＯＳ）に、カードリーダをＲＳ２３２Ｃなどの通信回線で接続した簡素な構成とすることもできる。
【０３１６】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０３１７】
請求項１１３記載の発明は、預り釣銭情報を特定可能な預り釣銭特定情報が記憶された第１の記憶媒体を受け入れる第１の記憶媒体受入手段と、前記第１の記憶媒体受入手段で受け入れられた第１の記憶媒体の預り釣銭特定情報を読み取る第１の記憶媒体読取手段と、貨幣を受け入れる第１の貨幣受入手段と、前記第１の貨幣受入手段で受け入れられた貨幣を識別する第１の貨幣識別手段と、前記第１の記憶媒体読取手段で読み取られた預り釣銭特定情報および／または前記貨幣識別手段で識別された貨幣情報を出力する情報出力手段と、前記情報出力手段から出力された情報および商品価格特定情報から得られた預り釣銭情報を入力する預り釣銭情報入力手段と、前記預り釣銭情報入力手段に入力された預り釣銭情報に基づいて、前記預り釣銭情報を更新する第１の預り釣銭情報更新手段とを備える代金決済装置と、預り釣銭情報を特定可能な預り釣銭特定情報が記憶された前記第１の記憶媒体を受け入れる第２の記憶媒体受入手段と、前記第２の記憶媒体受入手段で受け入れられた前記第１の記憶媒体の預り釣銭情報を読み取る第２の記憶媒体読取手段と、貨幣を受け入れる第２の貨幣受入手段と、前記第２の貨幣受入手段で受け入れられた貨幣を識別する第２の貨幣識別手段と、前記第２の記憶媒体読取手段で読み取られた預り釣銭情報に前記第２の貨幣識別手段で識別された金額情報を加え、預り釣銭情報を更新する第２の預り釣銭情報更新手段と、前記第２の預り釣銭情報更新手段によって更新された預り釣銭情報に基づいて、預り釣銭を支払う預り釣銭支払手段と、前記預り釣銭の支払に対応して、前記第２の預り釣銭情報更新手段によって更新された預り釣銭情報を更新する第３の預り釣銭情報更新手段とを備え、前記代金決済装置とは別個に設けられた精算機とを具備することを特徴とする代金決済精算装置である。
【０３１８】
請求項１１３記載の代金決済精算装置によれば、代金決済装置から釣銭の支払い機能を削除し、別体の精算機を別の場所に設けて預り釣銭を返却することで、代金決済装置を小型にでき、会計処理台上の比較的狭いスペースにも設置することができる。また、代金決済装置と精算機とを別体とし、それぞれを別の場所に設けることで、代金決済処理を迅速に行うことができ、例えば、量販店などのレジゲートにおける渋滞を解消することができる。
【０３１９】
ここで、記憶媒体として、例えば、非接触型の記憶媒体としての機能と、磁気カードとしての機能を兼ね備えたカード形状の記憶媒体などが用いられる。また、情報出力手段において、例えば、代金決済装置とは別体として備えられたレジスタ装置（ＰＯＳ）に、預り釣銭情報、貨幣情報などを出力し、レジスタ装置（ＰＯＳ）において、その情報出力手段から出力された情報と、レジスタ装置（ＰＯＳ）で集計された商品価格特定情報とに基づいて、預り釣銭情報を算出する。そして、その算出した預り釣銭情報を代金決済装置の預り釣銭情報入力手段によって入力する。この預り釣銭情報入力手段では、預り釣銭情報以外に、商品価格特定情報、購入商品の情報などを入力してもよい。
【０３２０】
また、精算機に第２の貨幣受入手段を備え、精算機に貨幣を入金することで、預り釣銭額を増加することができる。これによって、例えば、精算の際、１０００円未満の硬貨を受け取ることを拒否したい場合になどに、預り釣銭額がちょうど１０００円単位になるように入金することで、硬貨を受け取ることなく精算を行うことができる。さらに、預り釣銭額を増額しておくことで、次回の買物時に現金の支払いを少なくすることも可能になる。
【０３２１】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０３２２】
請求項１１４記載の発明は、預り釣銭情報を特定可能な預り釣銭特定情報が記憶された第１の記憶媒体を受け入れる第１の記憶媒体受入手段と、前記第１の記憶媒体受入手段で受け入れられた第１の記憶媒体の預り釣銭特定情報を読み取る第１の記憶媒体読取手段と、前記第１の記憶媒体読取手段で読み取られた預り釣銭特定情報を出力する預り釣銭特定情報出力手段とを備える記憶媒体処理装置と、前記預り釣銭特定情報出力手段から出力された預り釣銭特定情報を入力する預り釣銭情報入力手段と、入金された金額情報を入力する入金額情報入力手段と、読み取られた商品価格特定情報に基づいて集計された売上情報を入力する売上情報入力手段と、前記売上情報入力手段で入力された売上情報、前記入金額情報入力手段で入力された金額情報および前記預り釣銭情報入力手段で入力された預り釣銭特定情報のうち少なくとも該売上情報および該金額情報に基づいて、前記預り釣銭情報を更新する第１の預り釣銭情報更新手段とを備え、前記記憶媒体処理装置と通信可能である代金決済装置と、預り釣銭情報を特定可能な預り釣銭特定情報が記憶された前記第１の記憶媒体を受け入れる第２の記憶媒体受入手段と、前記第２の記憶媒体受入手段で受け入れられた前記第１の記憶媒体の預り釣銭情報を読み取る第２の記憶媒体読取手段と、貨幣を受け入れる第２の貨幣受入手段と、前記第２の貨幣受入手段で受け入れられた貨幣を識別する第２の貨幣識別手段と、前記第２の記憶媒体読取手段で読み取られた預り釣銭情報に前記第２の貨幣識別手段で識別された金額情報を加え、預り釣銭情報を更新する第２の預り釣銭情報更新手段と、前記第２の預り釣銭情報更新手段によって更新された預り釣銭情報に基づいて、預り釣銭を支払う預り釣銭支払手段と、前記預り釣銭の支払に対応して、前記第２の預り釣銭情報更新手段によって更新された預り釣銭情報を更新する第３の預り釣銭情報更新手段とを備え、前記代金決済装置とは別個に設けられた精算機とを具備することを特徴とする代金決済精算装置である。
【０３２３】
請求項１１４記載の代金決済精算装置によれば、代金決済装置から釣銭の支払い機能を削除し、別体の精算機を別の場所に設けて預り釣銭を返却することで、代金決済装置を小型にでき、会計処理台上の比較的狭いスペースにも設置することができる。また、代金決済装置と精算機とを別体とし、それぞれを別の場所に設けることで、代金決済処理を迅速に行うことができ、例えば、量販店などのレジゲートにおける渋滞を解消することができる。
【０３２４】
また、記憶媒体処理装置と、記憶媒体処理装置と通信可能である代金決済装置と、精算機とから構成され、代金決済装置は、紙幣や硬貨の受入口や、不良硬貨の返却口、記憶媒体である会員カードの挿入口やＩＣコインの投入口を一切設けず、主に、売上情報入力手段で入力された売上情報、入金額情報入力手段で入力された金額情報および預り釣銭情報入力手段で入力された預り釣銭特定情報のうち少なくとも該売上情報および該金額情報に基づいて、預り釣銭情報を更新するものとして機能させることができる。そして、記憶媒体処理装置は、従来の手入力で商品の値段や受け取った入金額を入力するためのキーと、受け取った現金を収容し、釣銭を取り出すドロワーと、購入商品の値段と合計代金を印刷したレシートを発行するレシート発行機能と、合計代金の表示部などを最小限に設けたレジスタ装置（ＰＯＳ）に、カードリーダをＲＳ２３２Ｃなどの通信回線で接続した簡素な構成とすることもできる。
【０３２５】
また、精算機に第２の貨幣受入手段を備え、精算機に貨幣を入金することで、預り釣銭額を増加することができる。これによって、例えば、精算の際、１０００円未満の硬貨を受け取ることを拒否したい場合になどに、預り釣銭額がちょうど１０００円単位になるように入金することで、硬貨を受け取ることなく精算を行うことができる。さらに、預り釣銭額を増額しておくことで、次回の買物時に現金の支払いを少なくすることも可能になる。
【０３２６】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０３２７】
請求項１１５記載の発明は、前記代金決済精算装置において、前記代金決済装置は、前記第１の預り釣銭情報更新手段によって更新された預り釣銭情報に基づいて、該預り釣銭情報を記憶した第２の記憶媒体を発行可能な記憶媒体発行手段をさらに備え、前記精算機は、預り釣銭情報を特定可能な預り釣銭特定情報が記憶された前記第２の記憶媒体を受け入れる第３の記憶媒体受入手段と、前記第３の記憶媒体受入手段で受け入れられた前記第２の記憶媒体の預り釣銭情報を読み取る第３の記憶媒体読取手段と、前記第３の記憶媒体読取手段によって読み取られた預り釣銭情報に基づいて、預り釣銭を支払う第２の預り釣銭支払手段と、前記預り釣銭の支払に対応して、前記第２の記憶媒体の預り釣銭情報を更新する第４の預り釣銭情報更新手段とをさらに備えることを特徴とする請求項１、５、１１１乃至１１４のいずれか１項記載の代金決済精算装置である。
【０３２８】
請求項１１５記載の代金決済精算装置によれば、記憶媒体発行手段によって、預り釣銭情報を記憶した第２の記憶媒体を発行することができるので、例えば、代金決済装置が備えられる会員顧客ゲートにおいて、第１の記憶媒体を持たない通常顧客にも対応することができる。この場合には、第１の記憶媒体を受け入れることなく、現金を受け入れて、それに基づいて代金決済処理がなされ、その後の預り釣銭情報やポイント情報などを第２の記憶媒体に記録して発行する。この発行された第２の記憶媒体は、精算機において受け入れられ、精算処理を行うことができる。
【０３２９】
請求項１１６記載の発明は、前記精算機が、少なくとも精算または両替の処理を判定する処理判定手段と、前記処理判定手段において両替処理が選択された場合に機能し、前記第２の貨幣識別手段で識別された貨幣に対応する両替処理を行い、該処理に基づく貨幣を支払う両替支払手段とを更に備えることを特徴とする請求項１、５、１１１乃至１１５のいずれか１項記載の代金決済精算装置である。
【０３３０】
請求項１１６記載の代金決済精算装置によれば、精算機に両替処理を行いその処理に基づく貨幣を支払う両替支払手段を具備し、両替機としての機能を備えている。この両替機能を備えることで、さらに精算機の利用価値を向上させることができる。
【０３３１】
請求項１１７記載の発明は、前記第２の記憶媒体が、レシートであることを特徴とする請求項１１５記載の代金決済精算装置である。
【０３３２】
請求項１１７記載の代金決済精算装置によれば、第２の記憶媒体としてレシートを用いている。なお、第２の記憶媒体は、レシートに限られるものではなく、例えば、磁気カード、ＩＣカードなどの記憶媒体を用いることもできる。
【０３３３】
請求項１１８記載の発明は、前記レシートには、預り釣銭情報がバーコードにて記録されていることを特徴とする請求項１１７記載の代金決済精算装置である。
【０３３４】
請求項１１８記載の代金決済精算装置によれば、レシートに記録されたバーコードから、例えば、ＩＤを特定し、そのＩＤに基づいて、店内管理装置に記録された預り釣銭情報などを得ることができる。また、バーコードに預り釣銭情報などを記録させてもよい。
【０３３５】
請求項１１９記載の発明は、前記第１の記憶媒体が、カード形状記憶媒体であることを特徴とする請求項１１１乃至１１４のいずれか１項記載の代金決済精算装置である。
【０３３６】
請求項１１９記載の代金決済精算装置によれば、第１の記憶媒体にカード形状記憶媒体が用いられている。このカード形状記憶媒体として、例えば、非接触型の記憶媒体としての機能と、磁気カードとしての機能を兼ね備えたカード形状の記憶媒体などが用いられる。
【０３３７】
請求項１２０記載の発明は、前記カード形状記憶媒体が、表示部を備えることを特徴とする請求項１１９記載の代金決済精算装置である。
【０３３８】
この表示部には、預り釣銭情報や、最後の買物日時情報、ポイント情報などが記載される。
【０３３９】
請求項１２０記載の代金決済精算装置によれば、カード形状記憶媒体に、例えば、磁気カードとしての機能を兼ね備えた非接触型の記憶媒体を用いることができる。この磁気カードには、表示部としてカードビジブル部が備えられ、このカードビジブル部は、内部に封入された所定量の磁性粉体が外部から視認可能に透明のフィルム材で表面が被覆されている。このカードビジブル部は、カードビジブル部に対向する裏面側に設けられた磁気記録部を、表示情報に対応した所定の英数字などの文字または模様状に磁気記録し、この磁気記録された位置に磁性粉体が着磁されて留まることで、英数字等の文字などを表記することができる。また他の表示部として加熱して文字等を表示するロイコ層や白濁層などを用いてもよい。
【０３４０】
請求項１２１記載の発明は、前記第１の記憶媒体が、コイン形状記憶媒体であることを特徴とする請求項１１１乃至１１４のいずれか１項記載の代金決済精算装置である。
【０３４１】
請求項１２１記載の代金決済精算装置によれば、第１の記憶媒体にコイン形状記憶媒体が用いられている。このコイン形状記憶媒体として、例えば、非接触型の記憶媒体などが例示できる。
【０３４２】
請求項１２２記載の発明は、前記代金決済装置または／および前記精算機は、購入した商品購入情報が記録されたレシートを発行可能なレシート発行手段をさらに具備することを特徴とする請求項１１５記載の代金決済精算装置である。
【０３４３】
請求項１２２記載の代金決済精算装置によれば、購入した商品購入情報が記録されたレシートが発行されるので、購入した商品の確認などを行うことができる。また、レシートには、預り釣銭額やポイント数などの情報が記載されてもよい。
【０３４４】
また、レシートは、代金決済装置で発行される場合として、第１の記憶媒体を返却する際、同時に発行するようにしてもよい。また、レシートは、代金決済装置において、第１の記憶媒体を返却するか、あるいは第２の記憶媒体の発行を受けた後、精算機において、第１の記憶媒体または第２の記憶媒体を受け入れた後に発行するようにしてもよい。第２の記憶媒体が、商品購入情報が記録され、かつ預り釣銭特定情報が記録されたバーコード付きの第１のレシートの場合、精算機にて第１のレシートを受け入れて回収し、商品購入情報が記録されたレシートを発行するようにしてもよい。また、レシートは、代金決済装置において、第２の記憶媒体として機能してもよい。さらに、レシートは、代金決済装置において、第２の記憶媒体とは別のレシートを発行するようにしてもよい。
【０３４５】
請求項１２３記載の発明は、前記第２の記憶媒体には、少なくとも購入した商品購入情報を記録することを特徴とする請求項１１５または１２１記載の代金決済精算装置である。
【０３４６】
請求項１２３記載の代金決済精算装置によれば、第２の記憶媒体には、少なくとも購入した商品購入情報が記載されるので購入した商品の確認などを行うことができる。また、第２の記憶媒体としてレシートを用い、このレシートにバーコードを記載し、例えば、このバーコードにＩＤ情報など持たせてもよい。この場合には、このＩＤに基づいて、店内管理装置に記録された預り釣銭情報などを得るようにすることができる。
【０３４７】
請求項１２４記載の発明は、前記第２の貨幣受入手段における入金は、所定の条件を満たした場合に可能となることを特徴とする請求項５、１１３、１１４のいずれか１項記載の代金決済精算装置である。
【０３４８】
請求項１２４記載の代金決済精算装置によれば、所定の条件を満たした場合に、第２の貨幣受入手段に入金可能とすることを特徴とする。ここで、所定の条件とは、例えば、（１）預り釣銭額が所定金額以上（例えば、１００００円以上）の場合、（２）入金が所定金額以上（例えば、１００００円以上）の場合、（３）前回精算処理を行ったときから所定時間経過した場合、（４）買物の精算処理はなく、両替のみで前回の両替から所定時間内である場合、（５）入金可能枚数を透過した場合、に該当しない場合である。なお、この条件は、適宜に設定することができ、これらの条件に限られるものではない。
【０３４９】
請求項１２５記載の発明は、前記所定の条件を満たさない場合には、該所定の条件を満たさない理由を表示することを特徴とする請求項１２４記載の代金決済精算装置である。
【０３５０】
請求項１２５記載の代金決済精算装置によれば、所定の条件を満たさない理由を、例えば、次のように表示する。（１）預り釣銭額が所定金額以上（例えば、１００００円以上）の場合には、「１００００円以上の預り金はできません」、（２）入金が所定金額以上（例えば、１００００円以上）の場合には、「１００００円以上の入金はできません」、（３）前回精算処理を行ったときから所定時間経過した場合には、「もう一度買物をして頂けると入金できます」、（４）買物の精算処理はなく、両替のみで前回の両替から所定時間内である場合には、「もう一度買物をして頂けると入金できます」、（５）入金可能枚数を透過した場合などの場合には、「１回の○円札、または○円玉の入金可能枚数は○○枚です」などの表示を行う。なお、この所定の条件を満たさない理由は、所定の条件に対応して適宜に変更可能であり、これらの理由に限られるものではない。
【０３５１】
請求項１２６記載の発明は、預り釣銭情報を特定可能な預り釣銭特定情報が記憶された第１の記憶媒体を受け入れる第１の記憶媒体受入ステップと、前記第１の記憶媒体受入ステップで受け入れられた第１の記憶媒体の預り釣銭特定情報を読み取る第１の記憶媒体読取ステップと、貨幣を受け入れる貨幣受入ステップと、前記貨幣受入ステップで受け入れられた貨幣を識別する貨幣識別ステップと、前記第１の記憶媒体読取ステップで読み取られた預り釣銭特定情報および／または前記貨幣識別ステップで識別された貨幣情報を出力する情報出力ステップと、前記情報出力ステップから出力された情報および商品価格特定情報から得られた預り釣銭情報を入力する預り釣銭情報入力ステップと、前記預り釣銭情報入力ステップで入力された預り釣銭情報に基づいて、前記預り釣銭情報を更新する第１の預り釣銭情報更新ステップとを備える代金決済方法と、預り釣銭情報を特定可能な預り釣銭特定情報が記憶された前記第１の記憶媒体を受け入れる第２の記憶媒体受入ステップと、前記第２の記憶媒体受入ステップで受け入れられた前記第１の記憶媒体の預り釣銭情報を読み取る第２の記憶媒体読取ステップと、前記第２の記憶媒体読取ステップで読み取られた預り釣銭特定情報で特定される預り釣銭情報に基づいて、預り釣銭を支払う預り釣銭支払ステップと、前記預り釣銭の支払に対応して、前記預り釣銭情報を更新する第２の預り釣銭情報更新ステップとを備え、前記代金決済方法の所定の工程完了後に別途行われる精算方法とを具備することを特徴とする代金決済精算方法である。
【０３５２】
請求項１２６記載の代金決済精算方法によれば、代金決済処理と精算処理を別個に行うことができるので、代金決済処理を迅速に行うことができる。これによって、例えば、量販店などのレジゲートにおける渋滞を解消することができる。
【０３５３】
ここで、記憶媒体として、例えば、非接触型の記憶媒体としての機能と、磁気カードとしての機能を兼ね備えたカード形状の記憶媒体などが用いられる。また、情報出力ステップにおいて、例えば、代金決済装置とは別体として備えられたレジスタ装置（ＰＯＳ）に、預り釣銭情報、貨幣情報などを出力し、レジスタ装置（ＰＯＳ）において、その情報出力ステップから出力された情報と、レジスタ装置（ＰＯＳ）で集計された商品価格特定情報とに基づいて、預り釣銭情報を算出する。そして、その算出した預り釣銭情報を代金決済装置の預り釣銭情報入力ステップによって入力する。この預り釣銭情報入力ステップでは、預り釣銭情報以外に、商品価格特定情報、購入商品の情報などを入力してもよい。
【０３５４】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０３５５】
請求項１２７記載の発明は、預り釣銭情報を特定可能な預り釣銭特定情報が記憶された第１の記憶媒体を受け入れる第１の記憶媒体受入ステップと、前記第１の記憶媒体受入ステップで受け入れられた第１の記憶媒体の預り釣銭特定情報を読み取る第１の記憶媒体読取ステップと、前記第１の記憶媒体読取ステップで読み取られた預り釣銭特定情報を出力する預り釣銭特定情報出力ステップとを備える記憶媒体処理方法と、前記預り釣銭特定情報出力ステップから出力された預り釣銭特定情報を入力する預り釣銭情報入力ステップと、入金された金額情報を入力する入金額情報入力ステップと、読み取られた商品価格特定情報に基づいて集計された売上情報を入力する売上情報入力ステップと、前記売上情報入力ステップで入力された売上情報、前記入金額情報入力ステップで入力された金額情報および前記預り釣銭情報入力ステップで入力された預り釣銭特定情報のうち少なくとも該売上情報および該金額情報に基づいて、前記預り釣銭情報を更新する第１の預り釣銭情報更新ステップとを備える代金決済方法と、預り釣銭情報を特定可能な預り釣銭特定情報が記憶された前記第１の記憶媒体を受け入れる第２の記憶媒体受入ステップと、前記第２の記憶媒体受入ステップで受け入れられた前記第１の記憶媒体の預り釣銭情報を読み取る第２の記憶媒体読取ステップと、前記第２の記憶媒体読取ステップで読み取られた預り釣銭特定情報で特定される預り釣銭情報に基づいて、預り釣銭を支払う預り釣銭支払ステップと、前記預り釣銭の支払に対応して、前記預り釣銭情報を更新する第２の預り釣銭情報更新ステップとを備え、前記代金決済方法の所定の工程完了後に別途行われる精算方法とを具備することを特徴とする代金決済精算方法である。
【０３５６】
請求項１２７記載の代金決済精算方法によれば、代金決済処理と精算処理を別個に行うことができるので、代金決済処理を迅速に行うことができる。これによって、例えば、量販店などのレジゲートにおける渋滞を解消することができる。
【０３５７】
また、代金決済精算方法は、記憶媒体処理方法と、代金決済方法と、精算方法とから構成され、代金決済方法では、紙幣や硬貨の受入口や、不良硬貨の返却口、記憶媒体である会員カードの挿入口やＩＣコインの投入口を一切設けず、主に、売上情報入力ステップで入力された売上情報、入金額情報入力ステップで入力された金額情報および預り釣銭情報入力ステップで入力された預り釣銭特定情報のうち少なくとも該売上情報および該金額情報に基づいて、預り釣銭情報を更新するものとして機能させることができる。
【０３５８】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０３５９】
請求項１２８記載の発明は、預り釣銭情報を特定可能な預り釣銭特定情報が記憶された第１の記憶媒体を受け入れる第１の記憶媒体受入ステップと、前記第１の記憶媒体受入ステップで受け入れられた第１の記憶媒体の預り釣銭特定情報を読み取る第１の記憶媒体読取ステップと、貨幣を受け入れる第１の貨幣受入ステップと、前記第１の貨幣受入ステップで受け入れられた貨幣を識別する第１の貨幣識別ステップと、前記第１の記憶媒体読取ステップで読み取られた預り釣銭特定情報および／または前記貨幣識別ステップで識別された貨幣情報を出力する情報出力ステップと、前記情報出力ステップで出力された情報および商品価格特定情報から得られた預り釣銭情報を入力する預り釣銭情報入力ステップと、前記預り釣銭情報入力ステップで入力された預り釣銭情報に基づいて、前記預り釣銭情報を更新する第１の預り釣銭情報更新ステップとを備える代金決済方法と、預り釣銭情報を特定可能な預り釣銭特定情報が記憶された前記第１の記憶媒体を受け入れる第２の記憶媒体受入ステップと、前記第２の記憶媒体受入ステップで受け入れられた前記第１の記憶媒体の預り釣銭情報を読み取る第２の記憶媒体読取ステップと、貨幣を受け入れる第２の貨幣受入ステップと、前記第２の貨幣受入ステップで受け入れられた貨幣を識別する第２の貨幣識別ステップと、前記第２の記憶媒体読取ステップで読み取られた預り釣銭情報に前記第２の貨幣識別ステップで識別された金額情報を加え、預り釣銭情報を更新する第２の預り釣銭情報更新ステップと、前記第２の預り釣銭情報更新ステップによって更新された預り釣銭情報に基づいて、預り釣銭を支払う預り釣銭支払手段と、前記預り釣銭の支払に対応して、前記第２の預り釣銭情報更新ステップによって更新された預り釣銭情報を更新する第３の預り釣銭情報更新ステップとを備え、前記代金決済方法の所定の工程完了後に別途行われる精算方法とを具備することを特徴とする代金決済精算方法である。
【０３６０】
請求項１２８記載の代金決済精算方法によれば、代金決済処理と精算処理を別個に行うことができるので、代金決済処理を迅速に行うことができる。これによって、例えば、量販店などのレジゲートにおける渋滞を解消することができる。
【０３６１】
ここで、記憶媒体として、例えば、非接触型の記憶媒体としての機能と、磁気カードとしての機能を兼ね備えたカード形状の記憶媒体などが用いられる。また、情報出力ステップにおいて、例えば、代金決済装置とは別体として備えられたレジスタ装置（ＰＯＳ）に、預り釣銭情報、貨幣情報などを出力し、レジスタ装置（ＰＯＳ）において、その情報出力ステップから出力された情報と、レジスタ装置（ＰＯＳ）で集計された商品価格特定情報とに基づいて、預り釣銭情報を算出する。そして、その算出した預り釣銭情報を代金決済装置の預り釣銭情報入力ステップによって入力する。この預り釣銭情報入力ステップでは、預り釣銭情報以外に、商品価格特定情報、購入商品の情報などを入力してもよい。
【０３６２】
また、精算処理に第２の貨幣受入ステップを備え、貨幣を入金することで、預り釣銭額を増加することができる。これによって、例えば、精算の際、１０００円未満の硬貨を受け取ることを拒否したい場合になどに、預り釣銭額がちょうど１０００円単位になるように入金することで、硬貨を受け取ることなく精算を行うことができる。さらに、預り釣銭額を増額しておくことで、次回の買物時に現金の支払いを少なくすることも可能になる。
【０３６３】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０３６４】
請求項１２９記載の発明は、預り釣銭情報を特定可能な預り釣銭特定情報が記憶された第１の記憶媒体を受け入れる第１の記憶媒体受入ステップと、前記第１の記憶媒体受入ステップで受け入れられた第１の記憶媒体の預り釣銭特定情報を読み取る第１の記憶媒体読取ステップと、前記第１の記憶媒体読取ステップで読み取られた預り釣銭特定情報を出力する預り釣銭特定情報出力ステップとを備える記憶媒体処理方法と、前記預り釣銭特定情報出力ステップから出力された預り釣銭特定情報を入力する預り釣銭情報入力ステップと、入金された金額情報を入力する入金額情報入力ステップと、読み取られた商品価格特定情報に基づいて集計された売上情報を入力する売上情報入力ステップと、前記売上情報入力ステップで入力された売上情報、前記入金額情報入力ステップで入力された金額情報および前記預り釣銭情報入力ステップで入力された預り釣銭特定情報のうち少なくとも該売上情報および該金額情報に基づいて、前記預り釣銭情報を更新する第１の預り釣銭情報更新ステップとを備える代金決済方法と、預り釣銭情報を特定可能な預り釣銭特定情報が記憶された前記第１の記憶媒体を受け入れる第２の記憶媒体受入ステップと、前記第２の記憶媒体受入ステップで受け入れられた前記第１の記憶媒体の預り釣銭情報を読み取る第２の記憶媒体読取ステップと、貨幣を受け入れる第２の貨幣受入ステップと、前記第２の貨幣受入ステップで受け入れられた貨幣を識別する第２の貨幣識別ステップと、前記第２の記憶媒体読取ステップで読み取られた預り釣銭情報に前記第２の貨幣識別ステップで識別された金額情報を加え、預り釣銭情報を更新する第２の預り釣銭情報更新ステップと、前記第２の預り釣銭情報更新ステップによって更新された預り釣銭情報に基づいて、預り釣銭を支払う預り釣銭支払ステップと、前記預り釣銭の支払に対応して、前記第２の預り釣銭情報更新ステップによって更新された預り釣銭情報を更新する第３の預り釣銭情報更新ステップとを備え、前記代金決済方法の所定の工程完了後に別途行われる精算方法とを具備することを特徴とする代金決済精算方法である。
【０３６５】
請求項１２９記載の代金決済精算方法によれば、代金決済処理と精算処理を別個に行うことができるので、代金決済処理を迅速に行うことができる。これによって、例えば、量販店などのレジゲートにおける渋滞を解消することができる。
【０３６６】
また、代金決済精算方法は、記憶媒体処理方法と、代金決済方法と、精算方法とから構成され、代金決済方法では、紙幣や硬貨の受入口や、不良硬貨の返却口、記憶媒体である会員カードの挿入口やＩＣコインの投入口を一切設けず、主に、売上情報入力ステップで入力された売上情報、入金額情報入力ステップで入力された金額情報および預り釣銭情報入力ステップで入力された預り釣銭特定情報のうち少なくとも該売上情報および該金額情報に基づいて、預り釣銭情報を更新するものとして機能させることができる。
【０３６７】
さらに、精算方法において、第２の貨幣受入ステップを備え、貨幣を入金することで、預り釣銭額を増加することができる。これによって、例えば、精算の際、１０００円未満の硬貨を受け取ることを拒否したい場合になどに、預り釣銭額がちょうど１０００円単位になるように入金することで、硬貨を受け取ることなく精算を行うことができる。さらに、預り釣銭額を増額しておくことで、次回の買物時に現金の支払いを少なくすることも可能になる。
【０３６８】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０３６９】
請求項１３０記載の発明は、前記代金決済精算方法において、前記代金決済方法は、前記第１の預り釣銭情報更新ステップによって更新された預り釣銭情報に基づいて、該預り釣銭情報を記憶した第２の記憶媒体を発行可能な記憶媒体発行ステップをさらに備え、前記精算方法は、預り釣銭情報を特定可能な預り釣銭特定情報が記憶された前記第２の記憶媒体を受け入れる第３の記憶媒体受入ステップと、前記第３の記憶媒体受入ステップで受け入れられた前記第２の記憶媒体の預り釣銭情報を読み取る第３の記憶媒体読取ステップと、前記第３の記憶媒体読取ステップによって読み取られた預り釣銭情報に基づいて、預り釣銭を支払う第２の預り釣銭支払ステップと、前記預り釣銭の支払に対応して、前記第２の記憶媒体の預り釣銭情報を更新する第４の預り釣銭情報更新ステップとをさらに備えることを特徴とする請求項１０、１４、１２６乃至１２９のいずれか１項記載の代金決済精算方法である。
【０３７０】
請求項１３０記載の代金決済精算方法によれば、記憶媒体発行ステップによって、預り釣銭情報を記憶した第２の記憶媒体を発行することができるので、例えば、代金決済装置が備えられる会員顧客ゲートにおいて、第１の記憶媒体を持たない通常顧客にも対応することができる。この場合には、第１の記憶媒体を受け入れることなく、現金を受け入れて、それに基づいて代金決済処理がなされ、その後の預り釣銭情報やポイント情報などを第２の記憶媒体に記録して発行する。この発行された第２の記憶媒体は、精算方法において精算処理を行うことができる。
【０３７１】
請求項１３１記載の発明は、前記精算方法が、少なくとも精算または両替の処理を判定する処理判定ステップと、前記処理判定ステップにおいて両替処理が選択された場合に機能し、前記第２の貨幣識別ステップで識別された貨幣に対応する両替処理を行い、該処理に基づく貨幣を支払う両替支払ステップとを更に備えることを特徴とする請求項１０、１４、１２６乃至１３０のいずれか１項記載の代金決済精算方法である。
【０３７２】
請求項１３１記載の代金決済精算方法によれば、精算方法において、両替処理を行い、その処理に基づく貨幣を支払う両替支払ステップを具備し、両替機能を備えている。この両替機能を備えることで、さらに利用価値を向上させることができる。
【０３７３】
請求項１３２記載の発明は、前記第２の記憶媒体が、レシートであることを特徴とする請求項１３０記載の代金決済精算方法である。
【０３７４】
請求項１３２記載の代金決済精算方法によれば、第２の記憶媒体としてレシートを用いている。なお、第２の記憶媒体は、レシートに限られるものではなく、例えば、磁気カード、ＩＣカードなどの記憶媒体を用いることもできる。
【０３７５】
請求項１３３記載の発明は、前記レシートには、預り釣銭情報がバーコードにて記録されていることを特徴とする請求項１３２記載の代金決済精算方法である。
【０３７６】
請求項１３３記載の代金決済精算方法によれば、レシートに記録されたバーコードから、例えば、ＩＤを特定し、そのＩＤに基づいて、店内管理装置に記録された預り釣銭情報などを得ることができる。また、バーコードに預り釣銭情報などを記録させてもよい。
【０３７７】
請求項１３４記載の発明は、前記第１の記憶媒体が、カード形状記憶媒体であることを特徴とする請求項１２６乃至１２９のいずれか１項記載の代金決済精算方法である。
【０３７８】
請求項１３４記載の代金決済精算方法によれば、第１の記憶媒体にカード形状記憶媒体が用いられている。このカード形状記憶媒体として、例えば、非接触型の記憶媒体としての機能と、磁気カードとしての機能を兼ね備えたカード形状の記憶媒体などが用いられる。
【０３７９】
請求項１３５記載の発明は、前記カード形状記憶媒体が、表示部を備えることを特徴とする請求項１３４記載の代金決済精算方法である。
【０３８０】
請求項１３５記載の代金決済精算方法によれば、カード形状記憶媒体に、例えば、磁気カードとしての機能を兼ね備えた非接触型の記憶媒体を用いることができる。この表示部には、預り釣銭情報や、最後の買物日時情報、ポイント情報などが記載される。この磁気カードには、表示部としてカードビジブル部が備えられ、このカードビジブル部は、内部に封入された所定量の磁性粉体が外部から視認可能に透明のフィルム材で表面が被覆されている。このカードビジブル部は、カードビジブル部に対向する裏面側に設けられた磁気記録部を、表示情報に対応した所定の英数字などの文字または模様状に磁気記録し、この磁気記録された位置に磁性粉体が着磁されて留まることで、英数字等の文字などを表記することができる。また、他の表示部として加熱して文字等を表示するロイコ層や白濁層などを用いてもよい。
【０３８１】
請求項１３６記載の発明は、前記第１の記憶媒体が、コイン形状記憶媒体であることを特徴とする請求項１２６乃至１２９のいずれか１項記載の代金決済精算方法である。
【０３８２】
請求項１３６記載の代金決済精算方法によれば、第１の記憶媒体にコイン形状記憶媒体が用いられている。このコイン形状記憶媒体として、例えば、非接触型の記憶媒体などが例示できる。
【０３８３】
請求項１３７記載の発明は、前記代金決済方法または／および前記精算方法が、購入した商品購入情報が記録されたレシートを発行可能なレシート発行ステップをさらに具備することを特徴とする請求項１３０記載の代金決済精算方法である。
【０３８４】
請求項１３７記載の代金決済精算方法によれば、購入した商品購入情報が記録されたレシートが発行されるので、購入した商品の確認などを行うことができる。また、レシートには、預り釣銭額やポイント数などの情報が記載されてもよい。
【０３８５】
また、レシートは、代金決済方法で発行される場合として、第１の記憶媒体を返却する際、同時に発行するようにしてもよい。また、レシートは、代金決済方法において、第１の記憶媒体を返却するか、あるいは第２の記憶媒体の発行を受けた後、精算方法において、第１の記憶媒体または第２の記憶媒体を受け入れた後に発行するようにしてもよい。第２の記憶媒体が、商品購入情報が記録され、かつ預り釣銭特定情報が記録されたバーコード付きの第１のレシートの場合、精算方法にて第１のレシートを受け入れて回収し、商品購入情報が記録されたレシートを発行するようにしてもよい。また、レシートは、代金決済方法において、第２の記憶媒体として機能してもよい。さらに、レシートは、代金決済方法において、第２の記憶媒体とは別のレシートを発行するようにしてもよい。
【０３８６】
請求項１３８記載の発明は、前記第２の記憶媒体には、少なくとも購入した商品購入情報を記録することを特徴とする請求項１３０乃至１３６のいずれか１項記載の代金決済精算方法である。
【０３８７】
請求項１３８記載の代金決済精算方法によれば、第２の記憶媒体には、少なくとも購入した商品購入情報が記載されるので購入した商品の確認などを行うことができる。また、第２の記憶媒体としてレシートを用い、このレシートにバーコードを記載し、例えば、このバーコードにＩＤ情報など持たせてもよい。この場合には、このＩＤに基づいて、店内管理装置に記録された預り釣銭情報などを得るようにすることができる。
【０３８８】
請求項１３９記載の発明は、前記第２の貨幣受入ステップにおける入金は、所定の条件を満たした場合に可能となることを特徴とする請求項１４、１２８、１２９のいずれか１項記載の代金決済精算方法である。
【０３８９】
請求項１３９記載の代金決済精算方法によれば、所定の条件を満たした場合に、第２の貨幣受入ステップで入金可能とすることを特徴とする。ここで、所定の条件とは、例えば、（１）預り釣銭額が所定金額以上（例えば、１００００円以上）の場合、（２）入金が所定金額以上（例えば、１００００円以上）の場合、（３）前回精算処理を行ったときから所定時間経過した場合、（４）買物の精算処理はなく、両替のみで前回の両替から所定時間内である場合、（５）入金可能枚数を透過した場合、に該当しない場合である。なお、この条件は、適宜に設定することができ、これらの条件に限られるものではない。
【０３９０】
請求項１４０記載の発明は、前記所定の条件を満たさない場合には、該所定の条件を満たさない理由を表示することを特徴とする請求項１３９記載の代金決済精算方法である。
【０３９１】
請求項１４０記載の代金決済精算方法によれば、所定の条件を満たさない理由を、例えば、次のように表示する。（１）預り釣銭額が所定金額以上（例えば、１００００円以上）の場合には、「１００００円以上の預り金はできません」、（２）入金が所定金額以上（例えば、１００００円以上）の場合には、「１００００円以上の入金はできません」、（３）前回精算処理を行ったときから所定時間経過した場合には、「もう一度買物をして頂けると入金できます」、（４）買物の精算処理はなく、両替のみで前回の両替から所定時間内である場合には、「もう一度買物をして頂けると入金できます」、（５）入金可能枚数を透過した場合などの場合には、「１回の○円札、または○円玉の入金可能枚数は○○枚です」などの表示を行う。なお、この所定の条件を満たさない理由は、所定の条件に対応して適宜に変更可能であり、これらの理由に限られるものではない。
【０３９２】
請求項１４１記載の発明は、預り釣銭情報を特定可能な預り釣銭特定情報が記憶された記憶媒体を受け入れる記憶媒体受入手段と、前記記憶媒体受入手段で受け入れられた記憶媒体の預り釣銭特定情報を読み取る記憶媒体読取手段と、貨幣を受け入れる貨幣受入手段と、前記貨幣受入手段で受け入れられた貨幣を識別する貨幣識別手段と、少なくとも精算または両替の処理を判定する処理判定手段と、前記処理判定手段において精算処理が選択された場合に機能し、前記記憶媒体読取手段で読み取られた預り釣銭情報に前記貨幣識別手段で識別された金額情報を加え、預り釣銭情報を更新する預り釣銭情報更新手段と、前記預り釣銭情報更新手段によって更新された預り釣銭情報に基づいて、預り釣銭を支払う預り釣銭支払手段と、前記預り釣銭の支払に対応して、前記預り釣銭情報更新手段によって更新された預り釣銭情報を更新する第２の預り釣銭情報更新手段と前記処理判定手段において両替処理が選択された場合に機能し、前記貨幣識別手段で識別された貨幣に対応する両替処理を行い、該処理に基づく貨幣を支払う両替支払手段とを具備することを特徴とする精算機である。
【０３９３】
請求項１４１記載の精算機によれば、預り釣銭情報を特定可能な預り釣銭特定情報が記憶された記憶媒体を受け入れ、その預り釣銭情報に基づいて、預り釣銭を支払うことができる。ここで、記憶媒体として、例えば、非接触型の記憶媒体としての機能と、磁気カードとしての機能を兼ね備えたカード形状の記憶媒体などが用いられる。さらに、精算機に両替処理を行いその処理に基づく貨幣を支払う両替支払手段を具備し、両替機としての機能も備えている。
【０３９４】
請求項１４２記載の発明は、預り釣銭情報を特定可能な預り釣銭特定情報が記憶された第１の記憶媒体または第２の記録媒体を受け入れる記憶媒体受入手段と、前記記憶媒体受入手段で受け入れられた前記第１または前記第２の記憶媒体の預り釣銭特定情報を読み取る記憶媒体読取手段と、前記記憶媒体読取手段で読み取られた預り釣銭特定情報で特定される預り釣銭情報に基づいて、預り釣銭を支払う預り釣銭支払手段と、前記預り釣銭の支払に対応して、預り釣銭情報を更新する預り釣銭情報更新手段とを具備することを特徴とする精算機である。
【０３９５】
請求項１４２記載の精算機によれば、例えば、代金決済装置から発行された第２の記憶媒体を受け入れ、精算処理を行うことができる。これによって、記憶媒体を有しない、例えば、初回来店の顧客に対しても精算機において精算処理を行うことができる。
【０３９６】
請求項１４３記載の発明は、前記精算機において、前記第２の記憶媒体が受け入れられ、精算処理後、預り釣銭情報を有する場合に、該情報を記憶した第３の記憶媒体を発行可能な記憶媒体発行手段をさらに具備することを特徴とする請求項１４２記載の精算機である。
【０３９７】
請求項１４３記載の精算機によれば、記憶媒体を発行可能な記憶媒体発行手段を備えているので、例えば、第１の記憶媒体を有せず、レシートを使用して精算処理し、所定額を預り釣銭としたい場合に対応することができる。発行される記憶媒体として、例えば、コイン形状の非接触型の記憶媒体などが例示できる。
【０３９８】
請求項１４４記載の発明は、前記第２の記憶媒体が、レシートであることを特徴とする請求項１４２記載の精算機である。
【０３９９】
請求項１４４記載の精算機によれば、第２の記憶媒体としてレシートを用いている。なお、第２の記憶媒体は、レシートに限られるものではなく、例えば、磁気カード、ＩＣカードなどの記憶媒体を用いることもできる。
【０４００】
請求項１４５記載の発明は、前記レシートには、預り釣銭情報がバーコードにて記録されていることを特徴とする請求項１４３記載の精算機である。
【０４０１】
請求項１４５記載の精算機によれば、レシートに記録されたバーコードから、例えば、ＩＤを特定し、そのＩＤに基づいて、店内管理装置に記録された預り釣銭情報などを得ることができる。また、バーコードに預り釣銭情報などを記録させてもよい。
【０４０２】
請求項１４６記載の発明は、前記第１の記憶媒体が、カード形状記憶媒体であることを特徴とする請求項１４２記載の精算機である。
【０４０３】
請求項１４６記載の精算機によれば、第１の記憶媒体にカード形状記憶媒体が用いられている。このカード形状記憶媒体として、例えば、非接触型の記憶媒体としての機能と、磁気カードとしての機能を兼ね備えたカード形状の記憶媒体などが用いられる。
【０４０４】
請求項１４７記載の発明は、前記カード形状記憶媒体が、表示部を備えることを特徴とする請求項１４６記載の精算機である。
【０４０５】
請求項１４７記載の精算機によれば、カード形状記憶媒体に、例えば、磁気カードとしての機能を兼ね備えた非接触型の記憶媒体を用いることができる。この表示部には、預り釣銭情報や、最後の買物日時情報、ポイント情報などが記載される。この磁気カードには、表示部としてカードビジブル部が備えられ、このカードビジブル部は、内部に封入された所定量の磁性粉体が外部から視認可能に透明のフィルム材で表面が被覆されている。このカードビジブル部は、カードビジブル部に対向する裏面側に設けられた磁気記録部を、表示情報に対応した所定の英数字などの文字または模様状に磁気記録し、この磁気記録された位置に磁性粉体が着磁されて留まることで、英数字等の文字などを表記することができる。また、他の表示部として加熱して文字等を表示するロイコ層や白濁層などを用いてもよい。
【０４０６】
請求項１４８記載の発明は、前記第１の記憶媒体が、コイン形状記憶媒体であることを特徴とする請求項１４２記載の精算機である。
【０４０７】
請求項１４８記載の精算機によれば、第１の記憶媒体にコイン形状記憶媒体が用いられている。このコイン形状記憶媒体として、例えば、非接触型の記憶媒体などが例示できる。
【０４０８】
請求項１４９記載の発明は、前記第３の記憶媒体が、コイン形状記憶媒体であることを特徴とする請求項１４３記載の精算機である。
【０４０９】
請求項１４９記載の精算機によれば、第３の記憶媒体にコイン形状記憶媒体が用いられている。このコイン形状記憶媒体として、例えば、非接触型の記憶媒体などが例示できる。また、第３の記憶媒体は、他の形状の記憶媒体を用いることも可能である。
【０４１０】
請求項１５０記載の発明は、預り釣銭情報を特定可能な預り釣銭特定情報が記憶された記憶媒体を受け入れる記憶媒体受入ステップと、前記記憶媒体受入ステップで受け入れられた記憶媒体の預り釣銭特定情報を読み取る記憶媒体読取ステップと、貨幣を受け入れる貨幣受入ステップと、前記貨幣受入ステップで受け入れられた貨幣を識別する貨幣識別ステップと、少なくとも精算または両替の処理を判定する処理判定ステップと、前記処理判定ステップにおいて精算処理が選択された場合に機能し、前記記憶媒体読取ステップで読み取られた預り釣銭情報に前記貨幣識別ステップで識別された金額情報を加え、預り釣銭情報を更新する預り釣銭情報更新ステップと、前記預り釣銭情報更新ステップによって更新された預り釣銭情報に基づいて、預り釣銭を支払う預り釣銭支払ステップと、前記預り釣銭の支払に対応して、前記預り釣銭情報更新ステップによって更新された預り釣銭情報を更新する第２の預り釣銭情報更新ステップと前記処理判定ステップにおいて両替処理が選択された場合に機能し、前記貨幣識別ステップで識別された貨幣に対応する両替処理を行い、該処理に基づく貨幣を支払う両替支払ステップとを具備することを特徴とする精算方法である。
【０４１１】
請求項１５０記載の精算方法によれば、預り釣銭情報を特定可能な預り釣銭特定情報が記憶された記憶媒体を受け入れ、その預り釣銭情報に基づいて、預り釣銭を支払うことができる。ここで、記憶媒体として、例えば、非接触型の記憶媒体としての機能と、磁気カードとしての機能を兼ね備えたカード形状の記憶媒体などが用いられる。また、精算方法に両替処理を行いその処理に基づく貨幣を支払う両替支払ステップを具備し、両替機能も備えている。
【０４１２】
請求項１５１記載の発明は、預り釣銭情報を特定可能な預り釣銭特定情報が記憶された第１の記憶媒体または第２の記録媒体を受け入れる記憶媒体受入ステップと、前記記憶媒体受入ステップで受け入れられた前記第１または前記第２の記憶媒体の預り釣銭特定情報を読み取る記憶媒体読取ステップと、前記記憶媒体読取ステップで読み取られた預り釣銭特定情報で特定される預り釣銭情報に基づいて、預り釣銭を支払う預り釣銭支払ステップと、前記預り釣銭の支払に対応して、預り釣銭情報を更新する預り釣銭情報更新ステップとを具備することを特徴とする精算方法である。
【０４１３】
請求項１５１記載の精算方法によれば、例えば、代金決済処理において発行された第２の記憶媒体を受け入れ、精算処理を行うことができる。これによって、記憶媒体を有しない、例えば、初回来店の顧客に対しても精算処理を行うことができる。
【０４１４】
請求項１５２記載の発明は、前記精算方法において、前記第２の記憶媒体が受け入れられ、精算処理後、預り釣銭情報を有する場合に、該情報を記憶した第３の記憶媒体を発行可能な記憶媒体発行ステップをさらに具備することを特徴とする請求項１５１記載の精算方法である。
【０４１５】
請求項１５２記載の精算方法によれば、記憶媒体を発行可能な記憶媒体発行ステップを備えているので、例えば、第１の記憶媒体を有せず、レシートを使用して精算処理し、所定額を預り釣銭としたい場合に対応することができる。発行される記憶媒体として、例えば、コイン形状の非接触型の記憶媒体などが例示できる。
【０４１６】
請求項１５３記載の発明は、前記第２の記憶媒体が、レシートであることを特徴とする請求項１５１記載の精算方法である。
【０４１７】
請求項１５３記載の精算方法によれば、第２の記憶媒体としてレシートを用いている。なお、第２の記憶媒体は、レシートに限られるものではなく、例えば、磁気カード、ＩＣカードなどの記憶媒体を用いることもできる。
【０４１８】
請求項１５４記載の発明は、前記レシートには、預り釣銭情報がバーコードにて記録されていることを特徴とする請求項１５３記載の精算方法である。
【０４１９】
請求項１５４記載の精算方法によれば、レシートに記録されたバーコードから、例えば、ＩＤを特定し、そのＩＤに基づいて、店内管理装置に記録された預り釣銭情報などを得ることができる。また、バーコードに預り釣銭情報などを記録させてもよい。
【０４２０】
請求項１５５記載の発明は、前記第１の記憶媒体が、カード形状記憶媒体であることを特徴とする請求項１５１記載の精算方法である。
【０４２１】
請求項１５５記載の精算方法によれば、第１の記憶媒体にカード形状記憶媒体が用いられている。このカード形状記憶媒体として、例えば、非接触型の記憶媒体としての機能と、磁気カードとしての機能を兼ね備えたカード形状の記憶媒体などが用いられる。
【０４２２】
請求項１５６記載の発明は、前記カード形状記憶媒体が、表示部を備えることを特徴とする請求項１５５記載の精算方法である。
【０４２３】
請求項１５６記載の精算方法によれば、カード形状記憶媒体に、例えば、磁気カードとしての機能を兼ね備えた非接触型の記憶媒体を用いることができる。この磁気カードには、カードビジブル部が備えられ、このカードビジブル部は、内部に封入された所定量の磁性粉体が外部から視認可能に透明のフィルム材で表面が被覆されている。このカードビジブル部は、カードビジブル部に対向する裏面側に設けられた磁気記録部を、表示情報に対応した所定の英数字などの文字または模様状に磁気記録し、この磁気記録された位置に磁性粉体が着磁されて留まることで、英数字等の文字などを表記することができる。
【０４２４】
請求項１５７記載の発明は、前記第１の記憶媒体が、コイン形状記憶媒体であることを特徴とする請求項１５１記載の精算方法である。
【０４２５】
請求項１５７記載の精算方法によれば、第１の記憶媒体にコイン形状記憶媒体が用いられている。このコイン形状記憶媒体として、例えば、非接触型の記憶媒体などが例示できる。
【０４２６】
請求項１５８記載の発明は、前記第３の記憶媒体が、コイン形状記憶媒体であることを特徴とする請求項１５２記載の精算方法である。
【０４２７】
請求項１５８記載の精算方法によれば、第３の記憶媒体にコイン形状記憶媒体が用いられている。このコイン形状記憶媒体として、例えば、非接触型の記憶媒体などが例示できる。また、第３の記憶媒体は、他の形状の記憶媒体を用いることも可能である。
【０４２８】
請求項１５９記載の発明は、預り釣銭情報を特定可能な預り釣銭特定情報が記憶された第１の記憶媒体を受け入れる記憶媒体受入手段と、前記記憶媒体受入手段で受け入れられた第１の記憶媒体の預り釣銭特定情報を読み取る記憶媒体読取手段と、貨幣を受け入れる貨幣受入手段と、前記貨幣受入手段で受け入れられた貨幣を識別する貨幣識別手段と、前記貨幣識別手段で識別された貨幣を搬送する貨幣搬送手段と、所定の位置に情報を記録する記録部が設けられ、前記貨幣搬送手段によって搬送された貨幣を収納する着脱可能に取り付けられた貨幣収納手段と、前記貨幣収納手段に設けられた記録部からの情報の読み取りおよび／または該記録部への情報の書き込みが可能な情報読取書込手段と、前記記憶媒体読取手段で読み取られた預り釣銭特定情報および／または前記貨幣識別手段で識別された貨幣情報を出力する情報出力手段と、前記情報出力手段から出力された情報および商品価格特定情報から得られた預り釣銭情報を入力する預り釣銭情報入力手段と、前記預り釣銭情報入力手段に入力された預り釣銭情報に基づいて、前記預り釣銭情報を更新する預り釣銭情報更新手段と、前記預り釣銭情報入力手段に入力された預り釣銭情報に基づいて、該預り釣銭情報を記憶した第２の記憶媒体を発行可能な記憶媒体発行手段とを具備することを特徴とする代金決済装置である。
【０４２９】
請求項１５９記載の代金決済装置によれば、店員が貨幣収納手段内の紙幣に触ることなく、貨幣収納手段ごと回収し、会計責任者に貨幣収納手段を手渡す作業で済むので、紙幣の紛失、店員による不正行為などを防止することができ、現金一元管理が可能になる。また、貨幣収納手段に記録部を配設し、この記録部に、貨幣収納手段に収納された紙幣の種類、数量などを記録することができる。ここで、記憶媒体として、例えば、非接触型の記憶媒体としての機能と、磁気カードとしての機能を兼ね備えたカード形状の記憶媒体などが用いられる。また、情報出力手段において、例えば、代金決済装置とは別体として備えられたレジスタ装置（ＰＯＳ）に、預り釣銭情報、貨幣情報などを出力し、レジスタ装置（ＰＯＳ）において、その情報出力手段から出力された情報と、レジスタ装置（ＰＯＳ）で集計された商品価格特定情報とに基づいて、預り釣銭情報を算出する。そして、その算出した預り釣銭情報を代金決済装置の預り釣銭情報入力手段によって入力する。この預り釣銭情報入力手段では、預り釣銭情報以外に、商品価格特定情報、購入商品の情報などを入力してもよい。
【０４３０】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０４３１】
また、記録部としては、電波により非接触で交信可能なＲＦＩＤ（Radio Frequency Identificaion)や、磁気記録媒体が例示できる。ＲＦＩＤを用いる場合には、これを取り付ける貨幣収納手段全体、取り付け部位の周囲、貨幣収納手段が筐体であれば取り付け面は、金属部材ではなく、合成樹脂部材などの透磁率のよい材料であることが好ましい。
【０４３２】
さらに、記憶媒体発行手段によって、預り釣銭情報を記憶した第２の記憶媒体を発行することができるので、例えば、代金決済装置が備えられる会員顧客ゲートにおいて、通常顧客にも対応することができる。この場合には、現金を受け入れて、それに基づいて代金決済処理がなされ、その後の預り釣銭情報やポイント情報などを第２の記憶媒体に記録して発行する。この発行された第２の記憶媒体は、精算機において受け入れられ、精算処理を行うことができる。
【０４３３】
請求項１６０記載の発明は、預り釣銭情報を特定可能な預り釣銭特定情報が記憶された第１の記憶媒体を受け入れる第１の記憶媒体受入手段と、前記第１の記憶媒体受入手段で受け入れられた第１の記憶媒体の預り釣銭特定情報を読み取る第１の記憶媒体読取手段と、前記第１の記憶媒体読取手段で読み取られた預り釣銭特定情報を出力する預り釣銭特定情報出力手段とを備える記憶媒体処理装置と通信可能な代金決済装置であって、前記預り釣銭特定情報出力手段から出力された預り釣銭特定情報を入力する預り釣銭情報入力手段と、入金された金額情報を入力する入金額情報入力手段と、読み取られた商品価格特定情報に基づいて集計された売上情報を入力する売上情報入力手段と、前記売上情報入力手段で入力された売上情報、前記入金額情報入力手段で入力された金額情報および前記預り釣銭情報入力手段で入力された預り釣銭特定情報のうち少なくとも該売上情報および該金額情報に基づいて、前記預り釣銭情報を更新する預り釣銭情報更新手段と、前記預り釣銭情報更新手段によって更新された預り釣銭情報に基づいて、該預り釣銭情報を記憶した第２の記憶媒体を発行可能な記憶媒体発行手段とを備えることを特徴とする代金決済装置である。
【０４３４】
請求項１６０記載の代金決済装置によれば、代金決済装置を、紙幣や硬貨の受入口や、不良硬貨の返却口、記憶媒体である会員カードの挿入口やＩＣコインの投入口を一切設けず、主に、売上情報入力手段で入力された売上情報、入金額情報入力手段で入力された金額情報および預り釣銭情報入力手段で入力された預り釣銭特定情報のうち少なくとも該売上情報および該金額情報に基づいて、預り釣銭情報を更新するものとして機能させることができる。ここで、記憶媒体処理装置は、従来の手入力で商品の値段や受け取った入金額を入力するためのキーと、受け取った現金を収容し、釣銭を取り出すドロワーと、購入商品の値段と合計代金を印刷したレシートを発行するレシート発行機能と、合計代金の表示部などを最小限に設けたレジスタ装置（ＰＯＳ）に、カードリーダをＲＳ２３２Ｃなどの通信回線で接続した簡素な構成とすることもできる。
【０４３５】
さらに、記憶媒体発行手段によって、預り釣銭情報を記憶した第２の記憶媒体を発行することができるので、例えば、代金決済装置が備えられる会員顧客ゲートにおいて、通常顧客にも対応することができる。この場合には、現金を受け入れて、それに基づいて代金決済処理がなされ、その後の預り釣銭情報やポイント情報などを第２の記憶媒体に記録して発行する。この発行された第２の記憶媒体は、精算機において受け入れられ、精算処理を行うことができる。
【０４３６】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０４３７】
請求項１６１記載の発明は、預り釣銭情報を特定可能な預り釣銭特定情報が記憶された第１の記憶媒体を受け入れる記憶媒体受入手段と、前記記憶媒体受入手段で受け入れられた前記第１の記憶媒体の預り釣銭特定情報を読み取る記憶媒体読取手段と、少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得手段と、貨幣を受け入れる貨幣受入手段と、前記貨幣受入手段で受け入れられた貨幣を識別する貨幣識別手段と、前記貨幣識別手段で識別された貨幣を搬送する貨幣搬送手段と、所定の位置に情報を記録する記録部が設けられ、前記貨幣搬送手段によって搬送された貨幣を収納する着脱可能に取り付けられた貨幣収納手段と、前記貨幣収納手段に設けられた記録部からの情報の読み取りおよび／または該記録部への情報の書き込みが可能な情報読取書込手段と、前記売上情報収得手段からの売上情報、前記貨幣識別手段で識別された金額情報および前記記憶媒体読取手段で読み取られた前記預り釣銭情報のうち少なくとも該売上情報および該金額情報に基づいて、前記預り釣銭情報を更新する預り釣銭情報更新手段と、前記預り釣銭情報更新手段によって更新された預り釣銭情報に基づいて、該預り釣銭情報を記憶した第２の記憶媒体を発行可能な記憶媒体発行手段とを具備することを特徴とする代金決済装置である。
【０４３８】
請求項１６１記載の代金決済装置によれば、店員が貨幣収納手段内の紙幣に触ることなく、貨幣収納手段ごと回収し、会計責任者に貨幣収納手段を手渡す作業で済むので、紙幣の紛失、店員による不正行為などを防止することができ、現金一元管理が可能になる。また、貨幣収納手段に記録部を配設し、この記録部に、貨幣収納手段に収納された紙幣の種類、数量などを記録することができる。ここで、記憶媒体として、例えば、非接触型の記憶媒体としての機能と、磁気カードとしての機能を兼ね備えたカード形状の記憶媒体などが用いられる。また、商品情報入力装置は、例えば、バーコードリーダなどで構成される。また、商品情報入力装置は、商品の数量や価格の商品情報をテンキーや商品名のシールを貼ったキー群などを有するキーボードなどの入力手段で構成することもできる。さらに、商品情報入力装置は、バーコードリーダなどに、商品の数量や価格の商品情報をテンキーや商品名のシールを貼ったキー群などを有するキーボードなどの入力手段を併設して構成することもできる。この商品情報入力装置は、代金決済装置と通信回線を介して別体として備えられても、また、代金決済装置に組み込んで一体的に設けられてもよい。
【０４３９】
また、商品情報入力装置からの商品価格特定情報は、通信回線を介して直接、代金決済装置に入力しても、レジスタとしての機能を備えるレジスタ装置（ＰＯＳ）などで構成される売上情報集計装置を通し、売上情報集計装置で集計された売上情報を代金決済装置に入力してもよい。商品情報入力装置からの商品価格特定情報を直接、代金決済装置に入力する場合には、代金決済装置の売上情報収得手段は、その商品価格特定情報に基づいて売上情報を集計するレジスタとしての機能を備える。
【０４４０】
さらに、記憶媒体発行手段によって、預り釣銭情報を記憶した第２の記憶媒体を発行することができるので、例えば、代金決済装置が備えられる会員顧客ゲートにおいて、通常顧客にも対応することができる。この場合には、現金を受け入れて、それに基づいて代金決済処理がなされ、その後の預り釣銭情報やポイント情報などを第２の記憶媒体に記録して発行する。この発行された第２の記憶媒体は、精算機において受け入れられ、精算処理を行うことができる。
【０４４１】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０４４２】
同様に、商品価格特定情報として、例えば、商品価格情報そのものや、商品にとりつけられた記憶媒体や商品に貼付されるか印刷されたバーコードを読み込んで得られた商品を識別するためのＩＤが例示できる。ＩＤとすれば、ネットワーク上の商品価格情報を記録したいずれかの装置とこの装置の商品価格情報の記録エリアを特定するポインターをこのＩＤと対応付けて指定し、この記録エリアから商品価格情報を読み出すこともできる。商品価格特定情報は単一の情報形態とは限定できないため、この発明では商品価格特定情報が特定できればよい。
【０４４３】
また、記録部としては、電波により非接触で交信可能なＲＦＩＤ（Radio Frequency Identificaion)や、磁気記録媒体が例示できる。ＲＦＩＤを用いる場合には、これを取り付ける貨幣収納手段全体、取り付け部位の周囲、貨幣収納手段が筐体であれば取り付け面は、金属部材ではなく、合成樹脂部材などの透磁率のよい材料であることが好ましい。
【０４４４】
請求項１６２記載の発明は、前記第２の記憶媒体が、レシートであることを特徴とする請求項１５９乃至１６１のいずれか１項記載の代金決済装置である。
【０４４５】
請求項１６２記載の代金決済装置によれば、第２の記憶媒体としてレシートを用いている。なお、第２の記憶媒体は、レシートに限られるものではなく、例えば、磁気カード、ＩＣカードなどの記憶媒体を用いることもできる。
【０４４６】
請求項１６３記載の発明は、前記レシートには、預り釣銭情報がバーコードにて記録されていることを特徴とする請求項１６２記載の代金決済装置である。
【０４４７】
請求項１６３記載の代金決済装置によれば、レシートに記録されたバーコードから、例えば、ＩＤを特定し、そのＩＤに基づいて、店内管理装置に記録された預り釣銭情報などを得ることができる。また、バーコードに預り釣銭情報などを記録させてもよい。
【０４４８】
請求項１６４記載の発明は、前記第１の記憶媒体が、カード形状記憶媒体であることを特徴とする請求項１５９乃至１６１のいずれか１項記載の代金決済装置である。
【０４４９】
請求項１６４記載の代金決済装置によれば、第１の記憶媒体にカード形状記憶媒体が用いられている。このカード形状記憶媒体として、例えば、非接触型の記憶媒体としての機能と、磁気カードとしての機能を兼ね備えたカード形状の記憶媒体などが用いられる。
【０４５０】
請求項１６５記載の発明は、前記カード形状記憶媒体が、表示部を備えることを特徴とする請求項１６４記載の代金決済装置である。
【０４５１】
請求項１６５記載の代金決済装置によれば、カード形状記憶媒体に、例えば、磁気カードとしての機能を兼ね備えた非接触型の記憶媒体を用いることができる。この磁気カードには、カードビジブル部が備えられ、このカードビジブル部は、内部に封入された所定量の磁性粉体が外部から視認可能に透明のフィルム材で表面が被覆されている。このカードビジブル部は、カードビジブル部に対向する裏面側に設けられた磁気記録部を、表示情報に対応した所定の英数字などの文字または模様状に磁気記録し、この磁気記録された位置に磁性粉体が着磁されて留まることで、英数字等の文字などを表記することができる。
【０４５２】
請求項１６６記載の発明は、前記第１の記憶媒体が、コイン形状記憶媒体であることを特徴とする請求項１５９乃至１６１のいずれか１項記載の代金決済装置である。
【０４５３】
請求項１６６記載の代金決済装置によれば、第１の記憶媒体にコイン形状記憶媒体が用いられている。このコイン形状記憶媒体として、例えば、非接触型の記憶媒体などが例示できる。
【０４５４】
請求項１６７記載の発明は、前記記憶媒体発行手段が、購入した商品購入情報が記録されたレシートを発行可能であることを特徴とする請求項１５９乃至１６６のいずれか１項記載の代金決済装置である。
【０４５５】
請求項１６７記載の代金決済装置によれば、購入した商品購入情報が記録されたレシートが発行されるので、購入した商品の確認などを行うことができる。また、レシートには、預り釣銭額やポイント数などの情報が記載されてもよい。
【０４５６】
また、レシートは、第１の記憶媒体を返却する際、同時に発行するようにしてもよいし、第２の記憶媒体を発行する場合に、第２の記憶媒体をレシートとして発行してもよい。さらには、第２の記憶媒体を発行する場合に、別のレシートを発行するようにしてもよい。
【０４５７】
請求項１６８記載の発明は、前記第２の記憶媒体には、少なくとも購入した商品購入情報を記録することを特徴とする請求項１５９乃至１６６のいずれか１項記載の代金決済装置である。
【０４５８】
請求項１６８記載の代金決済装置によれば、第２の記憶媒体には、少なくとも購入した商品購入情報が記載されるので購入した商品の確認などを行うことができる。また、第２の記憶媒体としてレシートを用い、このレシートにバーコードを記載し、例えば、このバーコードにＩＤ情報など持たせてもよい。この場合には、このＩＤに基づいて、店内管理装置に記録された預り釣銭情報などを得るようにすることができる。
【０４５９】
請求項１６９記載の発明は、預り釣銭情報を特定可能な預り釣銭特定情報が記憶された第１の記憶媒体を受け入れる記憶媒体受入ステップと、前記記憶媒体受入ステップで受け入れられた第１の記憶媒体の預り釣銭特定情報を読み取る記憶媒体読取ステップと、貨幣を受け入れる貨幣受入ステップと、前記貨幣受入ステップで受け入れられた貨幣を識別する貨幣識別ステップと、前記貨幣識別ステップで識別された貨幣を搬送する貨幣搬送ステップと、所定の位置に情報を記録する記録部が設けられ、前記貨幣搬送ステップによって搬送された貨幣を収納する着脱可能に取り付けられた貨幣収納ステップと、前記貨幣収納ステップに設けられた記録部からの情報の読み取りおよび／または該記録部への情報の書き込みが可能な情報読取書込ステップと、前記記憶媒体読取ステップで読み取られた預り釣銭特定情報および／または前記貨幣識別ステップで識別された貨幣情報を出力する情報出力ステップと、前記情報出力ステップから出力された情報および商品価格特定情報から得られた預り釣銭情報を入力する預り釣銭情報入力ステップと、前記預り釣銭情報入力ステップに入力された預り釣銭情報に基づいて、前記預り釣銭情報を更新する預り釣銭情報更新ステップと、前記預り釣銭情報入力ステップに入力された預り釣銭情報に基づいて、該預り釣銭情報を記憶した第２の記憶媒体を発行可能な記憶媒体発行ステップとを具備することを特徴とする代金決済方法である。
【０４６０】
請求項１６９記載の代金決済方法によれば、店員が紙幣に触ることなく、貨幣収納部ごと回収し、会計責任者に貨幣収納部を手渡す作業で済むので、紙幣の紛失、店員による不正行為などを防止することができ、現金一元管理が可能になる。また、貨幣収納部に記録部を配設し、この記録部に、貨幣収納部に収納された紙幣の種類、数量などを記録することができる。
【０４６１】
ここで、記憶媒体として、例えば、非接触型の記憶媒体としての機能と、磁気カードとしての機能を兼ね備えたカード形状の記憶媒体などが用いられる。また、情報出力ステップにおいて、例えば、代金決済装置とは別体として備えられたレジスタ装置（ＰＯＳ）に、預り釣銭情報、貨幣情報などを出力し、レジスタ装置（ＰＯＳ）において、その情報出力ステップから出力された情報と、レジスタ装置（ＰＯＳ）で集計された商品価格特定情報とに基づいて、預り釣銭情報を算出する。そして、その算出した預り釣銭情報を代金決済装置の預り釣銭情報入力ステップによって入力する。この預り釣銭情報入力ステップでは、預り釣銭情報以外に、商品価格特定情報、購入商品の情報などを入力してもよい。
【０４６２】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０４６３】
また、記憶媒体発行ステップによって、預り釣銭情報を記憶した第２の記憶媒体を発行することができるので、例えば、代金決済装置が備えられる会員顧客ゲートにおいて、通常顧客にも対応することができる。この場合には、現金を受け入れて、それに基づいて代金決済処理がなされ、その後の預り釣銭情報やポイント情報などを第２の記憶媒体に記録して発行する。この発行された第２の記憶媒体は、精算機において受け入れられ、精算処理を行うことができる。
【０４６４】
請求項１７０記載の発明は、預り釣銭情報を特定可能な預り釣銭特定情報が記憶された第１の記憶媒体を受け入れる第１の記憶媒体受入ステップと、前記第１の記憶媒体受入ステップで受け入れられた第１の記憶媒体の預り釣銭特定情報を読み取る第１の記憶媒体読取ステップと、前記第１の記憶媒体読取ステップで読み取られた預り釣銭特定情報を出力する預り釣銭特定情報出力ステップとを備える記憶媒体処理方法の所定の工程完了後に別途行われる代金決済方法であって、前記預り釣銭特定情報出力ステップから出力された預り釣銭特定情報を入力する預り釣銭情報入力ステップと、入金された金額情報を入力する入金額情報入力ステップと、読み取られた商品価格特定情報に基づいて集計された売上情報を入力する売上情報入力ステップと、前記売上情報入力ステップで入力された売上情報、前記入金額情報入力ステップで入力された金額情報および前記預り釣銭情報入力ステップで入力された預り釣銭特定情報のうち少なくとも該売上情報および該金額情報に基づいて、前記預り釣銭情報を更新する預り釣銭情報更新ステップと、前記預り釣銭情報更新ステップによって更新された預り釣銭情報に基づいて、該預り釣銭情報を記憶した第２の記憶媒体を発行可能な記憶媒体発行ステップとを備えることを特徴とする代金決済方法である。
【０４６５】
請求項１７０記載の代金決済方法によれば、紙幣や硬貨の受入口や、不良硬貨の返却口、記憶媒体である会員カードの挿入口やＩＣコインの投入口を一切設けず、主に、売上情報入力ステップで入力された売上情報、入金額情報入力ステップで入力された金額情報および預り釣銭情報入力ステップで入力された預り釣銭特定情報のうち少なくとも該売上情報および該金額情報に基づいて、預り釣銭情報を更新するものとして機能させることができる。
【０４６６】
また、記憶媒体発行ステップによって、預り釣銭情報を記憶した第２の記憶媒体を発行することができるので、例えば、代金決済装置が備えられる会員顧客ゲートにおいて、通常顧客にも対応することができる。この場合には、現金を受け入れて、それに基づいて代金決済処理がなされ、その後の預り釣銭情報やポイント情報などを第２の記憶媒体に記録して発行する。この発行された第２の記憶媒体は、精算機において受け入れられ、精算処理を行うことができる。
【０４６７】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０４６８】
請求項１７１記載の発明は、預り釣銭情報を特定可能な預り釣銭特定情報が記憶された第１の記憶媒体を受け入れる記憶媒体受入ステップと、前記記憶媒体受入ステップで受け入れられた前記第１の記憶媒体の預り釣銭特定情報を読み取る記憶媒体読取ステップと、少なくとも商品価格特定情報を読み取る商品情報入力装置からの商品価格特定情報に基づいて売上情報を集計するか、または、少なくとも商品価格特定情報を読み取る商品情報入力装置からの商品価格特定情報に基づいて売上情報集計装置によって集計された売上情報を受け入れる売上情報収得ステップと、貨幣を受け入れる貨幣受入ステップと、前記貨幣受入ステップで受け入れられた貨幣を識別する貨幣識別ステップと、前記貨幣識別ステップで識別された貨幣を搬送する貨幣搬送ステップと、所定の位置に情報を記録する記録部が設けられ、前記貨幣搬送ステップによって搬送された貨幣を収納する着脱可能に取り付けられた貨幣収納ステップと、前記貨幣収納ステップに設けられた記録部からの情報の読み取りおよび／または該記録部への情報の書き込みが可能な情報読取書込ステップと、前記売上情報収得ステップからの売上情報、前記貨幣識別ステップで識別された金額情報および前記記憶媒体読取ステップで読み取られた前記預り釣銭情報のうち少なくとも該売上情報および該金額情報に基づいて、前記預り釣銭情報を更新する預り釣銭情報更新ステップと、前記預り釣銭情報更新ステップによって更新された預り釣銭情報に基づいて、該預り釣銭情報を記憶した第２の記憶媒体を発行可能な記憶媒体発行ステップとを具備することを特徴とする代金決済方法である。
【０４６９】
請求項１７１記載の代金決済方法によれば、店員が貨幣収納部内の紙幣に触ることなく、貨幣収納部ごと回収し、会計責任者に貨幣収納部を手渡す作業で済むので、紙幣の紛失、店員による不正行為などを防止することができ、現金一元管理が可能になる。また、貨幣収納部に記録部を配設し、この記録部に、貨幣収納部に収納された紙幣の種類、数量などを記録することができる。
【０４７０】
ここで、記憶媒体として、例えば、非接触型の記憶媒体としての機能と、磁気カードとしての機能を兼ね備えたカード形状の記憶媒体などが用いられる。また、商品情報入力装置は、例えば、バーコードリーダなどで構成される。また、商品情報入力装置は、商品の数量や価格の商品情報をテンキーや商品名のシールを貼ったキー群などを有するキーボードなどの入力手段で構成することもできる。さらに、商品情報入力装置は、バーコードリーダなどに、商品の数量や価格の商品情報をテンキーや商品名のシールを貼ったキー群などを有するキーボードなどの入力手段を併設して構成することもできる。この商品情報入力装置で行われる処理は、代金決済処理と別個に処理されても、また、代金決済処理に組み込んで一体的に処理されてもよい。
【０４７１】
また、商品情報入力装置からの商品価格特定情報は、通信回線を介して直接、入力しても、レジスタとしての機能を備えるレジスタ装置（ＰＯＳ）などで構成される売上情報集計装置を通し、売上情報集計装置で集計された売上情報を入力してもよい。商品情報入力装置からの商品価格特定情報を直接、代金決済装置に入力する場合には、代金決済処理の売上情報収得ステップは、その商品価格特定情報に基づいて売上情報を集計するレジスタとしての機能を備える。
【０４７２】
さらに、記憶媒体発行ステップによって、預り釣銭情報を記憶した第２の記憶媒体を発行することができるので、例えば、代金決済装置が備えられる会員顧客ゲートにおいて、通常顧客にも対応することができる。この場合には、現金を受け入れて、それに基づいて代金決済処理がなされ、その後の預り釣銭情報やポイント情報などを第２の記憶媒体に記録して発行する。この発行された第２の記憶媒体は、精算機において受け入れられ、精算処理を行うことができる。
【０４７３】
なお、預り釣銭特定情報として、例えば、預り釣銭情報そのものや、記憶媒体を所持する顧客または記憶媒体自体を識別するためのＩＤが例示できる。ＩＤとすれば、ネットワーク上の預り釣銭情報を記録したいずれかの装置とこの装置の預り釣銭情報の記録エリアを特定するポインターをこのＩＤと対応付けて指定し、この記録エリアから預り釣銭情報を読み出すこともできる。預り釣銭特定情報は単一の情報形態とは限定できないため、この発明では預り釣銭情報が特定できればよい。
【０４７４】
同様に、商品価格特定情報として、例えば、商品価格情報そのものや、商品にとりつけられた記憶媒体や商品に貼付されるか印刷されたバーコードを読み込んで得られた商品を識別するためのＩＤが例示できる。ＩＤとすれば、ネットワーク上の商品価格情報を記録したいずれかの装置とこの装置の商品価格情報の記録エリアを特定するポインターをこのＩＤと対応付けて指定し、この記録エリアから商品価格情報を読み出すこともできる。商品価格特定情報は単一の情報形態とは限定できないため、この発明では商品価格特定情報が特定できればよい。
【０４７５】
請求項１７２記載の発明は、前記第２の記憶媒体が、レシートであることを特徴とする請求項１６９乃至１７１のいずれか１項記載の代金決済方法である。
【０４７６】
請求項１７２記載の代金決済方法によれば、第２の記憶媒体としてレシートを用いている。なお、第２の記憶媒体は、レシートに限られるものではなく、例えば、磁気カード、ＩＣカードなどの記憶媒体を用いることもできる。
【０４７７】
請求項１７３記載の発明は、前記レシートには、預り釣銭情報がバーコードにて記録されていることを特徴とする請求項１７２記載の代金決済方法である。
【０４７８】
請求項１７３記載の代金決済方法によれば、レシートに記録されたバーコードから、例えば、ＩＤを特定し、そのＩＤに基づいて、店内管理装置に記録された預り釣銭情報などを得ることができる。また、バーコードに預り釣銭情報などを記録させてもよい。
【０４７９】
請求項１７４記載の発明は、前記第１の記憶媒体が、カード形状記憶媒体であることを特徴とする請求項１６９乃至１７１のいずれか１項記載の代金決済方法である。
【０４８０】
請求項１７４記載の代金決済方法によれば、第１の記憶媒体にカード形状記憶媒体が用いられている。このカード形状記憶媒体として、例えば、非接触型の記憶媒体としての機能と、磁気カードとしての機能を兼ね備えたカード形状の記憶媒体などが用いられる。
【０４８１】
請求項１７５記載の発明は、前記カード形状記憶媒体が、表示部を備えることを特徴とする請求項１７４記載の代金決済方法である。
【０４８２】
請求項１７５記載の代金決済方法によれば、カード形状記憶媒体に、例えば、磁気カードとしての機能を兼ね備えた非接触型の記憶媒体を用いることができる。この磁気カードには、カードビジブル部が備えられ、このカードビジブル部は、内部に封入された所定量の磁性粉体が外部から視認可能に透明のフィルム材で表面が被覆されている。このカードビジブル部は、カードビジブル部に対向する裏面側に設けられた磁気記録部を、表示情報に対応した所定の英数字などの文字または模様状に磁気記録し、この磁気記録された位置に磁性粉体が着磁されて留まることで、英数字等の文字などを表記することができる。
【０４８３】
請求項１７６記載の発明は、前記第１の記憶媒体が、コイン形状記憶媒体であることを特徴とする請求項１６９乃至１７１のいずれか１項記載の代金決済方法である。
【０４８４】
請求項１７６記載の代金決済方法によれば、第１の記憶媒体にコイン形状記憶媒体が用いられている。このコイン形状記憶媒体として、例えば、非接触型の記憶媒体などが例示できる。
【０４８５】
請求項１７７記載の発明は、前記記憶媒体発行ステップにおいて、購入した商品購入情報が記録されたレシートを発行可能であることを特徴とする請求項１６９乃至１７６のいずれか１項記載の代金決済方法である。
【０４８６】
請求項１７７記載の代金決済方法によれば、購入した商品購入情報が記録されたレシートが発行されるので、購入した商品の確認などを行うことができる。また、レシートには、預り釣銭額やポイント数などの情報が記載されてもよい。
【０４８７】
また、レシートは、第１の記憶媒体を返却する際、同時に発行するようにしてもよいし、第２の記憶媒体を発行する場合に、第２の記憶媒体をレシートとして発行してもよい。さらには、第２の記憶媒体を発行する場合に、別のレシートを発行するようにしてもよい。
【０４８８】
請求項１７８記載の発明は、前記第２の記憶媒体には、少なくとも購入した商品購入情報を記録することを特徴とする請求項１６９乃至１７６のいずれか１項記載の代金決済方法である。
【０４８９】
請求項１７８記載の代金決済方法によれば、第２の記憶媒体には、少なくとも購入した商品購入情報が記載されるので購入した商品の確認などを行うことができる。また、第２の記憶媒体としてレシートを用い、このレシートにバーコードを記載し、例えば、このバーコードにＩＤ情報など持たせてもよい。この場合には、このＩＤに基づいて、店内管理装置に記録された預り釣銭情報などを得るようにすることができる。
【発明の効果】
【０４９０】
本発明の代金決済精算装置、代金決済精算方法、精算機、精算方法、貨幣識別装置、代金決済装置、貨幣識別方法、代金決済方法、買物かごロック装置、買物かごロック方法、買物かご、代金決済システム、レジゲート群、レジゲートシステム、預り釣銭管理装置および売上管理装置によれば、代金決済を迅速に行うことができ、代金決済装置に収納された売上金の情報を適確に得ることができる。
【発明を実施するための最良の形態】
【０４９１】
以下、本発明に係る代金決済精算システム１０の一実施の形態を図面を参照して説明する。
【０４９２】
図１に、本発明の一実施の形態の代金決済精算システム１０を備えた量販店における会計場の一例の配置図（各装置間の接続線は図示していない）を示す。
【０４９３】
図１に示された会計場において、記憶媒体として機能する会員カード１６０を有する会員顧客が会計処理を行う会員顧客ゲート１００と、会員カード１６０を有しない通常顧客が会計処理を行う通常顧客ゲート２００とから会計場は構成されている。
【０４９４】
ここで、会員顧客とは、住所、氏名、年齢、性別、連絡先、暗証番号、ポイント、預り釣銭などの属性情報が会員の顧客を互いに識別するＩＤに基づいて管理装置などに登録され、会員カード１６０を有する顧客をいう。また、通常顧客とは、会員登録されていない一般の顧客をいう。
【０４９５】
なお、管理装置においてＩＤに基づいて登録するとは、例えば、ＩＤを発行順の番号とした場合、会員毎の上記属性情報を記憶する記憶エリアの先頭アドレスにＩＤ×（１会員顧客当りの上記属性情報を記録するに必要な記憶容量）を加えたアドレスより上記属性情報の記録順と、その属性情報毎の記憶容量に従い算出した相対アドレスを加えたものをさらに加えたアドレスの内容をリード可能に登録するようにしてもよい。このようなＩＤに基づいて登録し、後程その登録内容を検索（リード）可能な管理装置のデータベース処理は種々の方法が提案されている。
【０４９６】
また、会員顧客ゲート１００には、所定の会員用会計処理台１０１に、購入する商品の入った貸出用買物かご１０７から商品を取り出すために、その貸出用買物かご１０７を設置する買物かご置き場１０２、購入商品を収容する容器やその商品に貼付された、予め記録された購入商品を特定するための、例えば、バーコードなどを読み取るバーコードリーダ部１０３、店員によって設置された貸出用買物かご１０７をロックして設置する機能を有し、さらに貸出用買物かご１０７に設けられた記憶媒体に対して情報の読み書きが可能な情報読取書込手段として機能するリーダライタを備えた貸出用買物かご設置部１０４が設けられている。なお、貸出用買物かご１０７は、例えば、会員用会計処理台１０１の下方に積層されて貯留することができる。さらに、例えば、貸出用買物かご設置部１０４を開閉可能に構成し、会員用会計処理台１０１の下方に積層された貸出用買物かご１０７をその開口部から取り出し、その後、その貸出用買物かご設置部１０４を閉鎖して、取り出された貸出用買物かご１０７を貸出用買物かご設置部１０４にするように構成することもできる。
【０４９７】
さらに、会員用会計処理台１０１上には、購入商品を収容する容器やその商品に貼付された、予め記録された商品価格特定情報を特定するための、例えば、バーコードなどを読み取るバーコードリーダ部１０３が設けられている。また、この商品情報入力装置として機能するバーコードリーダ部１０３と通信可能に接続され、バーコードリーダ部１０３で読み取られた購入商品に対する商品価格特定情報などを集計し、会員顧客が会員カード１６０および貨幣を挿入し商品購入に対する決済を行う代金決済装置１０５が設置されている。また、商品の購入数量などは、例えば、代金決済装置１０５やバーコードリーダ部１０３に設けられたテンキーなどの入力手段により入力することができる。この入力手段は、商品情報入力装置として機能する。また、バーコードリーダ部１０３とは別個にハンディータイプのバーコードリーダ１０３ａを代金決済装置１０５に併設させてもよい。
【０４９８】
ここで、代金決済装置１０５に、バーコードリーダ部１０３の機能を一体的に備えることもできる。この場合には、代金決済装置１０５は、購入商品を収容する容器やその商品に貼付された、予め記録された購入商品を特定するための、例えば、バーコードなどを読み取る機能を備える。そして、この場合には、バーコードリーダ部１０３を設ける必要がなくなる。
【０４９９】
一方、通常顧客ゲート２００には、所定の通常会計処理台２０１に、購入商品を収容する容器やその商品に貼付された、予め記録された購入商品を特定するための、例えば、バーコードなどを読み取るバーコードリーダ部２０２が設けられている。また、通常会計処理台２０１上には、バーコードリーダ部２０２と通信可能に接続され、商品情報入力手段として機能するバーコードリーダ部２０２で読み取られた購入商品に対する商品価格特定情報やキー部などで入力された商品数情報などの商品情報を集計し、店員と通常顧客が金銭の授受を行う機能を有した非会員用レジスタ装置として機能するレジスタ装置（ＰＯＳ）２０３が設置されている。なお、バーコードリーダ部２０２は、ハンディータイプのバーコードリーダ２０２ａで代用することもできる。また、バーコードリーダ部２０２とは別個にハンディータイプのバーコードリーダ２０２ａをレジスタ装置（ＰＯＳ）２０３に併設させてもよい。
【０５００】
また、会計場の一画には、会員カード１６０に記録された預り釣銭特定情報によって特定される預り釣銭情報に基づいて預り釣銭を支払う精算機１１０、会員カード１６０の発券を行う会員カード発行機１２０が配置されている。この会員カード発行機１２０には、例えば、会員登録をする際の顧客の住所、氏名、年齢、性別、連絡先、暗証番号などの属性情報を入力するためのパーソナルコンピュータ１２１が接続されている。
【０５０１】
さらに、会計場の一画には、購入商品を袋詰めする場所を提供するため袋詰め用テーブル１３０が設置されている。
【０５０２】
なお、会員顧客ゲート１００は、図１に示した構成に限るものではなく、例えば、図２に示すように、代金決済装置１０５の機能から、バーコードリーダ部１０３で読み取られた購入商品に対する商品価格特定情報などを集計する機能を取り除き、その取り除いた機能をレジスタ装置（ＰＯＳ）１０６を備えることによって維持させることもできる。この場合には、会員用会計処理台１０１上には、会員顧客が会員カード１６０および貨幣を挿入し商品購入に対する決済を行う代金決済装置１０５、バーコードリーダ部１０３と通信可能に接続され、バーコードリーダ部１０３で読み取られた購入商品に対する商品価格特定情報などを集計するレジスタ装置（ＰＯＳ）１０６が設置されている。この場合には、商品の購入数量などは、例えば、レジスタ装置（ＰＯＳ）１０６に設けられたテンキーなどの入力手段により入力することができる。なお、バーコードリーダ部１０３は、ハンディータイプのバーコードリーダ１０３ａで代用することもできる。また、バーコードリーダ部１０３とは別個にハンディータイプのバーコードリーダ１０３ａをレジスタ装置（ＰＯＳ）１０６に併設させてもよい。
【０５０３】
また、商品の数量や価格の商品情報をテンキーや商品名のシールを貼ったキー群より入力するためのキーボードなどの入力手段を併設し、バーコードリーダ１０３ａおよび／またはキーボードからの情報に基づいて、代金決済装置１０５の売上情報収得手段が集計を行うように構成することもできる。このキーボードなどは代金決済装置１０５またはバーコードリーダ１０３ａに一体的もしくは通信回線を介して別体に設けてもよい。
【０５０４】
続いて、上記した代金決済精算システム１０の各機器における接続構成について、図３を参照して説明する。
【０５０５】
図３には、代金決済精算システム１０の各機器における接続構成の概要が示されている。
バーコードリーダ部１０３と通信可能に接続された代金決済装置１０５、バーコードリーダ部２０２と通信可能に接続されたレジスタ装置（ＰＯＳ）２０３、精算機１１０および会員カード発行機１２０は、それぞれネットワーク回線を介して通信可能な状態に店内管理装置１４０と接続されている。また、貸出用買物かご設置部１０４は、代金決済装置１０５と通信可能に接続されている。
【０５０６】
また、店内管理装置１４０は、例えば、プロトコルコンバータ、モデム、一般通信回線を介して店外総合管理装置１５０と通信可能な状態になっている。なお、店外総合管理装置１５０は、さらに他店の店内管理装置と通信可能な状態になっている。
【０５０７】
ここで、店内管理装置１４０には、例えば、店内管理装置１４０に店内の各機器から出力される情報、店外総合管理装置１５０に出力する情報、店外総合管理装置１５０からの所定の情報などを参照する機能を含んだパーソナルコンピュータ１４１などを接続することができる。
【０５０８】
なお、上述した図２に示した代金決済精算システム１０の構成を採用する場合には、各機器における接続構成の概要は、図４に示すようになる。
【０５０９】
バーコードリーダ部１０３と通信可能に接続されたレジスタ装置（ＰＯＳ）１０６、代金決済装置１０５、バーコードリーダ部２０２と通信可能に接続されたレジスタ装置（ＰＯＳ）２０３、精算機１１０および会員カード発行機１２０は、それぞれネットワーク回線を介して通信可能な状態に店内管理装置１４０と接続されている。また、レジスタ装置（ＰＯＳ）１０６および貸出用買物かご設置部１０４は、代金決済装置１０５と通信可能に接続されている。
【０５１０】
また、店内管理装置１４０は、例えば、プロトコルコンバータ、モデム、一般通信回線を介して店外総合管理装置１５０と通信可能な状態になっている。なお、店外総合管理装置１５０は、さらに他店の店内管理装置と通信可能な状態になっている。
【０５１１】
ここで、店内管理装置１４０には、例えば、店内管理装置１４０に店内の各機器から出力される情報、店外総合管理装置１５０に出力する情報、店外総合管理装置１５０からの所定の情報などを参照する機能を含んだパーソナルコンピュータ１４１などを接続することができる。
【０５１２】
以下に、本発明の一実施の形態の代金決済精算システム１０を構成する各機器や会員カード１６０などについて説明する。なお、以下の説明では、上述したレジスタ装置（ＰＯＳ）の機能を備え、バーコードリーダ部１０３と通信可能に接続され、バーコードリーダ部１０３で読み取られた購入商品に対する商品価格特定情報やキー部などで入力された商品数情報などの商品情報を集計し、会員顧客が会員カード１６０および貨幣を挿入し商品購入に対する決済を行う代金決済装置１０５を具備した代金決済精算システム１０（図１および図３）を前提として説明する。
【０５１３】
（会員カード１６０）
会員カード１６０について、図５を参照して説明する。
【０５１４】
図５には、会員カード１６０の平面図が示されている。
会員カード１６０は、その内部にＩＣチップ１６１と、そのＩＣチップ１６１と接続されたアンテナ部１６２とを有し、非接触型の記憶媒体としての機能と、表面に磁性粉体を移動自在に封入した表示窓部であるカードビジブル部１６３を有し、磁気カードとしての機能を兼ね備えたものであり、カード形状を有するように構成されている。
【０５１５】
この会員カード１６０では、他の機器に設けられた情報読取手段や情報更新手段として機能するリーダライタなどによりアンテナ部１６２を介してＩＣチップ１６１からの情報の読み取り、およびＩＣチップ１６１への情報の書き込みを行うことができる。
【０５１６】
また、会員カード１６０のカードビジブル部１６３は、内部に封入された所定量の磁性粉体が外部から視認可能に透明のフィルム材で表面が被覆されている。このカードビジブル部１６３は、カードビジブル部１６３に対向する裏面側に設けられた磁気記録部を、表示情報に対応した所定の英数字などの文字または模様状に磁気記録し、この磁気記録された位置に磁性粉体が着磁されて留まることで、英数字等の文字などを表記することができる。
【０５１７】
ここで、会員カード１６０に衝撃が与えられ、磁性体粉が着磁部から脱落して表示が視認できない状態となっても、会員カード１６０を振って磁性体をカードビジブル部１６３内部で動かせば、再び着磁部へ付着して視認可能となる。
【０５１８】
このカードビジブル部１６３に表示する内容としては、例えば、前回の取引日時、ポイント残高、預り釣銭金額などを１２〜１４桁の連番で表示するものとし、例えば、「０３Ｂ１５１４６８０３５２４」の表示であれば、先頭５桁「０３Ｂ１５」が前回の取引日時０３Ｂ１５（０３は２００３年を、Ｂは２月を、Ａは１月を、Ｃは３月を、１５は１５日をそれぞれ表すものとする）すなわち「２００３年２月１５日」を表し、続く４桁がポイント残高「１４６８ポイント」を表し、続く５桁が預り釣銭金額「３５２４円」を表す。
【０５１９】
このようにカードビジブル部１６３に前回の取引日時、ポイント残高、預り釣銭金額などの情報を表示することで、会員顧客が容易に預り釣銭金額を確認することができ、不要なトラブルなどの発生を防止することができる。さらに、代金決済毎に、預り釣銭金額を確認することができるので、会員顧客は、安心して会員カード１６０を利用することができる。さらに、会員カード１６０は、釣銭を保留する機能に加え、例えば、プリペイドとして機能することもできる。また、店舗においては、釣銭やプリペイドに対応する滞留金が確保できるため、釣銭準備金などを設ける必要がなくなる。
【０５２０】
また、表示領域が許されるのであれば更に多くの情報を表示してもよい。また、会員カード１６０の表面上部には、会員顧客の氏名を記載する領域が設けられている。
【０５２１】
また、会員カード１６０のＩＣチップ１６１には、例えば、住所、氏名、年齢、性別、連絡先などの会員顧客情報、暗証番号、ＩＤなどの管理情報、付与されたポイントの情報、預り釣銭金額の情報などが記録される。なお、ＩＣチップ１６１に記録されるのはこれらの情報に限られるものではなく、必要な情報をさらに付加することができる。ここで、付与されたポイントには、商品購入によって付与されるポイント以外に、例えば、来店ポイント、イベントポイント、雨の日ポイント、レディースポイント、時間帯ポイント、曜日ポイントなど様々なポイントが含まれる。そして、これらのポイントは、精算時に現金化することもできる。
【０５２２】
会員カード１６０を用いた管理システムにおいては、それぞれについて、次に示した管理システムの内のいずれか１つを採用することができる。
（１）会員カード１６０がＩＤだけの記録情報を有し、その他の情報は店内管理装置１４０において管理されるシステム、または、（２）会員カード１６０がＩＤ以外に、店内管理装置１４０において管理される情報の一部である預り釣銭情報、ポイント情報などの情報を有して管理されるシステムを採用することができる。
【０５２３】
なお、本発明の一実施の形態の代金決済精算システム１０において、上述した（２）会員カード１６０がＩＤ以外に、店内管理装置１４０において管理される情報の一部である預り釣銭情報、ポイント情報などの情報を有して管理されるシステムを採用した場合について説明するが、勿論、上述した他の管理システム（１）も採用することができる。
【０５２４】
（会員カード発行機１２０）
会員カード発行機１２０について図６〜８を参照して説明する。
【０５２５】
図６は、会員カード発行機１２０の外観を示す斜視図、図７は、会員カード発行機１２０の構成部を示す図、図８は、会員カード発行機１２０における動作の流れを示す図である。
【０５２６】
まず、図６を参照して、会員カード発行機１２０の構成について説明する。
会員カード発行機１２０は、主に、顧客の会員登録に伴う会員カードの発行や会員カードの再発行、すでに発行された会員カード１６０の暗証番号の確認、貸出用買物かごの返却に対応する処理、解約に対応する処理などを行うものである。なお、会員カード発行機１２０は、ネットワーク回線を介して店内管理装置１４０と通信可能に接続されている。
【０５２７】
図６に示された会員カード発行機１２０は、筐体で構成され、その筐体の上面部には、リーダライタ部１２０ａ、操作キー部１２０ｂ、表示部１２０ｃが設けられている。また、筐体の１つの側面には、カード挿入口１２０ｄが設けられ、会員カード発行機１２０内部には、そのカード挿入口１２０ｄから挿入されたカードに磁気処理を行う磁気処理部１２０ｅが設けられている。
【０５２８】
また、この会員カード発行機１２０には、例えば、会員登録をする際の顧客の住所、氏名、年齢、性別、連絡先、生年月日、好きな買物、年収、暗証番号などの属性情報を入力するためのパーソナルコンピュータ１２１が接続されている。なお、これらの情報は、操作キー部１２０ｂにおいて行わせることもできる。
【０５２９】
リーダライタ部１２０ａは、アンテナ駆動回路を含むＩＣ部、アンテナ部から構成されたリーダライタを内蔵し、リーダライタ部１２０ａ上に設置された会員カード１６０内に設けられた記憶媒体からの所定の情報の読み取り、またはリーダライタ部１２０ａ上に設置された情報が登録前の未登録カード内に設けられた記憶媒体へのＩＤの書き込みやパーソナルコンピュータ１２１または操作キー部１２０ｂからの情報の一部の書き込みなどを行う。また、パーソナルコンピュータ１２１または操作キー部１２０ｂによって入力された情報は、カードに付与されるＩＤに基づいて、店内管理装置１４０に出力され、店内管理装置１４０でその情報が管理される。ここで、会員カード１６０の新発行を行う場合に、会員カード１６０に書き込まれる情報は、例えば、ＩＤ、暗証番号などの情報であり、会員カード１６０の再発行を行う場合に、会員カード１６０に書き込まれる情報は、例えば、ＩＤ、暗証番号、ポイント残高、預り釣銭金額などである。
【０５３０】
カード挿入口１２０ｄは、リーダライタ部１２０ａによって情報が書き込まれたカードを挿入するためのもので、その挿入されたカードは、磁気処理部１２０ｅに搬送される。この磁気処理部１２０ｅは、カードのカードビジブル部１６３に対向する裏面側に設けられた磁気記録部を、表示情報に対応した所定の英数字などの文字または模様状に磁気記録するものである。これによって、カードビジブル部１６３に、例えば、前回の取引日時、ポイント残高、預り釣銭金額などを１２〜１４桁の連番で表示することができる。
【０５３１】
このリーダライタ部１２０ａと磁気処理部１２０ｅにおける処理を行って、未登録カードを種々の情報が記録された会員カード１６０とすることができる。
【０５３２】
また、表示部１２０ｃには、パーソナルコンピュータ１２１または操作キー部１２０ｂで入力された情報などを表示することができる。また、リーダライタ部１２０ａによって読み取られた会員カード１６０の情報などを表示することもできる。
【０５３３】
なお、会員カード発行機１２０では、リーダライタ部１２０ａを会員カード発行機１２０の上面部に設けているが、磁気処理部１２０ｅに併設させることもできる。この場合には、未登録カードをカード挿入口１２０ｄに挿入することによって、リーダライタ部１２０ａと磁気処理部１２０ｅにおける処理を、未登録カードをカード挿入口１２０ｄに挿入するという１回の操作で行うことができる。
【０５３４】
図７に示すように、会員カード発行機１２０は、制御部３００、記憶媒体情報処理部３０１、ビジブル情報処理部３０２、選択ボタン検知部３０３から構成されている。
【０５３５】
制御部３００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部３００では、記憶媒体情報処理部３０１、ビジブル情報処理部３０２、選択ボタン検知部３０３の各機部間との信号の出入力、およびネットワーク回線を介して店内管理装置１４０との間の信号の出入力を制御している。
【０５３６】
また、ここでは、記憶媒体情報処理部３０１は、上述したリーダライタ部１２０ａとして機能し、ビジブル情報処理部３０２は、上述した磁気処理部として機能する。
【０５３７】
また、選択ボタン検知部３０３は、パーソナルコンピュータ１２１または操作キー部１２０ｂからの信号を検知し、その信号に基づく情報を制御部３００に出力するものである。
【０５３８】
そして、制御部３００によって制御される、記憶媒体情報処理部３０１、ビジブル情報処理部３０２、選択ボタン検知部３０３の各機器部は、次のように動作する（図８）。
【０５３９】
以下に、図８を参照してその動作を説明する。
会員カード発行機１２０では、主に、（１）会員カード１６０の新発行、（２）会員カード１６０の再発行、（３）すでに発行された会員カード１６０の暗証番号の確認、（４）会員カード１６０の解約手続きを行うことができる。
【０５４０】
まず、記憶媒体情報処理部３０１は、リーダライタ部１２０ａ上へのカードの設置を待機しており、リーダライタ部１２０ａ上へのカードの設置を検知すると、それに応じた処理を実行する。
【０５４１】
リーダライタ部１２０ａ上にカードが設置されると、記憶媒体情報処理部３０１は、そのカードの記憶媒体からＩＤを読み取る（ステップＳ３１０）。そして、記憶媒体情報処理部３０１は、その読み取ったＩＤ情報を制御部３００に出力する。
【０５４２】
制御部３００は、その記憶媒体情報処理部３０１から出力されたＩＤ情報に基づき、その情報が、「ＩＤなし」、「ＩＤあり」、「検知できず」のいずれの情報であるかを判定する（ステップＳ３１１）。
【０５４３】
ステップＳ３１１の判定で、「検知できず」の場合には、リーダライタ部１２０ａ上にカードが設置されていない場合であり、制御部３００は、リターンしスタートに戻る。
【０５４４】
ステップＳ３１１の判定で、「ＩＤなし」の場合には、制御部３００は、選択ボタン検知部３０３から出力されたパーソナルコンピュータ１２１または操作キー部１２０ｂで入力された情報に基づき、会員カード１６０の「新発行」か、「再発行」かを判定する（ステップＳ３１２）。
【０５４５】
ここで、ステップＳ３１２の判定で、「新発行」と判定された場合における（１）会員カード１６０の新発行について説明する。
【０５４６】
ステップＳ３１２の判定で、「新発行」と判定された場合には、制御部３００は、ネットワーク回線を介して店内管理装置１４０にＩＤの発行を要求し、店内管理装置１４０から受信したＩＤを未登録カードに書き込むための情報を記憶媒体情報処理部３０１に出力する。記憶媒体情報処理部３０１は、その情報に基づいて、リーダライタ部１２０ａによって未登録カードにＩＤを記録する。そして、制御部３００は、初期値としてポイント数、預り釣銭額は通常「０」とするが、特別に会員顧客となった御礼として、ポイントを付与してもよい。また、預り釣銭額をリーダライタ部１２０ａがアンテナ駆動回路を介して新しい会員カード１６０のＩＣチップ１６１に書き込むこともできる。そして、制御部３００は、店内管理装置１４０に対し、発行したＩＤに基づいてこのポイント数や預り釣銭額の初期値を記録するよう指示を送信する（ステップＳ３１３）。
【０５４７】
未登録カードにＩＤの記録後、制御部３００は、発行完了に対応する情報を表示させるための表示情報を表示部１２０ｃに出力し、表示部１２０ｃはその情報に基づいて、例えば、「発行完了」などの情報を表示する（ステップＳ３１４）。
【０５４８】
続いて、制御部３００は、パーソナルコンピュータ１２１または操作キー部１２０ｂで入力された暗証番号を付与されたＩＤに基づき、店内管理装置１４０に出力し、店内管理装置１４０は、そのＩＤに基づいて暗証番号を管理する（ステップＳ３１５）。なお、ここで、発行された会員カード１６０に暗証番号を記録させてもよい。
【０５４９】
続いて、制御部３００は、制御部３００に記録されているＦＬＧを通常設定されている「０」から付与されたＩＤに書き換える（ステップＳ３１６）。
【０５５０】
続いて、ビジブル情報処理部３０２は、会員カード１６０が挿入されているか否かを判定する（ステップＳ３１７）。
【０５５１】
ステップＳ３１７の判定で、Ｎｏの場合には、ビジブル情報処理部３０２は、その情報を制御部３００に出力し、制御部３００はリターンしスタートに戻る。
【０５５２】
ステップＳ３１７の判定で、Ｙｅｓの場合には、ビジブル情報処理部３０２は、その情報を制御部３００に出力し、制御部３００は、制御部３００に記録されているＦＬＧが「０」か否かを判定する（ステップＳ３１８）。
【０５５３】
ステップＳ３１８の判定で、Ｙｅｓの場合には、制御部３００は、記憶媒体情報処理部３０１における処理を先に行わせる情報を表示させるための表示情報を表示部１２０ｃに出力し、表示部１２０ｃはその情報に基づいて、例えば、「先にカードをリーダライタ部に置いて下さい」などの情報を表示する（ステップＳ３１９）。
【０５５４】
そして、制御部３００は、挿入された会員カード１６０を返却させるための情報をビジブル情報処理部３０２に出力する。ビジブル情報処理部３０２は、その情報に基づいてカード挿入口１２０ｄから会員カード１６０を返却する（ステップＳ３２０）。
【０５５５】
ステップＳ３１８の判定で、Ｎｏの場合には、制御部３００は、カードビジブル部１６３の磁気記録部を日付、ポイント数、預り釣銭額に対応して磁化させるための情報をビジブル情報処理部３０２に出力する。ビジブル情報処理部３０２では、その情報に基づいて、磁気処理部１２０ｅによってカードビジブル部１６３の磁気記録部を磁化させる。これによって、カードビジブル部１６３に、日付、ポイント数、預り釣銭額を表示することができる（ステップＳ３２０）。なお、新発行された会員カード１６０では、ポイント数、預り釣銭額は、通常「０」とするが、特別に会員となった御礼としてのポイントを付与し、そのポイント数や預り釣銭額を表示するようにしてもよい。
【０５５６】
続いて、次の他のカード処理を行うために、制御部３００に記録されているＦＬＧを「０」に書き換え、この処理における情報を消去し、次の会員のカード処理に備える（ステップＳ３２２）。
【０５５７】
そして、制御部３００は、挿入された会員カード１６０を返却させるための情報をビジブル情報処理部３０２に出力する。ビジブル情報処理部３０２は、その情報に基づいてカード挿入口１２０ｄから会員カード１６０を返却する（ステップＳ３２０）。
【０５５８】
次に、ステップＳ３１２の判定で、「再発行」と判定された場合における（２）会員カード１６０の再発行について説明する。
【０５５９】
この場合には、会員顧客のＩＤ情報が不明なため、パーソナルコンピュータ１２１または操作キー部１２０ｂで会員顧客の生年月日、電話番号、氏名などを入力させ、選択ボタン検知部３０３は、それらの情報を制御部３００に出力する。制御部３００は、それらの情報を店内管理装置１４０に出力し、店内管理装置１４０は、それらの情報に基づいて、登録されているＩＤから該当するＩＤを検索する（ステップＳ３２３）。
【０５６０】
そして、店内管理装置１４０は、検索結果を制御部３００に出力する。制御部３００は、その検索結果が、「該当ＩＤなし」か、「該当ＩＤあり」かを判定する（ステップＳ３２４）。
【０５６１】
ステップＳ３２４の判定で、「該当ＩＤなし」の場合には、制御部３００は、該当する顧客情報がないとの情報を表示させるための表示情報を表示部１２０ｃに出力し、表示部１２０ｃはその情報に基づいて、例えば、「該当顧客ありません」などの情報を表示し、リターンしてスタートに戻る（ステップＳ３２５）。
【０５６２】
一方、ステップＳ３２４の判定で、「該当ＩＤあり」の場合には、制御部３００は、店内管理装置１４０に新たにＩＤ発行の要求を出力し、店内管理装置１４０は、該当したＩＤとは異なる新たなＩＤを制御部３００に出力する（ステップＳ３２６）。
【０５６３】
また、店内管理装置１４０は、該当したＩＤに基づいて管理されている情報、その会員のポイントや預り釣銭額などを新たなＩＤに基づく情報に書き換え、管理する（ステップＳ３２７）。また、制御部３００は、新たなＩＤを未登録カードに記録するための情報を記憶媒体情報処理部３０１に出力する。記憶媒体情報処理部３０１は、その情報に基づいて、リーダライタ部１２０ａによって未登録カードに新たなＩＤを記録する（ステップＳ３２７）。なお、この新たなＩＤを未登録カードに記録する際、同時にポイント残高、預り釣銭金額、暗証番号などを記録する。
【０５６４】
続いて、未登録カードに所定の情報を記録後、制御部３００は、再発行完了に対応する情報を表示させるための表示情報を表示部１２０ｃに出力し、表示部１２０ｃはその情報に基づいて、例えば、「再発行完了」などの情報を表示する（ステップＳ３２８）。
【０５６５】
続く工程は、上述したステップＳ３１５〜ステップＳ３２２と同一であるので、説明を省略する。
【０５６６】
次に、制御部３００は、その記憶媒体情報処理部３０１から出力されたＩＤ情報に基づき、その情報が、「ＩＤなし」、「ＩＤあり」、「検知できず」のいずれの情報であるかを判定するステップＳ３１１の判定で、「ＩＤあり」の場合には、制御部３００は、ネットワーク回線を介して店内管理装置１４０から、そのＩＤに基づく情報を受信する（ステップＳ３２９）。
【０５６７】
そして、制御部３００は、その店内管理装置１４０から受信した情報の一部を表示させるための表示情報を表示部１２０ｃに出力し、表示部１２０ｃはその情報に基づいて、例えば、そのＩＤを有する会員の氏名などの情報を表示する（ステップＳ３３０）。
【０５６８】
続いて、制御部３００は、選択ボタン検知部３０３から出力されたパーソナルコンピュータ１２１または操作キー部１２０ｂで入力された情報に基づき、「会員カードの再発行に対する旧会員カードの情報」、「暗証番号確認」、「貸出用買物かごの返却」、「解約」のいずれの動作モードであるかを判定する（ステップＳ３３１）。
【０５６９】
以下に、「会員カードの再発行に対する旧会員カードの情報」、「暗証番号確認」、「貸出用買物かごの返却」、「解約」の動作モードにおける工程をそれぞれ説明する。
【０５７０】
まず、ステップＳ３３１の判定で、「会員カードの再発行に対する旧会員カードの情報」の場合には、制御部３００は、記憶媒体情報処理部３０１で読み取られたＩＤを旧ＩＤとして記録する（ステップＳ３３２）。
【０５７１】
続いて、リーダライタ部１２０ａに設置された旧会員カード１６０が取り除かれ、再発行用の新しい未登録の会員カード１６０がリーダライタ部１２０ａ上に設置されると、記憶媒体情報処理部３０１は、そのカードの記憶媒体からＩＤを読み取る（ステップＳ３１０）。そして、記憶媒体情報処理部３０１は、その読み取ったＩＤ情報を制御部３００に出力する。
【０５７２】
制御部３００は、その記憶媒体情報処理部３０１から出力されたＩＤ情報に基づき、その情報が、「ＩＤなし」、「ＩＤあり」、「検知できず」のいずれの情報であるかを判定する（ステップＳ３１１）。
【０５７３】
リーダライタ部１２０ａ上に設置された新しい未登録の会員カード１６０は、ＩＤを有していないので、ステップＳ３１１の判定において「ＩＤなし」と判定され、制御部３００は、選択ボタン検知部３０３から出力されたパーソナルコンピュータ１２１または操作キー部１２０ｂで入力された情報に基づき、会員カード１６０の「新発行」か、「再発行」かを判定する（ステップＳ３１２）。
【０５７４】
「再発行」における情報が入力されているので、ステップＳ３１２の判定では、「再発行」と判定される。
【０５７５】
この会員カード１６０の再発行の工程では、すでに旧会員カードからＩＤが読み込まれ、そのＩＤが旧ＩＤとして制御部３００に記録されているため、ステップＳ３２３〜ステップＳ３２４のＩＤを検索する工程は省かれる。
【０５７６】
続いて、制御部３００は、店内管理装置１４０に新たにＩＤ発行の要求を出力し、店内管理装置１４０は、旧ＩＤとは異なる新たなＩＤを制御部３００に出力する（ステップＳ３２６）。
【０５７７】
また、店内管理装置１４０は、旧ＩＤに基づいて管理されている情報を、新たなＩＤに基づく情報に書き換え、管理する（ステップＳ３２７）。また、制御部３００は、新たなＩＤを未登録カードに記録するための情報を記憶媒体情報処理部３０１に出力する。記憶媒体情報処理部３０１は、その情報に基づいて、リーダライタ部１２０ａによって未登録カードに新たなＩＤを記録する（ステップＳ３２７）。なお、この新たなＩＤを未登録カードに記録する際、同時にポイント残高、預り釣銭金額、暗証番号などを記録する。
【０５７８】
続いて、未登録カードに所定の情報を記録後、制御部３００は、再発行完了に対応する情報を表示させるための表示情報を表示部１２０ｃに出力し、表示部１２０ｃはその情報に基づいて、例えば、「再発行完了」などの情報を表示する（ステップＳ３２８）。
【０５７９】
続く工程は、上述したステップＳ３１５〜ステップＳ３２２と同一であるので、説明を省略する。
【０５８０】
次に、ステップＳ３３１の判定で、「暗証番号確認」の場合には、制御部３００は、記憶媒体情報処理部３０１で読み取られたＩＤに対応する暗証番号情報を店内管理装置１４０から読み込む。そして、パーソナルコンピュータ１２１または操作キー部１２０ｂで入力された表示許可情報（ステップＳ３２９にて受信した情報、住所、氏名、年齢、性別、連絡先をパーソナルコンピュータ１２１に表示し、店員はこの表示を見ながら会員に質問し会員カード所有者か否かを入力した情報）に基づいて、暗証番号を表示させるための表示情報を表示部１２０ｃに出力し、表示部１２０ｃはその情報に基づいて、暗証番号を表示する（ステップＳ３３３）。なお、暗証番号が会員カード１６０に記録されている場合には、記憶媒体情報処理部３０１にて会員カード１６０から暗証番号を読み込んでもよい。
【０５８１】
続く工程は、上述したステップＳ３１７〜ステップＳ３２２と同一であるので、説明を省略する。
【０５８２】
次に、ステップＳ３３１の判定で、「貸出用買物かごの返却」の場合には、制御部３００は、パーソナルコンピュータ１２１または操作キー部１２０ｂで入力された返却された貸出用買物かご１０７に対する個数情報および記憶媒体情報処理部３０１で読み取られたＩＤを店内管理装置１４０に出力する。店内管理装置１４０では、そのＩＤに基づいて管理されている貸出用買物かご数に対応する情報から返却された貸出用買物かご数を減じて、その値を更新する（ステップＳ３３４）。
【０５８３】
続く工程は、上述したステップＳ３１７〜ステップＳ３２２と同一であるので、説明を省略する。
【０５８４】
この「貸出用買物かごの返却」に対応する処理では、貸出用買物かごの返却に対する預り金の返却は、例えば、店員などによって行われる。
【０５８５】
次に、ステップＳ３３１の判定で、「解約」の場合には、制御部３００は、選択ボタン検知部３０３から出力されたパーソナルコンピュータ１２１または操作キー部１２０ｂで入力された暗証番号と、記憶媒体情報処理部３０１で読み取られたＩＤに対応する店内管理装置１４０から読み込まれた暗証番号とを比較し、相互が一致するか否かを判定する（ステップＳ３３５）。なお、暗証番号が会員カード１６０に記録されている場合には、記憶媒体情報処理部３０１にて会員カード１６０から暗証番号を読み込んでもよい。
【０５８６】
ステップＳ３３５の判定で、相互が一致しない「ＮＧ」の場合には、制御部３００は、暗証番号が異なることに対応する情報を表示させるための表示情報を表示部１２０ｃに出力し、表示部１２０ｃはその情報に基づいて、例えば、「暗証番号が違います」などの情報を表示する（ステップＳ３３６）。
【０５８７】
一方、ステップＳ３３５の判定で、相互が一致する「ＯＫ」の場合には、制御部３００は、記憶媒体情報処理部３０１で読み取られたＩＤに基づいて管理されている情報を消去すべき情報を店内管理装置１４０に出力する。そして、店内管理装置１４０は、その情報に基づいて、そのＩＤに基づく管理情報を消去する（ステップＳ３３７）。また、制御部３００は、会員カード１６０に記録されている情報を消去すべき情報を記憶媒体情報処理部３０１に出力する。そして、記憶媒体情報処理部３０１は、その情報に基づいて、会員カード１６０に記録されている情報を消去または使用済とわかるデータを所定記録エリアに記録する初期化を行う。なお、情報が消去された会員カード１６０は、例えば、店員などによって回収される。
【０５８８】
続く工程は、上述したステップＳ３１７〜ステップＳ３２２と同一であるので、説明を省略する。
【０５８９】
この「解約」に対応する処理では、預り釣銭やポイントに対する精算は、例えば、店員などによって行われる。
【０５９０】
ここで示した会員カード発行機１２０は、リーダライタ部１２０ａと磁気処理部１２０ｅとが異なる位置に構成されているが、リーダライタ部１２０ａを磁気処理部１２０ｅが設けられた位置に併設させることもできる。この場合には、リーダライタ部１２０ａへの会員カード１６０の設置、および磁気処理部１２０ｅへの会員カード１６０の挿入という２つの動作を行うことなく、カード挿入口１２０ｄに会員カード１６０を挿入することで、リーダライタ部１２０ａと磁気処理部１２０ｅとにおける処理を行うことができる。
【０５９１】
このリーダライタ部１２０ａを磁気処理部１２０ｅが設けられた位置に併設された会員カード発行機を用いた場合には、上記した動作工程から、ステップＳ３１６、ステップＳ３１７、ステップＳ３１８、ステップＳ３１９、ステップＳ３２２の会員カード１６０をリーダライタ部１２０ａから磁気処理部１２０ｅに移動させる間に情報を記録するためのＦＬＧなどの処理工程を削除することができる。
【０５９２】
なお、本実施例において例示してはいないが、会員毎の預り釣銭を後述する図１６に示す精算機１１０が硬貨支払口１１０ｋ、硬貨貯留排出部１１０ｐ、硬貨貯留識別部１１０ｍ、硬貨受入口１１０ｉを有しない場合、預り釣銭のみを返却するようにしてもよい。この場合、ステップＳ３３１の動作モード分岐において預り釣銭返却モードを新たに設け、
その後の処理は、上記した解約処理のうちステップＳ３３７に変えて、預り釣銭のみを０とし、店内管理装置１４０と会員カード１６０に記憶するようにし、その他のステップＳ３３５とステップＳ３３６の暗証番号認証処理と同じ処理を新たに設け、ステップＳ３１７へ移行するようにすればよい。
（貸出用買物かご１０７）
貸出用買物かご１０７の構成について、図９を参照して説明する。
【０５９３】
図９には、貸出用買物かご１０７の一部を断面とした図が示されている。
買物かごとして機能する貸出用買物かご１０７は、一面が開口された筐体からなる貸出用買物かご本体１０７ａと、この貸出用買物かご本体ａの対向する側壁の上部中央にそれぞれ形成された凹部に回転可能にそれぞれの端部が挿着されたコ字状の取手部１０７ｂと、貸出用買物かご本体１０７ａ内の底部に固着された記憶媒体１０７ｃと、この記憶媒体１０７ｃを覆うように貸出用買物かご本体１０７ａ内の底部に固着された会員カード収納箱１０７ｄとから構成されている。
【０５９４】
貸出用買物かご本体１０７ａ内の底部に固着された記憶媒体１０７ｃは、ＩＣチップと、そのＩＣチップと接続されたアンテナ部とを有する非接触型の記憶媒体である。この記憶媒体１０７ｃには、例えば、貸出用買物かご１０７を利用する会員顧客のＩＤ情報、貸出の日時、貸出用買物かご１０７の貸出数、外部への持ち出しを許可する許可特定情報などを記録することができる。また、これ以外にも必要な情報を記録させることができる。
【０５９５】
会員カード収納箱１０７ｄは、樹脂などで形成され、上部の面が所定の一辺を軸として開閉することができ、その一辺に対向する他の一辺は、その他の一辺に接触する側壁に設けられた係合部に係合されて、上部の面を閉じた状態に保つことができる。また、会員カード収納箱１０７ｄの底部には、会員カード収納箱１０７ｄ内を会員カード１６０が移動しないように、会員カード１６０に対応させて凹部１０７ｅを設け、その凹部１０７ｅに会員カード１６０を嵌合して固定している。
【０５９６】
また、貸出用買物かご本体１０７ａの対向する外側壁の下部に、貸出用買物かご設置部１０４に設けれらた貸出用買物かご１０７をロックする貸出用買物かごロック機構によって突出する突出部を挿入させるための凹部１０７ｆが形成されている。この凹部１０７ｆは、貸出用買物かごロック機構の設置位置に対応させて形成することができ、この位置に限るものではない。また、貸出用買物かごロック機構が貸出用買物かご設置部１０４の４つの側面に設置される場合には、この凹部１０７ｆも貸出用買物かごロック機構の設置位置に対応させて、貸出用買物かご本体１０７ａの４つの側面に設けることが好ましい。
【０５９７】
ここで、貸出用買物かご本体１０７ａは、軽量化のため樹脂などで形成されることが好ましく、また、貸出用買物かご本体１０７ａは、網状に隙間を設けて形成させてもよい。さらに、貸出用買物かご１０７は、通常に用いられる貸し出しを行わない買物かごとすぐに区別できるように、例えば、貸し出しを行わない買物かごの色と異なる色の部材を用いるか、異なる色で着色させることが好ましい。
【０５９８】
（貸出用買物かご設置部１０４）
貸出用買物かご設置部１０４の構成について、図１０を参照して説明する。
【０５９９】
図１０には、会員用会計処理台１０１に設けられた貸出用買物かご設置部１０４に貸出用買物かご１０７が設置された状態での断面図が示されている。
【０６００】
貸出用買物かご設置部１０４を構成する凹部の対向する側壁内に買物かごロック装置として機能する貸出用買物かごロック機構１０４ａが設けられている。また、その凹部の底面に面する会員用会計処理台１０１側に、貸出用買物かご１０７の底部に設けられた記憶媒体に対して情報の読み書きが可能な情報読取書込手段として機能するリーダライタ１０４ｂが備えられている。なお、このリーダライタ１０４ｂは、貸出用買物かご１０７の会員カード収納箱１０７ｄに収納された会員カード１６０に対しても情報の読み書きが可能となっている。また、リーダライタ１０４ｂは、代金決済装置１０５と通信可能に接続されている。
【０６０１】
貸出用買物かごロック機構１０４ａは、例えば、ソレノイドなどの機械的手段によって構成され、貸出用買物かご設置部１０４に設けられた設置センサ（図示しない）によって、所定の位置に貸出用買物かご１０７が設置されたことに対応する検知情報を得ると、棒状の部材を貸出用買物かご設置部１０４内に突出させ、その突出した部材を貸出用買物かご１０７の外側壁の下部に設けられた凹部１０７ｆに挿入する。これによって、貸出用買物かご設置部１０４から貸出用買物かご１０７を持ち出すことができなくなる。また、貸出用買物かごロック機構１０４ａは、代金決済装置１０５と電気的に接続され、例えば、代金決済装置１０５からの信号に基づいて作動させることもできる。なお、代金決済装置１０５とは別個にレジスタ装置を設けた構成では、代金決済装置１０５またはレジスタ装置からの信号に基づいて作動させることもできる。
【０６０２】
貸出用買物かご１０７が貸出用買物かご設置部１０４に持ち出し不可能に設置されると、リーダライタ１０４ｂは、貸出用買物かご本体１０７ａ内の底部に固着された記憶媒体１０７ｃに、代金決済装置１０５からの情報に基づいて、例えば、貸出用買物かご１０７を利用する会員顧客のＩＤ情報、貸出の日時、貸出用買物かご１０７の貸出数などを記録する。記録する情報は、これらに限るものではなく、これ以外にも必要な情報を記録させることができる。
【０６０３】
（レジスタ装置（ＰＯＳ）１０６、２０３）
ここでは、図２に示すように、代金決済装置１０５の機能から、バーコードリーダ部１０３で読み取られた購入商品に対する商品価格特定情報やテンキーなどの入力手段で入力された商品数情報などを集計する機能を取り除いた場合に設置されるレジスタ装置（ＰＯＳ）１０６および通常顧客ゲート２００に設置されるレジスタ装置（ＰＯＳ）２０３の構成について、図１１および１２を参照して説明する。
【０６０４】
図１１は、レジスタ装置（ＰＯＳ）１０６の外観を示す斜視図、図１２は、レジスタ装置（ＰＯＳ）２０３の外観を示す斜視図である。
【０６０５】
レジスタ装置（ＰＯＳ）１０６は、会員用会計処理台１０１上に、レジスタ装置（ＰＯＳ）２０３は、通常会計処理台２０１上に配置され、それぞれ店内管理装置１４０と通信可能に接続されている。また、レジスタ装置（ＰＯＳ）１０６は、代金決済装置１０５と通信可能に接続され、レジスタ装置（ＰＯＳ）１０６で得られた情報は、代金決済装置１０５に出力される。
【０６０６】
レジスタ装置（ＰＯＳ）１０６、２０３は、代金入力またはバーコードのコード番号などを入力するキー操作部１０６ａ、２０３ａと、購入品の代金や累計代金などを表示可能な代金表示部１０６ｂ、２０３ｂと、購入した商品のバーコードをスキャン可能なバーコードリーダ部１０３、２０２と、レジスタ装置（ＰＯＳ）１０６、２０３と電気コードで接続され購入商品のバーコードを読取るハンディータイプのバーコードリーダ１０３ａ、２０２ａとから主に構成されている。また、通常顧客の決済精算処理を行うレジスタ装置（ＰＯＳ）２０３には、さらに、顧客から受取った購入代金を収納する金庫部２０３ｃが設けられている。
【０６０７】
ここで、購入品の代金や累計代金などを表示可能な代金表示部１０６ｂ、２０３ｂに表示される項目と同様の項目を表示する代金表示部を、例えば、会員用会計処理台１０１上および通常会計処理台２０１上に顧客が見えるようにさらに設けてもよい。
【０６０８】
そして、店員によって顧客が購入した商品の代金を、バーコードをスキャンするまたはキー操作部１０６ａ、２０３ａによる代金および品目を入力するなどの方法により購入代金を累計算出する。
【０６０９】
この際、レジスタ装置（ＰＯＳ）２０３の場合は、通常顧客と金銭の授受を行い精算を完了し、積算した代金の合計金額をレシート発行する。一方、レジスタ装置（ＰＯＳ）１０６の場合には、レジスタ装置（ＰＯＳ）１０６で得られた情報を代金決済装置１０５に出力し、その場では、会員顧客と店員との間で金銭の授受は行わない。また、レジスタ装置（ＰＯＳ）１０６の場合にも、積算した代金の合計金額をレシート発行する。
【０６１０】
さらに、レジスタ装置（ＰＯＳ）１０６、２０３で得られた情報は、店内管理装置１４０にも出力される。
【０６１１】
なお、レジスタ装置（ＰＯＳ）１０６、２０３内部には、記憶装置（図示しない）を設けてあり、レジスタ装置（ＰＯＳ）１０６、２０３によって処理された全てのデータを処理時刻と共に記録可能であり、当日全体の売上集計や商品を売った時刻、接客した店員などを記録可能である。
【０６１２】
レジスタ装置（ＰＯＳ）１０６、２０３のキー操作部１０６ａ、２０３ａは、レジスタ装置（ＰＯＳ）１０６、２０３の表面に複数設けられ、商品の種別を入力する種別キー、商品の金額や商品の種別を示す識別コード等の数値を入力する数字キー、演算種別を選択する選択キー、小計を計算する小計キー、合計を計算する合計キー、商品毎に設けられ押圧することでその商品の金額および種別コードが入力される個別キーなどが設けられている。
【０６１３】
また、レジスタ装置（ＰＯＳ）２０３においては、通常顧客からの預り金額を入力した後に釣銭を計算させる釣銭キー、商品に関する種別コード、商品の金額、並びに、預かり金からの精算が可能なキーなども設けられている。
【０６１４】
レジスタ装置（ＰＯＳ）２０３の金庫部２０３ｃは、レジスタ装置（ＰＯＳ）２０３内部に設けられ、キー操作部２０３ａの預かり金から購入代金を差引いて精算したときにレジスタ装置（ＰＯＳ）２０３の前面に引出されて開口可能である。
【０６１５】
レジスタ装置（ＰＯＳ）１０６、２０３のバーコードリーダ部１０３、２０２は、購入される商品のバーコードをスキャンし、バーコードから得られる商品の名称及び代金などをレジスタ装置（ＰＯＳ）１０６、２０３が読取り可能である。そして、バーコードリーダ部１０３、２０２がスキャンすると、それまでの購入代金に対し自動的に加算作業が行われ、累計が計算されるようにレジスタ装置（ＰＯＳ）１０６、２０３が制御されている。
【０６１６】
ハンディータイプのバーコードリーダ１０３ａ、２０２ａは、レジスタ装置（ＰＯＳ）１０６、２０３と電気コードによって接続され、店員が手に持ってバーコードを読取可能であり、バーコードリーダ部１０３、２０２と同様の作用を有するよう形成されている。
【０６１７】
（代金決済装置１０５）
（第１実施の形態）
第１実施の形態の代金決済装置１０５について図１３〜１５を参照して説明する。
【０６１８】
図１３は、代金決済装置１０５の外観を示す斜視図、図１４は、代金決済装置１０５の構成部を示す図、図１５は、代金決済装置１０５における動作の流れを示す図である。
【０６１９】
まず、図１３を参照して、代金決済装置１０５の構成について説明する。
代金決済装置１０５は、バーコードリーダ部１０３と通信可能に接続され、バーコードリーダ部１０３で読み取られた購入商品に対する商品価格特定情報やキー部１０５ｒなどで入力された商品数情報などの商品情報を集計し、会員顧客が会員カード１６０および貨幣を挿入し商品購入に対する決済を行う装置である。
【０６２０】
なお、代金決済装置１０５は、ネットワーク回線を介して店内管理装置１４０、貸出用買物かご設置部１０４のリーダライタ１０４ｂと通信可能に接続されている。また、代金決済装置１０５は、貸出用買物かご設置部１０４の貸出用買物かごロック機構１０４ａと電気的に接続されている。バーコードリーダ部１０３で読み込まれた購入商品の情報などは、逐一ネットワーク回線を介して、代金決済装置１０５に出力される。
【０６２１】
図１１に示すように、代金決済装置１０５は、筐体で構成され、その筐体の正面部には、記憶媒体受入手段として機能するカード挿入口１０５ａ、貨幣受入手段として機能する紙幣挿入口１０５ｃが設けられ、筐体の上面部には、購入商品の総額などを表示する表示部１０５ｉが設けられている。代金決済装置１０５は、筐体の正面部および表示部１０５ｉが顧客側に向くように、会員用会計処理台１０１上に設置されている。また、表示部１０５ｉの後部には、各情報を印字して出力するプリンタ１０５ｑが備え付けられている。
【０６２２】
また、筐体の背面部には、正面部に設けられたカード挿入口１０５ａに対応する位置にカード挿入口１０５ｐが設けられている。このカード挿入口１０５ａは、会員顧客が会員カード１６０を挿入するための挿入口であり、一方、カード挿入口１０５ｐは、店員が会員カード１６０を挿入するための挿入口である。なお、通常、会員カードをどちらから受け入れるかは、店舗によって自由に設定可能である。また、会員カード１６０を双方のカード挿入口１０５ａ、１０５ｐから受け入れ可能とすることもできる。
【０６２３】
また、代金決済装置１０５の背面部には、商品の種別を入力する種別キー、商品の金額や商品の種別を示す識別コード等の数値を入力する数字キー、演算種別を選択する選択キー、小計を計算する小計キー、合計を計算する合計キー、商品毎に設けられ押圧することでその商品の金額および種別コードが入力される個別キーなどのキー部１０５ｒが設けられている。
【０６２４】
また、筐体内には、カード挿入口１０５ａ、１０５ｐから挿入された会員カード１６０を受け入れて会員カード１６０に設けられた記憶媒体の情報を処理し、会員カード１６０のカードビジブル部１６３の情報を書き換える記憶媒体読込手段および預り釣銭情報更新手段として機能するカード処理部１０５ｂと、紙幣挿入口１０５ｃから挿入された紙幣の金額を認識する貨幣識別手段として機能する紙幣識別部１０５ｅと、紙幣識別部１０５ｅから搬送された紙幣を収納し、記録部１０５ｆが取り付けられた貨幣収納手段として機能する紙幣収納部１０５ｇと、紙幣収納部１０５ｇの記録部１０５ｆと情報交信を行うリーダライタ部１０５ｈとが設置されている。また、代金決済装置１０５は、例えば、停電時にも使用できるように、バックアップ電源が搭載されている。
【０６２５】
カード処理部１０５ｂには、アンテナ駆動回路を含むＩＣ部、アンテナ部から構成されたリーダライタが備えられ、カード処理部１０５ｂに搬送された会員カード１６０内に設けられた記憶媒体からのＩＤ、預り釣銭金額、ポイント残高などの情報の読み取りや商品購入後の預り釣銭金額、ポイント残高などの情報の書き込みなどを行う。なお、カード処理部１０５ｂは、ポイント読取手段およびポイント情報更新手段としても機能する。
【０６２６】
また、カード処理部１０５ｂには、会員カード１６０のカードビジブル部１６３に対向する裏面側に設けられた磁気記録部を、表示情報に対応した所定の英数字などの文字または模様状に磁気記録する磁気処理部が、上記したリーダライタに併設されている。磁気処理部によって、磁気記録部の所定の部分が磁化されることで、カードビジブル部１６３に、例えば、前回の取引日時、ポイント残高、預り釣銭金額などを１２〜１４桁の連番で表示することができる。
【０６２７】
紙幣識別部１０５ｅは、紙幣挿入口１０５ｃから挿入される４種類の紙幣を識別するものである。この紙幣識別部１０５ｅには、搬送部が設けられ、この搬送部によって、紙幣が紙幣収納部受入部１０５ｇに搬送されて、収納される。
【０６２８】
紙幣収納部１０５ｇは、紙幣を紙幣収納部１０５ｇ内に搬送するための搬送口１０５ｎが開口された筐体で構成され、代金決済装置１０５内に着脱可能に設置されている。この紙幣収納部１０５ｇは、代金決済装置１０５の正面部に施錠機能部１０５ｊを有する開閉ドアを設け、この開閉ドアを開閉することで、代金決済装置１０５内より外部に取り出し可能となる。この施錠機能部１０５ｊを有する開閉ドアは、代金決済装置１０５の背面部や側面部などに設けられてもよい。なお、この施錠機能部１０５ｊは、鍵を用いて施錠するものでも、電気的に施錠するものでもよい。
【０６２９】
また、紙幣収納部１０５ｇは、その一面が紙幣収納部１０５ｇ内に収納された紙幣を取り出す施錠機能部１０５ｋを有する取り出し蓋１０５ｍで構成されている。また、紙幣収納部１０５ｇの内底面部には、記録部１０５ｆが配設されている。この記録部１０５ｆは、アンテナ部を有する非接触型の記憶媒体で構成されている。
【０６３０】
この記録部１０５ｆには、例えば、紙幣識別部１０５ｅによって識別され、紙幣収納部１０５ｇに収納された紙幣の積算総額や金種毎の枚数または金種毎の積算総額の情報、代金決済装置１０５を取り扱う店員の情報、代金決済装置１０５の取り扱い情報（例えば、代金決済装置１０５の施錠が解除された日時情報、代金決済装置１０５の電源がＯＦＦまたはＯＮされた日時情報、紙幣収納部１０５ｇの交換された日時情報、店員交代情報など）、紙幣収納部１０５ｇを設置する代金決済装置１０５を特定するための情報、代金決済装置１０５が取り扱い可能な金種情報などが記録される。なお、記録部１０５ｆに記録される情報は、これらの情報に限られるものではなく、必要な情報を記録させることができる。
【０６３１】
情報読取書込手段として機能するリーダライタ部１０５ｈは、紙幣収納部１０５ｇに配設された記録部１０５ｆと交信可能な代金決済装置１０５内の所定の位置に設置され、アンテナ駆動回路を含むＩＣ部、アンテナ部から構成されている。このリーダライタ部１０５ｈは、記録部１０５ｆからの情報の読み取りや記録部１０５ｆへの情報の書き込みを行う。
【０６３２】
なお、代金決済装置１０５を、上記した構成機器部である、紙幣挿入口１０５ｃと、紙幣挿入口１０５ｃから挿入された紙幣の金額を認識する紙幣識別部１０５ｅと、紙幣識別部１０５ｅから搬送された紙幣を収納し、記録部１０５ｆが取り付けられた紙幣収納部受入部１０５ｇと、紙幣収納部１０５ｇの記録部１０５ｆと情報交信を行うリーダライタ部１０５ｈとから構成することで、貨幣識別装置として用いることもできる。
【０６３３】
なお、図２に示すように、代金決済装置１０５の機能から、バーコードリーダ部１０３で読み取られた購入商品に対する商品価格特定情報などを集計する機能を取り除いた場合には、レジスタ装置（ＰＯＳ）１０６が設置されるため、代金決済装置１０５にキー部１０５ｒやレジスタ装置の機能を設けなくてもよい。この場合には、バーコードリーダ部１０３で読み取られた購入商品に対する商品価格特定情報やレジスタ装置（ＰＯＳ）１０６のテンキーなどで入力された商品数情報などの商品情報は、レジスタ装置（ＰＯＳ）１０６装置に出力され、レジスタ装置（ＰＯＳ）１０６で集計された、例えば、売上情報などは、逐一ネットワーク回線を介して、代金決済装置１０５に出力される。
【０６３４】
また、バーコードリーダ部１０３にキー部１０５ｒを併設し、さらに、代金決済装置１０５に、バーコードリーダ部１０３から出力された購入商品に対する商品価格特定情報などの商品情報を集計するレジスタ装置の機能を備えたシステムを構成することもできる。この場合には、バーコードリーダ部１０３で読み取られた購入商品に対する商品価格特定情報やキー部１０５ｒなどで入力された商品数情報などの商品情報は、代金決済装置１０５に出力され、代金決済装置１０５では、その商品情報などに基づいて売上情報などを集計し、代金決済処理を行う。
【０６３５】
さらに、代金決済装置１０５に、バーコードリーダ部１０３の機能、キー部１０５ｒ、レジスタ装置の機能を備えることもできる。この場合には、代金決済装置１０５は、バーコードリーダ部１０３として機能するバーコードリーダ部で読み取られた購入商品に対する商品価格特定情報やキー部などで入力された商品数情報などの商品情報に基づいて売上情報などを集計し、代金決済処理を行う。
【０６３６】
また、バーコードリーダ部１０３を設けずに、商品情報をキー部１０５ｒやレジスタ装置で入力することも可能である。
【０６３７】
図１４に示すように、代金決済装置１０５は、制御部４００、会員カード情報処理部４０１、紙幣識別部４０２、売上情報処理部４０３、選択ボタン検知部４０４から構成されている。
【０６３８】
制御部４００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部４００では、会員カード情報処理部４０１、紙幣識別部４０２、売上情報処理部４０３、選択ボタン検知部４０４の各機部間との信号の出入力を制御している。また、制御部４００は、ネットワーク回線を介して店内管理装置１４０との間、貸出用買物かご設置部１０４のリーダライタ１０４ｂとの間、および貸出用買物かご設置部１０４の貸出用買物かごロック機構１０４ａとの間の信号の出入力も制御している。
【０６３９】
また、ここでは、会員カード情報処理部４０１は、上述したカード処理部１０５ｂとして機能し、紙幣識別部４０２は、上述した紙幣収納部１０５ｇとして機能する。
【０６４０】
売上情報処理部４０３は、購入商品に対する金額や商品数などの商品情報を集計するものであり、集計した情報を制御部４００に出力する。
【０６４１】
また、選択ボタン検知部４０４は、商品の種別を入力する種別キー、商品の金額や商品の種別を示す識別コード等の数値を入力する数字キー、演算種別を選択する選択キー、小計を計算する小計キー、合計を計算する合計キー、商品毎に設けられ押圧することでその商品の金額および種別コードが入力される個別キーなどのが押されたことを検知し、その押された信号に基づいて、制御部４００に信号を出力するものである。
【０６４２】
そして、制御部４００によって制御される、会員カード情報処理部４０１、紙幣識別部４０２、売上情報処理部４０３、選択ボタン検知部４０４の各機器部は、次のように動作する（図１５）。
【０６４３】
以下に、図１５を参照してその動作を説明する。
代金決済装置１０５では、主に、（１）購入商品に対する代金決済処理、（２）代金決済装置１０５からの紙幣収納部１０５ｇの取り出しに対する処理を行うことができる。
【０６４４】
まず、会員カード情報処理部４０１は、カード挿入口１０５ａ、１０５ｐに会員カード１６０が挿入されるのを待機しており、カード挿入口１０５ａ、１０５ｐに会員カード１６０が挿入されると、それに応じた処理を実行する。
【０６４５】
制御部４００は、会員カード情報処理部４０１からの情報に基づいて、代金決済装置１０５の正面部に設けられたカード挿入口１０５ａから会員カード１６０が挿入されたか否かを判定する（ステップＳ４１０）。
【０６４６】
ステップＳ４１０の判定で、Ｎｏの場合には、代金決済装置１０５の背面部に設けられたカード挿入口１０５ｐから会員カード１６０が挿入されたか否かを判定する（ステップＳ４１１）。
【０６４７】
ステップＳ４１１の判定で、Ｙｅｓの場合には、制御部４００は、代金決済装置１０５に予め設定された利用すべきカード挿入口の設定モードが、「正面挿入モード」か、「背面または両面挿入モード」かを判定する（ステップＳ４１２）。
【０６４８】
ステップＳ４１２の判定で、「正面挿入モード」の場合には、代金決済装置１０５の正面部に設けられたカード挿入口１０５ａから会員カード１６０が挿入されなければならならないが、この工程では、背面部に設けられたカード挿入口１０５ｐから会員カード１６０が挿入されているので、会員カード１６０は、カード挿入口１０５ｐから返却される（ステップＳ４１３）。
【０６４９】
一方、ステップＳ４１２の判定で、「背面または両面挿入モード」の場合には、ステップＳ４１５に進む。
【０６５０】
制御部４００は、会員カード情報処理部４０１からの情報に基づいて、代金決済装置１０５の正面部に設けられたカード挿入口１０５ａから会員カード１６０が挿入されたか否かを判定する（ステップＳ４１０）。
【０６５１】
また、ステップＳ４１０の判定で、代金決済装置１０５の正面部に設けられたカード挿入口１０５ａから会員カード１６０が挿入されたと判定された場合には（ステップＳ４１０のＹｅｓ）、制御部４００は、代金決済装置１０５に予め設定された利用すべきカード挿入口の設定モードが、「背面挿入モード」か、「正面または両面挿入モード」かを判定する（ステップＳ４１４）。
【０６５２】
ステップＳ４１２の判定で、「背面挿入モード」の場合には、代金決済装置１０５の背面部に設けられたカード挿入口１０５ｐから会員カード１６０が挿入されなければならならないが、この工程では、正面部に設けられたカード挿入口１０５ａから会員カード１６０が挿入されているので、会員カード１６０は、カード挿入口１０５ａから返却される（ステップＳ４１３）。
【０６５３】
一方、ステップＳ４１２の判定で、「正面または両面挿入モード」の場合には、ステップＳ４１５に進む。
【０６５４】
ここで、このステップＳ４１５以降の工程は、上述した（１）購入商品に対する代金決済処理に相当する。この代金決済処理について次に説明する。
【０６５５】
会員カード情報処理部４０１は、会員カード１６０からＩＤ情報を読み出し、その情報を制御部４００に出力する。制御部４００は、そのＩＤをネットワーク回線を介して店内管理装置１４０に出力し、そのＩＤに基づいて管理されている情報を要求する。店内管理装置１４０は、そのＩＤに基づいて管理されて情報を制御部４００に出力する。また、制御部４００は、前の会員顧客の処理データの記録を消去する（ステップＳ４１５）。
【０６５６】
続いて、制御部４００は、貸出用買物かご設置部１０４のリーダライタ１０４ｂからの情報に基づいて、貸出用買物かご設置部１０４に、貸出用買物かご１０７が設置されているか否かを判定する（ステップＳ４１６）。
ステップＳ４１６の判定で、Ｎｏの場合には、再度ステップＳ４１６の判定を行う。
【０６５７】
ステップＳ４１６の判定で、Ｙｅｓの場合には、制御部４００は、貸出用買物かご設置部１０４の貸出用買物かごロック機構１０４ａに、貸出用買物かご１０７をロックさせる情報を出力する。そして、貸出用買物かごロック機構１０４ａは、貸出用買物かご設置部１０４に設置された貸出用買物かご１０７をロックする（ステップＳ４１７）。
【０６５８】
続いて、制御部４００は、貸出用買物かご設置部１０４のリーダライタ１０４ｂからの情報に基づいて、貸出用買物かご設置部１０４に設置されたかごが、貸出用買物かご１０７か否かを判定する（ステップＳ４１８）。
ステップＳ４１８の判定で、Ｎｏの場合には、ステップＳ４２２に進む。
【０６５９】
ステップＳ４１８の判定で、Ｙｅｓの場合には、制御部４００は、店内管理装置１４０からＩＤに基づいて読み出した情報、または、貸出用買物かご設置部１０４のリーダライタ１０４ｂからの情報に基づいて、貸出用買物かご１０７の預り保証金が徴収済みか否かを判定する（ステップＳ４１９）。
ステップＳ４１９の判定で、Ｙｅｓの場合には、ステップＳ４２２に進む。
【０６６０】
ステップＳ４１９の判定で、Ｎｏの場合には、制御部４００は、会員カード情報処理部４０１で読み取った会員カード１６０のＩＤに基づいて、貸出用買物かご１０７の預り保証金を１かご分徴収する情報を店内管理装置１４０に出力する。そして、店内管理装置１４０では、その情報に基づいて、貸出用買物かご１０７の預り保証金の情報を更新する（ステップＳ４２０）。
【０６６１】
続いて、制御部４００は、更新された貸出用買物かご１０７の預り保証金または貸し出されている貸出用買物かご１０７の数量を表示させるための表示情報を表示部１０５ｉに出力し、表示部１０５ｉはその情報に基づいて、例えば、「預り保証金総額８００円」または「貸出用買物かご数量２個」などの情報を表示する（ステップＳ４２１）。
【０６６２】
続いて、制御部４００は、貸出用買物かご設置部１０４が設けられた会員用会計処理台１０１の裏面側などに設けられ、貸出用買物かご１０７が購入商品で満杯のときに店員によって押される貸出用買物かご満杯ボタンからの情報が入力されたか否かを判定する（ステップＳ４２２）。
【０６６３】
ステップＳ４２２の判定で、Ｙｅｓの場合には、制御部４００は、貸出用買物かご設置部１０４の貸出用買物かごロック機構１０４ａに、貸出用買物かご１０７のロックを解除する情報を出力する。そして、貸出用買物かごロック機構１０４ａは、貸出用買物かご設置部１０４に設置された貸出用買物かご１０７のロックを解除する（ステップＳ４２３）。そして、再びステップＳ４１６からの工程を行う。
【０６６４】
一方、ステップＳ４２２の判定で、Ｎｏの場合には、制御部４００は、バーコードリーダ部１０３から入力した購入商品に対する金額や商品数などの商品情報を売上情報処理部４０３に出力し、売上情報処理部４０３は、その商品情報に基づいて集計を行い、集計結果である、例えば、売上情報などを制御部４００に出力する。制御部４００は、その集計結果の情報に基づいて、例えば、購入商品毎の金額または集計過程における合計金額などの情報を表示させるための表示情報および代金決済装置１０５の正面部に設けられた紙幣挿入口１０５ｃからの紙幣の入金要求を表示させるための表示情報を表示部１０５ｉに出力し、表示部１０５ｉはその情報に基づいて、例えば、「ビール  ２本  ４５６円」、「ただいまの合計金額５８３４円」、「入金して下さい」などの情報を表示する（ステップＳ４２４）。
【０６６５】
続いて、制御部４００は、紙幣識別部４０２からの情報に基づいて、入金状況が、「入金不良」、「入金なし」、「入金あり」のいずれであるかを判定する（ステップＳ４２５）。
【０６６６】
ステップＳ４２５の判定で、「入金不良」と判定した場合には、制御部４００は、紙幣識別部４０２に紙幣挿入口１０５ｃから挿入された紙幣を返却させる情報を紙幣識別部４０２に出力する。紙幣識別部４０２は、その情報に基づいて、挿入された紙幣を紙幣挿入口１０５ｃから返却する（ステップＳ４２６）。そして、再びステップＳ４１６からの工程を行う。
【０６６７】
ステップＳ４２５の判定で、「入金なし」と判定した場合には、再びステップＳ４１６からの工程を行う。また、後述するステップＳ４２９またはステップＳ４３３の判定で、再びステップＳ４１６からの工程を行う場合には、ステップＳ４２９またはステップＳ４３３の判定でＹｅｓと判定されるまで、ステップＳ４１６からの工程を繰り返し行う。
【０６６８】
ステップＳ４２５の判定で、「入金あり」と判定した場合には、制御部４００は、紙幣識別部４０２からの情報に基づいて、入金額を集計する（ステップＳ４２７）。
【０６６９】
続いて、制御部４００は、この入金額を表示させるための表示情報を表示部１０５ｉに出力し、表示部１０５ｉはその情報に基づいて、それまで入金された合計金額、例えば、「入金額７５００円」などの情報を表示する（ステップＳ４２８）。
【０６７０】
続いて、制御部４００は、バーコードリーダ部１０３から入力した購入商品に対する商品価格特定情報などの商品情報などに基づいて、バーコードリーダ部１０３による購入商品情報の読み込み処理が完了したか否かを判定する（ステップＳ４２９）。
【０６７１】
ステップＳ４２９の判定で、Ｎｏの場合には、制御部４００は、合計金額が未定であることを知らせるための表示情報を表示部１０５ｉに出力し、表示部１０５ｉはその情報に基づいて、例えば、「合計金額未定」などの情報を表示する（ステップＳ４３０）。
【０６７２】
一方、ステップＳ４２９の判定で、Ｙｅｓの場合には、制御部４００は、次に示す式（１）によって、差引き金額（Ａ１）を算出する（ステップＳ４３１）。
Ａ１  ＝  Ｂ１  ＋  Ｃ１  −  Ｄ１  −  Ｅ１  …式（１）
ここで、Ｂ１は、ＩＤによって店内管理装置１４０で管理されている預り釣銭額、Ｃ１は、紙幣挿入口１０５ｃから入金された金額、Ｄ１は、購入商品の合計金額、Ｅ１は、貸し出された貸出用買物かご１０７に対する預り保証金額である。
【０６７３】
続いて、制御部４００は、算出した差引き金額（Ａ１）を表示させるための表示情報を表示部１０５ｉに出力し、表示部１０５ｉはその情報に基づいて、例えば、「差引き金額２６５８円」などの情報を表示する（ステップＳ４３２）。
【０６７４】
続いて、制御部４００は、算出した差引き金額（Ａ１）が「０」以上であるか否かを判定する（ステップＳ４３３）。例えば、預り釣銭額（Ｂ１）と入金された金額（Ｃ１）との合計金額が、購入商品の合計金額（Ｄ１）と保証金額（Ｅ１）との合計金額よりも小さい場合には、差引き金額（Ａ１）は負の値となる。
【０６７５】
ステップＳ４３３の判定で、Ｎｏの場合には、制御部４００は、ステップＳ４１６に戻り、新たな入金を受け付けて、紙幣挿入口１０５ｃから入金された金額（Ｃ１）が増加し、差引き金額（Ａ１）が「０」以上となるまでステップＳ４１６以降の上記した同じ処理を行う。
【０６７６】
一方、ステップＳ４３３の判定で、Ｙｅｓの場合には、制御部４００は、貸し出された貸出用買物かご１０７に対する預り保証金額Ｅ１を、すでに記録されている預り保証金額に加算し、預り保証金額情報を更新する（ステップＳ４３４）。
【０６７７】
続いて、制御部４００は、差引き金額（Ａ１）を預り釣銭額として、預り釣銭額情報を更新する（ステップＳ４３５）。
【０６７８】
続いて、制御部４００は、購入商品の合計金額（Ｄ１）などに基づいて、ポイント数を算出し、ポイント情報を更新する（ステップＳ４３６）。なお、ポイント情報を預り釣銭額情報として記録するモードの場合には、預り釣銭額に、ポイント数に対応する金額を加算した値を預り釣銭額情報として更新する。なお、ポイントは、購入商品の合計金額（Ｄ１）に対して後述する会員顧客毎（Ａ会員顧客、Ｂ会員顧客、Ｃ会員顧客の３つのレベルの会員顧客区分を例示）にポイント付与率を異ならしてもよい。
【０６７９】
そして、制御部４００は、会員顧客のＩＤ情報、預り釣銭額情報、ポイント情報、紙幣挿入口１０５ｃから入金された金額情報、購入商品の合計金額情報、預り保証金額情報、貸し出された貸出用買物かご１０７の数量情報、購入商品毎の代金情報、紙幣識別部４０２で識別された金種毎の枚数情報、代金決済装置１０５を操作する店員のＩＤ情報などを店内管理装置１４０に出力する。店内管理装置１４０は、これらの情報に基づいて、管理情報を更新する（ステップＳ４３７）。
【０６８０】
続いて、制御部４００は、預り釣銭額情報、ポイント情報を記録するための情報を会員カード情報処理部４０１に出力し、会員カード情報処理部４０１では、カード処理部１０５ｂによって、預り釣銭額情報、ポイント情報を会員カード１６０に記録する（ステップＳ４３８）。
【０６８１】
続いて、制御部４００は、会員カード１６０のカードビジブル部１６３の磁気記録部を日付、ポイント数、預り釣銭額に対応して磁化させるための情報を会員カード情報処理部４０１に出力する。会員カード情報処理部４０１では、その情報に基づいて、カード処理部１０５ｂによって、カードビジブル部１６３の磁気記録部を磁化させる（ステップＳ４３９）。これによって、カードビジブル部１６３に、日付、ポイント数、預り釣銭額を表示することができる。
【０６８２】
続いて、制御部４００は、会員カード１６０を返却するさせる情報を会員カード情報処理部４０１に出力し、会員カード情報処理部４０１は、カード挿入口１０５ａまたは１０５ｐから会員カード１６０を返却する（ステップＳ４４０）。
【０６８３】
続いて、制御部４００は、貸出用買物かご設置部１０４の貸出用買物かごロック機構１０４ａに、貸出用買物かご１０７のロックを解除する情報を出力する。そして、貸出用買物かごロック機構１０４ａは、貸出用買物かご設置部１０４に設置された貸出用買物かご１０７のロックを解除する（ステップＳ４４１）。これによって、会員顧客は、貸出用買物かご１０７を持ち出せるようになり、購入商品に対する決済を終了する。
【０６８４】
次に、ステップＳ４１０における判定で、代金決済装置１０５の正面部に設けられたカード挿入口１０５ａから会員カード１６０が挿入されていないと判定され、さらに、ステップＳ４１１の判定で、代金決済装置１０５の背面部に設けられたカード挿入口１０５ｐから会員カード１６０が挿入されていないと判定された場合には、制御部４００は、会員カードの挿入を要求するための表示情報を表示部１０５ｉに出力し、表示部１０５ｉはその情報に基づいて、例えば、「会員カードを挿入してください」などの情報を表示する（ステップＳ４４２）。
【０６８５】
続いて、制御部４００は、紙幣識別部４０２からの情報に基づいて、入金がされたか否かを判定する（ステップＳ４４３）。
ステップＳ４４３の判定で、Ｎｏの場合には、ステップＳ４２６に進む。
【０６８６】
ステップＳ４４３の判定で、Ｙｅｓの場合には、制御部４００は、再度、会員カードの挿入を要求するための表示情報を表示部１０５ｉに出力し、表示部１０５ｉはその情報に基づいて、例えば、２秒間「会員カードを挿入してください」などの情報を表示する（ステップＳ４４４）。
【０６８７】
続いて、制御部４００は、紙幣識別部４０２に紙幣挿入口１０５ｃから挿入された紙幣を返却させる情報を紙幣識別部４０２に出力する。紙幣識別部４０２は、その情報に基づいて、挿入された紙幣を紙幣挿入口１０５ｃから返却する（ステップＳ４４５）。このステップＳ４４５において、入金の返却は最初行わず、代金決済装置１０５の筐体表面に入金返却ボタンを設け、この入金返却ボタンが押された履歴があれば紙幣を返却するようにしてもよい。この場合には、この入金返却ボタンが押される前に会員カード１６０が挿入されれば、ステップＳ４１０、ステップＳ４１４、ステップＳ４１５に続く既述した処理が行われる。
【０６８８】
続いて、制御部４００は、代金決済装置１０５を操作している店員を特定するために、代金決済装置１０５を操作する店員の、例えば、ＩＤ情報などの情報を記録したか否かを判定する（ステップＳ４４６）。ここで、制御部４００は、図示しない処理である電源ＯＮで起動される割り込み処理にて、代金決済装置１０５を操作している店員が特定されない場合には、表示部１０５ｉに「継続している店員の店員カードを挿入してください」の表示を行わせる。そして、制御部４００は、図示しない処理である店員カードの挿入に伴って起動される代金決済装置１０５においてされた取り扱い動作情報の割り込みにより、以降店員カードを受け入れるまでは、会員カード１６０は受け入れても即座に返却するよう処理される。そして、店員カードを受け入れた後には、ステップＳ４１０以降の処理を開始するよう処理される。
【０６８９】
ステップＳ４４６における判定で、Ｎｏの場合には、制御部４００は、店員カードの挿入を要求するための表示情報を表示部１０５ｉに出力し、表示部１０５ｉはその情報に基づいて、例えば、「店員カードを挿入してください」などの情報の表示を続行する（ステップＳ４４７）。つまり、電源ＯＮ後に、店員カードの挿入ない場合には、この表示が持続される。
【０６９０】
続いて、制御部４００は、代金決済装置１０５に紙幣収納部１０５ｇを収納するための開閉ドアに設けられた施錠機能部の施錠認証モードが、「鍵式施錠」か、「電気式施錠」かを判定する（ステップＳ４４８）。ここで、鍵式施錠とは、鍵を用いて施錠するものであり、電気式施錠とは、電気的に施錠するものである。
【０６９１】
ステップＳ４４８における判定で、「鍵式施錠」の場合には、制御部４００は、会員カード情報処理部４０１の情報に基づいて、店員カードが挿入されているか否かを判定する（ステップＳ４４９）。
【０６９２】
ステップＳ４４９における判定で、Ｎｏの場合には、制御部４００は、代金決済装置１０５の開閉ドアが開いているか否かを判定する（ステップＳ４５０）。
【０６９３】
ステップＳ４５０における判定で、Ｙｅｓの場合には、制御部４００は、例えば、代金決済装置１０５に取り付けられた警報装置を作動させるなどして、警報処理を行う（ステップＳ４５１）。この警報処理により、店員カードで操作する店員が特定されないまま鍵を開錠して紙幣収納部１０５ｇを代金決済装置１０５より取り出されることを防止することができる。
【０６９４】
ステップＳ４５０における判定で、Ｎｏの場合には、制御部４００は、代金決済装置１０５の電源が切られているか否かを判定する（ステップＳ４５２）。
【０６９５】
ステップＳ４５２における判定で、Ｙｅｓの場合には、制御部４００は、例えば、代金決済装置１０５に取り付けられた警報装置を作動させるなどして、警報処理を行う（ステップＳ４５１）。この警報処理により、店員カードで操作する店員が特定されないまま電源をＯＦＦされた後、無停電電源の電池がなくなるのを待って、鍵が開錠され、紙幣収納部１０５ｇが代金決済装置１０５より取り出されることを防止することができる。
【０６９６】
ステップＳ４５２における判定で、Ｎｏの場合には、制御部４００は、その日における代金決済装置１０５の電源投入が初回か否かを判定する（ステップＳ４５３）。
【０６９７】
ステップＳ４５３における判定で、Ｙｅｓの場合には、制御部４００は、例えば、施錠認証モード、カード挿入口の設定モード、各種ポイント情報などの情報を店内管理装置１４０から読み出し、登録する（ステップＳ４５４）。
【０６９８】
また、ステップＳ４４９の判定で、店員カードが挿入されていると判定された場合（ステップＳ４４９のＹｅｓ）には、制御部４００は、店員カードのＩＤに基づいて、代金決済装置１０５を操作する店員を記録する（ステップＳ４５５）。そして、ステップＳ４５７に進む。
【０６９９】
一方、ステップＳ４４８における判定で、代金決済装置１０５に紙幣収納部１０５ｇを収納するための開閉ドアに設けられた施錠機能部の施錠認証モードが、「電気式施錠」と判定された場合（電気式施錠の場合には電磁弁の導通テストを起動し導通がない場合鍵式施錠、導通あらば電気式施錠と判定してもよいが、製造時にＲＯＭ情報として設定されるようにしてもよい）には、制御部４００は、会員カード情報処理部４０１および選択ボタン検知部４０４からの情報に基づいて、店員カードの挿入があり、かつ、代金決済装置１０５のキー部１０５ｒから入力された暗証番号が適正か否かを判定する（ステップＳ４５６）。
ステップＳ４５６における判定で、Ｎｏの場合には、ステップＳ４５０に進む。
【０７００】
一方、ステップＳ４５６における判定で、Ｙｅｓの場合には、制御部４００は、例えば、代金決済装置１０５のキー部１０５ｒから入力された施錠解除情報に基づいて、電気的に施錠を解除し、開閉ドアを開ける。一方、「鍵式施錠」モードの場合には、例えば、店員が鍵によって施錠を解除する。そして、この代金決済装置１０５においてされた取り扱い動作情報、つまり、開閉ドアを開けた情報は、例えば、店員のＩＤ、施錠した時刻などとともに記録される（ステップＳ４５７）。
【０７０１】
また、制御部４００は、代金決済装置１０５を操作する店員ＩＤ情報、開閉ドアの開閉情報、電源ＯＮ−ＯＦＦ情報、紙幣収納部１０５ｇ交換情報、日時情報、店員交代に伴う店員ＩＤ情報、紙幣挿入口１０５ｃから入金された金額情報、紙幣識別部４０２で識別された金種毎の枚数情報などの情報を紙幣収納部１０５ｇに設けられた記録部１０５ｆに、リーダライタ部１０５ｈによって記録させる。
【０７０２】
また、制御部４００は、表示部１０５ｉの後部に設けられたプリンタ１０５ｑに、これらの情報を印字させる印字情報を出力する。プリンタ１０５ｑは、これらの情報に基づいて、プリント用紙に情報を印字して出力する。さらに、制御部４００は、これらの情報を店内管理装置１４０に出力し、店内管理装置１４０では、それらの情報を記録する（ステップＳ４５８）。
【０７０３】
続いて、制御部４００は、会員カード情報処理部４０１からの情報に基づいて、店員カードが挿入されている場合には、店員カードを返却させるための情報を会員カード情報処理部４０１に出力する。会員カード情報処理部４０１は、その情報に基づいて、カード挿入口１０５ａ、１０５ｐから店員カードを返却する（ステップＳ４５９）。続いて、上述したステップＳ４５３の工程を行う。
【０７０４】
（第２実施の形態）
第２実施の形態の代金決済装置１０５について図２１〜２４を参照して説明する。なお、第１実施の形態の代金決済装置１０５の構成と同一部分には同一符号を付して、重複する説明を省略する。
【０７０５】
図２１は、バーコードリーダ部１０３と回線を介して接続された代金決済装置１０５の正面図、図２２は、ＩＣコインの外観を示す斜視図、図２３は、代金決済装置１０５の構成部を示す図、図２４は、代金決済装置１０５における動作の流れを示す図である。
【０７０６】
まず、図２１を参照して、代金決済装置１０５の構成について説明する。
第２実施の形態の代金決済装置１０５は、第１実施の形態の代金決済装置１０５の構成に、さらに、ＩＣコイン投入口１０５ｓ、硬貨投入口１０５ｔ、ＩＣコイン返却口１０５ｕ、不良硬貨返却口１０５ｖを備えている。なお、ＩＣコイン返却口１０５ｕには、落下防止棚を取り付けてもよい。また、代金決済装置１０５の内部には、ＩＣコイン投入口１０５ｓから投入されたＩＣコイン７００の情報を読み取りまたは書き込みを行うコイン処理部１０５ｗが設けられ、さらに、硬貨投入口１０５ｔから投入された硬貨を識別する硬貨識別部１０５ｘが設けられている。
【０７０７】
さらに、第１実施の形態の代金決済装置１０５に備えられていたプリンタ１０５ｑは、代金決済装置１０５の内部に設置され、レシート発行口１０５ｙから各種情報が記録または記載されたレシート７１０を発行する。また、代金決済装置１０５には、ハンディータイプのバーコードリーダ１０５ｚが併設されている。
【０７０８】
代金決済装置１０５は、バーコードリーダ部１０３と通信可能に接続され、バーコードリーダ部１０３で読み取られた購入商品に対する商品価格特定情報やバーコードリーダ部１０３に設けられたキー入力部１０３ｂなどで入力された商品数情報などの商品情報を集計し、会員顧客が会員カード１６０および貨幣を挿入し商品購入に対する決済を行う装置である。
【０７０９】
また、代金決済装置１０５に設けられたハンディータイプのバーコードリーダ１０５ｚは、バーコードリーダ部１０３と同様に機能し、例えば、補助的なバーコードリーダとして機能させることができる。また、バーコードリーダ部１０３を用いずに、バーコードリーダ１０５ｚを主たるバーコードリーダとして機能させてもよい。
【０７１０】
なお、代金決済装置１０５は、ネットワーク回線を介して店内管理装置１４０、貸出用買物かご設置部１０４のリーダライタ１０４ｂと通信可能に接続されている。また、代金決済装置１０５は、貸出用買物かご設置部１０４の貸出用買物かごロック機構１０４ａと電気的に接続されている。バーコードリーダ部１０３で読み込まれた購入商品の情報などは、逐一ネットワーク回線を介して、代金決済装置１０５に出力される。
【０７１１】
ここで、図１３には、図示されていないが、第１実施の形態の代金決済装置１０５同様に、図１１に示すように、代金決済装置１０５を構成する筐体の背面部には、正面部に設けられたカード挿入口１０５ａに対応する位置にカード挿入口１０５ｐが設けられている。このカード挿入口１０５ａは、会員顧客が会員カード１６０を挿入するための挿入口であり、一方、カード挿入口１０５ｐは、店員が会員カード１６０を挿入するための挿入口である。なお、通常、会員カードをどちらから受け入れるかは、店舗によって自由に設定可能である。また、会員カード１６０を双方のカード挿入口１０５ａ、１０５ｐから受け入れ可能とすることもできる。
【０７１２】
また、図示されてないが、第１実施の形態の代金決済装置１０５と同様に、筐体内には、カード挿入口１０５ａ、１０５ｐから挿入された会員カード１６０を受け入れて会員カード１６０に設けられた記憶媒体の情報を処理し、会員カード１６０のカードビジブル部１６３の情報を書き換える記憶媒体読込手段および預り釣銭情報更新手段として機能するカード処理部１０５ｂと、紙幣挿入口１０５ｃから挿入された紙幣の金額を認識する貨幣識別手段として機能する紙幣識別部１０５ｅと、紙幣識別部１０５ｅから搬送された紙幣を収納し、記録部１０５ｆが取り付けられた貨幣収納手段として機能する紙幣収納部１０５ｇと、紙幣収納部１０５ｇの記録部１０５ｆと情報交信を行うリーダライタ部１０５ｈとが設置されている。また、代金決済装置１０５は、例えば、停電時にも使用できるように、バックアップ電源が搭載されている。
【０７１３】
コイン処理部１０５ｗには、アンテナ駆動回路を含むＩＣ部、アンテナ部から構成されたリーダライタが備えられ、コイン処理部１０５ｗに搬送されたＩＣコイン７００内に設けられた記憶媒体からの、例えば、ＩＤ、預り釣銭金額、ポイント残高などの情報の読み取りや商品購入後の預り釣銭金額、ポイント残高などの情報の書き込みなどを行う。なお、コイン処理部１０５ｗは、ポイント読取手段およびポイント情報更新手段としても機能する。
【０７１４】
硬貨識別部１０５ｘは、硬貨投入口１０５ｔから投入される、１円、５円、１０円、５０円、１００円、５００円の６種類の硬貨を識別するものである。この硬貨識別部１０５ｘには、搬送部が設けられ、この搬送部によって、硬貨が硬貨収納部（図示しない）に搬送されて、収納される。この硬貨収納部は、紙幣収納部１０５ｇと同様に、代金決済装置１０５内に着脱可能に設置されている。また、硬貨収納部は、紙幣収納部１０５ｇと同様に、代金決済装置１０５の正面部、裏面部または側面部に施錠機能部を有する開閉ドアを設け、この開閉ドアを開閉することで、代金決済装置１０５内より外部に取り出し可能としてもよい。なお、この施錠機能部は、鍵を用いて施錠するものでも、電気的に施錠するものでもよい。
【０７１５】
さらに、紙幣収納部１０５ｇと同様に、硬貨収納部に一部に、アンテナ部を有する非接触型の記憶媒体で構成される記録部が配設されている。この記録部には、例えば、硬貨識別部１０５ｘによって識別され、硬貨収納部に収納された硬貨の積算総額や金種毎の枚数または金種毎の積算総額の情報、代金決済装置１０５を取り扱う店員の情報、代金決済装置１０５の取り扱い情報（例えば、代金決済装置１０５の施錠が解除された日時情報、代金決済装置１０５の電源がＯＦＦまたはＯＮされた日時情報、硬貨収納部の交換された日時情報、店員交代情報など）、硬貨収納部を設置する代金決済装置１０５を特定するための情報、代金決済装置１０５が取り扱い可能な金種情報などが記録される。なお、記録部に記録される情報は、これらの情報に限られるものではなく、必要な情報を記録させることができる。
【０７１６】
情報読取書込手段として機能するリーダライタ部は、硬貨収納部に配設された記録部と交信可能な代金決済装置１０５内の所定の位置に設置され、アンテナ駆動回路を含むＩＣ部、アンテナ部から構成されている。このリーダライタ部は、記録部からの情報の読み取りや記録部への情報の書き込みを行う。
【０７１７】
ここで、代金決済装置１０５と回線を介して接続されたバーコードリーダ部１０３には、キー入力部１０３ｂが併設されている。このキー入力部１０３ｂには、商品の種別を入力する種別キー、商品の金額や商品の種別を示す識別コード等の数値を入力する数字キー、演算種別を選択する選択キー、小計を計算する小計キー、合計を計算する合計キー、商品毎に設けられ押圧することでその商品の金額および種別コードが入力される個別キーなどのキーが設けられている。なお、このキー入力部１０３ｂは、代金決済装置１０５に併設することもできる。
【０７１８】
代金決済装置１０５のレシート発行口１０５ｙから発行されるレシート７１０は、図２１に示すように、例えば、切り取り線などで２つに分離可能であって、その切り取り線を境界に一方の側には、日時、各購入商品名、その各購入商品に対応する金額、合計金額などが記載される。また、他方の側には、例えば、バーコード、ポイント数、預り釣銭額などが記載される。このバーコードには、例えば、預り釣銭額、ポイント数などの情報を記録することができる。また、バーコードには、預り釣銭額、ポイント数などの情報および顧客毎に発行されるＩＤ情報などの少なくとも一方を記録させることができる。なお、レシート７１０は、切り取り線などを有しない構成としてもよい。レシート７１０に、預り釣銭額、ポイント数などの情報を記録することで、例えば、会員カード１６０を有しない顧客に対しても、代金決済装置１０５を使用させることが可能になる。
【０７１９】
図２２に示すＩＣコイン７００は、従来から遊技システムで使用されていたＩＣチップを有する記憶媒体であり、コイン形状を有している。コイン形状とは、硬貨やチップに類した円盤形状を意味する。このコイン形状は、リサイクル時の耐久性と搬送性を考慮して、例えば、樹脂、金属、セラミックスなどの硬質材料で形成されている。ＩＣコイン７００を成形する材料としてプラスチックなどの軽量材料を用いる場合には、コイン形状の外周部に金属リングなどを埋め込んで重みを持たせ、搬送時に転がりやすくすることが好ましい。
【０７２０】
このＩＣコイン７００は、ＩＣチップと、そのＩＣチップを取り巻くアンテナ部とを有する非接触型の記憶媒体であり、アンテナ部を介してＩＣチップに情報の読み書きをすることができる。このＩＣコイン７００は、精算機などで発行され、ＩＣコイン７００には、ＩＤや預り釣銭情報などが記録される。
【０７２１】
なお、代金決済装置１０５の機能の一例として、バーコードリーダ部１０３、バーコードリーダ部１０３に併設されたキー入力部１０３ｂおよび代金決済装置１０５に設けられたハンディータイプのバーコードリーダ１０５ｚから出力された購入商品に対する商品価格特定情報などの商品情報を集計するレジスタ装置の機能を備えたものを例示することができる。この場合には、バーコードリーダ部１０３で読み取られた購入商品に対する商品価格特定情報やキー入力部１０３ｂなどで入力された商品数情報などの商品情報は、代金決済装置１０５に出力され、代金決済装置１０５では、その商品情報などに基づいて売上情報などを集計し、代金決済処理を行う。
【０７２２】
また、この代金決済装置１０５において、代金決済装置１０５に備えられたレジスタ装置の機能に替えて、バーコードリーダ部１０３に、購入商品に対する商品価格特定情報などの商品情報を集計するレジスタ装置の機能を備えることもできる。この場合には、代金決済装置１０５のカード処理部１０５ｂやコイン処理部１０５ｗで読み取られた会員カード１６０やＩＣコイン７００の預り釣銭情報などの所定の情報、紙幣識別部１０５ｅや硬貨識別部１０５ｘで読み取られた受入金額情報などの情報をバーコードリーダ部１０３に出力し、代金決済装置１０５は、バーコードリーダ部１０３から更新された預り釣銭情報や購入商品の情報などの情報を受け取る。この場合には、代金決済装置１０５は、更新された預り釣銭情報や購入商品の情報などの情報を受け取るのみで、預り釣銭情報の更新のための算出処理などを行うことはない。
【０７２３】
また、代金決済装置１０５の他の一例として、代金決済装置１０５の機能から、バーコードリーダ部１０３で読み取られた購入商品に対する商品価格特定情報などを集計する機能を取り除いた場合には、レジスタ装置（ＰＯＳ）１０６を設置することもできる。これによって、代金決済装置１０５にレジスタ装置の機能やバーコードリーダ部１０３にキー入力部１０３ｂを設けなくてもよい。この場合には、バーコードリーダ部１０３で読み取られた購入商品に対する商品価格特定情報やレジスタ装置（ＰＯＳ）１０６のテンキーなどで入力された商品数情報などの商品情報は、レジスタ装置（ＰＯＳ）１０６装置に出力され、レジスタ装置（ＰＯＳ）１０６で集計された、例えば、売上情報などは、逐一ネットワーク回線を介して、代金決済装置１０５に出力される。この場合にも、代金決済装置１０５のカード処理部１０５ｂやコイン処理部１０５ｗで読み取られた会員カード１６０やＩＣコイン７００の預り釣銭情報などの所定の情報、紙幣識別部１０５ｅや硬貨識別部１０５ｘで読み取られた受入金額情報などの情報をレジスタ装置（ＰＯＳ）１０６に出力し、代金決済装置１０５は、レジスタ装置（ＰＯＳ）１０６から更新された預り釣銭情報や購入商品の情報などの情報を受け取ることもできる。この場合には、代金決済装置１０５は、更新された預り釣銭情報や購入商品の情報などの情報を受け取るのみで、預り釣銭情報の更新のための算出処理などを行うことはない。
【０７２４】
さらに、代金決済装置１０５の他の一例として、代金決済装置１０５に、バーコードリーダ部１０３、キー入力部１０３ｂおよびレジスタ装置としての機能を備えることもできる。この場合には、代金決済装置１０５は、バーコードリーダ部１０３として機能する例えば、バーコードリーダ１０５ｚで読み取られた購入商品に対する商品価格特定情報やキー入力部１０３ｂとして機能するキー部などで入力された商品数情報などの商品情報に基づいて売上情報などを集計し、代金決済処理を行う。
【０７２５】
さらに、代金決済装置１０５は、紙幣や硬貨の受入口や、不良硬貨の返却口、会員カード１６０の挿入口やＩＣコイン７００の投入口を一切設けず、主に、入力された売上情報、入力された金額情報および入力された預り釣銭特定情報のうち少なくとも該売上情報および該金額情報に基づいて、預り釣銭情報を更新するものとして機能させることができる。そして、代金決済装置１０５と通信可能に、例えば、従来の手入力で商品の値段や受け取った入金額を入力するためのキーと、受け取った現金を収容し、釣銭を取り出すドロワーと、購入商品の値段と合計代金を印刷したレシートを発行するレシート発行機能と、合計代金の表示部などを最小限に設けたレジスタ装置（ＰＯＳ）に、カードリーダをＲＳ２３２Ｃなどの通信回線で接続した記憶媒体処理装置を設けることもできる。
【０７２６】
この場合は、カードリーダに会員カード１６０やＩＣコイン７００を挿入し、ＩＤを読み取る。そして、例えば、店舗にレジスタ装置（ＰＯＳ）が１台のみ設置されている場合には、そのレジスタ装置（ＰＯＳ）の記憶部において、その読み取られたＩＤにより特定される預り釣銭情報やポイント情報を読み出す。また、例えば、店舗にレジスタ装置（ＰＯＳ）が複数設置されている場合には、複数のレジスタ装置の上位の管理装置（管理コンピュータ）の記憶部において、その読み取られたＩＤにより特定される預り釣銭情報やポイント情報を読み出す。
【０７２７】
そして、読み取られた預り釣銭情報と、合計代金と、入金額により新たな預り釣銭情報を算出し、レシート発行機能により、上述したレシート７１０を発行し、カードリーダに挿入されたカードを返却する。なお、カードリーダにカードが挿入されない、つまり、初めて来店した顧客に対しては、預り釣銭情報を、合計代金と入金額のみから算出する。
【０７２８】
次に、代金決済装置１０５の機能の構成の一例を図２３に示す。
図２３に示すように、代金決済装置１０５は、制御部８００、記憶媒体情報処理部８０１、貨幣識別部８０２、売上情報処理部８０３、レシート発行部８０４から構成されている。貨幣識別部８０２、売上情報処理部８０３は必要に応じて付加される。
【０７２９】
制御部８００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部８００では、記憶媒体情報処理部８０１、貨幣識別部８０２、売上情報処理部８０３、レシート発行部８０４の各機部間との信号の出入力を制御している。また、制御部８００は、ネットワーク回線を介して店内管理装置１４０との間、貸出用買物かご設置部１０４のリーダライタ１０４ｂとの間、および貸出用買物かご設置部１０４の貸出用買物かごロック機構１０４ａとの間の信号の出入力も制御している。
【０７３０】
また、ここでは、記憶媒体情報処理部８０１は、上述したカード処理部１０５ｂおよびコイン処理部１０５ｗとして機能し、貨幣識別部８０２は、上述した紙幣収納部１０５ｇおよび硬貨識別部１０５ｘとして機能する。
【０７３１】
売上情報処理部４０３は、購入商品に対する金額や商品数などの商品情報を集計するものであり、集計した情報を制御部８００に出力する。なお、上記した代金決済装置１０５の機能の一例で示したように、代金決済装置１０５に備えられたレジスタ装置の機能に替えて、バーコードリーダ部１０３に、購入商品に対する商品価格特定情報などの商品情報を集計するレジスタ装置の機能を備える場合、代金決済装置１０５の機能から、バーコードリーダ部１０３で読み取られた購入商品に対する商品価格特定情報などを集計する機能を取り除く、レジスタ装置（ＰＯＳ）１０６を設置した場合であって、代金決済装置１０５が更新された預り釣銭情報や購入商品の情報などの情報を受け取るのみの場合には、この売上情報処理部４０３は、その情報を処理するものとして機能する。
【０７３２】
なお、上記した代金決済装置１０５が紙幣や硬貨の受入口や、不良硬貨の返却口、会員カード１６０の挿入口やＩＣコイン７００の投入口を一切設けず、主に、入力された売上情報、入力された金額情報および入力された預り釣銭特定情報のうち少なくとも該売上情報および該金額情報に基づいて、預り釣銭情報を更新するものとして機能させることができる。そして、代金決済装置１０５と通信可能に、例えば、従来の手入力で商品の値段や受け取った入金額を入力するためのキーと、受け取った現金を収容し、釣銭を取り出すドロワーと、購入商品の値段と合計代金を印刷したレシートを発行するレシート発行機能と、合計代金の表示部などを最小限に設けたレジスタ装置（ＰＯＳ）に、カードリーダをＲＳ２３２Ｃなどの通信回線で接続した記憶媒体処理装置を設けることもできる。
【０７３３】
この場合には、記憶媒体処理部８０１は、外部のカードリーダに接続するための通信制御部であり、貨幣識別部８０２はキー入力された入金額を把握するものであり、売上情報処理部８０３はキー入力された購入商品に対する金額や商品数などの商品情報を集計するものとなる。
【０７３４】
また、レシート発行部８０４は、プリンタ１０５ｑとしての機能を有し、制御部８００からの情報に基づいて、上記した所定の情報が記載されたレシート７１０を発行するものである。
【０７３５】
そして、制御部８００によって制御される、記憶媒体情報処理部８０１、貨幣識別部８０２、売上情報処理部８０３、レシート発行部８０４の各機器部は、次のように動作する（図２４）。
【０７３６】
以下に、図２４を参照してその動作を説明する。
代金決済装置１０５では、主に、（１）購入商品に対する代金決済処理、（２）代金決済装置１０５からの紙幣収納部１０５ｇおよび硬貨収納部の取り出しに対する処理を行うことができる。
【０７３７】
まず、記憶媒体情報処理部８０１は、カード挿入口１０５ａ、１０５ｐに会員カード１６０が挿入されるか、ＩＣコイン投入口１０５ｓにＩＣコイン７００が投入されるか、非会員ボタン（図示しない）が押されるのを待機しており、それらが行われた場合にはそれぞれに応じた処理を実行する。ここで、非会員ボタンは、例えば、会員カード１６０またはＩＣコイン７００を有しない顧客が代金決済装置１０５で決済処理を行う場合に、店員などによって押されるボタンであり、例えば、代金決済装置１０５の一部に設置されている。
【０７３８】
制御部８００は、記憶媒体情報処理部８０１および非会員ボタン（図示しない）からの情報に基づいて、代金決済装置１０５の正面部に設けられたカード挿入口１０５ａまたはＩＣコイン投入口１０５ｓから会員カード１６０が挿入またはＩＣコイン７００が投入されたか、または非会員ボタンが押されたかを判定する（ステップＳ８０９）。
【０７３９】
ステップＳ８０９の判定で、Ｎｏの場合には、代金決済装置１０５の背面部に設けられたカード挿入口１０５ｐから会員カード１６０が挿入されたか否かを判定する（ステップＳ８１１）。
【０７４０】
ステップＳ８１１の判定で、Ｙｅｓの場合には、制御部８００は、代金決済装置１０５に予め設定された利用すべきカード挿入口の設定モードが、「正面挿入モード」か、「背面または両面挿入モード」かを判定する（ステップＳ８１２）。
【０７４１】
ステップＳ８１２の判定で、「正面挿入モード」の場合には、代金決済装置１０５の正面部に設けられたカード挿入口１０５ａから会員カード１６０が挿入されなければならならないが、この工程では、背面部に設けられたカード挿入口１０５ｐから会員カード１６０が挿入されているので、会員カード１６０は、カード挿入口１０５ｐから返却される（ステップＳ８１３）。
【０７４２】
一方、ステップＳ８１２の判定で、「背面または両面挿入モード」の場合には、ステップＳ８１５に進む。
【０７４３】
また、代金決済装置１０５の正面部に設けられたカード挿入口１０５ａまたはＩＣコイン投入口１０５ｓから会員カード１６０が挿入またはＩＣコイン７００が投入されたか、または非会員ボタンが押されたかを判定するステップＳ８０９の判定で、カード挿入口１０５ａまたはＩＣコイン投入口１０５ｓから会員カード１６０が挿入またはＩＣコイン７００が投入されたと判定された場合には（ステップＳ８１０の会員カード、ＩＣコイン受入）、制御部８００は、代金決済装置１０５に予め設定された利用すべきカード挿入口の設定モードが、「背面挿入モード」か、「正面または両面挿入モード」かを判定する（ステップＳ８１４）。
【０７４４】
ステップＳ８１２の判定で、「背面挿入モード」の場合で、ステップＳ８０９の判定で、会員カード１６０が挿入されたことを検知した場合には、代金決済装置１０５の背面部に設けられたカード挿入口１０５ｐから会員カード１６０が挿入されなければならならないが、この工程では、正面部に設けられたカード挿入口１０５ａから会員カード１６０が挿入されているので、会員カード１６０は、カード挿入口１０５ａから返却される（ステップＳ８１３）。
一方、ステップＳ８１２の判定で、「正面または両面挿入モード」の場合には、ステップＳ８１５に進む。
【０７４５】
また、代金決済装置１０５の正面部に設けられたカード挿入口１０５ａまたはＩＣコイン投入口１０５ｓから会員カード１６０が挿入またはＩＣコイン７００が投入されたか、または非会員ボタンが押されたかを判定するステップＳ８０９の判定で、非会員ボタンが押されたと判定された場合には（ステップＳ８１０の非会員ボタンＯＮ）、制御部８００は、前の顧客の処理データの記録を消去する（ステップＳ８１０）。そして、ステップＳ８１６に進む。
【０７４６】
ここで、このステップＳ８１５以降の工程は、上述した（１）購入商品に対する代金決済処理に相当する。この代金決済処理について次に説明する。
【０７４７】
記憶媒体情報処理部８０１は、会員カード１６０またはＩＣコイン７００からＩＤ情報を読み出し、その情報を制御部８００に出力する。制御部８００は、そのＩＤをネットワーク回線を介して店内管理装置１４０に出力し、そのＩＤに基づいて管理されている情報を要求する。店内管理装置１４０は、そのＩＤに基づいて管理されて情報を制御部８００に出力する。また、制御部８００は、前の顧客の処理データの記録を消去する（ステップＳ８１５）。
【０７４８】
続いて、制御部８００は、貸出用買物かご設置部１０４のリーダライタ１０４ｂからの情報に基づいて、貸出用買物かご設置部１０４に、貸出用買物かご１０７が設置されているか否かを判定する（ステップＳ８１６）。
ステップＳ８１６の判定で、Ｎｏの場合には、再度ステップＳ８１６の判定を行う。
【０７４９】
ステップＳ８１６の判定で、Ｙｅｓの場合には、制御部８００は、貸出用買物かご設置部１０４の貸出用買物かごロック機構１０４ａに、貸出用買物かご１０７をロックさせる情報を出力する。そして、貸出用買物かごロック機構１０４ａは、貸出用買物かご設置部１０４に設置された貸出用買物かご１０７をロックする（ステップＳ８１７）。
【０７５０】
続いて、制御部８００は、貸出用買物かご設置部１０４のリーダライタ１０４ｂからの情報に基づいて、貸出用買物かご設置部１０４に設置されたかごが、貸出用買物かご１０７か否かを判定する（ステップＳ８１８）。
ステップＳ８１８の判定で、Ｎｏの場合には、ステップＳ８２２に進む。
【０７５１】
ステップＳ８１８の判定で、Ｙｅｓの場合には、制御部８００は、店内管理装置１４０からＩＤに基づいて読み出した情報、または、貸出用買物かご設置部１０４のリーダライタ１０４ｂからの情報に基づいて、貸出用買物かご１０７の預り保証金が徴収済みか否かを判定する（ステップＳ８１９）。
ステップＳ８１９の判定で、Ｙｅｓの場合には、ステップＳ８２２に進む。
【０７５２】
ステップＳ８１９の判定で、Ｎｏの場合には、制御部８００は、記憶媒体情報処理部８０１で読み取った会員カード１６０またはＩＣカード７００のＩＤに基づいて、貸出用買物かご１０７の預り保証金を１かご分徴収する情報を店内管理装置１４０に出力する。そして、店内管理装置１４０では、その情報に基づいて、貸出用買物かご１０７の預り保証金の情報を更新する（ステップＳ８２０）。
【０７５３】
続いて、制御部８００は、更新された貸出用買物かご１０７の預り保証金または貸し出されている貸出用買物かご１０７の数量を表示させるための表示情報を表示部１０５ｉに出力し、表示部１０５ｉはその情報に基づいて、例えば、「預り保証金総額８００円」または「貸出用買物かご数量２個」などの情報を表示する（ステップＳ８２１）。
【０７５４】
続いて、制御部８００は、貸出用買物かご設置部１０４が設けられた会員用会計処理台１０１の裏面側などに設けられ、貸出用買物かご１０７が購入商品で満杯のときに店員によって押される貸出用買物かご満杯ボタンからの情報が入力されたか否かを判定する（ステップＳ８２２）。
【０７５５】
ステップＳ８２２の判定で、Ｙｅｓの場合には、制御部８００は、貸出用買物かご設置部１０４の貸出用買物かごロック機構１０４ａに、貸出用買物かご１０７のロックを解除する情報を出力する。そして、貸出用買物かごロック機構１０４ａは、貸出用買物かご設置部１０４に設置された貸出用買物かご１０７のロックを解除する（ステップＳ８２３）。そして、再びステップＳ８１６からの工程を行う。
【０７５６】
一方、ステップＳ８２２の判定で、Ｎｏの場合には、制御部８００は、バーコードリーダ部１０３またはキー入力部１０３ｂから入力した購入商品に対する金額や商品数などの商品情報を売上情報処理部８０３に出力し、売上情報処理部８０３は、その商品情報に基づいて集計を行い、集計結果である、例えば、売上情報などを制御部８００に出力する。制御部８００は、その集計結果の情報に基づいて、例えば、購入商品毎の金額または集計過程における合計金額などの情報を表示させるための表示情報および代金決済装置１０５の正面部に設けられた紙幣挿入口１０５ｃからの紙幣の入金要求を表示させるための表示情報を表示部１０５ｉに出力し、表示部１０５ｉはその情報に基づいて、例えば、「ビール  ２本  ４５６円」、「ただいまの合計金額５８３４円」、「入金して下さい」などの情報を表示する（ステップＳ８２４）。
【０７５７】
続いて、制御部８００は、貨幣識別部８０２からの情報に基づいて、入金状況が、「入金不良」、「入金なし」、「入金あり」のいずれであるかを判定する（ステップＳ８２５）。
【０７５８】
ステップＳ８２５の判定で、「入金不良」と判定した場合には、制御部８００は、貨幣識別部８０２に紙幣挿入口１０５ｃまたは不良硬貨返却口１０５ｖから挿入された紙幣または硬貨を返却させる情報を貨幣識別部８０２に出力する。貨幣識別部８０２は、その情報に基づいて、挿入された紙幣を紙幣挿入口１０５ｃから、投入された硬貨を不良硬貨返却口１０５ｖから返却する（ステップＳ８２６）。そして、再びステップＳ８１６からの工程を行う。
【０７５９】
ステップＳ８２５の判定で、「入金なし」と判定した場合には、再びステップＳ８１６からの工程を行う。また、後述するステップＳ８２９またはステップＳ８３３の判定で、再びステップＳ８１６からの工程を行う場合には、ステップＳ８２９またはステップＳ８３３の判定でＹｅｓと判定されるまで、ステップＳ８１６からの工程を繰り返し行う。
【０７６０】
ステップＳ８２５の判定で、「入金あり」と判定した場合には、制御部８００は、貨幣識別部８０２からの情報に基づいて、入金額を集計する（ステップＳ８２７）。
【０７６１】
続いて、制御部８００は、この入金額を表示させるための表示情報を表示部１０５ｉに出力し、表示部１０５ｉはその情報に基づいて、それまで入金された合計金額、例えば、「入金額７５００円」などの情報を表示する（ステップＳ８２８）。
【０７６２】
続いて、制御部８００は、バーコードリーダ部１０３から入力した購入商品に対する商品価格特定情報などの商品情報などに基づいて、バーコードリーダ部１０３による購入商品情報の読み込み処理が完了したか否かを判定する（ステップＳ８２９）。
【０７６３】
ステップＳ８２９の判定で、Ｎｏの場合には、制御部８００は、合計金額が未定であることを知らせるための表示情報を表示部１０５ｉに出力し、表示部１０５ｉはその情報に基づいて、例えば、「合計金額未定」などの情報を表示する（ステップＳ８３０）。
【０７６４】
一方、ステップＳ８２９の判定で、Ｙｅｓの場合には、制御部８００は、次に示す式（２）によって、差引き金額（Ａ１）を算出する（ステップＳ８３１）。
Ａ１  ＝  Ｂ１  ＋  Ｃ１  −  Ｄ１  −  Ｅ１  …式（２）
ここで、Ｂ１は、ＩＤによって店内管理装置１４０で管理されている預り釣銭額、Ｃ１は、紙幣挿入口１０５ｃおよび／またはＩＣコイン投入口１０５ｓから入金された金額、Ｄ１は、購入商品の合計金額、Ｅ１は、貸し出された貸出用買物かご１０７に対する預り保証金額である。なお、ステップＳ８０９の判定で、「非会員ボタンＯＮ」と判定された場合には、会員カード１６０およびＩＣコイン７００が代金決済装置１０５に受け入れられていない場合であり、預り釣銭額などはないので、この場合には、預り釣銭額（Ｂ１）は、「０」となる。
【０７６５】
続いて、制御部８００は、算出した差引き金額（Ａ１）を表示させるための表示情報を表示部１０５ｉに出力し、表示部１０５ｉはその情報に基づいて、例えば、「差引き金額２６５８円」などの情報を表示する（ステップＳ８３２）。
【０７６６】
続いて、制御部８００は、算出した差引き金額（Ａ１）が「０」以上であるか否かを判定する（ステップＳ８３３）。例えば、預り釣銭額（Ｂ１）と入金された金額（Ｃ１）との合計金額が、購入商品の合計金額（Ｄ１）と保証金額（Ｅ１）との合計金額よりも小さい場合には、差引き金額（Ａ１）は負の値となる。
【０７６７】
ステップＳ８３３の判定で、Ｎｏの場合には、制御部８００は、ステップＳ８１６に戻り、新たな入金を受け付けて、紙幣挿入口１０５ｃまたはＩＣコイン投入口１０５ｓから入金された金額（Ｃ１）が増加し、差引き金額（Ａ１）が「０」以上となるまでステップＳ８１６以降の上記した同じ処理を行う。
【０７６８】
一方、ステップＳ８３３の判定で、Ｙｅｓの場合には、制御部８００は、貸し出された貸出用買物かご１０７に対する預り保証金額Ｅ１を、すでに記録されている預り保証金額に加算し、預り保証金額情報を更新する（ステップＳ８３４）。なお、ステップＳ８０９の判定で、「非会員ボタンＯＮ」と判定された場合における会員カード１６０およびＩＣコイン７００を有しない顧客に対しては、すでに、貸出用買物かご１０７に対する預り保証金額Ｅ１は徴収しているので、特に、預り保証金額情報を更新する処理ができなくても問題はない。また、この会員カード１６０およびＩＣコイン７００を有しない顧客に対してＩＤを付与して管理することもできる。
【０７６９】
続いて、制御部８００は、差引き金額（Ａ１）を預り釣銭額として、預り釣銭額情報を更新する（ステップＳ８３５）。
【０７７０】
続いて、制御部８００は、会員カード１６０またはＩＣコイン７００が用いられた場合には、購入商品の合計金額（Ｄ１）などに基づいて、ポイント数を算出し、ポイント情報を更新する（ステップＳ８３６）。なお、ポイント情報を預り釣銭額情報として記録するモードの場合には、預り釣銭額に、ポイント数に対応する金額を加算した値を預り釣銭額情報として更新する。また、ポイントは、購入商品の合計金額（Ｄ１）に対して後述する会員顧客毎（Ａ会員顧客、Ｂ会員顧客、Ｃ会員顧客の３つのレベルの会員顧客区分を例示）にポイント付与率を異ならしてもよい。さらに、ステップＳ８０９の判定で、「非会員ボタンＯＮ」と判定された場合における会員カード１６０およびＩＣコイン７００を有しない顧客に対しては、ポイントは付与しないか、または、非会員顧客が通常顧客ゲート２００にて受けるポイント付与と同等のポイントを付与することなどを行う。
【０７７１】
そして、制御部８００は、ＩＤ情報、預り釣銭額情報、ポイント情報、貨幣識別部８０２で識別された金額情報、購入商品の合計金額情報、預り保証金額情報、貸し出された貸出用買物かご１０７の数量情報、購入商品毎の代金情報、貨幣識別部８０２で識別された金種毎の枚数情報、代金決済装置１０５を操作する店員のＩＤ情報などを店内管理装置１４０に出力する。店内管理装置１４０は、これらの情報に基づいて、管理情報を更新する（ステップＳ８３７）。
【０７７２】
続いて、制御部８００は、預り釣銭額情報、ポイント情報を記録するための情報を記憶媒体情報処理部８０１に出力し、記憶媒体情報処理部８０１では、カード処理部１０５ｂまたはコイン処理部１０５ｗによって、預り釣銭額情報、ポイント情報を会員カード１６０またはＩＣコイン７００に記録する（ステップＳ８３８）。また、制御部８００は、会員カード１６０およびＩＣコイン７００を使用する顧客の預り釣銭額情報、ポイント情報、購入商品情報などをレシート発行部８０４に出力する（ステップＳ８３８）。さらに、ステップＳ８０９の判定で、「非会員ボタンＯＮ」と判定された場合における会員カード１６０およびＩＣコイン７００を有しない顧客に対する預り釣銭額情報、ポイント情報、購入商品情報などをレシート発行部８０４に出力する（ステップＳ８３８）。
【０７７３】
続いて、制御部８００は、会員カード１６０のカードビジブル部１６３の磁気記録部を日付、ポイント数、預り釣銭額に対応して磁化させるための情報を記憶媒体情報処理部８０１に出力する。記憶媒体情報処理部８０１では、その情報に基づいて、カード処理部１０５ｂによって、カードビジブル部１６３の磁気記録部を磁化させる（ステップＳ８３９）。これによって、カードビジブル部１６３に、日付、ポイント数、預り釣銭額を表示することができる。
【０７７４】
続いて、制御部８００は、会員カード１６０またはＩＣコイン７００を返却するさせる情報を記憶媒体情報処理部８０１に出力し、記憶媒体情報処理部８０１は、会員カード１６０をカード挿入口１０５ａまたは１０５ｐから、ＩＣコイン７００をＩＣコイン返却口１０５ｕから返却する（ステップＳ８４０）。
【０７７５】
続いて、レシート発行部８０４は、制御部８００から出力された預り釣銭額情報、ポイント情報、購入商品情報などに基づいて、レシート７１０をレシート発行口１０５ｙから発行する。この発行されるレシート７１０には、例えば、会員カード１６０またはＩＣコイン７００を用いる顧客に対しては、それぞれに預り釣銭額情報、ポイント情報、購入商品情報などが記録されているため、バーコードによる情報を記載しないこともできる。一方、会員カード１６０およびＩＣコイン７００を有しない顧客に対しては、レシート７１０にバーコードを有し、そのバーコードには、預り釣銭額情報、ポイント情報、購入商品情報などの情報が記録される（ステップＳ８４１）。
【０７７６】
続いて、制御部８００は、貸出用買物かご設置部１０４の貸出用買物かごロック機構１０４ａに、貸出用買物かご１０７のロックを解除する情報を出力する。そして、貸出用買物かごロック機構１０４ａは、貸出用買物かご設置部１０４に設置された貸出用買物かご１０７のロックを解除する（ステップＳ８４２）。これによって、顧客は、貸出用買物かご１０７を持ち出せるようになり、購入商品に対する決済を終了する。
【０７７７】
次に、ステップＳ８０９における、代金決済装置１０５の正面部に設けられたカード挿入口１０５ａまたはＩＣコイン投入口１０５ｓから会員カード１６０が挿入またはＩＣコイン７００が投入されたか、または非会員ボタンが押されたかを判定するステップＳ８０９の判定で、Ｎｏと判定され、さらに、ステップＳ８１１の判定で、代金決済装置１０５の背面部に設けられたカード挿入口１０５ｐから会員カード１６０が挿入されていないと判定された場合には、制御部８００は、会員カード１６０の挿入を要求するための表示情報を表示部１０５ｉに出力し、表示部１０５ｉはその情報に基づいて、例えば、「会員カードを挿入してください」などの情報を表示する（ステップＳ８４３）。
【０７７８】
続いて、制御部８００は、貨幣識別部８０２からの情報に基づいて、入金がされたか否かを判定する（ステップＳ８４４）。
ステップＳ８４４の判定で、Ｎｏの場合には、ステップＳ８４７に進む。
【０７７９】
ステップＳ８４４の判定で、Ｙｅｓの場合には、制御部８００は、再度、会員カード１６０の挿入を要求するための表示情報を表示部１０５ｉに出力し、表示部１０５ｉはその情報に基づいて、例えば、２秒間「会員カードを挿入してください」などの情報を表示する（ステップＳ８４５）。
【０７８０】
続いて、制御部８００は、受け入れた紙幣または硬貨を返却させる情報を貨幣識別部８０２に出力する。貨幣識別部８０２は、その情報に基づいて、挿入された紙幣を紙幣挿入口１０５ｃから、硬貨を不良硬貨返却口１０５ｖから返却する（ステップＳ８４６）。このステップＳ８４６において、入金の返却は最初行わず、代金決済装置１０５の筐体表面に入金返却ボタンを設け、この入金返却ボタンが押された履歴があれば紙幣または硬貨を返却するようにしてもよい。この場合には、この入金返却ボタンが押される前に会員カード１６０が挿入されれば、ステップＳ８０９、ステップＳ８１４、ステップＳ８１５に続く既述した処理が行われる。
【０７８１】
続いて、制御部８００は、代金決済装置１０５を操作している店員を特定するために、代金決済装置１０５を操作する店員の、例えば、ＩＤ情報などの情報を記録したか否かを判定する（ステップＳ８４７）。ここで、制御部８００は、図示しない処理である電源ＯＮで起動される割り込み処理にて、代金決済装置１０５を操作している店員が特定されない場合には、表示部１０５ｉに「継続している店員の店員カードを挿入してください」の表示を行わせる。そして、制御部８００は、図示しない処理である店員カードの挿入に伴って起動される代金決済装置１０５においてされた取り扱い動作情報の割り込みにより、以降店員カードを受け入れるまでは、会員カード１６０は受け入れても即座に返却するよう処理される。そして、店員カードを受け入れた後には、ステップＳ８０９以降の処理を開始するよう処理される。
【０７８２】
ステップＳ８４７における判定で、Ｎｏの場合には、制御部８００は、店員カードの挿入を要求するための表示情報を表示部１０５ｉに出力し、表示部１０５ｉはその情報に基づいて、例えば、「店員カードを挿入してください」などの情報の表示を続行する（ステップＳ８４８）。つまり、電源ＯＮ後に、店員カードの挿入ない場合には、この表示が持続される。
【０７８３】
続いて、制御部８００は、代金決済装置１０５に紙幣収納部１０５ｇまたは硬貨収納部（図示しない）を収納するための開閉ドアに設けられた施錠機能部の施錠認証モードが、「鍵式施錠」か、「電気式施錠」かを判定する（ステップＳ８４９）。ここで、鍵式施錠とは、鍵を用いて施錠するものであり、電気式施錠とは、電気的に施錠するものである。
【０７８４】
ステップＳ８４９における判定で、「鍵式施錠」の場合には、制御部８００は、記憶媒体情報処理部８０１の情報に基づいて、店員カードが挿入されているか否かを判定する（ステップＳ８５０）。
【０７８５】
ステップＳ８５０における判定で、Ｎｏの場合には、制御部８００は、代金決済装置１０５の開閉ドアが開いているか否かを判定する（ステップＳ８５１）。
【０７８６】
ステップＳ８５１における判定で、Ｙｅｓの場合には、制御部８００は、例えば、代金決済装置１０５に取り付けられた警報装置を作動させるなどして、警報処理を行う（ステップＳ８５２）。この警報処理により、店員カードで操作する店員が特定されないまま鍵を開錠して紙幣収納部１０５ｇまたは硬貨収納部を代金決済装置１０５より取り出されることを防止することができる。
【０７８７】
ステップＳ８５１における判定で、Ｎｏの場合には、制御部８００は、代金決済装置１０５の電源が切られているか否かを判定する（ステップＳ８５３）。
【０７８８】
ステップＳ８５３における判定で、Ｙｅｓの場合には、制御部８００は、例えば、代金決済装置１０５に取り付けられた警報装置を作動させるなどして、警報処理を行う（ステップＳ８５２）。この警報処理により、店員カードで操作する店員が特定されないまま電源をＯＦＦされた後、無停電電源の電池がなくなるのを待って、鍵が開錠され、紙幣収納部１０５ｇまたは硬貨収納部が代金決済装置１０５より取り出されることを防止することができる。
【０７８９】
ステップＳ８５３における判定で、Ｎｏの場合には、制御部８００は、その日における代金決済装置１０５の電源投入が初回か否かを判定する（ステップＳ８５４）。
【０７９０】
ステップＳ８５４における判定で、Ｙｅｓの場合には、制御部８００は、例えば、施錠認証モード、カード挿入口の設定モード、各種ポイント情報などの情報を店内管理装置１４０から読み出し、登録する（ステップＳ８５５）。
【０７９１】
また、ステップＳ８５０の判定で、店員カードが挿入されていると判定された場合（ステップＳ８５０のＹｅｓ）には、制御部８００は、店員カードのＩＤに基づいて、代金決済装置１０５を操作する店員を記録する（ステップＳ８５６）。そして、ステップＳ８５８に進む。
【０７９２】
一方、ステップＳ８４９における判定で、代金決済装置１０５に紙幣収納部１０５ｇまたは硬貨収納部を収納するための開閉ドアに設けられた施錠機能部の施錠認証モードが、「電気式施錠」と判定された場合（電気式施錠の場合には電磁弁の導通テストを起動し導通がない場合鍵式施錠、導通あらば電気式施錠と判定してもよいが、製造時にＲＯＭ情報として設定されるようにしてもよい）には、制御部８００は、記憶媒体情報処理部８０１およびバーコードリーダ１０３に併設されたキー入力部１０３ｂからの情報に基づいて、店員カードの挿入があり、かつ、キー入力部１０３ｂから入力された暗証番号が適正か否かを判定する（ステップＳ８５７）。
ステップＳ８５７における判定で、Ｎｏの場合には、ステップＳ８５１に進む。
【０７９３】
一方、ステップＳ８５７における判定で、Ｙｅｓの場合には、制御部８００は、例えば、バーコードリーダ１０３に併設されたキー入力部１０３ｂから入力された施錠解除情報に基づいて、電気的に施錠を解除し、開閉ドアを開ける。一方、「鍵式施錠」モードの場合には、例えば、店員が鍵によって施錠を解除する。そして、この代金決済装置１０５においてされた取り扱い動作情報、つまり、開閉ドアを開けた情報は、例えば、店員のＩＤ、施錠した時刻などとともに記録される（ステップＳ８５８）。
【０７９４】
また、制御部８００は、代金決済装置１０５を操作する店員ＩＤ情報、開閉ドアの開閉情報、電源ＯＮ−ＯＦＦ情報、紙幣収納部１０５ｇまたは硬貨収納部交換情報、日時情報、店員交代に伴う店員ＩＤ情報、紙幣挿入口１０５ｃまたは硬貨投入口１０５ｔから入金された金額情報、貨幣識別部８０２で識別された金種毎の枚数情報などの情報を紙幣収納部１０５ｇに設けられた記録部１０５ｆまたは硬貨収納部に設けられた記録部に、リーダライタ部１０５ｈによって記録させる。
【０７９５】
また、制御部８００は、レシート発行部８０４に、これらの情報を印字させる印字情報を出力する。レシート発行部８０４は、これらの情報に基づいて、プリント用紙に情報を印字して出力する。さらに、制御部８００は、これらの情報を店内管理装置１４０に出力し、店内管理装置１４０では、それらの情報を記録する（ステップＳ８５９）。
【０７９６】
続いて、制御部８００は、記憶媒体情報処理部８０１からの情報に基づいて、店員カードが挿入されている場合には、店員カードを返却させるための情報を記憶媒体情報処理部８０１に出力する。記憶媒体情報処理部８０１は、その情報に基づいて、カード挿入口１０５ａ、１０５ｐから店員カードを返却する（ステップＳ８６０）。続いて、上述したステップＳ８５４の工程を行う。
【０７９７】
なお、第１実施の形態および第２実施の形態における代金決済装置１０５の動作は、上記した工程に限られるものではなく、例えば、レジスタ装置１０６を別個に備える場合には、代金決済装置１０５は、受け入れた貨幣の情報および会員カード１６０またはＩＣコイン７００などから読み取った預り釣銭情報をレジスタ装置１０６に出力し、レジスタ装置１０６にて更新された預り釣銭情報を受け入れるように構成されてもよい。
【０７９８】
また、代金決済装置１０５において、レシート７１０を発行する以外に、ＩＤ、預り釣銭情報、ポイント情報などを記録したＩＣコイン７００を発行させてもよい。
【０７９９】
さらに、代金決済装置１０５において、会員カード１６０の代わりにＩＣコイン７００を会員用の記憶媒体として用いることもできる。この場合には、会員カード１６０に関連する、例えば、カード挿入口１０５ａ、１０５ｐ、カード処理部１０５ｂなどの機能を排除することができる。
【０８００】
（精算機１１０）
（第３実施の形態）
第３実施の形態の精算機１１０について図１６〜１８を参照して説明する。
【０８０１】
図１６は、精算機１１０の正面を示す平面図、図１７は、精算機１１０の構成部を示す図、図１８は、精算機１１０における動作の流れを示す図である。
【０８０２】
まず、図１６を参照して、精算機１１０の構成について説明する。
精算機１１０は、代金決済装置１０５において決済された情報に基づいて、例えば、預り釣銭の支払いを行う装置である。また、精算機１１０は、ネットワーク回線を介して店内管理装置１４０と通信可能に接続されている。
【０８０３】
図１６に示すように、精算機１１０は、筐体で構成され、その筐体の正面部には、記憶媒体受入手段として機能するカード挿入口１１０ａ、紙幣支払口１１０ｂ、暗証番号入力用テンキーボード１１０ｃ、精算ボタン１１０ｄ、取消ボタン１１０ｅ、表示部１１０ｆ、硬貨受入口１１０ｉ、貨幣受入手段として機能する紙幣挿入口１１０ｊ、貨幣受入手段として機能する硬貨支払口１１０ｋが設けられている。
【０８０４】
また、筐体内には、カード挿入口１１０ａから挿入された会員カード１６０を受け入れて会員カード１６０に設けられた記憶媒体の情報を処理し、会員カード１６０のカードビジブル部１６３の情報を書き換える記憶媒体読取手段および預り釣銭情報更新手段として機能するカード処理部１１０ｇと、紙幣支払口１１０ｂから払い出される紙幣を貯留し、排出する預り釣銭支払手段として機能する紙幣貯留排出部１１０ｈが設置されている。また、硬貨受入口１１０ｉから投入された硬貨を識別し貯留する貨幣識別手段として機能する硬貨貯留識別部１１０ｍと、紙幣挿入口１１０ｊから挿入された紙幣を識別し貯留する貨幣識別手段として機能する紙幣貯留識別部１１０ｎと、硬貨支払口１１０ｋから払い出される硬貨を貯留し、排出する硬貨貯留排出部１１０ｐとが設置されている。
【０８０５】
カード処理部１１０ｇには、アンテナ駆動回路を含むＩＣ部、アンテナ部から構成されたリーダライタが備えられ、カード処理部１１０ｇに搬送された会員カード１６０内に設けられた記憶媒体からのＩＤ、預り釣銭金額、ポイント残高などの情報の読み取りや精算処理後の情報の書き込みを行う。
【０８０６】
また、カード処理部１１０ｇには、会員カード１６０のカードビジブル部１６３に対向する裏面側に設けられた磁気記録部を、表示情報に対応した所定の英数字などの文字または模様状に磁気記録する磁気処理部が、上記したリーダライタに併設されている。磁気処理部によって、磁気記録部の所定の部分が磁化されることで、カードビジブル部１６３に、例えば、前回の取引日時、ポイント残高、預り釣銭金額などを１２〜１４桁の連番で表示することができる。
【０８０７】
紙幣貯留排出部１１０ｈは、カード処理部１１０ｇで読み取られたＩＤに基づいて、店内管理装置１４０から読み取った預り釣銭額などの情報に対応する金額のうち紙幣分を紙幣支払口１１０ｂに搬送し、その紙幣を紙幣支払口１１０ｂから排出させるものである。紙幣貯留排出部１１０ｈにおいて支払われる紙幣の金種は、千円札一種とすると他の複数の金種の収納部を設けない分、精算機１１０を構成する筐体を小型化できる。また、他の金種の収納部のそれぞれから紙幣を取り出して搬送する搬送機構などの構成も必要ないため、その分安価にでき好ましいが、他種の金種を支払うように構成することもできる。
【０８０８】
硬貨貯留排出部１１０ｐは、カード処理部１１０ｇで読み取られたＩＤに基づいて、店内管理装置１４０から読み取った預り釣銭額などの情報に対応する金額のうち硬貨分を硬貨支払口１１０ｋから排出させるものである。なお、硬貨支払口１１０ｋにおいて支払われる金種として、１円玉、１０円玉、５０円玉、１００円玉、５００百円玉のすべてを設定することができる。
【０８０９】
硬貨貯留識別部１１０ｍは、硬貨受入口１１０ｉから投入された硬貨、例えば、１円玉、１０円玉、５０円玉、１００円玉、５００百円玉を識別し、貯留するものである。
【０８１０】
紙幣貯留識別部１１０ｎは、紙幣挿入口１１０ｊから挿入される４種類の紙幣を識別し、貯留するものである。
【０８１１】
なお、ここで示した精算機１１０における精算では、預り釣銭額を全て支払うことができる機能を備えているが、本発明の精算機１１０は、この機能を備えた精算機１１０に限られるものではない。例えば、１０００円未満の金額は精算しない精算モードを設定することができ、この場合には、硬貨受入口１１０ｉからその１０００円に満たない分の硬貨を投入することで、預り釣銭の全てを支払わせることもできる。つまり、例えば、預り釣銭額が１６８２円の場合には、硬貨受入口１１０ｉから３１８円を投入し、預り釣銭額を２０００円として、紙幣支払口１１０ｂから千円札２枚を支払わせることもできる。この場合には、少なくとも硬貨支払口１１０ｋおよび硬貨貯留排出部１１０ｐを排除することができる。
【０８１２】
また、例えば、１０００円未満の金額は精算せず、さらに、硬貨の受入もしない精算モードを設定することができ、この場合には、１０００円未満の金額は、預り釣銭情報として記録し、１０００円以上の金額のみ精算されるので、少なくとも硬貨支払口１１０ｋ、硬貨貯留排出部１１０ｐ、硬貨貯留識別部１１０ｍ、硬貨受入口１１０ｉを排除することができる。この精算モードの場合に、例えば、１０００円未満の預り釣銭情報が記録された会員カード１６０がカード挿入口１１０ａから挿入されたときには、会員カード１６０を返却するなどの処理を行うことができる。
【０８１３】
ここで、これらの精算モードの設定は、例えば、会員カード１６０の発行時に、会員顧客毎に異なる設定とすることができる。そして、その情報は、会員カード１６０のＩＤに基づいて、店内管理装置１４０、会員カード１６０に記録される。
【０８１４】
なお、例えば、精算機１１０がカード挿入口１１０ａ、紙幣支払口１１０ｂ、暗証番号入力用テンキーボード１１０ｃ、精算ボタン１１０ｄ、取消ボタン１１０ｅ、表示部１１０ｆ、硬貨受入口１１０ｉ、紙幣挿入口１１０ｊ、硬貨支払口１１０ｋを全て備える場合、会員顧客毎の精算モードは、（１）預り釣銭を１０、０００円未満預けるＡ会員顧客、（２）預り釣銭を１、０００円未満預けるＢ会員顧客、（２）預り釣銭を全額返金するＣ会員顧客、と区分けし、商品の購入金額に対するポイントの付与割合をＡ会員を一番大きく、Ｂ会員を２番目に大きく、Ｃ会員を最小とするなどの差別化を図ってもよい。
【０８１５】
すなわち、Ａ会員とは、毎日この店舗に商品を購入しに来店し、１０、０００程度の金額を預けても差し支えないしと考える会員顧客であり、店舗にとっては、購入額が高額となる場合が多く、商品を毎日買ってもらえる一番の優良顧客であると言える。Ｂ会員顧客とは、１、０００円程度を預けても差し支えないしと考える会員顧客であり、購入額が中額となる場合が多く、商品を毎日買ってもらえるＡ会員顧客に準ずる会員顧客と位置付けされる。そして、Ｃ会員は多頻度に来てもらえない、例えば、店舗とは遠距離に在住の顧客であるか、他の店舗に商品を購入しによく来店する会員顧客と位置付けされる。
【０８１６】
このように優良顧客の順に優遇することにより、優良顧客を他の店舗に取られにくくなり、また他の店舗からも顧客を連れてくる要因となる。ポイント付与は、Ａ会員顧客、Ｂ会員顧客、Ｃ会員顧客の区別なく一律に高くすると顧客の定着率を高める半面、店舗の経済的負担が大きくなる。しかし、上記に例示したように、優良顧客の順に優遇することにより、この問題を解決することができ、顧客の定着率と店舗の経済的負担とのバランスをとることができ、利益効果に優れる。なお、本実施例においてはＡ会員顧客、Ｂ会員顧客、Ｃ会員顧客としたが、さらに多くの区分を設けてもよい。
【０８１７】
図１７に示すように、精算機１１０は、制御部５００、会員カード情報処理部５０１、貨幣排出処理部５０２、選択ボタン検知部５０３、貨幣識別部５０４から構成されている。
【０８１８】
制御部５００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部５００では、会員カード情報処理部５０１、貨幣排出処理部５０２、選択ボタン検知部５０３、貨幣識別部５０４の各機部間との信号の出入力を制御している。また、制御部５００は、ネットワーク回線を介して店内管理装置１４０との間の信号の出入力も制御している。
【０８１９】
また、ここでは、会員カード情報処理部５０１は、上述したカード処理部１１０ｇとして機能し、貨幣排出処理部５０２は、上述した紙幣貯留排出部１１０ｈおよび硬貨貯留排出部１１０ｐとして機能する。
【０８２０】
また、選択ボタン検知部５０３は、暗証番号入力用テンキーボード１１０ｃ、精算ボタン１１０ｄ、取消ボタン１１０ｅが押されたことを検知し、その押された信号に基づいて、制御部５００に信号を出力するものである。
【０８２１】
さらに、貨幣識別部５０４は、上述した硬貨貯留識別部１１０ｍおよび紙幣貯留識別部１１０ｎとして機能する。
【０８２２】
そして、制御部５００によって制御される、会員カード情報処理部５０１、貨幣排出処理部５０２、選択ボタン検知部５０３、貨幣識別部５０４の各機器部は、次のように動作する（図１８）。
【０８２３】
以下に、図１８を参照してその動作を説明する。
まず、会員カード情報処理部５０１は、カード挿入口１１０ａに会員カード１６０が挿入されるのを待機しており、カード挿入口１１０ａに会員カード１６０が挿入されると、それに応じたステップＳ５１０からの処理を実行する。
【０８２４】
制御部５００は、会員カード情報処理部５０１からの情報に基づいて、精算機１１０の正面部に設けられたカード挿入口１１０ａから会員カード１６０が挿入されたか否かを判定する（ステップＳ５１０）。
【０８２５】
ステップＳ５１０の判定で、Ｎｏの場合には、制御部５００は、リターンしスタートに戻り再び同じ処理を繰り返す、いわゆる待機状態となる。
【０８２６】
ステップＳ５１０の判定で、Ｙｅｓの場合には、会員カード情報処理部５０１は、会員カード１６０からＩＤを読み取り、その情報を制御部５００に出力する。そして、制御部５００は、そのＩＤ情報を店内管理装置１４０に出力し、そのＩＤに基づいて、店内管理装置１４０から預り釣銭情報、ポイント情報、暗証番号、精算モードなどを読み取る（ステップＳ５１１）。これらの情報は、会員カード１６０内に設けられた記憶媒体からも読み取られる。
【０８２７】
続いて、制御部５００は、まず、その店舗の選択しているモードが会員顧客の選択によらない統一全額返済モードか否かを店内管理装置１４０から読み出した情報に基づき判定し、統一全額返済モードであればステップＳ５１８へ、統一全額返済モードでなければ会員カード１６０より読み出したＩＤに基づいて店内管理装置１４０から読み出した情報の会員毎の精算モードが、全額返金モードか否かを判定する（ステップＳ５１２）。
ステップＳ５１２の判定で、Ｙｅｓの場合には、ステップＳ５１８に進む。
【０８２８】
ステップＳ５１２の判定で、Ｎｏの場合には、制御部５００は、その読み取った情報の預り釣銭額が、１０００円以上（この１０００円という金額は店舗によって任意に設定でき、例えば１００円、５００円等の設定が可能）であるか否かを判定する（ステップＳ５１３）。
【０８２９】
ステップＳ５１３の判定で、Ｎｏの場合には、制御部５００は、動作モードが、「硬貨支払可能」か、「硬貨支払不可能」かを判定する（ステップＳ５１４）。ここで、動作モードが「硬貨支払可能」とは、精算機１１０に硬貨貯留排出部１１０ｐおよび硬貨支払口１１０ｋが設けられ、硬貨支払を行うことが設定されている場合である。一方、動作モードが「硬貨支払不可能」とは、精算機１１０に硬貨貯留排出部１１０ｐおよび硬貨支払口１１０ｋなどが設けられていない場合や、それらが設けられていても硬貨支払を行わないことが設定されている場合などである。
【０８３０】
このステップＳ５１４の判定で、「硬貨支払不可能」の場合にはステップＳ５１６へ移行する。また、ステップＳ５１４の判定で、「硬貨支払可能」の場合には、制御部５００は、まず、その店舗の選択している動作モードが会員の選択によらない「統一再挿入時返済モード」か否かを店内管理装置１４０から読み出した情報に基づき判定し、「統一再挿入時返済モード」であればステップＳ５１５へ移行する。
【０８３１】
一方、「統一再挿入時返済モード」でなければ会員カード１６０より読み出したＩＤに基づいて店内管理装置１４０から読み出した情報の会員顧客毎の動作モードが、「会員毎再挿入時返金モード」か否かを判定し、「会員毎再挿入時返金モード」が選択されていればステップＳ５１５へ移行する。また、「統一再挿入時返済モード」でない場合、「会員毎再挿入時返済モード」でない場合には、ステップＳ５１６へ移行する。
【０８３２】
ここで、「統一再挿入時返済モード」および「会員毎再挿入時返済モード」とは、その店舗または会員顧客が１０００円未満は預り釣銭とするとしながらも、その会員顧客が今回に限り預り釣銭を返金したい場合、例えば、１３００円の預り釣銭に対し、ステップＳ５１３、ステップＳ５１８、ステップＳ５１９、ステップＳ５２０、ステップＳ５２１、ステップＳ５２５を経て、ステップＳ５２７において一度紙幣の返却を受け、再度その会員カード１６０を挿入した場合、残りの３００円がこのステップＳ５１４にてステップＳ５１５に移行し、硬貨支払口１１０ｋに硬貨の支払いがなされることを言う。
【０８３３】
ステップＳ５１４の判定で、上記したようにステップＳ５１５へ移行する「硬貨支払可能」かつ「統一再挿入時返済モード」または「会員毎再挿入時返済モード」の場合には、制御部５００は、貨幣排出処理部５０２に預り釣銭を支払わせるための情報を出力する。貨幣排出処理部５０２は、その情報に基づいて、硬貨貯留排出部１１０ｐから預り釣銭情報に対応する金額の硬貨を排出し、硬貨支払口１１０ｋから支払う（ステップＳ５１５）。そして、制御部５００は、支払われた金額に対応する金額を預り釣銭から減じて、預り釣銭情報を「０」として更新し、この預り釣銭情報を店内管理装置１４０へ出力する。そして、店内管理装置１４０は、更新された預り釣銭情報をＩＤに基づいて記録する。さらに、制御部５００は、更新された預り釣銭情報を記録するための情報を会員カード情報処理部５０１に出力し、会員カード情報処理部５０１では、カード処理部１１０ｇによって、その更新された預り釣銭額情報が会員カード１６０に記録される。
【０８３４】
一方、ステップＳ５１４の判定で、上記したようにステップＳ５１６へ移行する「硬貨支払不可能」の場合、または「硬貨支払可能」かつ「統一再挿入時返済モードでない」かつ「会員毎再挿入時返済モードでない」の場合には、制御部５００は、精算処理できない旨を知らせる情報を表示させるための表示情報を表示部１１０ｆに出力し、表示部１１０ｆはその情報に基づいて、例えば、「お預り金額が１０００円未満のためカードを返却します」などの情報を表示する（ステップＳ５１６）。
【０８３５】
そして、制御部５００は、会員カード情報処理部５０１に会員カードを返却させるための情報を出力する。そして、会員カード情報処理部５０１は、その情報に基づいて、カード挿入口１１０ａから会員カード１６０を返却する（ステップＳ５１７）。
【０８３６】
ステップＳ５１３の判定で、読み取った情報の預り釣銭額が、１０００円以上であると判定された場合（ステップＳ５１３のＹｅｓ）には、制御部５００は、暗証番号の入力要求の情報を表示させるための表示情報を表示部１１０ｆに出力し、表示部１１０ｆはその情報に基づいて、例えば、「暗証番号を入力してください」などの情報を表示する（ステップＳ５１８）。
【０８３７】
続いて、制御部５００は、選択ボタン検知部５０３の情報に基づいて、暗証番号入力用テンキーボード１１０ｃで入力された暗証番号と、すでに記録されている暗証番号との比較を行い、入力されたが暗証番号が正しいか否かを判定する（ステップＳ５１９）。
【０８３８】
ステップＳ５１９の判定で、Ｎｏの場合には、制御部５００は、会員カード情報処理部５０１に会員カードを返却させるための情報を出力する。そして、会員カード情報処理部５０１は、その情報に基づいて、カード挿入口１１０ａから会員カード１６０を返却する（ステップＳ５１７）。
【０８３９】
一方、ステップＳ５１９の判定で、Ｙｅｓの場合には、制御部５００は、預り釣銭額およびポイント数を表示させるための表示情報を表示部１１０ｆに出力し、表示部１１０ｆはその情報に基づいて、例えば、「預り釣銭額３４５１円、ポイント数４８７ポイント」などの情報を表示する（ステップＳ５２０）。
【０８４０】
続いて、制御部５００は、選択ボタン検知部５０３の情報に基づいて、「取消ボタン」、「精算ボタン」、「未入力」の情報かを判定する（ステップＳ５２１）。
【０８４１】
ステップＳ５２１の判定で、「未入力」の場合には、制御部５００は、動作モードが、「入金受付可能」か、「入金受付不可能」かを判定する（ステップＳ５２２）。
【０８４２】
ここで、動作モードが「入金受付可能」とは、精算機１１０に硬貨受入口１１０ｉ、硬貨貯留識別部１１０ｍ、紙幣挿入口１１０ｊ、紙幣貯留識別部１１０ｎが設けられ、精算機１１０に投入または挿入された貨幣額を預り釣銭情報に加算するよう設定されている場合である。一方、動作モードが「入金受付不可能」とは、精算機１１０に硬貨受入口１１０ｉ、硬貨貯留識別部１１０ｍ、紙幣挿入口１１０ｊ、紙幣貯留識別部１１０ｎなどが設けられていない場合や、それらが設けられていても貨幣の受け入れを行わないことが設定されている場合などである。
【０８４３】
ステップＳ５２２の判定で、「入金受付不可能」の場合には、ステップＳ５２１に進み、精算ボタン１１０ｄまたは取消ボタン１１０ｅが押されるまで同じ工程を繰り返す、いわゆる待機状態となる。
【０８４４】
一方、ステップＳ５２２の判定で、「入金受付可能」の場合には、制御部５００は、貨幣識別部５０４の情報に基づいて、硬貨受入口１１０ｉまたは紙幣挿入口１１０ｊから入金されたか否かを判定する（ステップＳ５２３）。
【０８４５】
ステップＳ５２３の判定で、Ｙｅｓの場合には、制御部５００は、貨幣識別部５０４からの貨幣識別情報に基づいて、入金された金額を、ステップＳ５１１でＩＤに基づいて読み込まれた預り釣銭額に加算し、預り釣銭情報を更新する。また、制御部５００は、ＩＤに基づいて、その更新された預り釣銭情報を店内管理装置１４０に出力し、店内管理装置１４０では、そのＩＤで管理されている預り釣銭情報を更新する。さらに、制御部５００は、更新された預り釣銭情報を記録するための情報を会員カード情報処理部５０１に出力し、会員カード情報処理部５０１では、カード処理部１１０ｇによって、その更新された預り釣銭額情報が会員カード１６０に記録される（ステップＳ５２４）。
【０８４６】
一方、ステップＳ５２３の判定で、Ｎｏの場合には、ステップＳ５２１に進み、精算ボタン１１０ｄまたは取消ボタン１１０ｅが押されるか、新たに入金を受け付けるまで同じ工程を繰り返す、いわゆる待機状態となる。
【０８４７】
ステップＳ５２１の判定で、「取消ボタン」の場合には、制御部５００は、会員カード情報処理部５０１に会員カードを返却させるための情報を出力する。そして、会員カード情報処理部５０１は、その情報に基づいて、カード挿入口１１０ａから会員カード１６０を返却する（ステップＳ５１７）。
【０８４８】
一方、ステップＳ５２１の判定で、「精算ボタン」の場合には、制御部５００は、ＩＤに基づいて店内管理装置１４０から読み出した情報の精算モードが、全額返金モードか否かを判定する（ステップＳ５２５）。
【０８４９】
ステップＳ５２５の判定で、Ｙｅｓの場合には、貨幣排出処理部５０２に預り釣銭を支払わせるための情報を出力する。貨幣排出処理部５０２は、その情報に基づいて、硬貨貯留排出部１１０ｐおよび紙幣貯留識別部１１０ｎから預り釣銭情報に対応する金額の貨幣を排出し、硬貨支払口１１０ｋおよび紙幣支払口１１０ｂから支払う。（ステップＳ５２６）。
【０８５０】
続いて、制御部５００は、ステップＳ５２６によって支払われた金額に対応する金額を    預り釣銭から減じ、預り釣銭情報を「０」として更新し、この預り釣銭情報を店内管理装置１４０へ出力する。そして、店内管理装置１４０は、更新された預り釣銭情報をＩＤに基づいて記録する。さらに、制御部５００は、更新された預り釣銭情報を記録するための情報を会員カード情報処理部５０１に出力し、会員カード情報処理部５０１では、カード処理部１１０ｇによって、その更新された預り釣銭額情報が会員カード１６０に記録される（ステップＳ５２８）。
【０８５１】
そして、制御部５００は、会員カード情報処理部５０１に会員カードを返却させるための情報を出力し、会員カード情報処理部５０１は、その情報に基づいて、カード挿入口１１０ａから会員カード１６０を返却する（ステップＳ５１７）。
【０８５２】
一方、ステップＳ５２５の判定で、Ｎｏの場合には、制御部５００は、預り釣銭額の内、１０００円以上に対応する金額を算出し、その算出した金額を支払うための情報を貨幣排出処理部５０２に出力する。そして、貨幣排出処理部５０２は、その情報に基づいて、紙幣貯留識別部１１０ｎから預り釣銭情報に対応する金額の貨幣を排出し、紙幣支払口１１０ｂから支払う（ステップＳ５２７）。
【０８５３】
なお、ポイント数を現金化して、精算することもできる。この場合も、１０００円未満の精算は行われない。ここで、暗証番号入力用テンキーボード１１０ｃによって、精算したい金額情報を入力し、その情報に基づいて精算処理をするようにしてもよい。
【０８５４】
続いて、制御部５００は、預り釣銭情報から支払われた金額に対応する金額情報を減じ、預り釣銭情報を更新する。また、ポイント数を現金化して精算した場合には、その現金化されたポイント数を減じて、ポイント情報を更新する。
【０８５５】
続いて、制御部５００は、この更新された預り釣銭情報、会員顧客のＩＤ情報、ポイント情報、精算機１１０から支払われた金額情報、精算機１１０から支払われた金種毎の枚数情報などを店内管理装置１４０に出力する。店内管理装置１４０は、これらの情報に基づいて、管理情報を更新する（ステップＳ５２８）。
【０８５６】
さらに、制御部５００は、預り釣銭額情報、ポイント情報を記録するための情報を会員カード情報処理部５０１に出力し、会員カード情報処理部５０１では、カード処理部１１０ｇによって、預り釣銭額情報、ポイント情報が会員カード１６０に記録される（ステップＳ５２８）。
【０８５７】
また、制御部５００は、会員カード１６０のカードビジブル部１６３の磁気記録部を日付、ポイント数、預り釣銭額に対応して磁化させるための情報を会員カード情報処理部５０１に出力する。会員カード情報処理部５０１では、その情報に基づいて、カード処理部１１０ｇによって、カードビジブル部１６３の磁気記録部を磁化させる（ステップＳ５２８）。これによって、カードビジブル部１６３に、日付、ポイント数、預り釣銭額を表示することができる。
【０８５８】
続いて、制御部５００は、会員カード情報処理部５０１に会員カードを返却させるための情報を出力する。そして、会員カード情報処理部５０１は、その情報に基づいて、カード挿入口１１０ａから会員カード１６０を返却する（ステップＳ５１７）。
【０８５９】
（第４実施の形態）
第４実施の形態の精算機１１０について図２５〜２７を参照して説明する。なお、第３実施の形態の精算機１１０の構成と同一部分には同一符号を付して、重複する説明を省略する。
【０８６０】
図２５は、精算機１１０の正面を示す平面図、図２６は、精算機１１０の構成部を示す図、図２７は、精算機１１０における動作の流れを示す図である。
【０８６１】
まず、図２５を参照して、精算機１１０の構成について説明する。
精算機１１０は、代金決済装置１０５において決済された情報に基づいて、例えば、預り釣銭の支払いを行う装置である。また、精算機１１０は、ネットワーク回線を介して店内管理装置１４０と通信可能に接続されている。
【０８６２】
図２５に示すように、精算機１１０は、筐体で構成され、その筐体の正面部には、記憶媒体受入手段として機能するカード挿入口１１０ａおよびＩＣコイン投入口１１０ｑ、紙幣支払口１１０ｂ、入力キー１１０ｒ、精算ボタン１１０ｄ、取消ボタン１１０ｅ、表示部１１０ｆ、硬貨受入口１１０ｉ、貨幣受入手段として機能する紙幣挿入口１１０ｊおよび硬貨支払口１１０ｋ、レシート挿入口１１０ｓ、ＩＣコイン返却口１１０ｔが設けられている。入力キー１１０ｒには、テンキーおよび各種精算処理機能を選択するアルファベットキーなどが備えられている。また、筐体の側部には、レシート７１０に記載されたバーコードを読取るハンディータイプのバーコードリーダ１１０ｗが設けられている。
【０８６３】
また、筐体内には、カード挿入口１１０ａから挿入された会員カード１６０を受け入れて会員カード１６０に設けられた記憶媒体の情報を処理し、会員カード１６０のカードビジブル部１６３の情報を書き換える、記憶媒体読取手段および預り釣銭情報更新手段として機能するカード処理部１１０ｇと、ＩＣコイン投入口１１０ｑから投入されたＩＣコイン７００を受け入れてＩＣコイン７００に設けられた記憶媒体の情報を処理する、記憶媒体読取手段および預り釣銭情報更新手段として機能するコイン処理部１１０ｕとが備えられている。さらに、ＩＣコイン７００を貯留するＩＣコイン貯留部１１０ｘが設けられている。
【０８６４】
また、筐体内には、紙幣支払口１１０ｂから払い出される紙幣を貯留し排出する、預り釣銭支払手段として機能する紙幣貯留排出部１１０ｈが設置されている。また、硬貨受入口１１０ｉから投入された硬貨を識別し貯留する貨幣識別手段として機能する硬貨貯留識別部１１０ｍと、紙幣挿入口１１０ｊから挿入された紙幣を識別し貯留する貨幣識別手段として機能する紙幣貯留識別部１１０ｎと、硬貨支払口１１０ｋから払い出される硬貨を貯留し排出する、預り釣銭支払手段として機能する硬貨貯留排出部１１０ｐとが設置されている。
【０８６５】
さらに、筐体内には、レシート挿入口１１０ｓから挿入されたレシート７１０に記載されたバーコードから所定の情報を読み取るバーコードリーダ部１１０ｖが設置されている。なお、このバーコードリーダ部１１０ｖにおいてレシート７１０に記載されたバーコードが読み取れない場合には、補助的に設けられたハンディータイプのバーコードリーダ１１０ｗを用いてレシート７１０に記載されたバーコードを読み取ることができる。また、レシート挿入口１１０ｓから挿入されたレシート７１０は、そのバーコードから情報が読み取られた後返却してもよい。また、レシート７１０に記載されたバーコード部のみを精算機１１０が回収してもよい。
【０８６６】
カード処理部１１０ｇおよびコイン処理部１１０ｕには、アンテナ駆動回路を含むＩＣ部、アンテナ部から構成されたリーダライタが備えられ、カード処理部１１０ｇに搬送された会員カード１６０内に設けられた記憶媒体、またはコイン処理部１１０ｕに搬送されたＩＣコイン７００内に設けられた記憶媒体からのＩＤ、預り釣銭金額、ポイント残高などの情報の読み取りや精算処理後の情報の書き込みを行う。
【０８６７】
また、カード処理部１１０ｇには、会員カード１６０のカードビジブル部１６３に対向する裏面側に設けられた磁気記録部を、表示情報に対応した所定の英数字などの文字または模様状に磁気記録する磁気処理部が、上記したリーダライタに併設されている。磁気処理部によって、磁気記録部の所定の部分が磁化されることで、カードビジブル部１６３に、例えば、前回の取引日時、ポイント残高、預り釣銭金額などを１２〜１４桁の連番で表示することができる。
【０８６８】
紙幣貯留排出部１１０ｈは、カード処理部１１０ｇで読み取られたＩＤに基づいて、店内管理装置１４０から読み取った預り釣銭額などの情報に対応する金額のうち紙幣分を紙幣支払口１１０ｂに搬送し、その紙幣を紙幣支払口１１０ｂから排出させるものである。
【０８６９】
硬貨貯留排出部１１０ｐは、カード処理部１１０ｇで読み取られたＩＤに基づいて、店内管理装置１４０から読み取った預り釣銭額などの情報に対応する金額のうち硬貨分を硬貨支払口１１０ｋから排出させるものである。なお、硬貨支払口１１０ｋにおいて支払われる金種として、１円玉、１０円玉、５０円玉、１００円玉、５００百円玉のすべてを設定することができる。
【０８７０】
硬貨貯留識別部１１０ｍは、硬貨受入口１１０ｉから投入された硬貨、例えば、１円玉、１０円玉、５０円玉、１００円玉、５００百円玉を識別し、貯留するものである。
【０８７１】
紙幣貯留識別部１１０ｎは、紙幣挿入口１１０ｊから挿入される４種類の紙幣を識別し、貯留するものである。
【０８７２】
ＩＣコイン貯留部１１０ｘは、例えば、精算機１１０でＩＣコイン７００に記録された預り釣銭情報に基づいて全額精算され、ポイント情報などの他の情報も消去されたＩＣコイン７００を貯留するものである。また、精算機１１０がＩＣコイン７００の発行を行う場合には、このＩＣコイン貯留部１１０ｘに貯留されたＩＣコイン７００の中から１つのＩＣコイン７００がコイン処理部１１０ｕに排出される。そして、コイン処理部１１０ｕで、例えば、ＩＤ、預り預り釣銭情報などの書き込みがなされ、ＩＣコイン返却口１１０ｔから発行される。なお、ＩＣコイン７００の発行は、主に、レシート７１０を用いて精算処理を行い、その処理後において預り釣銭情報やポイント情報を有する場合に行われる。また、ＩＣコイン貯留部１１０ｘにおけるＩＣコイン７００の貯留限界を超えた分のＩＣコイン７００は、例えば、下部の硬貨貯留識別部１１０ｍに隣接したＩＣコイン回収部などに排出される。
【０８７３】
なお、ここで示した精算機１１０における精算機能の一例として、預り釣銭額を全て支払う機能を備えることができる。
【０８７４】
また、他の機能として、例えば、１０００円未満の金額は精算しない精算モードを設定することができ、この場合には、硬貨受入口１１０ｉからその１０００円に満たない分の硬貨を投入することで、預り釣銭の全てを支払わせることもできる。つまり、例えば、預り釣銭額が１６８２円の場合には、硬貨受入口１１０ｉから３１８円を投入し、預り釣銭額を２０００円として、紙幣支払口１１０ｂから千円札２枚を支払わせることもできる。
【０８７５】
さらに、例えば、１０００円未満の金額は精算せず、さらに、硬貨の受入もしない精算モードを設定することができ、この場合には、１０００円未満の金額は、預り釣銭情報として記録し、１０００円以上の金額のみ精算されるので、少なくとも硬貨支払口１１０ｋ、硬貨貯留排出部１１０ｐ、硬貨貯留識別部１１０ｍ、硬貨受入口１１０ｉを排除することができる。この精算モードの場合に、例えば、１０００円未満の預り釣銭情報が記録された会員カード１６０がカード挿入口１１０ａから、またはＩＣコイン７００がＩＣコイン投入口１１０ｑから受け入れられたときには、会員カード１６０またはＩＣコイン７００を返却するなどの処理を行うことができる。
【０８７６】
また、精算機１１０に両替機能を備えることもできる。例えば、精算機１１０に両替ボタン（図示しない）を設け、精算機１１０は、紙幣挿入口１１０ｊ、硬貨受入口１１０ｉから所定の貨幣が入金され両替ボタンが押されると、それに伴う両替処理を行う。例えば、紙幣挿入口１１０ｊに五千円札が挿入され、両替ボタンが押されると、紙幣支払口１１０ｂから千円札が５枚排出される。また、硬貨受入口１１０ｉに硬貨が１０００円分入金され、両替ボタンが押されると、紙幣支払口１１０ｂから千円札が１枚排出される。受け入れた貨幣の総額未満の一番近い金種が両替されるが、１０００円札が入金された場合には５００円玉ではなく１００円玉が選択されるようにする。
【０８７７】
ここで、これらの精算モードの設定は、例えば、会員カード１６０の発行時に、会員顧客毎に異なる設定とすることができる。そして、その情報は、会員カード１６０のＩＤに基づいて、店内管理装置１４０、会員カード１６０に記録される。
【０８７８】
なお、会員顧客毎の精算モードは、（１）預り釣銭を１０、０００円未満預けるＡ会員顧客、（２）預り釣銭を１、０００円未満預けるＢ会員顧客、（２）預り釣銭を全額返金するＣ会員顧客、と区分けし、商品の購入金額に対するポイントの付与割合をＡ会員を一番大きく、Ｂ会員を２番目に大きく、Ｃ会員を最小とするなどの差別化を図ってもよい。
【０８７９】
すなわち、Ａ会員とは、毎日この店舗に商品を購入しに来店し、１０、０００程度の金額を預けても差し支えないしと考える会員顧客であり、店舗にとっては、購入額が高額かつ多頻度となる場合が多く、商品を毎日買ってもらえる一番の優良顧客であると言える。Ｂ会員顧客とは、１、０００円程度を預けても差し支えないしと考える会員顧客であり、購入額が中額となる場合が多く、商品を毎日買ってもらえるＡ会員顧客に準ずる会員顧客と位置付けされる。そして、Ｃ会員は多頻度に来てもらえない、例えば、店舗とは遠距離に在住の顧客であるか、他の店舗に商品を購入しによく来店する会員顧客と位置付けされる。
【０８８０】
このように優良顧客の順に優遇することにより、優良顧客を他の店舗に取られにくくなり、また他の店舗からも顧客を連れてくる要因となる。ポイント付与は、Ａ会員顧客、Ｂ会員顧客、Ｃ会員顧客の区別なく一律に高くすると顧客の定着率を高める半面、店舗の経済的負担が大きくなる。しかし、上記に例示したように、優良顧客の順に優遇することにより、この問題を解決することができ、顧客の定着率と店舗の経済的負担とのバランスをとることができ、利益効果に優れる。なお、本実施例においてはＡ会員顧客、Ｂ会員顧客、Ｃ会員顧客としたが、さらに多くの区分を設けてもよい。
【０８８１】
次に、精算機１１０の機能の構成の一例を図２６に示す。
図１７に示すように、精算機１１０は、制御部９００、会員カード情報処理部９０１、ＩＣコイン情報処理部９０２、貨幣排出処理部９０３、選択ボタン検知部９０４、貨幣識別部９０５、ＩＣコイン貯留排出部９０６、レシート情報処理部９０７から構成されている。
【０８８２】
制御部９００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部９００では、会員カード情報処理部９０１、ＩＣコイン情報処理部９０２、貨幣排出処理部９０３、選択ボタン検知部９０４、貨幣識別部９０５、ＩＣコイン貯留排出部９０６、レシート情報処理部９０７の各機部間との信号の出入力を制御している。また、制御部９００は、ネットワーク回線を介して店内管理装置１４０との間の信号の出入力も制御している。
【０８８３】
また、ここでは、会員カード情報処理部９０１は、上述したカード処理部１１０ｇとして機能し、ＩＣコイン情報処理部９０２は、上述したコイン処理部１１０ｕとして機能し、貨幣排出処理部９０３は、上述した紙幣貯留排出部１１０ｈおよび硬貨貯留排出部１１０ｐとして機能する。
【０８８４】
また、選択ボタン検知部９０４は、精算ボタン１１０ｄ、取消ボタン１１０ｅ、入力キー１１０ｒが押されたことを検知し、その押された信号に基づいて、制御部９００に信号を出力するものである。
【０８８５】
さらに、貨幣識別部９０５は、上述した硬貨貯留識別部１１０ｍおよび紙幣貯留識別部１１０ｎとして機能し、ＩＣコイン貯留排出部９０６は、上述したＩＣコイン貯留部１１０ｘとして機能し、レシート情報処理部９０７は、上述したバーコードリーダ部１１０ｖとして機能する。
【０８８６】
そして、制御部９００によって制御される、会員カード情報処理部９０１、ＩＣコイン情報処理部９０２、貨幣排出処理部９０３、選択ボタン検知部９０４、貨幣識別部９０５、ＩＣコイン貯留排出部９０６、レシート情報処理部９０７の各機器部は、次のように動作する（図２７）。
【０８８７】
以下に、図２７を参照してその動作を説明する。
まず、会員カード情報処理部９０１は、カード挿入口１１０ａに会員カード１６０が挿入されるのを、ＩＣコイン情報処理部９０２は、ＩＣコイン投入口１１０ｑにＩＣコイン７００が投入されるのを、また、レシート情報処理部９０７は、レシート挿入口１１０ｓにレシート７１０が挿入されるのを待機しており、それらが行われた場合にはそれぞれに応じたステップＳ９１０からの処理を実行する。
【０８８８】
制御部９００は、会員カード情報処理部９０１、ＩＣコイン情報処理部９０２またはレシート情報処理部９０７からの情報に基づいて、精算機１１０の各受入部から会員カード１６０、ＩＣコイン７００、レシート７１０のいずかれが挿入されたか否かを判定する（ステップＳ９１０）。
【０８８９】
ステップＳ９１０の判定で、Ｎｏの場合には、制御部９００は、リターンしスタートに戻り再び同じ処理を繰り返す、いわゆる待機状態となる。
【０８９０】
ステップＳ９１０の判定で、Ｙｅｓの場合において、会員カード１６０が挿入された場合には、会員カード情報処理部９０１は、会員カード１６０からＩＤを読み取る。また、ＩＣコイン７００が投入された場合には、ＩＣコイン情報処理部９０２は、ＩＣコイン７００からＩＤを読み取る。さらに、レシート７１０が挿入された場合には、レシート情報処理部９０７は、レシート７１０からＩＤを読み取る。そして、各処理部は、その読み取ったＩＤ情報を制御部９００に出力する。続いて、制御部９００は、そのＩＤ情報を店内管理装置１４０に出力し、そのＩＤに基づいて、店内管理装置１４０から預り釣銭情報、ポイント情報、暗証番号、精算モードなどを読み取る（ステップＳ９１１）。なお、これらの情報は、会員カード１６０、ＩＣコイン７００内に設けられた記憶媒体またはレシート７１０のバーコードから読み取ることもできる。
【０８９１】
続いて、制御部９００は、会員カード１６０、ＩＣコイン７００、レシート７１０のいずれかの受け付けを判定すると、表示部１１０ｆに所定の情報を表示するための表示情報を出力する。そして、表示部１１０ｆは、例えば、「Ａボタン；全額返金」、「Ｂボタン；１０００円以上返金と１０００円未満預り釣銭、購入額１０００円に付きポイント２４付」および「Ｃボタン；全額預り釣銭、購入額１０００円に付きポイント３６付」の所定の情報を表示する（ステップＳ９１２）。
【０８９２】
続いて、制御部９００は、選択ボタン検知部９０４からの情報に基づいて、顧客が選択したボタンがＡボタン、Ｂボタン、Ｃボタンのいずれであるかを判定する（ステップＳ９１３）。
【０８９３】
ステップＳ９１３の判定で、「Ａボタン」と判定された場合には、精算処理モードを全額返金モードに設定する（ステップＳ９１４）。例えば、会員カード１６０のＩＤに基づいて記録されている情報には「全額返金モード」以外のモードが設定されていても、この設定を行うことで「全額返金モード」に変更することができる。
ステップＳ９１３の判定で、「Ｂボタン」と判定された場合には、ステップＳ９１８に進む。
【０８９４】
ステップＳ９１３の判定で、「Ｃボタン」と判定され、さらに、レシート７１０が受け入れられた場合には、制御部９００は、レシート情報処理部９０７で読み取られたＩＤに基づく預り釣銭額がＩＣコイン７００を貸し出す際に徴収する預り保証金額以上であるかを判定する（ステップＳ９１５）。
【０８９５】
ステップＳ９１５の判定で、Ｎｏの場合には、制御部９００は、入金を要求するための表示を行う表示情報を表示部１１０ｆに出力する。そして、表示部１１０ｆは、預り保証金額に対する預り釣銭額の不足金額を、例えば、「不足金５０円入金してください」などを表示する（ステップＳ９１６）。
【０８９６】
続いて、貨幣識別部９０５において確認された入金に基づいて（ステップＳ９１７）、再度、ステップＳ９１５の判定を行う。
【０８９７】
ステップＳ９１５の判定で、Ｙｅｓの場合には、ステップＳ９２０に進む。
次いで会員カードが挿入された場合には、制御部９００は、暗証番号の入力要求の情報を表示させるための表示情報を表示部１１０ｆに出力し、表示部１１０ｆはその情報に基づいて、例えば、「暗証番号を入力してください」などの情報を表示する（ステップＳ９１８）。なお、この表示は、会員カード１６０が使用されているときに表示される。
【０８９８】
続いて、会員カードが挿入された場合には、制御部９００は、選択ボタン検知部９０４の情報に基づいて、入力キー１１０ｒで入力された暗証番号と、すでに記録されている暗証番号との比較を行い、入力されたが暗証番号が正しいか否かを判定する（ステップＳ９１９）。
【０８９９】
ステップＳ９１９の判定で、Ｎｏの場合には、制御部９００は、会員カード情報処理部９０１に会員カード１６０を返却させるための情報を出力する。そして、会員カード情報処理部９０１は、その情報に基づいて、カード挿入口１１０ａから会員カード１６０を返却する（ステップＳ９３４）。なお、ＩＣコイン７００またはレシート７１０が使用されている場合には、ステップＳ９１８およびステップＳ９１９の工程は省略することができる。
【０９００】
一方、ステップＳ９１９の判定で、Ｙｅｓの場合、またはステップＳ９１５の判定で、Ｙｅｓの場合、制御部９００は、預り釣銭額およびポイント数を表示させるための表示情報を表示部１１０ｆに出力し、表示部１１０ｆはその情報に基づいて、例えば、「預り釣銭額３４５１円、ポイント数４８７ポイント」などの情報を表示する（ステップＳ９２０）。
【０９０１】
さらに、制御部９００は、追加入金可能であることを表示させるための表示情報を表示部１１０ｆに出力し、表示部１１０ｆはその情報に基づいて、例えば、「追加入金可能です」などの情報を表示する（ステップＳ９２１）。
【０９０２】
続いて、制御部９００は、選択ボタン検知部９０４の情報に基づいて、「取消ボタン」、「精算ボタン」、「未入力」、「Ｃボタン」の情報かを判定する（ステップＳ９２２）。
【０９０３】
ステップＳ９２２の判定で、「未入力」の場合には、制御部９００は、動作モードが、「入金受付可能」か、「入金受付不可能」かを判定する（ステップＳ９２３）。
【０９０４】
ここで、動作モードが「入金受付可能」とは、精算機１１０に硬貨受入口１１０ｉ、硬貨貯留識別部１１０ｍ、紙幣挿入口１１０ｊ、紙幣貯留識別部１１０ｎが設けられ、精算機１１０に投入または挿入された貨幣額を預り釣銭情報に加算するよう設定されている場合である。一方、動作モードが「入金受付不可能」とは、精算機１１０に硬貨受入口１１０ｉ、硬貨貯留識別部１１０ｍ、紙幣挿入口１１０ｊ、紙幣貯留識別部１１０ｎなどが設けられていない場合や、それらが設けられていても貨幣の受け入れを行わないことが設定されている場合などである。
【０９０５】
ステップＳ９２３の判定で、「入金受付不可能」の場合には、ステップＳ９２２に進み、精算ボタン１１０ｄまたは取消ボタン１１０ｅが押されるまで同じ工程を繰り返す、いわゆる待機状態となる。
【０９０６】
一方、ステップＳ９２３の判定で、「入金受付可能」の場合には、制御部９００は、貨幣識別部９０５の情報に基づいて、硬貨受入口１１０ｉまたは紙幣挿入口１１０ｊから入金されたか否かを判定する（ステップＳ９２４）。
【０９０７】
ステップＳ９２４の判定で、Ｎｏの場合には、ステップＳ９２２に進み、精算ボタン１１０ｄまたは取消ボタン１１０ｅが押されるか、新たに入金を受け付けるまで同じ工程を繰り返す、いわゆる待機状態となる。
【０９０８】
ステップＳ９２４の判定で、Ｙｅｓの場合には、制御部９００は、予め設定された制限条件に該当するか否かを判定する（ステップＳ９２５）。ここで、予め設定された制限条件とは、（１）預り釣銭額が所定金額以上（例えば、１００００円以上）の場合、（２）入金が所定金額以上（例えば、１００００円以上）の場合、（３）前回精算処理を行ったときから所定時間経過した場合、（４）買物の精算処理はなく、両替のみで前回の両替から所定時間内である場合、（５）入金可能枚数を超過した場合などの場合である。
【０９０９】
ステップＳ９２５の判定で、Ｎｏの場合には、制御部９００は、貨幣識別部９０５からの貨幣識別情報に基づいて、入金された金額を、ステップＳ９１１でＩＤに基づいて読み込まれた預り釣銭額に加算し、預り釣銭情報を更新する。また、制御部９００は、ＩＤに基づいて、その更新された預り釣銭情報を店内管理装置１４０に出力し、店内管理装置１４０では、そのＩＤで管理されている預り釣銭情報を更新する。さらに、制御部９００は、更新された預り釣銭情報を記録するための情報を会員カード情報処理部９０１またはＩＣコイン情報処理部９０２に出力し、会員カード情報処理部５０１では、カード処理部１１０ｇによって、その更新された預り釣銭額情報が会員カード１６０に記録され、ＩＣコイン情報処理部９０２では、コイン処理部１１０ｕによって、その更新された預り釣銭額情報がＩＣコイン７００に記録される（ステップＳ９２６）。
【０９１０】
一方、ステップＳ９２５の判定で、Ｙｅｓの場合には、制御部９００は、予め設定された制限条件に該当する文言を表示するための表示情報を表示部１１０ｆに出力し、表示部１１０ｆはその情報に基づいて、次のように情報を表示する（ステップＳ９２７）。
【０９１１】
制限条件が、（１）預り釣銭額が所定金額以上（例えば、１００００円以上）の場合には、「１００００円以上の預り金はできません」、（２）入金が所定金額以上（例えば、１００００円以上）の場合には、「１００００円以上の入金はできません」、（３）前回精算処理を行ったときから所定時間経過した場合には、「もう一度買物をして頂けると入金できます」、（４）買物の精算処理はなく、両替のみで前回の両替から所定時間内である場合には、「もう一度買物をして頂けると入金できます」、（５）入金可能枚数を超過した場合などの場合には、「１回の○円札、または○円玉の入金可能枚数は○○枚です」などの表示を行う。
【０９１２】
続いて、制御部９００は、上記制限条件を超えた分の入金された貨幣を返却するための情報を貨幣排出処理部９０３に出力し、貨幣排出処理部９０３は、その情報に基づいて、硬貨貯留識別部１１０ｍおよび紙幣貯留識別部１１０ｎから預り釣銭情報に対応する金額の貨幣を排出し、硬貨支払口１１０ｋおよび紙幣支払口１１０ｂから貨幣を返却する（ステップＳ９２８）。
【０９１３】
ステップＳ９２２の判定で、「取消ボタン」の場合には、制御部９００は、会員カード１６０が用いられている場合には、会員カード情報処理部９０１に会員カード１６０を返却させるための情報を出力し、ＩＣコイン７００が用いられている場合には、ＩＣコイン情報処理部９０２にＩＣコイン７００を返却させるための情報を出力し、レシート７１０が用いられている場合には、レシート情報処理部９０７にレシート７１０を返却させるための情報を出力する。そして、それぞれの情報処理部は、その情報に基づいて、会員カード１６０、ＩＣコイン７００またはレシート７１０を返却する（ステップＳ９３４）。この場合、ステップＳ９３３の処理は行わない。
【０９１４】
ステップＳ９２２の判定で、「Ｃボタン」の場合には、制御部９００は、預り釣銭情報を更新し、この預り釣銭情報を店内管理装置１４０へ出力する。そして、店内管理装置１４０は、更新された預り釣銭情報をＩＤに基づいて記録する。さらに、会員カード１６０またはＩＣコイン７００が使用されている場合には、制御部９００は、更新された預り釣銭情報を記録するための情報を会員カード情報処理部９０１またはＩＣコイン情報処理部９０２に出力し、会員カード情報処理部９０１では、カード処理部１１０ｇによって、その更新された預り釣銭額情報が会員カード１６０に記録され、ＩＣコイン情報処理部９０２では、コイン処理部１１０ｕによって、その更新された預り釣銭額情報がＩＣコイン７００に記録される（ステップＳ９３３）。
【０９１５】
そして、制御部９００は、情報が更新された会員カード１６０またはＩＣコイン７００を返却させるための情報を会員カード情報処理部９０１またはコイン情報処理部９０２に出力する。そして、会員カード情報処理部９０１は、その情報に基づいて、カード挿入口１１０ａから会員カード１６０を返却し、コイン情報処理部９０２は、その情報に基づいて、コイン返却口１１０ｔからＩＣコイン７００を返却する（ステップＳ９３４）。
【０９１６】
また、レシート７１０が使用されている場合には、制御部９００は、ＩＣコイン貯留排出部９０６に１つのＩＣコイン７００をコイン情報処理部９０２に排出するための情報を出力し、ＩＣコイン貯留排出部９０６は、その情報に基づいて、コイン情報処理部９０２に１つのＩＣコイン７００を排出する。さらに、制御部９００は、そのＩＣコイン７００に預り釣銭情報およびＩＤを記録する情報をコイン情報処理部９０２に出力し、コイン情報処理部９０２では、その情報をＩＣコイン７００に記録し、コイン返却口１１０ｔからＩＣコイン７００を返却する（ステップＳ９３４）。
【０９１７】
一方、ステップＳ９２８の判定で、「精算ボタン」の場合には、制御部９００は、精算モードが全額預り釣銭モードか否かを判定する（ステップＳ９２９）。
【０９１８】
ステップＳ９２９の判定で、Ｙｅｓの場合には、制御部９００は、預り釣銭情報を更新し、この預り釣銭情報を店内管理装置１４０へ出力する。そして、店内管理装置１４０は、更新された預り釣銭情報をＩＤに基づいて記録する。さらに、会員カード１６０またはＩＣコイン７００が使用されている場合には、制御部９００は、更新された預り釣銭情報を記録するための情報を会員カード情報処理部９０１またはＩＣコイン情報処理部９０２に出力し、会員カード情報処理部９０１では、カード処理部１１０ｇによって、その更新された預り釣銭額情報が会員カード１６０に記録され、ＩＣコイン情報処理部９０２では、コイン処理部１１０ｕによって、その更新された預り釣銭額情報がＩＣコイン７００に記録される（ステップＳ９３３）。
【０９１９】
そして、制御部９００は、情報が更新された会員カード１６０またはＩＣコイン７００を返却させるための情報を会員カード情報処理部９０１またはコイン情報処理部９０２に出力する。そして、会員カード情報処理部９０１は、その情報に基づいて、カード挿入口１１０ａから会員カード１６０を返却し、コイン情報処理部９０２は、その情報に基づいて、コイン返却口１１０ｔからＩＣコイン７００を返却する（ステップＳ９３４）。
【０９２０】
一方、ステップＳ９２９の判定で、Ｎｏの場合には、制御部９００は、精算モードが全額返金モードか否かを判定する（ステップＳ９３０）。
【０９２１】
ステップＳ９３０の判定で、Ｙｅｓの場合には、貨幣排出処理部９０３に預り釣銭額およびポイント数に対応する金額を支払わせるための情報を出力する。貨幣排出処理部９０３は、その情報に基づいて、硬貨貯留排出部１１０ｐおよび紙幣貯留識別部１１０ｎから預り釣銭情報に対応する金額の貨幣を排出し、硬貨支払口１１０ｋおよび紙幣支払口１１０ｂから支払う。（ステップＳ９３１）。
【０９２２】
続いて、制御部９００は、ステップＳ９３１によって支払われた金額に対応する金額を    預り釣銭から減じ、預り釣銭情報を「０」として更新し、この預り釣銭情報を店内管理装置１４０へ出力する。そして、店内管理装置１４０は、更新された預り釣銭情報をＩＤに基づいて記録する。さらに、会員カード１６０またはＩＣコイン７００が使用されている場合には、制御部９００は、更新された預り釣銭情報を記録するための情報を会員カード情報処理部９０１またはＩＣコイン情報処理部９０２に出力し、会員カード情報処理部９０１では、カード処理部１１０ｇによって、その更新された預り釣銭額情報が会員カード１６０に記録され、ＩＣコイン情報処理部９０２では、コイン処理部１１０ｕによって、その更新された預り釣銭額情報がＩＣコイン７００に記録される（ステップＳ９３３）。
【０９２３】
そして、制御部９００は、情報が更新された会員カード１６０またはＩＣコイン７００を返却させるための情報を会員カード情報処理部９０１またはコイン情報処理部９０２に出力する。そして、会員カード情報処理部９０１は、その情報に基づいて、カード挿入口１１０ａから会員カード１６０を返却し、コイン情報処理部９０２は、その情報に基づいて、コイン返却口１１０ｔからＩＣコイン７００を返却する（ステップＳ９３４）。
【０９２４】
一方、レシート７１０が使用されている場合には、制御部９００は、ＩＣコイン貯留排出部９０６に１つのＩＣコイン７００をコイン情報処理部９０２に排出するための情報を出力し、ＩＣコイン貯留排出部９０６は、その情報に基づいて、コイン情報処理部９０２に１つのＩＣコイン７００を排出する。さらに、制御部９００は、そのＩＣコイン７００に預り釣銭情報およびＩＤを記録する情報をコイン情報処理部９０２に出力し、コイン情報処理部９０２では、その情報をＩＣコイン７００に記録し、コイン返却口１１０ｔからＩＣコイン７００を返却する（ステップＳ９３４）。
【０９２５】
一方、ステップＳ９３０の判定で、Ｎｏの場合には、制御部９００は、預り釣銭額の内、１０００円以上に対応する金額を算出し、その算出した金額を支払うための情報を貨幣排出処理部９０３に出力する。そして、貨幣排出処理部９０３は、その情報に基づいて、紙幣貯留識別部１１０ｎから預り釣銭情報に対応する金額の貨幣を排出し、紙幣支払口１１０ｂから支払う（ステップＳ９３２）。
【０９２６】
なお、ポイント数を現金化して、精算することもできる。この場合も、１０００円未満の精算は行われない。ここで、入力キー１１０ｒによって、精算したい金額情報を入力し、その情報に基づいて精算処理をするようにしてもよい。
【０９２７】
続いて、制御部９００は、預り釣銭情報から支払われた金額に対応する金額情報を減じ、預り釣銭情報を更新する。また、ポイント数を現金化して精算した場合には、その現金化されたポイント数を減じて、ポイント情報を更新する。
【０９２８】
続いて、制御部９００は、この更新された預り釣銭情報、会員顧客のＩＤ情報、ポイント情報、精算機１１０から支払われた金額情報、精算機１１０から支払われた金種毎の枚数情報などを店内管理装置１４０に出力する。店内管理装置１４０は、これらの情報に基づいて、管理情報を更新する（ステップＳ９３３）。さらに、会員カード１６０またはＩＣコイン７００が使用されている場合には、制御部９００は、更新された預り釣銭情報を記録するための情報を会員カード情報処理部９０１またはＩＣコイン情報処理部９０２に出力し、会員カード情報処理部９０１では、カード処理部１１０ｇによって、その更新された預り釣銭額情報が会員カード１６０に記録され、ＩＣコイン情報処理部９０２では、コイン処理部１１０ｕによって、その更新された預り釣銭額情報がＩＣコイン７００に記録される（ステップＳ９３３）。
【０９２９】
そして、制御部９００は、情報が更新された会員カード１６０またはＩＣコイン７００を返却させるための情報を会員カード情報処理部９０１またはコイン情報処理部９０２に出力する。そして、会員カード情報処理部９０１は、その情報に基づいて、カード挿入口１１０ａから会員カード１６０を返却し、コイン情報処理部９０２は、その情報に基づいて、コイン返却口１１０ｔからＩＣコイン７００を返却する（ステップＳ９３４）。
【０９３０】
なお、会員カード情報処理部９０１は、会員カード１６０のカードビジブル部１６３の磁気記録部の情報を更新することができる。この場合には、制御部９００は、会員カード１６０のカードビジブル部１６３の磁気記録部を日付、ポイント数、預り釣銭額に対応して磁化させるための情報を会員カード情報処理部９０１に出力する。会員カード情報処理部９０１では、その情報に基づいて、カード処理部１１０ｇによって、カードビジブル部１６３の磁気記録部を磁化させる。これによって、カードビジブル部１６３に、日付、ポイント数、預り釣銭額を表示することができる。
【０９３１】
（店内管理装置１４０）
図１９は、店内管理装置１４０の構成部を示す図、図２０は、店内管理装置１４０における動作の流れを示す図である。
【０９３２】
図３に示されているように、店内管理装置１４０は、代金決済装置１０５、精算機１１０、会員カード発行機１２０、レジスタ装置（ＰＯＳ）２０３とネットワーク回線を介して通信可能に接続されている。
【０９３３】
また、店内管理装置１４０は、例えば、プロトコルコンバータ、モデム、一般通信回線を介して店外総合管理装置１５０と通信可能な状態になっている。なお、店外総合管理装置１５０は、さらに他店の店内管理装置と通信可能な状態になっている。
【０９３４】
さらに、店内管理装置１４０は、例えば、パーソナルコンピュータ１４１などとも接続され、このパーソナルコンピュータ１４１において、例えば、店内管理装置１４０に店内の各機器から出力される情報、店外総合管理装置１５０に出力する情報、店外総合管理装置１５０からの所定の情報などを参照することができる。
【０９３５】
また、このパーソナルコンピュータ１４１において、例えば、各機器のモードの設定、ポイントモードの設定などを行うことができる。
【０９３６】
図１９に示すように、店内管理装置１４０は、制御部６００、代金決済装置情報管理部６０１、精算機情報管理部６０２、会員カード発行機情報管理部６０３、レジスタ装置（ＰＯＳ）情報管理部６０４、店外総合管理装置情報管理部６０５から構成されている。
【０９３７】
制御部６００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部６００では、代金決済装置情報管理部６０１、精算機情報管理部６０２、会員カード発行機情報管理部６０３、レジスタ装置（ＰＯＳ）情報管理部６０４、店外総合管理装置情報管理部６０５の各管理部間の信号の出入力、および、ネットワーク回線を介して各機器との間の信号の出入力を制御している。
【０９３８】
なお、店内管理装置１４０は、役割分担した同一ネットワーク上の複数のコンピュータシステムで構成することもできる。例えば、代金決済装置管理用、精算機理用、会員カード発行機管理用、レジスタ装置（ＰＯＳ）管理用などの複数のコンピュータシステムを用いれば、それだけ各役割を高速に実行することができる。
【０９３９】
そして、制御部６００によって制御される、代金決済装置情報管理部６０１、精算機情報管理部６０２、会員カード発行機情報管理部６０３、レジスタ装置（ＰＯＳ）情報管理部６０４、店外総合管理装置情報管理部６０５の各管理部は、次のように動作する（図１８）。
【０９４０】
以下に、図１８を参照してその管理動作の一例を説明する。
ここで、（１）代金決済装置情報管理部６０１、（２）精算機情報管理部６０２、（３）会員カード発行機情報管理部６０３、（４）レジスタ装置（ＰＯＳ）情報管理部６０４、（５）店外総合管理装置情報管理部６０５のそれぞれにおける各機器との情報の通信動作を分けて説明する。
【０９４１】
（１）代金決済装置情報管理部６０１と代金決済装置１０５との情報の通信動作
制御部６００は、代金決済装置１０５の電源投入に伴い、代金決済装置情報管理部６０１から、カード挿入口の設定モード、施錠認証モードなどの各動作モード、会員顧客に付与される、例えば、商品購入によって付与されるポイント、来店ポイント、イベントポイント、雨の日ポイント、レディースポイント、時間帯ポイント、曜日ポイントなどのポイントモードなどの情報を読み出し、代金決済装置１０５に出力する（ステップＳ６１０）。
【０９４２】
制御部６００は、代金決済装置１０５からの会員カード１６０のＩＤ情報に基づく情報の要求に対して、代金決済装置情報管理部６０１から、預り釣銭情報、ポイント情報、貸出用買物かご１０７の預り保証金情報などの情報を読み出し、代金決済装置１０５に出力する（ステップＳ６１１）。また、制御部６００は、例えば、代金決済装置１０５にＩＣコイン７００が使用された場合には、そのＩＤ情報に基づく情報の要求に対して、代金決済装置情報管理部６０１から、預り釣銭情報、ポイント情報などの情報を読み出し、代金決済装置１０５に出力する。さらに、代金決済装置１０５からレシート７１０を発行する際に付与されるＩＤ情報などを代金決済装置情報管理部６０１から代金決済装置１０５に出力する。
【０９４３】
制御部６００は、代金決済装置１０５からの紙幣収納部１０５ｆの取り出しに対する処理における代金決済装置１０５からの、代金決済装置１０５を操作する店員ＩＤ情報、開閉ドアの開閉情報、電源ＯＮ−ＯＦＦ情報、紙幣収納部１０５ｆ交換情報、日時情報、店員交代に伴う店員ＩＤ情報、紙幣挿入口１０５ｃから入金された金額情報、紙幣識別部４０２で識別された金種毎の枚数情報などの情報を入力し、代金決済装置情報管理部６０１に記録する。そして、代金決済装置情報管理部６０１では、それらの記録された情報を、例えば、履歴情報として集計する（ステップＳ６１２）。
【０９４４】
制御部６００は、購入商品に対する代金決済処理における代金決済装置１０５からの、顧客のＩＤ情報、預り釣銭額情報、ポイント情報、紙幣挿入口１０５ｃから入金された金額情報、購入商品の合計金額情報、預り保証金額情報、貸し出された貸出用買物かご１０７の数量情報、購入商品毎の代金情報、紙幣識別部４０２で識別された金種毎の枚数情報、代金決済装置１０５を操作する店員のＩＤ情報などの情報を入力し、代金決済装置情報管理部６０１に記録する。そして、代金決済装置情報管理部６０１では、それらの記録された情報を、例えば、履歴情報として集計する（ステップＳ６１３）。
【０９４５】
制御部６００は、ゲート情報（会員顧客ゲート）、使用された代金決済装置１０５の装置ナンバ（Ｎｏ）、会員顧客のＩＤ情報、販売商品毎の売上額情報、販売商品毎の売上額情報から仕入額を差し引いた粗利情報、会員毎の売上額情報、消費税情報、販売商品および各販売商品の数量に対応する情報などを代金決済装置情報管理部６０１に記録する。
【０９４６】
そして、代金決済装置情報管理部６０１では、それらの情報を、例えば、履歴情報として記録する。また、制御部６００は、閉店や１日に１度定時刻にこれら履歴情報を項目毎に集計して、例えば、総売上高、販売商品総仕入額、総売上高から販売商品総仕入額を差し引いた総粗利額、総粗利額から販売管理費（労務費や電力料金等の経費総額）を差し引いた本業の儲けを示す営業利益などを算出し、代金決済装置情報管理部６０１に記録する。
【０９４７】
さらに、制御部６００は、非会員顧客（通常顧客）の各種情報や集計結果が記録されたレジスタ装置（ＰＯＳ）情報管理部６０４から情報を読み取り、業務分析用として会員顧客と非会員顧客の区分毎、時間帯毎、顧客グループ（年齢性別）毎の売上額と粗利額、会員顧客と非会員顧客の区分毎の稼動率（会員顧客ゲート、通常顧客ゲートからの送信間隔が所定時間以上となったら非稼動時間をインクリメントし、所定時間以内であれば稼動時間をインクリメントし、例えば、稼動率＝稼動時間／営業時間として演算する）などを算出し、代金決済装置情報管理部６０１に記録する（ステップＳ６１４）。また、制御部６００は、販売商品および各販売商品の数量に対応する情報に基づいて、在庫情報を更新する（ステップＳ６１４）。
【０９４８】
ここで、代金決済装置情報管理部６０１に記録された各種情報や集計結果は、パーソナルコンピュータ１４１に入力された指示に従ってパーソナルコンピュータ１４１の画面に表示したり、プリンタに印刷できる。このように、店舗の経営者は、各種情報や集計結果を逐一把握できるので、例えば、会員顧客ゲート１００と通常顧客ゲート２００の設置割合などを検討して、経営指針をたてることができる。
【０９４９】
（２）精算機情報管理部６０２と精算機１１０との情報の通信動作
制御部６００は、精算機１１０からの会員カード１６０のＩＤ情報に基づく情報の要求に対して、精算機情報管理部６０２から、預り釣銭情報、ポイント情報、暗証番号などの情報を読み出し、代金決済装置１０５に出力する（ステップＳ６１５）。また、制御部６００は、例えば、精算機１１０にＩＣコイン７００、レシート７１０が使用された場合には、そのＩＤ情報に基づく情報の要求に対して、精算機情報管理部６０２から、預り釣銭情報、ポイント情報などの情報を読み出し、精算機１１０に出力する。
【０９５０】
制御部６００は、精算機１１０からの、顧客のＩＤ情報、更新された預り釣銭情報、更新されたポイント情報、精算機１１０から支払われた金額情報、精算機１１０から支払われた金種毎の枚数情報などの情報を入力し、精算機情報管理部６０２に記録する。そして、精算機情報管理部６０２では、それらの記録された情報を、例えば、履歴情報として集計する（ステップＳ６１６）。
【０９５１】
（３）会員カード発行機情報管理部６０３と会員カード発行機１２０との情報の通信動作
制御部６００は、会員カード１６０を新発行する際に、会員カード発行機１２０に接続されたパーソナルコンピュータ１２１または会員カード発行機１２０の操作キー部１２０ｂで入力された、例えば、会員登録をする際の顧客の住所、氏名、年齢、性別、連絡先、生年月日、好きな買物、年収、暗証番号などの顧客属性情報、会員カード１６０の預り保証金情報を会員カード発行機情報管理部６０３に出力する。また、制御部６００は、会員カード発行機１２０からの要求によりＩＤを付与し、そのＩＤ情報を会員カード発行機１２０に出力する。会員カード発行機情報管理部６０３では、そのＩＤに基づいて各情報を管理する（ステップＳ６１７）。
【０９５２】
制御部６００は、パーソナルコンピュータ１２１または操作キー部１２０ｂから入力された顧客属性情報を入力し、その情報に基づいて、会員ＩＤを検索し、その検索結果を会員カード発行機１２０に出力する（ステップＳ６１８）。
【０９５３】
制御部６００は、各管理部が管理している情報から、入力したＩＤに基づいて管理されている情報を検索し、会員カード発行機１２０に出力する（ステップＳ６１９）。
【０９５４】
制御部６００は、会員顧客の解約に伴い、入力したＩＤに基づいて管理されている情報から貸出用買物かご数、預り保証金額および預り釣銭額を「０」に更新する。また、制御部６００は、そのＩＤに基づいて管理されている情報を消去する（ステップＳ６２０）。
【０９５５】
制御部６００は、会員カード１６０を再発行する際に、旧ＩＤに基づいて管理されている情報を、新たに付与されたＩＤに基づく情報として記録する（ステップＳ６２１）。
【０９５６】
（４）レジスタ装置（ＰＯＳ）情報管理部６０４とレジスタ装置（ＰＯＳ）２０３との情報の通信動作
制御部６００は、通常顧客ゲート２００に備えられたレジスタ装置（ＰＯＳ）２０３から出力された、ゲート情報（通常顧客ゲート）、使用されたレジスタ装置（ＰＯＳ）１０６の装置ナンバ（Ｎｏ）、販売商品毎の売上額情報、販売商品毎の売上額情報から仕入額を差し引いた粗利情報、消費税情報、販売商品および各販売商品の数量に対応する情報などをレジスタ装置（ＰＯＳ）情報管理部６０４に記録する。
【０９５７】
そして、レジスタ装置（ＰＯＳ）情報管理部６０４では、それらの情報を、例えば、履歴情報として記録する。また、制御部６００は、閉店や１日に１度定時刻にこれら履歴情報を項目毎に集計して、例えば、総売上高、販売商品総仕入額、総売上高から販売商品総仕入額を差し引いた総粗利額、総粗利額から販売管理費（労務費や電力料金等の経費総額）を差し引いた本業の儲けを示す営業利益などを算出し、レジスタ装置（ＰＯＳ）情報管理部６０４に記録する（ステップＳ６２２）。
【０９５８】
さらに、制御部６００は、会員顧客の各種情報や集計結果が記録された代金決済装置情報管理部６０１から情報を読み取り、業務分析用として会員顧客と非会員顧客の区分毎、時間帯毎、顧客グループ（年齢性別）毎の売上額と粗利額、会員顧客と非会員顧客の区分毎の稼動率（会員顧客ゲート、通常顧客ゲートからの送信間隔が所定時間以上となったら非稼動時間をインクリメントし、所定時間以内であれば稼動時間をインクリメントし、例えば、稼動率＝稼動時間／営業時間として演算する）などを算出し、レジスタ装置（ＰＯＳ）情報管理部６０４に記録する（ステップＳ６２２）。また、制御部６００は、販売商品および各販売商品の数量に対応する情報に基づいて、在庫情報を更新する（ステップＳ６２２）。
【０９５９】
ここで、レジスタ装置（ＰＯＳ）情報管理部６０４に記録された各種情報や集計結果は、パーソナルコンピュータ１４１に入力された指示に従ってパーソナルコンピュータ１４１の画面に表示したり、プリンタに印刷できる。このように、店舗の経営者は、各種情報や集計結果を逐一把握できるので、例えば、会員顧客ゲート１００と通常顧客ゲート２００の設置割合などを検討して、経営指針をたてることができる。
【０９６０】
（５）店外総合管理装置情報管理部６０５と店外総合管理装置１５０との情報の通信動作
店内管理装置１４０は、店外総合管理装置１５０と、例えば、プロトコルコンバータ、モデム、一般通信回線を介して通信可能な状態になっている。
【０９６１】
この店外総合管理装置１５０との通信は、会員カード１６０または店員カードのＩＤに基づいて行われ、代金決済装置情報管理部６０１、精算機情報管理部６０２、会員カード発行機情報管理部６０３、レジスタ装置（ＰＯＳ）情報管理部６０４において集計された情報のうち、店外総合管理装置１５０に出力される情報は、店外総合管理装置情報管理部６０５に記録される。そして、制御部６００は、店外総合管理装置情報管理部６０５に記録された情報を店外総合管理装置１５０に出力する（ステップＳ６２２）。
【０９６２】
ここで、店外総合管理装置１５０に出力される情報には、上記した全ての店内管理装置１４０の情報であり、これらの情報は、例えば、時計、日計、週計、月計などに集計されている（ステップＳ６２３）。
【０９６３】
なお、店外総合管理装置１５０から情報を読み込む場合にも、会員カード１６０または店員カードのＩＤを認証情報として機能させ、認証が確認できれば、店外総合管理装置１５０で管理されている情報を読み出すことができる。例えば、認証情報として会員カード１６０のＩＤが用いられた場合には、そのＩＤに基づく情報を読み出すことができる。また、認証情報として店員カードのＩＤが用いられた場合には、集計された各店舗の売上情報、顧客の情報などを読み出すことができる。
【０９６４】
また、店外総合管理装置１５０との通信の際の各情報の入力、情報の読み出し、情報の表示などは、店内管理装置１４０に接続されたパーソナルコンピュータ１４１などを用いて行うことができる。
【０９６５】
店外総合管理装置１５０では、各店舗に設置された店内管理装置１４０からの情報管理要求の受け入れに対応する情報が入力されるのを待機し、その情報が入力されたか否かを検知している（ステップＳ６２４）。この情報管理要求の受け入れは、随時または定期的に行われる。
【０９６６】
そして、店外総合管理装置１５０に、情報管理要求がなされ、その情報管理を各店舗共通で行う場合（ステップＳ６２４の「あり（店舗共通）」）には、店外総合管理装置１５０は、各店内管理装置１４０から出力された情報を記録し、情報の集計を行う。
【０９６７】
一方、店外総合管理装置１５０に、情報管理要求がなされ、その情報管理を各店舗別で行う場合（ステップＳ６２４の「あり（店舗別）」）には、各店舗は独立して経営されているため、例えば、Ａ店で貸出用買い物かご１０７が貸し出され、Ａ店とは経営者の異なるＢ店でその貸出用買い物かご１０７が返却され、Ｂ店が預り保証金を支払うようなことが生じる。また、Ａ店においてされた預り釣銭を、Ｂ店で支払うようなことも生じる。このようなことは、これ以外にも、例えば、ポイント情報を現金化する場合にも生じる。
【０９６８】
店外総合管理装置１５０では、このようことが生じた場合に、Ａ店にＢ店が支払った金額を請求するための請求書をプリンタなどで印字する。また、この請求書は、例えば、電子メールなどでＡ店に送ることもできる（ステップＳ６２５）。
【０９６９】
以上、一実施の形態の代金決済精算システム１０を構成する、会員カード１６０、会員カード発行機１２０、貸出用買物かご１０７、貸出用買物かご設置部１０４、レジスタ装置（ＰＯＳ）２０３、代金決済装置１０５、精算機１１０、店内管理装置１４０などについて説明した。
【０９７０】
上記した代金決済精算システム１０は、会員カード１６０を有する会員顧客が会計処理を行う会員顧客ゲート１００と、会員カード１６０を有しない通常顧客が会計処理を行う通常顧客ゲート２００とから構成されており、店員と金銭の授受を行う通常顧客の会計処理と、店員と金銭の授受を行わない会員顧客の会計処理とを区分して行うことができるため、会員顧客ゲート１００における会計処理を迅速に行うことができる。また、会員顧客ゲート１００を利用する会員顧客には、代金決済の迅速な処理という利点の他にも、例えば、各種ポイントを付与するなどの利点を与えることができる。
【０９７１】
また、会員登録をした顧客に対してのみ会員カード１６０を発行することで、繰り返し来店することを考えている有効な顧客に対して、付加価値の高い会員顧客ゲート１００での代金決済処理を行うことができる。
【０９７２】
さらに、代金決済精算システム１０では、店内管理装置１４０によって、会員顧客ゲート１００で得られた会計処理に関する情報と、通常顧客ゲート２００で得られた会計処理に関する情報とを区分して管理することができる。また、店内管理装置１４０では、会計処理に関する情報を、例えば、履歴情報に集計したり、各種商品毎に売上数量、売上金額、在庫数などを集計することができる。さらに、会員顧客ゲート１００で得られた会計処理に関する情報の場合には、例えば、会員顧客のＩＤに基づいて会員顧客毎に情報を管理することなどもできる。
【０９７３】
また、店内管理装置１４０の接続されたパーソナルコンピュータ１４１によって、例えば、店内管理装置１４０に店内の各機器から出力される情報、店内管理装置１４０で集計された各種情報などを画面上で確認することができ、また、パーソナルコンピュータ１４１にプリンタなどを接続することで、それらの情報を印字して出力することができる。
【０９７４】
さらに、店内管理装置１４０は、例えば、プロトコルコンバータ、モデム、一般通信回線を介して店外総合管理装置１５０と通信可能な状態であり、店内管理装置１４０で集計した各種情報を店外総合管理装置１５０に出力し、その出力された情報は店外総合管理装置１５０で管理され、集計される。店外総合管理装置１５０では、例えば、同じグループ店舗から出力された情報を集計し、店舗毎の集計情報の一覧などを作成して各店舗の店内管理装置１４０に出力することなどもできる。このように、店外総合管理装置１５０を設けることで、例えば、グループ店舗の売上状況などの情報を逐一得ることができ、店舗の経営プランなどを計画する際の情報として用いることができる。
【０９７５】
会計場における会計処理台上のスペースは限られているため、例えば、大型の代金決済装置などを設置することができない。例えば、代金決済装置の大型化の要因の一つとして、釣銭機の千円札などの払出部とその収納部が挙げられる。そこで、本発明の代金決済精算装置、代金決済精算方法、貨幣識別装置、代金決済装置、貨幣識別方法、代金決済方法、代金決済システムによれば、代金決済装置から釣銭機を削除し、別体の精算機を別の場所に設けて釣銭を返却することで、代金決済装置を小型にでき、会計処理台上の比較的狭いスペースにも設置することができる。
【０９７６】
また、本発明の代金決済精算装置、代金決済精算方法、貨幣識別装置、代金決済装置、貨幣識別方法、代金決済方法、代金決済システムによれば、施錠機能部の施錠を解除することによって、紙幣収納部を取り外すことができる。さらに、店員が紙幣収納部内の紙幣に触ることなく、紙幣収納部ごと回収し、会計責任者に紙幣収納部を手渡す作業で済むので、紙幣の紛失、店員による不正行為などを防止することができ、現金一元管理が可能になる。
【０９７７】
また、紙幣収納部に記録部を配設し、この記録部に、紙幣収納部に収納された紙幣の種類、数量などを記録することができる。さらに、紙幣収納部の記録部には、装置を取り扱う店員の情報、日時、紙幣収納部が設置される装置を特定するための情報なども記録することができ、店員による不正行為を防止することができる。
【０９７８】
さらに、貨幣識別装置、代金決済装置には、記録部に記録された情報を印字するプリント機能が備えられているので、実際に、紙幣収納部内の紙幣の種類、数量を計数した計数結果との照合が可能であり、適確な集計を行うことができる。
【０９７９】
本発明の貸出用買物かご１０７によれば、貸出用買物かご本体１０７ａ内の底部に固着された記憶媒体１０７ｃに、例えば、貸出用買物かご１０７を利用する会員顧客のＩＤ情報、貸出の日時、貸出用買物かご１０７の貸出数、外部への持ち出しを許可する許可特定情報などを記録することができ、例えば、貸出用買物かご１０７が店外に許可なく持ち出されるのを防止することができる。
【０９８０】
また、貸出用買物かご１０７の底部には、会員カード１６０を収納することができる会員カード収納箱１０７ｄが設けられており、この会員カード収納箱１０７ｄに会員カード１６０が設置された場合には、貸出用買物かご１０７を設置する貸出用買物かご設置部１０４に設けられたリーダライタ１０４ｂを介して、情報の読み取り、書き込みを行うことができる。
【０９８１】
貸出用買物かご設置部１０４に設けられた貸出用買物かごロック機構１０４ａによれば、購入商品の代金決済装置１０５による商品情報の読み取り処理が終了しても、代金決済装置１０５に紙幣が挿入され、預り釣銭情報を更新するまでは代金決済処理が終了したことにはならず、その代金決済終了までの間に、購入商品が収容された貸出用買物かご１０７が持ち出されるのを防止することができる。
【０９８２】
また、代金決済装置１０５は、レシート７１０にバーコードを記載して、ＩＤを付与し、そのバーコードから預り釣銭情報、ポイント情報などを特定できるので、例えば、会員カード１６０を持たない通常顧客が、会員顧客ゲート１００においても代金決済処理を行うことができる。これによって、例えば、間違って、通常顧客が会員顧客ゲート１００に並んだ場合でも、対処することができるので、その通常顧客に他の通常顧客ゲート２００に再度並ばせることをせずに済む。
【０９８３】
精算機１１０において、両替機能を設けることで、精算機能以外に両替機能を併設することができ、精算機１１０としての機能の拡大を図ることができる。また、この機能を有することで顧客にとっても便利になる。
【図面の簡単な説明】
【０９８４】
【図１】本発明の一実施の形態の代金決済精算システムを備えた量販店における会計場の一例の概要図。
【図２】本発明の一実施の形態の代金決済精算システムを備えた量販店における会計場の他の一例の概要図。
【図３】代金決済精算システムの各機器における接続構成を示す図。
【図４】代金決済精算システムの各機器における接続構成の他の一例を示す図。
【図５】会員カードの平面図。
【図６】会員カード発行機の外観を示す斜視図。
【図７】会員カード発行機の構成部を示す図。
【図８】会員カード発行機における動作の流れを示す図。
【図９】貸出用買物かご１０７の一部を断面とした図。
【図１０】貸出用買物かご設置部に貸出用買物かごが設置された状態を示す断面図。
【図１１】レジスタ装置（ＰＯＳ）の外観を示す斜視図。
【図１２】レジスタ装置（ＰＯＳ）の外観を示す斜視。
【図１３】代金決済装置の外観を示す斜視図。
【図１４】代金決済装置の構成部を示す図。
【図１５】代金決済装置における動作の流れを示す図。
【図１６】精算機の正面を示す平面図。
【図１７】精算機の構成部を示す図。
【図１８】精算機における動作の流れを示す図。
【図１９】店内管理装置の構成部を示す図。
【図２０】店内管理装置における動作の流れを示す図。
【図２１】バーコードリーダ部と回線を介して接続された代金決済装置の正面図。
【図２２】ＩＣコインの外観を示す斜視図。
【図２３】代金決済装置の構成部を示す図。
【図２４】代金決済装置における動作の流れを示す図。
【図２５】精算機の正面を示す平面図。
【図２６】精算機の構成部を示す図。
【図２７】精算機における動作の流れを示す図。
【符号の説明】
【０９８５】
１０…代金決済精算システム、１００…会員顧客ゲート、１０１…会員用会計処理台、１０２…買物かご置き場、１０３…バーコードリーダ部、１０４…貸出用買物かご設置部、１０５…代金決済装置、１０６…レジスタ装置（ＰＯＳ）、１０７…貸出用買物かご、１１０…精算機、１２０…会員カード発行機、１２１…パーソナルコンピュータ、１３０…袋詰め用テーブル、１６０…会員カード、２００…通常顧客ゲート、２０１…通常会計処理台、２０２…バーコードリーダ部、２０３…レジスタ装置（ＰＯＳ）
【図１】
2005157986.tif 000003
【図２】
2005157986.tif 000004
【図３】
2005157986.tif 000005
【図４】
2005157986.tif 000006
【図５】
2005157986.tif 000007
【図６】
2005157986.tif 000008
【図７】
2005157986.tif 000009
【図８】
2005157986.tif 000010
【図９】
2005157986.tif 000011
【図１０】
2005157986.tif 000012
【図１１】
2005157986.tif 000013
【図１２】
2005157986.tif 000014
【図１３】
2005157986.tif 000015
【図１４】
2005157986.tif 000016
【図１５】
2005157986.tif 000017
【図１６】
2005157986.tif 000018
【図１７】
2005157986.tif 000019
【図１８】
2005157986.tif 000020
【図１９】
2005157986.tif 000021
【図２０】
2005157986.tif 000022
【図２１】
2005157986.tif 000023
【図２２】
2005157986.tif 000024
【図２３】
2005157986.tif 000025
【図２４】
2005157986.tif 000026
【図２５】
2005157986.tif 000027
【図２６】
2005157986.tif 000028
【図２７】
2005157986.tif 000029